(57)【要約】【課題】遊技機の電源がオフされている場合にも扉体の開放を特定装置へ報せることができる遊技機を提供すること。【解決手段】枠開放検出回路２８０には、積分回路２８１が設けられているので、内枠１２および前面枠１４の開放期間に拘らず、タイマＩＣ１のＴＲＧ端子電圧の立ち下り期間を一定期間（約２ｍｓ）にして、単安定マルチバイブレータとして機能するタイマＩＣ１を正常に動作させ、タイマＩＣ１のＯＵＴ端子の電圧の立ち上がり期間を約１０ｍｓに留めることができる。よって、内枠１２または前面枠１４の開放が行われた場合に、２４時間動作し続けるホールコンピュータ２６２へ出力されるパルス信号のパルス幅を約１０ｍｓに留めることができる。従って、パチンコ機への電源供給が遮断され、コンデンサＣＤ１から直流電圧が供給されている場合でも、電荷の消費を抑制しつつ、内枠１２または前面枠１４の開放を検出することができる。【選択図】図２０
2020078716.tif 000002
【特許請求の範囲】
【請求項１】
本体と、その本体の前面を開閉する扉体と、その扉体と前記本体とにより形成される空間内に設けられ遊技の制御を行う制御手段とを備えた遊技機において、
前記本体に対する前記扉体の開放を検出する扉開放検出手段と、
その扉開放検出手段により前記扉体の開放が検出された場合に、その検出結果を特定装置へ出力する出力手段と、
その出力手段による１回の出力期間を所定期間以内に留める出力期間制限手段と、
その出力期間制限手段と前記出力手段とを前記遊技機の電源オフ中に動作させるオフ中動作手段とを備え、
前記出力手段は、前記出力期間制限手段からの出力に基づいて前記特定装置へ検出結果を出力し、
前記出力期間制限手段は、前記扉開放検出手段により前記扉体の開放が検出された場合に、前記所定期間中に前記出力手段への出力を行うことを特徴とする遊技機。
【請求項２】
本体と、その本体の前面を開閉する扉体と、その扉体と前記本体とにより形成される空間内に設けられ遊技の制御を行う制御手段とを備えた遊技機において、
前記本体に対する前記扉体の開放を検出する扉開放検出手段と、
その扉開放検出手段により前記扉体の開放が検出された場合に、その検出結果を特定装置へ出力する出力手段と、
その出力手段による１回の出力期間を所定期間以内に留める出力期間制限手段と、
その出力期間制限手段と前記出力手段とを前記遊技機の電源オフ中に動作させるオフ中動作手段とを備え、
前記出力手段は、前記出力期間制限手段からの出力に基づいて前記特定装置へ検出結果を出力し、
前記出力期間制限手段は、前記扉開放検出手段により前記扉体の開放が検出されない場合には、前記出力手段への出力を停止することを特徴とする遊技機。
【請求項３】
本体と、その本体の前面を開閉する扉体と、その扉体と前記本体とにより形成される空間内に設けられ遊技の制御を行う制御手段とを備えた遊技機において、
前記本体に対する前記扉体の開放を検出する扉開放検出手段と、
その扉開放検出手段により前記扉体の開放が検出された場合に、その検出結果を特定装置へ出力する出力手段と、
その出力手段による１回の出力期間を所定期間以内に留める単安定マルチバイブレータを用いた出力期間制限手段と、
その出力期間制限手段に接続され、前記扉開放検出手段により前記扉体の開放が検出された場合に、前記出力期間制限手段へ入力される信号を前記扉体の開放期間に拘らず前記所定期間よりも短い期間に調整する入力期間調整手段と、
前記出力期間制限手段と出力手段とを前記遊技機の電源オフ中に動作させるオフ中動作手段とを備えていることを特徴とする遊技機。
【請求項４】
前記入力期間調整手段は、積分回路を用いて構成されていることを特徴とする請求項３記載の遊技機。
【請求項５】
前記入力期間調整手段は、前記出力期間制限手段へ入力される信号の最大電圧を一定化する定電圧手段を備えていることを特徴とする請求項３又は４記載の遊技機。
【請求項６】
前記定電圧手段は、ツェナーダイオードで構成されていることを特徴とする請求項５記載の遊技機。
【発明の詳細な説明】
【技術分野】
【０００１】
本発明は、パチンコ機、回胴式遊技機（例えばスロットマシン）、或いは遊技球を使用した回胴式遊技機等に代表される遊技機に関するものである。
【背景技術】
【０００２】
パチンコ機では、遊技領域に打ち込まれた球が図柄作動口へ入球すると、その入球のタイミングで抽選が行われる。また、スロットマシンや遊技球を使用した回胴式遊技機では、スタートレバーを操作すると、その操作したタイミングで抽選が行われる。抽選の結果、例えば大当たりになると、大量の賞球やコインの払い出しが可能な状態となる。この抽選および大当たりを決定するための制御は、主制御装置によって行われるので、主制御装置が不正行為の対象になり易い。
【０００３】
具体的な不正行為としては、例えば、主制御装置を、大当たりが頻繁に発生する不正なものに取り替えたり、或いは、主制御装置に不正な基板（例えば「ぶら下げ基板」）を接続して、大当たりを不正に発生させるものなどがある。また、パチンコ機の場合、遊技盤面上に打ち込まれている釘を不正に曲げて、入賞口や図柄作動口へ球が入球し易くする不正行為もある。
パチンコ機の場合、主制御装置は遊技盤の裏面に装着されている。一方、遊技盤の前面には、ガラス枠が設けられ、このガラス枠は、遊技盤が装着される内枠体に対して、それぞれ個別に開閉可能にされている。よって、不正行為者が遊技盤面や主制御装置に対して不正行為を行う場合には、内枠またはガラス枠を開放しなければならないが、内枠またはガラス枠が開放された場合には、その開放がセンサによって検出され、遊技場を管理するホールコンピュータへ報されるので、どのパチンコ機に対して不正行為がなされたかは容易に把握することができる。
【先行技術文献】
【特許文献】
【０００４】
【特許文献１】特開２００１−１９８３３２号公報
【発明の概要】
【発明が解決しようとする課題】
【０００５】
しかしながら、遊技場の閉店後の例えば深夜に、不正行為者が侵入し、その侵入者が内枠またはガラス枠を開放して不正行為を行った場合、そのときにはパチンコ機の電源は断されており、パチンコ機は停止しているので、内枠またはガラス枠の開放を検知することができず、その開放をホールコンピュータに報せることができないという問題点があった。
【０００６】
本発明は、上記例示した問題点等を解決するためになされたものであり、遊技機の電源がオフされている場合にも扉体の開放を特定装置へ報せることができる遊技機を提供することを目的としている。
【課題を解決するための手段】
【０００７】
この目的を達成するために請求項１記載の遊技機は、本体と、その本体の前面を開閉する扉体と、その扉体と前記本体とにより形成される空間内に設けられ遊技の制御を行う制御手段とを備えたものであり、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める出力期間制限手段と、その出力期間制限手段と前記出力手段とを前記遊技機の電源オフ中に動作させるオフ中動作手段とを備え、前記出力手段は、前記出力期間制限手段からの出力に基づいて前記特定装置へ検出結果を出力し、前記出力期間制限手段は、前記扉開放検出手段により前記扉体の開放が検出された場合に、前記所定期間中に前記出力手段への出力を行うものである。なお、扉体と本体とにより形成される空間内とは、扉体の閉鎖時に手を触れることができない扉体の背面または背面側を示している。
【０００８】
請求項２記載の遊技機は、本体と、その本体の前面を開閉する扉体と、その扉体と前記本体とにより形成される空間内に設けられ遊技の制御を行う制御手段とを備えたものであり、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める出力期間制限手段と、その出力期間制限手段と前記出力手段とを前記遊技機の電源オフ中に動作させるオフ中動作手段とを備え、前記出力手段は、前記出力期間制限手段からの出力に基づいて前記特定装置へ検出結果を出力し、前記出力期間制限手段は、前記扉開放検出手段により前記扉体の開放が検出されない場合には、前記出力手段への出力を停止するものである。
【０００９】
請求項３記載の遊技機は、本体と、その本体の前面を開閉する扉体と、その扉体と前記本体とにより形成される空間内に設けられ遊技の制御を行う制御手段とを備えたものであり、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める単安定マルチバイブレータを用いた出力期間制限手段と、その出力期間制限手段に接続され、前記扉開放検出手段により前記扉体の開放が検出された場合に、前記出力期間制限手段へ入力される信号を前記扉体の開放期間に拘らず前記所定期間よりも短い期間に調整する入力期間調整手段と、前記出力期間制限手段と出力手段とを前記遊技機の電源オフ中に動作させるオフ中動作手段とを備えている。
【００１０】
請求項４記載の遊技機は、請求項３記載の遊技機において、前記入力期間調整手段は、積分回路を用いて構成されている。
【００１１】
請求項５記載の遊技機は、請求項３又は４に記載の遊技機において、前記入力期間調整手段は、前記出力期間制限手段へ入力される信号の最大電圧を一定化する定電圧手段を備えている。
【００１２】
請求項６記載の遊技機は、請求項５記載の遊技機において、前記定電圧手段は、ツェナーダイオードで構成されている。
【発明の効果】
【００１３】
請求項１記載の遊技機によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できるという効果がある。
【００１４】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできるという効果がある。
【００１５】
更に、出力期間制限手段からの出力に基づいて特定装置へ検出結果を出力する出力手段へは、扉開放検出手段により扉体の開放が検出された場合の所定期間中に、出力期間制限手段によって出力が行われる。よって、出力期間制限手段による出力手段への出力動作を、扉体の１回の開放につき、所定期間以内に留めることができる。従って、遊技機の電源オフ中におけるオフ中動作手段の消耗を抑制できると共に、出力手段の動作可能回数を多くして、扉体の開放の検出可能回数を多くできるという効果がある。
【００１６】
請求項２記載の遊技機によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できるという効果がある。
【００１７】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできるという効果がある。
【００１８】
更に、特定装置へ検出結果を出力する出力手段への出力期間制限手段の出力は、扉開放検出手段により扉体の開放が検出されない場合には、停止される。よって、扉開放検出手段により扉体の開放が検出されない場合には、出力期間制限手段の出力動作に伴って消費される電力を抑制することができる。従って、遊技機の電源オフ中におけるオフ中動作手段の消耗を抑制できると共に、出力手段の動作可能回数を多くして、扉体の開放の検出可能回数を多くできるという効果がある。
【００１９】
請求項３記載の遊技機によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できるという効果がある。
【００２０】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできるという効果がある。
【００２１】
更に、単安定マルチバイブレータを用いた出力期間制限手段に入力される信号は、入力期間調整手段により、扉体の開放期間に拘らず、出力手段による１回の出力期間である所定期間よりも短く調整される。ここで、単安定マルチバイブレータは、出力される信号の出力期間よりも、入力される信号の入力期間が短くなければ、信号を出力し続ける。このため、単安定マルチバイブレータを出力期間制限手段に用いた場合には、出力される信号の出力期間よりも、即ち、出力期間制限手段が制限する所定期間よりも、出力期間制限手段に入力される信号の入力期間が、即ち、扉体の開放期間が短くなければならない。しかし、扉体の開放期間はどの程度になるか全く予測不能であるので、出力期間制限手段が制限する所定期間よりも、扉体の開放期間が常に短くなるようにするには、所定期間の設定を十分に余裕を持った期間にする必要がある。例えば、扉体の開放期間が、数十秒単位から数分単位と予測すれば、出力期間制限手段が制限する所定期間は、十分に余裕を持って、数分単位から数十分単位に設定しなければならない。すると、この所定期間中、出力期間制限手段および出力手段にオフ中動作手段から電力供給が行われ続けるので、オフ中動作手段の消耗が著しくなってしまう。よって、出力期間制限手段に単安定マルチバイブレータを使用した上でオフ中動作手段の消耗を抑制するためには、特殊な回路構成が必要であった。しかし、請求項３記載の遊技機によれば、入力期間調整手段により、扉体の開放期間に拘らず、出力期間制限手段に入力される信号を所定期間よりも短く調整することができる。よって、扉体の開放期間に拘らず、出力期間制限手段を正常に動作させることができるので、出力手段による１回の出力期間を出力期間制限手段により所定期間内に留めることができる。このように、請求項３記載の遊技機によれば、入力期間調整手段を設けることで、オフ中動作手段の消耗を抑制した上で、特殊な回路構成を採用することなく、単安定マルチバイブレータを用いて出力期間制限手段を実現することができるという効果がある。
【００２２】
請求項４記載の遊技機によれば、請求項３記載の遊技機の奏する効果に加え、積分回路を用いて入力期間調整手段を構成しているので、複雑な回路や信号処理を用いることなく、出力期間制限手段に入力される信号を所定期間よりも短く調整することができるという効果がある。また、積分回路に用いられる抵抗の抵抗値とコンデンサの容量値とを調整することで、出力期間制限手段に入力される信号の入力期間を所定期間内で自由に調整することができるという効果がある。
【００２３】
請求項５記載の遊技機によれば、請求項３又は４に記載の遊技機の奏する効果に加え、定電圧手段を設けているので、出力期間制限手段へ入力される信号の最大電圧を一定にして、出力期間制限手段へ入力される信号を安定化させ、出力手段による１回の出力期間を所定期間内に安定して留めることができるという効果がある。
【００２４】
また、積分回路を用いて入力期間調整手段を構成している場合には、積分回路に用いるコンデンサに電荷が蓄えられ、この電荷による電圧が、出力期間制限手段へ入力される信号と重畳されて、出力期間制限手段を破壊し得る過電圧が出力期間制限手段に印加される虞がある。しかし、請求項５記載の遊技機によれば、定電圧手段により、出力期間制限手段へ入力される信号の最大電圧を一定にしているので、出力期間制限手段を破壊し得る過電圧は出力期間制限手段に印加されない。よって、出力期間制限手段の破壊を防止することができるという効果がある。
請求項６記載の遊技機によれば、請求項５記載の遊技機の奏する効果に加え、ツェナーダイオードにより定電圧手段を構成しているので、複雑な回路により構成される定電圧回路等と比較して、簡単な構成且つ安価に、出力期間制限手段へ入力される信号の最大電圧を一定にすることができる。よって、簡単な構成且つ安価なツェナーダイオードを用いて、出力期間制限手段へ入力される信号を安定化させ、出力手段による１回の出力期間を所定期間内に安定して留めつつ、出力期間制限手段を破壊し得る過電圧が出力期間制限手段に印加されることを防止することができるという効果がある。
【図面の簡単な説明】
【００２５】
【図１】パチンコ機の正面図である。
【図２】パチンコ機の遊技盤の正面図である。
【図３】パチンコ機の背面図である。
【図４】内枠と前面枠と下皿ユニットとが開放された状態におけるパチンコ機の斜視図である。
【図５】スイッチの構造を示した図である。
【図６】パチンコ機の電気的構成を示すブロック図である。
【図７】枠開放検出回路及び外部出力端子板の電気的構成を示したブロック図である。
【図８】内枠の状態、前面枠の状態、タイマのＴＲＧ端子電圧、タイマのＯＵＴ端子電圧および外部出力端子板の出力の関係を示したタイミングチャートである。
【図９】（ａ）は、表示画面の領域区分設定と有効ライン設定とを模式的に示した図であり、（ｂ）は、実際の表示画面を例示した図である。
【図１０】各種カウンタの概要を示す図である。
【図１１】主制御装置１１０内のＭＰＵ２０１により実行される立ち上げ処理を示すフローチャートである。
【図１２】主制御装置内のＭＰＵにより実行されるメイン処理を示すフローチャートである。
【図１３】メイン処理の中で実行される変動処理を示すフローチャートである。
【図１４】変動処理の中で実行される変動開始処理を示したフローチャートである。
【図１５】タイマ割込処理を示すフローチャートである。
【図１６】タイマ割込処理の中で実行される始動入賞処理を示すフローチャートである。
【図１７】ＮＭＩ割込処理を示すフローチャートである。
【図１８】第２実施形態の枠開放検出回路の電気的構成を示したブロック図である。
【図１９】内枠１２の状態、前面枠１４の状態、第２実施形態の枠開放検出回路のＡの電圧および外部出力端子板の出力の関係を示したタイミングチャートである。
【図２０】第３実施形態の枠開放検出回路の電気的構成を示したブロック図である。
【図２１】内枠の状態、前面枠の状態、第３実施形態のタイマのＴＲＧ端子電圧、第３実施形態のタイマのＯＵＴ端子電圧および外部出力端子板の出力の関係を示したタイミングチャートである。
【発明を実施するための形態】
【００２６】
以下、パチンコ遊技機（以下、単に「パチンコ機」という）の一実施の形態を、図面に基づいて説明する。図１はパチンコ機１０の正面図であり、図２はパチンコ機１０の遊技盤１３の正面図であり、図３はパチンコ機１０の背面図である。
【００２７】
パチンコ機１０は、図１に示すように、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００２８】
内枠１２には、多数の釘や入賞口６３，６４等を有する遊技盤１３（図２参照）が裏面側から着脱可能に装着される。この遊技盤１３の前面を球が流下することにより弾球遊技が行われる。なお、内枠１２には、球を遊技盤１３の前面領域に発射する球発射ユニット１１２ａ（図５参照）やその球発射ユニット１１２ａから発射された球を遊技盤１３の前面領域まで誘導する発射レール（図示せず）等が取り付けられている。
【００２９】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００３０】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａへと案内される。また、上皿１７の上面には、枠ボタン２２が設けられている。この枠ボタン２２は、例えば、第３図柄表示装置８１で表示される変動表示の演出パターンを変更したり、リーチ演出時の演出内容を変更したりする場合などに、遊技者により操作される。
【００３１】
加えて、前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。
【００３２】
また、前面枠１４の正面視（図１参照）左上部には、ＬＥＤ等の発光手段が内蔵され賞球の払い出し中とエラー発生時とを表示可能な表示ランプ３４が設けられている。また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等はパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００３３】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００３４】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設され、かかる操作ハンドル５１の内部には球発射ユニット１１２ａの駆動を許可するためのタッチセンサ５１ａと、押下操作している期間中には球の発射を停止する押しボタン式の打ち止めスイッチ５１ｂと、操作ハンドル５１の回動操作量を電気抵抗の変化により検出する可変抵抗器（図示せず）とが内蔵されている。操作ハンドル５１が遊技者によって右回りに回転操作されると、タッチセンサがオンされると共に可変抵抗器の抵抗値が操作量に対応して変化し、操作ハンドル５１の回動操作量に応じて変化する可変抵抗器の抵抗値に対応した強さで球が発射され、これにより遊技者の操作に対応した飛び量で遊技盤１３の前面へ球が打ち込まれる。また、操作ハンドル５１が遊技者により操作されていない状態においては、タッチセンサ５１ａおよび打ち止めスイッチ５１ｂがオフとなっている。
【００３５】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。かかる球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００３６】
図２に示すように、遊技盤１３は、正面視略正方形状に切削加工した木製のベース板６０に、球案内用の多数の釘や風車およびレール６１，６２、一般入賞口６３、第１入球口６４、可変入賞装置６５、可変表示装置ユニット８０等を組み付けて構成され、その周縁部が内枠１２の裏面側に取り付けられる。一般入賞口６３、第１入球口６４、可変入賞装置６５、可変表示装置ユニット８０は、ルータ加工によってベース板６０に形成された貫通穴に配設され、遊技盤１３の前面側から木ネジ等により固定されている。また、遊技盤１３の前面中央部分は、前面枠１４の窓部１４ｃ（図１参照）を通じて内枠１３の前面側から視認することができる。以下に、遊技盤１３の構成について説明する。
【００３７】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２と円弧部材７０とにより区画して形成される略円形状の領域（入賞口等が配設され、発射された球が流下する領域）である。
【００３８】
２本のレール６１，６２は、球発射ユニット１１２ａから発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００３９】
遊技領域の正面視右側上部（図２の右側上部）には、発光手段である複数のＬＥＤ３７ａと７セグメント表示器３７ｂとが設けられた第１図柄表示装置３７が配設されている。第１図柄表示装置３７は、主制御装置１１０で行われる各制御に応じた表示がなされるものであり、主にパチンコ機１０の遊技状態の表示が行われる。複数のＬＥＤ３７ａは、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すものである。７セグメント表示装置３７ｂは、大当たり中のラウンド数やエラー表示を行うものである。なお、ＬＥＤ３７ａは、それぞれのＬＥＤの発光色（例えば、赤、緑、青）が異なるよう構成され、その発光色の組合わせにより、少ないＬＥＤでパチンコ機１０の各種遊技状態を示唆することができる。
【００４０】
なお、上述したパチンコ機１０が確変中とは、大当たり確率がアップして特別遊技状態へ移行し易い遊技の状態である。更に、本実施の形態における確変中は、第２図柄の当たり確率がアップして第１入球口６４へ球が入球し易い遊技の状態である。また、パチンコ機１０が時短中とは、大当たり確率がそのままで第２図柄の当たり確率のみがアップして第１入球口６４へ球が入球し易い遊技の状態である。また、パチンコ機１０が通常中とは、確変中でも時短中でもない遊技の状態（大当たり確率も第２図柄の当たり確率もアップしていない状態）である。なお、パチンコ機１０の遊技状態に応じて、第１入球口６４に付随する電動役物（図示せず）が開放する時間や、１回の当たりで電動役物が開放する回数を変更するものとしても良い。
【００４１】
また、遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４への入賞をトリガとして第３図柄を変動表示する液晶ディスプレイ（以下単に「表示装置」と略す。）で構成された第３図柄表示装置８１と、第２入球口６７の球の通過をトリガとして第２図柄を変動表示する発光ダイオード（以下、「ＬＥＤ」と略す。）で構成される第２図柄表示装置８２とが設けられている。
【００４２】
第３図柄表示装置８１は、後述する表示制御装置１１４によって表示内容が制御され、例えば左、中及び右の３つの図柄列が表示される。各図柄列は複数の図柄によって構成され、これらの図柄が図柄列毎に縦スクロールして第３図柄表示装置８１の表示画面上にて第３図柄が可変表示されるようになっている。また、本実施の形態では、第３図柄表示装置８１は８インチサイズの大型の液晶ディスプレイで構成され、可変表示装置ユニット８０には、この第３図柄表示装置８１の外周を囲むようにして、センターフレーム８６が配設されている。本実施の形態の第３図柄表示装置８１は、主制御装置１１０の制御に伴った遊技状態の表示が第１図柄表示装置３７で行われるのに対して、その第１図柄表示装置３７の表示に応じた装飾的な表示を行うものである。なお、表示装置に代えて、例えば、リール等を用いて第３図柄表示装置８１を構成するようにしても良い。
【００４３】
また、第１図柄表示装置３７にて停止図柄（確変大当たり図柄、普通大当たり図柄、外れ図柄のいずれか１つ）が表示されるまでの間に球が第１入球口６４へ入球した場合、その入球回数は最大４回まで保留され、その保留回数は第１図柄表示装置３７により示されると共に保留ランプ８５の点灯個数においても示される。保留ランプ８５は、最大保留数分の４つ設けられ、第３図柄表示装置８１の上方に左右対称に配設されている。なお、本実施の形態においては、第１入球口６４への入賞は、最大４回まで保留されるように構成したが、最大保留回数は４回に限定されるものでなく、３回以下、又は、５回以上の回数（例えば、８回）に設定しても良い。また、保留ランプ８５を削除し、第１入球口６４への入賞に基づく変動表示の保留回数を第３図柄表示装置８１の一部に数字で、或いは、４つに区画された領域を保留回数分だけ異なる態様（例えば、色や点灯パターン）にして表示するようにしても良い。また、第１図柄表示装置３７により保留回数が示されるので、保留ランプ８５により点灯表示を行わないものとしても良い。
【００４４】
第２図柄表示装置８２は、第２図柄の表示部８３と保留ランプ８４とを有し、球が第２入球口６７を通過する毎に、表示部８３において表示図柄（第２図柄）としての「○」の図柄と「×」の図柄とが交互に点灯して変動表示が行われ、その変動表示が所定図柄（本実施の形態においては「○」の図柄）で停止した場合に第１入球口６４が所定時間だけ作動状態となる（開放される）よう構成されている。球の第２入球口６７の通過回数は最大４回まで保留され、その保留回数が上述した第１図柄表示装置３７により表示されると共に保留ランプ８４においても点灯表示される。なお、第２図柄の変動表示は、本実施の形態のように、表示部８３において複数のランプの点灯と非点灯を切り換えることにより行うものの他、第１図柄表示装置３７及び第３図柄表示装置８１の一部を使用して行うようにしても良い。同様に、保留ランプ８４の点灯を第３図柄表示装置８１の一部で行うようにしても良い。また、第２入球口６７の通過は、第１入球口６４と同様に、最大保留回数は４回に限定されるものでなく、３回以下、又は、５回以上の回数（例えば、８回）に設定しても良い。また、第１図柄表示装置３７により保留回数が示されるので、保留ランプ８４により点灯表示を行わないものとしても良い。
【００４５】
可変表示装置ユニット８０の下方には、球が入球し得る第１入球口６４が配設されている。この第１入球口６４へ球が入球すると遊技盤１３の裏面側に設けられる第１入球口スイッチ（図示せず）がオンとなり、その第１入球口スイッチのオンに起因して主制御装置１１０で大当たりの抽選がなされ、その抽選結果に応じた表示が第１図柄表示装置３７のＬＥＤ３７ａで示される。また、第１入球口６４は、球が入球すると５個の球が賞球として払い出される入賞口の１つにもなっている。
【００４６】
第１入球口６４の下方には可変入賞装置６５が配設されており、その略中央部分に横長矩形状の特定入賞口（大開放口）６５ａが設けられている。パチンコ機１０においては、主制御装置１１０での抽選が大当たりとなると、所定時間（変動時間）が経過した後に、大当たりの停止図柄となるよう第１図柄表示装置３７のＬＥＤ３７ａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００４７】
この特定入賞口６５ａは、所定時間が経過すると閉鎖され、その閉鎖後、再度、その特定入賞口６５ａが所定時間開放される。この特定入賞口６５ａの開閉動作は、最高で例えば１６回（１６ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００４８】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００４９】
なお、上記した形態に特別遊技状態は限定されるものではない。特定入賞口６５ａとは別に開閉される大開放口を遊技領域に設け、第１図柄表示装置３７において大当たりに対応したＬＥＤ３７ａが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。
【００５０】
遊技盤１３の下側における左右の隅部には、証紙や識別ラベル等を貼着するための貼着スペースＫ１，Ｋ２が設けられ、貼着スペースＫ１に貼られた証紙等は、前面枠１４の小窓３５（図１参照）を通じて視認することができる。
【００５１】
更に、遊技盤１３には、アウト口６６が設けられている。いずれの入賞口６３，６４，６５ａにも入球しなかった球はアウト口６６を通って図示しない球排出路へと案内される。遊技盤１３には、球の落下方向を適宜分散、調整等するために多数の釘が植設されているとともに、風車等の各種部材（役物）が配設されている。
【００５２】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００５３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００５４】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００５５】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００５６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図５参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００５７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００５８】
次に、図４を参照して、本パチンコ機１０の内部構成について説明する。図４は、内枠１２と前面枠１４と下皿ユニット１５とが開放された状態におけるパチンコ機１０の斜視図である。
【００５９】
パチンコ機１０には、その外殻を形成する外枠１１が設けられ、この外枠１１に対して内枠１２が開閉可能に支持される。遊技場においては、外枠１１の外周面が遊技場の島と呼ばれる設置箇所に固定される。内枠１２、前面枠１４および下皿ユニット１５は、外枠１１に対して前面側に開放可能に構成されるので、パチンコ機１０の前面側からは触れられない裏面側や内部に対しての点検や調整は、外枠１１に対して内枠１２等を前面側に開放して行われる。
【００６０】
外枠１１には、内枠１２を支持するために正面視左側の上下２カ所に金属製の上ヒンジ（図示せず）および下ヒンジ（図示せず）が取り付けられている。この上ヒンジおよび下ヒンジが設けられた側を開閉の軸として内枠１２は開閉可能に支持される。
【００６１】
内枠１２は、矩形状に形成されたＡＢＳ樹脂製の内枠ベース５２を主体に構成されており、内枠ベース５２の中央部には略円形状の中央窓５２ａが形成されている。内枠ベース５２の裏面側には遊技盤１３の取付部が設けられ、遊技盤１３が着脱可能に装着される。
【００６２】
内枠ベース５２の中央窓５２ａの下側は、前面側が開放した凹状に窪んで形成されており、その奥側には、平面状の取付面５２ｂが形成されている。取付面５２ｂには、球を遊技盤１３の前面に発射するための発射ユニット１４０や、上皿１７および下皿５０に球を排出する通路を形成する通路形成部材５３等が取り付けられる。
【００６３】
外枠１１と内枠１２との間には、内枠１２の開放および閉鎖を検出するスイッチＳＷ１（ＳＷ１ａ，ＳＷ１ｂ）が設けられており、内枠１２と前面枠１４との間には、前面枠１４の開放および閉鎖を検出するスイッチＳＷ２（ＳＷ２ａ，ＳＷ２ｂ）が設けられている。スイッチＳＷ１は、外枠１１の内枠１２と対向する面に配設された雌型スイッチＳＷ１ａと、内枠１２の外枠１１と対向する面に配設された雄型スイッチＳＷ１ｂとから構成される。また、スイッチＳＷ２は、内枠１２の前面枠１４と対向する面に配設された雌型スイッチＳＷ２ａと、前面枠１４の内枠１２と対向する面に配設された雄型スイッチＳＷ２ｂとから構成される。
【００６４】
ここで、図５を参照して、スイッチＳＷ１およびスイッチＳＷ２の構造について説明する。なお、スイッチＳＷ１とスイッチＳＷ２とは同一の構造であるので、スイッチＳＷ１についてその構造を説明し、スイッチＳＷ２についてはその説明を省略する。
【００６５】
図５は、スイッチＳＷ１の構造を示した図である。図５（ａ）は、内枠１２が閉鎖された状態におけるスイッチＳＷ１の状態（遮断状態）を示した図である。また、図５（ｂ）は、内枠１２が開放された状態におけるスイッチＳＷ１の状態（導通状態）を示した図である。
【００６６】
図５（ａ）に示すように、外枠１１の内枠１２と対向する面に配設された雌型スイッチＳＷ１ａには、導電部材である金属から構成される一対の端子対ＳＷ１ｃが内蔵されている。内枠１２が閉鎖された状態においては、外枠１１の内枠１２と対向する面に配設された雌型スイッチＳＷ１ａに、内枠１２の外枠１１と対向する面に配設された雄型スイッチＳＷ１ｂが内挿される状態となり、端子対ＳＷ１ｃ同士の接触が妨げられる。よって、内枠１２が閉鎖された状態においては、スイッチＳＷ１は導通が遮断された状態となる。
【００６７】
一方、図５（ｂ）に示すように、内枠１２が開放された状態においては、外枠１１の内枠１２と対向する面に配設された雌型スイッチＳＷ１ａから、内枠１２の外枠１１と対向する面に配設された雄型スイッチＳＷ１ｂが引き抜かれた状態となる。雌型スイッチＳＷ１ａに内蔵される端子対ＳＷ１ｃは、互いに対向する方向に付勢力が発生する構造であるため、雄型スイッチＳＷ１ｂが雌型スイッチＳＷ１ａから引き抜かれた状態では、端子対ＳＷ１ｃ同士が接触する。よって、内枠１２が開放された状態においては、スイッチＳＷ１は導通された状態となる。
【００６８】
このように、スイッチＳＷ１は、内枠１２が閉鎖された状態では遮断状態となる一方、内枠１２が開放された状態では導通状態となる。ただし、スイッチＳＷ１の構造は、図５に記載した形状に限られるものではなく、内枠１２が閉鎖された状態では、スイッチＳＷ１が遮断状態となる一方、内枠１２が開放された状態では、スイッチＳＷ１が導通状態となる構造であれば良い。これは、スイッチＳＷ２の構造についても同様である。
【００６９】
次に、図６を参照して、本パチンコ機１０の電気的構成について説明する。図６は、パチンコ機１０の電気的構成を示すブロック図である。
【００７０】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７１】
ＲＡＭ２０３は、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図１２参照）によって電源遮断時に実行され、ＲＡＭ２０３に書き込まれた各値の復帰は電源投入時の立ち上げ処理（図１１参照）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図１７参照）が即座に実行される。
【００７３】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置８２や、図示しないスイッチ群やセンサ群などからなる各種スイッチ２０８や、特定入賞口６５ａの開閉板の下辺を軸として前方側に開閉駆動するための大開放口ソレノイドや電動役物を駆動するためのソレノイドなどからなるソレノイド２０９が接続されている。
【００７４】
また、主制御装置１１０には、スイッチＳＷ１が導通することにより内枠１２の開放を検出すると共に、スイッチＳＷ２が導通することにより前面枠１４の開放を検出する枠開放検出回路２６０が設けられている。枠開放検出回路２６０には、内枠１２の開放を検出するスイッチＳＷ１と、前面枠１４の開放を検出するスイッチＳＷ２と、ホールコンピュータ２６２と接続可能に構成された外部出力端子板２６１とが接続されている。なお、スイッチＳＷ１およびスイッチＳＷ２と枠開放検出回路２６０との接続、並びに枠開放検出回路２６０と外部出力端子板２６１との接続には、信号の入出力を行う入出力部（入出力ポート２０５とは異なる入出力ポート、図示せず）を介して接続が行われている。枠開放検出回路２６０は、スイッチＳＷ１が導通して内枠１２の開放を検出すると、または、スイッチＳＷ２が導通して前面枠１４の開放を検出すると、外部出力端子板２６１からホールコンピュータ２６２へ、パルス幅１０ｍｓのパルス信号を出力する。外部出力端子板２６１から出力されたパルス信号はホールコンピュータ２６２に記憶される。よって、ホールコンピュータ２６２に記憶されたパルス信号を解析することで、内枠１２または前面枠１４の開放を検出することができる。
【００７５】
なお、枠開放検出回路２６０は、主制御装置１１０のＭＰＵ２０１や入出力ポート２０５（ＭＰＵ２０１の入出力ポート）と非接続に構成されている。よって、この枠開放検出回路２６０を、主制御装置１１０以外の他の装置（回路基板）に搭載するように構成しても良い。例えば、ＭＰＵやＣＰＵなどの演算装置の搭載されない装置（回路基板）上に搭載しても良いし、枠開放検出回路２６０の専用基板を設けて、そこに搭載するようにしても良い。より良くは、主制御装置１１０、払出制御装置１１１および発射制御装置１１２のように、枠開放検出回路２６０を基板ボックスに収納し、その基板ボックスに設けられたボックスベースとボックスカバーとを封印ユニット（図示せず）によって開封不能に連結（かしめ構造による連結）する。そして、ボックスベースとボックスカバーとの連結部に、ボックスカバーとボックスベースとに亘って封印シール（図示せず）を貼付しても良い。
【００７６】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７７】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図１７参照）が即座に実行される。
【００７８】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７９】
発射制御装置１１２は、主制御装置１１０により球の発射の指示がなされた場合に、操作ハンドル５１の回転操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための打ち止めスイッチ５１ｂがオフ（操作されていないこと）を条件に、操作ハンドル５１の回動量に対応して発射ソレノイドが励磁され、操作ハンドル５１の操作量に応じた強さで球が発射される。
【００８０】
音声ランプ制御装置１１３は、音声出力装置（図示しないスピーカなど）２２６における音声の出力、ランプ表示装置（電飾部２９〜３３や表示ランプ３４など）における点灯および消灯の出力、表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８１】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６やランプ表示装置２２７などがそれぞれ接続されている。
【００８２】
表示制御装置１１４は、第３図柄表示装置（ＬＣＤ）８１における第３図柄の変動表示を制御するものである。表示制御装置１１４は、ＭＰＵ２３１と、ＲＯＭ（プログラムＲＯＭ）２３２と、ワークＲＡＭ２３３と、ビデオＲＡＭ２３４と、キャラクタＲＯＭ２３５と、画像コントローラ２３６と、入力ポート２３７と、出力ポート２３８と、バスライン２３９，２４０とを有している。入力ポート２３７の入力側には音声ランプ制御装置１１３の出力側が接続され、入力ポート２３７の出力側には、ＭＰＵ２３１、ＲＯＭ２３２、ワークＲＡＭ２３３、画像コントローラ２３６が接続されている。画像コントローラ２３６には、ビデオＲＡＭ２３４、キャラクタＲＯＭ２３５が接続されると共に、バスライン２４０を介して出力ポート２３８が接続されている。出力ポート２３８の出力側には、第３図柄表示装置８１が接続されている。なお、パチンコ機１０は、大当たりの抽選確率や１回の大当たりで払い出される賞球数が異なる別機種であっても、第３図柄表示装置８１で表示される図柄構成が全く同じ仕様の機種があるので、表示制御装置１１４は共通部品化されコスト低減が図られている。
【００８３】
表示制御装置１１４のＭＰＵ２３１は、音声ランプ制御装置１１３から入力された図柄表示用のコマンドに基づいて、第３図柄表示装置８１の表示内容を制御する。ＲＯＭ２３２は、ＭＰＵ２３１により実行される各種の制御プログラムや固定値データを記憶するためのメモリである。ワークＲＡＭ２３３は、ＭＰＵ２３１による各種プログラムの実行時に使用されるワークデータやフラグを一時的に記憶するためのメモリである。キャラクタＲＯＭ２３５は、第３図柄表示装置８１に表示される図柄（背景図柄や第３図柄）などの演出用のデータを記憶したメモリである。ビデオＲＡＭ２３４は、第３図柄表示装置８１に表示される演出データを記憶するためのメモリであり、ビデオＲＡＭ２３４の内容を書き替えることにより、第３図柄表示装置８１の表示内容が変更される。
【００８４】
画像コントローラ２３６は、ＭＰＵ２３１、ビデオＲＡＭ２３４、出力ポート２３８のそれぞれのタイミングを調整してデータの読み書きを介在すると共に、ビデオＲＡＭ２３４に記憶される表示データを所定のタイミングで読み出して第３図柄表示装置８１に表示させるものである。
【００８５】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８６】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図１７参照）を正常に実行し完了することができる。
【００８７】
ＲＡＭ消去スイッチ回路２５３は、ＲＡＭ消去スイッチ１２２が押下された場合に、主制御装置１１０へ、バックアップデータをクリアさせるためのＲＡＭ消去信号ＳＧ２を出力するための回路である。主制御装置１１０及び払出制御装置１１１は、パチンコ機１０の電源投入時に、ＲＡＭ消去信号ＳＧ２を入力した場合に、それぞれのバックアップデータをクリアすると共に、払出制御装置１１１においてバックアップデータをクリアさせるための払出初期化コマンドを払出制御装置１１１に対して送信する。
【００８８】
次に、図７を参照して、枠開放検出回路２６０および外部出力端子板２６１を説明する。図７は、枠開放検出回路２６０および外部出力端子板２６１の電気的構成を示したブロック図である。なお、図７では、まず枠開放検出回路２６０を説明し、次に外部出力端子板２６１を説明する。
【００８９】
内枠１２の開放または前面枠１４の開放を検出する枠開放検出回路２６０は、１２ボルトの直流電圧を供給する直流電源ＤＣ１と、ダイオードＤ１と、コンデンサＣＤ１〜ＣＤ５と、抵抗Ｒ１〜Ｒ４と、Ｃ−ＭＯＳタイマであるタイマＩＣ１（ナショナルセミコンダクタ社製ＬＭＣ５５５）と、内部抵抗Ｒ５および内部抵抗Ｒ６が設けられたトランジスタＴＲ１とを主に有している。
【００９０】
スイッチＳＷ１が導通することにより内枠１２の開放を検出すると共に、スイッチＳＷ２が導通することにより前面枠１４の開放を検出するために、枠開放検出回路２６０は、上記の部品が図７に示すブロック図に従って接続される。なお、スイッチＳＷ１とスイッチＳＷ２とは並列接続された上で枠開放検出回路２６０に接続されているので、いずれか一方のスイッチが導通すれば、枠開放検出回路２６０は、内枠１２または前面枠１４の開放を検出することができる。
【００９１】
直流電源ＤＣ１は、枠開放検出回路２６０および外部出力端子板２６１へ１２ボルトの直流電圧を供給する電源である。直流電源ＤＣ１への電力（電源）は、電源装置１１５に設けられた電源部２５１から図示しない電源経路を通じて供給される。この直流電源ＤＣ１は、ダイオードＤ１のアノード端子と接続される。ダイオードＤ１のカソード端子には０．１Ｆ（ファラッド）のコンデンサＣＤ１の一端が接続されている。そして、コンデンサＣＤ１の他端はグランドされている。また、コンデンサＣＤ１の一端は、スイッチＳＷ１の一端と、スイッチＳＷ２の一端と、タイマＩＣ１のＶＤＤ端子およびＲＥＳ端子と接続されている。
【００９２】
コンデンサＣＤ１は、パチンコ機１０への電源供給が遮断され、直流電源ＤＣ１から１２ボルトの直流電圧が供給されていない場合に、枠開放検出回路２６０および外部出力端子板２６１へ直流電圧を供給する充電池の機能を発揮する部品である。
【００９３】
これは、コンデンサＣＤ１は、パチンコ機１０への電源供給が行われ、直流電源ＤＣ１から１２ボルトの直流電圧が供給されている場合には、コンデンサＣＤ１の容量０．１Ｆ（ファラッド）とコンデンサＣＤ１に印加された直流電圧（直流電源ＤＣ１から供給される１２ボルトからダイオードＤ１での電圧降下約０．７ボルトを引いた約１１．３ボルト）との積により求まる電荷を蓄える。
【００９４】
一方、コンデンサＣＤ１は、例えば、遊技場の営業時間が終了してパチンコ機１０への電源供給が遮断され、直流電源ＤＣ１から１２ボルトの直流電圧が供給されていない場合には、コンデンサＣＤ１に蓄えられた電荷に基づく直流電圧（約１１．３ボルト）を枠開放検出回路２６０および外部出力端子板２６１へ供給する。
【００９５】
よって、枠開放検出回路２６０は、パチンコ機１０への電源供給が行われ、直流電源ＤＣ１から１２ボルトの直流電圧が供給されている場合には当然に動作し、更に、例えば、遊技場の営業時間が終了してパチンコ機１０への電源供給が遮断され、直流電源ＤＣ１から１２ボルトの直流電圧が供給されていない場合であっても、コンデンサＣＤ１により供給される直流電圧によって動作して、内枠１２の開放および前面枠１４の開放を検出することができる。なお、本実施形態においては、直流電源ＤＣ１から１２ボルトの直流電圧が供給されていない場合に、枠開放検出回路２６０および外部出力端子板２６１へ直流電圧を供給する部品として、コンデンサＣＤ１を使用した。しかし、これに限られるものではなく、コンデンサＣＤ１を、より蓄電量の多い二次電池（充電池）や、充電の必要のない一次電池としても良い。
【００９６】
また、コンデンサＣＤ１の一端には、ダイオードＤ１のカソード端子が接続されており、このダイオードＤ１が電流の逆流防止機能を果たしているので、コンデンサＣＤ１から枠開放検出回路２６０および外部出力端子板２６１へ直流電圧（約１１．３ボルト）が供給されている場合でも、その直流電圧が直流電源ＤＣ１に印加されることはなく、直流電源ＤＣ１が損傷することはない。
【００９７】
タイマＩＣ１は、Ｃ−ＭＯＳタイマであり、１００ｋΩの抵抗Ｒ１〜Ｒ２と、０．１μＦのコンデンサＣＤ３〜ＣＤ５との接続によって、内枠１２の開放または前面枠１４の開放を検出し、外部出力端子板２６１のフォトカプラＰＲ１を約１０ｍｓの間通電する回路として機能する。
【００９８】
このタイマＩＣ１の動作電圧範囲は、主制御装置１１０に搭載されるＭＰＵ２０１、払出制御装置１１１に搭載されるＭＰＵ２１１、音声ランプ制御装置１１３に搭載されるＭＰＵ２２１および表示制御装置１１４に搭載されるＭＰＵ２３１の各動作電圧範囲よりも広範囲に設定されている。具体的には、タイマＩＣ１の動作電圧範囲は、約１．５ボルトから約１２．０ボルトであるのに対し、ＭＰＵ２０１，２１１，２２１，２３１の各動作電圧範囲は、約４．５ボルトから約５．５ボルト（なお、本実施形態の各動作電圧は約５．０ボルト）である。よって、タイマＩＣ１は、ＭＰＵ２０１，２１１，２２１，２３１の各動作電圧よりも低い電圧で動作できる。従って、コンデンサＣＤ１に蓄えられた電荷が少なくなり、コンデンサＣＤ１により供給される電圧が約４．５ボルト未満に低下したとしても、タイマＩＣ１は、十分に動作することができる。また、タイマＩＣ１は、例えば、遊技場の営業時間が終了してパチンコ機１０への電源供給が遮断され、直流電源ＤＣ１から１２ボルトの直流電圧が供給されていない場合、即ち、コンデンサＣＤ１により直流電圧が供給されている場合と、パチンコ機１０への電源供給が行われ、直流電源ＤＣ１から１２ボルトの直流電圧が供給されている場合とで兼用している。よって、当然に、タイマＩＣ１は、パチンコ機１０への電源供給が行われている場合に枠開放検出回路２６０へ供給される直流電圧１２ボルト以下で動作可能である。更に、タイマＩＣ１は、Ｃ−ＭＯＳ半導体で構成されるタイマであるので、動作時の消費電力を抑制し、長時間の動作が可能である。
【００９９】
このタイマＩＣ１のＶＤＤ端子は、タイマＩＣ１に供給された直流電圧を入力する端子であり、コンデンサＣＤ１の一端と接続されている。また、タイマＩＣ１のＶＤＤ端子は、０．１μＦのコンデンサＣＤ４の一端と接続され、このコンデンサＣＤ４の他端は、グランドされたタイマＩＣ１のＧＮＤ端子と接続されている。このコンデンサＣＤ４によって、スイッチＳＷ１およびスイッチＳＷ２が導通または遮断された際に（内枠１２および前面枠１４が開放または閉鎖された際に）、タイマＩＣ１のＶＤＤ端子に発生するノイズを低減している。
【０１００】
タイマＩＣ１のＲＥＳ端子は、ＲＥＳ端子にパルス信号が入力された場合に、ＯＵＴ端子から出力されている電圧を強制的に出力停止状態（ゼロボルト）にするリセット機能を作動させるための端子である。ただし、本枠開放検出回路２６０では、このリセット機能を使用しないので、タイマＩＣ１のＲＥＳ端子をコンデンサＣＤ１の一端に接続して、リセット機能が作動しないようにしている。なお、タイマＩＣ１のＶＤＤ端子およびタイマＩＣ１のＲＥＳ端子は、上述の通り、コンデンサＣＤ１の一端と接続されているので、タイマＩＣ１のＶＤＤ端子およびＲＥＳ端子には、約１１．３ボルトの直流電圧が印加される。
【０１０１】
タイマＩＣ１のＴＲＧ端子は、スイッチＳＷ１およびスイッチＳＷ２が遮断されている場合には（内枠１２および前面枠１４が閉鎖されている場合には）、タイマＩＣ１のＯＵＴ端子から出力される電圧を約１０．６ボルトに設定し、一方、スイッチＳＷ１又はスイッチＳＷ２のいずれか一方、またはスイッチＳＷ１およびスイッチＳＷ２の両方が導通状態となった場合には（内枠１２又は前面枠１４のいずれか一方、または内枠１２および前面枠１４の両方が開放状態となった場合には）、タイマＩＣ１のＯＵＴ端子から出力される電圧を約１０ｍｓ後に約１０．６ボルトからゼロボルトに設定するための端子である。タイマＩＣ１のＴＲＧ端子は、抵抗Ｒ２の一端、コンデンサＣＤ５の一端、スイッチＳＷ１の他端、スイッチＳＷ２の他端、抵抗Ｒ１の一端および外部出力端子板２６１の抵抗Ｒ７の一端と接続されている。なお、抵抗Ｒ２の他端およびコンデンサＣＤ５の他端は、グランドされている。
【０１０２】
タイマＩＣ１のＴＲＧ端子に接続される抵抗Ｒ２は、内枠１２および前面枠１４が開放状態となって、スイッチＳＷ１およびスイッチＳＷ２が導通状態（図５（ｂ）参照）となったときに、タイマＩＣ１のＴＲＧ端子に直流電圧（約１１．３ボルト）を印加するための抵抗である。また、このコンデンサＣＤ５は、スイッチＳＷ１およびスイッチＳＷ２が導通または遮断された際に（内枠１２および前面枠１４が開放または閉鎖された際に）、抵抗Ｒ２に発生するノイズを低減するためのコンデンサである。
【０１０３】
上記の接続により、スイッチＳＷ１およびスイッチＳＷ２が遮断状態にあるときには（内枠１２および前面枠１４が閉鎖状態にあるときには）、抵抗Ｒ２およびコンデンサＣＤ５に電圧が供給されないので、抵抗Ｒ２およびコンデンサＣＤ５に印加される電圧は（タイマＩＣ１のＴＲＧ端子に印加される電圧は）、ゼロボルトとなる。このとき、タイマＩＣ１のＯＵＴ端子から出力される電圧は約１０．６ボルトとなる。
【０１０４】
一方、スイッチＳＷ１又はスイッチＳＷ２のいずれか一方、またはスイッチＳＷ１およびスイッチＳＷ２の両方が導通状態にあるときには（内枠１２又は前面枠１４のいずれか一方、または内枠１２および前面枠１４の両方が開放状態にあるときには）、抵抗Ｒ２およびコンデンサＣＤ５に電圧が供給されるので、抵抗Ｒ２およびコンデンサＣＤ５に印加される電圧は（タイマＩＣ１のＴＲＧ端子に印加される電圧は）、コンデンサＣＤ１の一端に印加される電圧と同じ約１１．３ボルトとなる。このとき、タイマＩＣ１のＯＵＴ端子から出力される電圧は、スイッチＳＷ１又はスイッチＳＷ２のいずれか一方、またはスイッチＳＷ１およびスイッチＳＷ２の両方が導通状態となってから約１０ｍｓの間は約１０．６ボルトとなり、その後、ゼロボルトとなる。
【０１０５】
このように、タイマＩＣ１のＴＲＧ端子に印加される電圧により、タイマＩＣ１のＯＵＴ端子から出力される電圧を、約１０．６ボルトかゼロボルトかのいずれか一方に設定することができる。なお、スイッチＳＷ１またはスイッチＳＷ２が導通され（内枠１２または前面枠１４が開放され）、タイマＩＣ１のＴＲＧ端子に印加される電圧（抵抗Ｒ２に印加される電圧）がゼロボルトから約１１．３ボルトに変化すると、上述の通り、その電圧の立ち上がりから約１０ｍｓ遅れて、タイマＩＣ１のＯＵＴ端子から出力されている約１０．６ボルトの電圧がゼロボルトに立ち下がる。そして、詳細は後述するが、このタイマＩＣ１のＴＲＧ端子に印加される電圧（抵抗Ｒ２に印加される電圧）の立ち上がりと、タイマＩＣ１のＯＵＴ端子から出力されている電圧の立ち下がりとの時間差（約１０ｍｓ）によって、外部出力端子板２６１の抵抗Ｒ７の一端に約１０ｍｓだけ電流が供給され、外部出力端子板２６１のフォトカプラＰＲ１が約１０ｍｓの間だけ通電される。
【０１０６】
タイマＩＣ１のＯＵＴ端子は、スイッチＳＷ１およびスイッチＳＷ２が遮断され（内枠１２および前面枠１４が閉鎖され）、タイマＩＣ１のＴＲＧ端子に印加される電圧がゼロボルトになると、約１０．６ボルトの電圧を出力し、一方、スイッチＳＷ１またはスイッチＳＷ２が導通され（内枠１２または前面枠１４が開放され）、タイマＩＣ１のＴＲＧ端子に印加される電圧が約１１．３ボルトに立ち上がると、その立ち上がりから約１０ｍｓ遅れて、出力している約１０．６ボルトの電圧をゼロボルトに設定する端子である。このＯＵＴ端子は、１０ｋΩの抵抗Ｒ３の一端と接続される。この抵抗Ｒ３の他端は、コンデンサＣＤ２の一端および１０ｋΩの抵抗Ｒ４の一端と接続されており、コンデンサＣＤ２の他端および抵抗Ｒ４の他端は、グランドされている。
【０１０７】
抵抗Ｒ３および抵抗Ｒ４は、タイマＩＣ１のＯＵＴ端子から出力される電圧を分圧するための分圧抵抗である。よって、タイマＩＣ１のＯＵＴ端子から出力される電圧は、抵抗Ｒ３の抵抗値と抵抗Ｒ４の抵抗値との比に応じて、抵抗Ｒ３と抵抗Ｒ４とに分圧される。抵抗Ｒ３と抵抗Ｒ４とは共に１０ｋΩであるので、タイマＩＣ１のＯＵＴ端子から出力される約１０．６ボルトの電圧は、抵抗Ｒ３と抵抗Ｒ４とにより、それぞれ最大値約５．３ボルトずつに分圧される。
【０１０８】
抵抗Ｒ４に並列に接続される１０μＦのコンデンサＣＤ２は、抵抗Ｒ４に印加される電圧を安定化させるためのコンデンサである。このコンデンサＣＤ２の一端は、抵抗Ｒ４の一端と接続され、コンデンサＣＤ２の他端は、抵抗Ｒ４の他端と接続されて、グランドされている。このコンデンサＣＤ２により、抵抗Ｒ４に印加される電圧を安定化させることで、トランジスタＴＲ１のベース端子ｂとトランジスタＴＲ１のエミッタ端子ｅとの間に印加されるバイアス電圧を安定化させて、トランジスタＴＲ１の動作を安定化させることができる。
【０１０９】
トランジスタＴＲ１は、抵抗Ｒ４に印加される電圧に基づいて、トランジスタＴＲ１のコレクタ端子ｃとトランジスタＴＲ１のエミッタ端子ｅとの端子間を、導通または遮断のいずれか一方に切り換えるスイッチング素子である。トランジスタＴＲ１には、１０ｋΩの内部抵抗Ｒ５が設けられている。この内部抵抗Ｒ５の一端には、抵抗Ｒ４の一端が接続され、内部抵抗Ｒ５の他端には、ベース端子ｂが接続されている。また、トランジスタＴＲ１には、１０ｋΩの内部抵抗Ｒ６が設けられている。この内部抵抗Ｒ６の一端には、内部抵抗Ｒ５の他端が接続され、内部抵抗Ｒ６の他端には、エミッタ端子ｅが接続されている。
【０１１０】
よって、タイマＩＣ１のＯＵＴ端子から約１０．６ボルトの電圧が出力されている場合には（内枠１２および前面枠１４が閉鎖されている場合、ならびに、内枠１２または前面枠１４が開放されてから約１０ｍｓ内である場合には）、その電圧が抵抗Ｒ３と抵抗Ｒ４で分圧され、抵抗Ｒ４に印加された電圧（約５．３ボルト）が、トランジスタＴＲ１の内部抵抗Ｒ５の一端とトランジスタＴＲ１のエミッタ端子ｅとの間に印加される。これにより、トランジスタＴＲ１のコレクタ端子ｃとトランジスタＴＲ１のエミッタ端子ｅとの端子間が導通される。このとき、スイッチＳＷ１またはスイッチＳＷ２が導通状態（内枠１２または前面枠１４が開放状態）であれば、タイマＩＣ１のＯＵＴ端子から出力されている約１０．６ボルトの電圧がゼロボルトに切り換わるまで、即ち、内枠１２または前面枠１４が開放されてから約１０ｍｓの間、外部出力端子板２６１の抵抗Ｒ７の一端に電流が供給される。抵抗Ｒ７の一端に電流が供給されれば、外部出力端子板２６１のフォトカプラＰＲ１を約１０ｍｓの間、通電し、ホールコンピュータ２６２へパルス幅約１０ｍｓのパルス信号を出力することができる。ただし、内枠１２および前面枠１４が閉鎖され、スイッチＳＷ１およびスイッチＳＷ２が遮断されているときには、コンデンサＣＤ１の一端と外部出力端子板２６１に設けられた抵抗Ｒ７との接続が遮断される。よって、外部出力端子板２６１の抵抗Ｒ７の一端に電流が供給されない。従って、外部出力端子板２６１のフォトカプラＰＲ１が通電されず、ホールコンピュータ２６２へパルス信号は出力されない。
【０１１１】
一方、タイマＩＣ１のＯＵＴ端子電圧がゼロボルトの場合には（内枠１２または前面枠１４が開放されてから約１０ｍｓが経過した場合）、抵抗Ｒ４に電圧が印加されないので、トランジスタＴＲ１の内部抵抗Ｒ５の一端とトランジスタＴＲ１のエミッタ端子ｅとの間にも電圧が印加されない。これにより、トランジスタＴＲ１のコレクタ端子ｃとトランジスタＴＲ１のエミッタ端子ｅとの端子間が遮断される。よって、スイッチＳＷ１またはスイッチＳＷ２が導通状態（内枠１２または前面枠１４が開放状態）であっても、外部出力端子板２６１の抵抗Ｒ７の一端に電流が供給されない。従って、外部出力端子板２６１のフォトカプラＰＲ１が通電されず、ホールコンピュータ２６２へパルス信号は出力されない。
【０１１２】
このように、内枠１２または前面枠１４が開放状態となった場合には、外部出力端子板２６１のフォトカプラＰＲ１へ約１０ｍｓの間だけ通電することができる。よって、内枠１２または前面枠１４が開放状態となった場合には、外部出力端子板２６１からホールコンピュータ２６２へ約１０ｍｓのパルス幅のパルス信号を出力することができる。
【０１１３】
タイマＩＣ１のＴＨ端子は、ＴＨ端子に印加される電圧を計測する端子であり、抵抗Ｒ１の他端と、コンデンサＣＤ３の一端と、タイマＩＣ１のＤＣＨ端子とに接続されている。タイマＩＣ１のＤＣＨ端子は、タイマＩＣ１のＴＨ端子に印加された電圧がタイマＩＣ１のＶＤＤ端子に入力される直流電圧（約１１．３ボルト）の２／３の電圧（約７．５ボルト）となった場合に、ＤＣＨ端子のインピーダンスを無限大の状態からゼロの状態に切り換える端子である。ＤＣＨ端子のインピーダンスがゼロの状態（グランド状態）となると、コンデンサＣＤ３へ電圧が印加できない状態となる。一方、ＤＣＨ端子のインピーダンスが無限大の状態となると、コンデンサＣＤ３に電圧が印加可能な状態となる。
【０１１４】
タイマＩＣ１のＴＨ端子およびタイマＩＣ１のＤＣＨ端子に接続される抵抗Ｒ１およびコンデンサＣＤ３は、抵抗Ｒ１の抵抗値とコンデンサＣＤ３との積である時定数に基づいて、内枠１２または前面枠１４が開放された場合に、タイマＩＣ１のＯＵＴ端子から出力されている約１０．６ボルトの電圧をゼロボルトに切り換えるまでの期間を約１０ｍｓに決定するための部品である。抵抗Ｒ１の一端は、スイッチＳＷ１の他端、スイッチＳＷ２の他端および外部出力端子板２６１の抵抗Ｒ７の一端と接続されている。また、抵抗Ｒ１の他端は、タイマＩＣ１のＴＨ端子と、タイマＩＣ１のＤＣＨ端子と、コンデンサＣＤ３の一端と接続されている。また、コンデンサＣＤ３の他端は、グランドされている。
【０１１５】
ここで、抵抗Ｒ１およびコンデンサＣＤ３について、タイマＩＣ１のＴＲＧ端子、タイマＩＣ１のＴＨ端子、タイマＩＣ１のＤＣＨ端子およびタイマＩＣ１のＯＵＴ端子と共に説明する。
【０１１６】
内枠１２および前面枠１４が閉鎖状態では（スイッチＳＷ１およびスイッチＳＷ２が遮断状態では）、抵抗Ｒ１に電圧が供給されないので、タイマＩＣ１のＴＨ端子に印加される電圧はゼロボルト（約７．５ボルト未満）となり、タイマＩＣ１のＤＣＨ端子は、インピーダンスが無限大の状態に設定される。よって、コンデンサＣＤ３に電圧が印加可能な状態となり、コンデンサＣＤ３は、充電可能状態（電荷を蓄えることができる状態）となる。しかし、スイッチＳＷ１およびスイッチＳＷ２が遮断されているときには、コンデンサＣＤ１の一端と抵抗Ｒ１との接続が遮断されているので、コンデンサＣＤ３には電圧が印加されず、コンデンサＣＤ３に印加される電圧がゼロボルトとなる。このように、コンデンサＣＤ３は、充電可能状態となるものの、充電は行われない状態となる。なお、このとき、タイマＩＣ１のＯＵＴ端子の電圧は、約１０．６ボルトであり、トランジスタＴＲ１のコレクタ端子ｃとエミッタ端子ｅとが導通している。しかし、スイッチＳＷ１およびスイッチＳＷ２が遮断状態であるので、外部出力端子板２６１の抵抗Ｒ７の一端には、電流が供給されない。従って、外部出力端子板２６１のフォトカプラＰＲ１への通電も行われず、外部出力端子板２６１からホールコンピュータ２６２へもパルス信号は出力されない。
【０１１７】
次に、内枠１２または前面枠１４が開放状態となって（図５（ｂ）参照）、スイッチＳＷ１またはスイッチＳＷ２が導通状態となると、タイマＩＣ１のＴＲＧ端子に印加される電圧（抵抗Ｒ７に印加される電圧）は、ゼロボルトから約１１．３ボルトに切り換わる。このとき、タイマＩＣ１のＯＵＴ端子の電圧は、約１０．６ボルトであり、トランジスタＴＲ１のコレクタ端子ｃとエミッタ端子ｅとが導通している。よって、抵抗Ｒ７の一端への電流供給が開始され、外部出力端子板２６１のフォトカプラＰＲ１が通電される。これにより、ホールコンピュータ２６２へ信号が出力開始される。
【０１１８】
また、タイマＩＣ１のＴＲＧ端子に印加される電圧（抵抗Ｒ７に印加される電圧）が、ゼロボルトから約１１．３ボルトに切り換わるのと同時に、コンデンサＣＤ３に電圧が印加され、コンデンサＣＤ３の充電が開始される。このとき、タイマＩＣ１のＴＨ端子に印加される電圧が上昇を開始する。
【０１１９】
タイマＩＣ１のＯＵＴ端子の電圧は、タイマＩＣ１のＴＨ端子に印加される電圧（コンデンサＣＤ３に印加される電圧）が、タイマＩＣ１のＶＤＤ端子に入力される電圧（約１１．３ボルト）の２／３の電圧、即ち、約７．５ボルトと等しくなるまで、約１０．６ボルトを保ち続ける。タイマＩＣ１のＴＨ端子に印加される電圧（コンデンサＣＤ２に印加される電圧）が上昇し、約７．５ボルトと等しくなると、タイマＩＣ１のＤＣＨ端子のインピーダンスが無限大の状態からゼロの状態（グランドされた状態）に切り換わる。すると、コンデンサＣＤ３に印加される電圧がゼロボルト状態となり、コンデンサＣＤ３に蓄えられた電荷が放電される。これにより、タイマＩＣ１のＴＨ端子に印加される電圧は、約７．５ボルトからゼロボルトに切り換わる。このタイマＩＣ１のＴＨ端子に印加される電圧の切り換わりにより、タイマＩＣ１のＯＵＴ端子の電圧は、約１０．６ボルトからゼロボルトに切り換わる。すると、トランジスタＴＲ１のコレクタ端子ｃとエミッタ端子ｅとの導通が遮断され、抵抗Ｒ７の一端への電流供給が停止される。これにより、外部出力端子板２６１のフォトカプラＰＲ１への通電が停止し、ホールコンピュータ２６２への信号の出力が停止される。
【０１２０】
このように、内枠１２または前面枠１４が開放状態となって、スイッチＳＷ１またはスイッチＳＷ２が導通状態となった場合に（図５（ｂ）参照）、タイマＩＣ１のＯＵＴ端子から出力されている約１０．６ボルトの電圧をゼロボルトに切り換えるまでの期間、即ち、タイマＩＣ１のＴＨ端子に印加される電圧（コンデンサＣＤ３に印加される電圧）がゼロボルトから約７．５ボルトとなるまでの期間を、抵抗Ｒ１の抵抗値とコンデンサＣＤ３の容量との積である時定数に基づいて約１０ｍｓに決定する。すると、内枠１２または前面枠１４が開放状態となった場合に、外部出力端子板２６１のフォトカプラＰＲ１の抵抗Ｒ７の一端に電流の供給が開始される。そして、抵抗Ｒ７の一端への電流の供給開始から約１０ｍｓ経過後に、タイマＩＣ１のＯＵＴ端子から出力されている約１０．６ボルトの電圧がゼロボルトに切り換わり、トランジスタＴＲ１のコレクタ端子ｃとエミッタ端子ｅとの導通が遮断されて、抵抗Ｒ７の一端への電流供給が停止される。これにより、内枠１２または前面枠１４が開放状態となった場合に、外部出力端子板２６１の抵抗Ｒ７の一端に約１０ｍｓだけ電流が供給され、外部出力端子板２６１のフォトカプラＰＲ１を約１０ｍｓの間だけ通電することができる。よって、内枠１２または前面枠１４が開放状態となった場合には、外部出力端子板２６１からホールコンピュータ２６２へ、約１０ｍｓのパルス幅のパルス信号を出力することができる。
【０１２１】
なお、内枠１２および前面枠１４が開放状態から閉鎖状態（スイッチＳＷ１およびスイッチＳＷ２が導通状態から遮断状態）となると、即ち、タイマＩＣ１のＴＲＧ端子に印加される電圧（抵抗Ｒ７に印加される電圧）が約１１．３ボルトからゼロボルトに切り換わると、タイマＩＣ１のＯＵＴ端子の電圧は、ゼロボルトから約１０．６ボルトに切り換わる。この状態においては、上述した通り、トランジスタＴＲ１のコレクタ端子ｃとエミッタ端子ｅとが導通しているが、スイッチＳＷ１およびスイッチＳＷ２が遮断状態であるので、外部出力端子板２６１の抵抗Ｒ７の一端には、電流が供給されない。よって、外部出力端子板２６１のフォトカプラＰＲ１への通電も行われず、外部出力端子板２６１からホールコンピュータ２６２へもパルス信号は出力されない。
【０１２２】
上述の通り、内枠１２または前面枠１４が開放状態となった場合には、抵抗Ｒ１の抵抗値とコンデンサＣＤ３との積である時定数に基づき、外部出力端子板２６１の抵抗Ｒ７の一端に約１０ｍｓだけ電流が供給され、外部出力端子板２６１のフォトカプラＰＲ１を約１０ｍｓの間だけ通電することができる。これにより、内枠１２または前面枠１４が開放状態となった場合には、外部出力端子板２６１からホールコンピュータ２６２へ、約１０ｍｓのパルス幅のパルス信号を出力することができる。
【０１２３】
図７の説明に戻る。タイマＩＣ１のＣＮＴ端子は、ＣＮＴ端子に入力される信号により、タイマＩＣ１のＯＵＴ端子から出力される電圧の出力期間を調整する端子である。ただし、本枠開放検出回路２６０では、タイマＩＣ１のＯＵＴ端子から出力される電圧の出力期間を調整しないので（タイマＩＣ１のＯＵＴ端子から出力される電圧の出力期間は１０ｍｓに固定）、タイマＩＣ１のＣＮＴ端子は、枠開放検出回路２６０および外部出力端子板２６１のいずれの部品にも接続されず、開放されている。
【０１２４】
上述したように、枠開放検出回路２６０は、内枠１２または前面枠１４が開放状態となって、スイッチＳＷ１またはスイッチＳＷ２が導通状態となると（図５（ｂ）参照）、外部出力端子板２６１の抵抗Ｒ７の一端への電流供給を開始する。一方、枠開放検出回路２６０は、内枠１２または前面枠１４が開放状態となってから約１０ｍｓ経過すると、トランジスタＴＲ１のコレクタ端子ｃとトランジスタＴＲ１のエミッタ端子ｅとの端子間を導通状態から遮断状態へ切り換え、外部出力端子板２６１の抵抗Ｒ７の一端への電流供給を停止する。これにより、外部出力端子板２６１のフォトカプラＰＲ１が約１０ｍｓの間、通電され、外部出力端子板２６１からホールコンピュータ２６２へ約１０ｍｓのパルス幅のパルス信号が出力される。
【０１２５】
なお、扉開放検出回路２６０では、タイマＩＣ１にＬＭＣ５５５を用いて、内枠１２の開放または前面枠１４の開放を検出し、フォトカプラＰＲ１を約１０ｍｓの間通電する回路を実現したが、これに限られるものではない。即ち、タイマＩＣ１に他の集積回路等を用いて、内枠１２の１回の開放または前面枠１４の１回の開放に対して、１のパルス信号を発生する回路を実現し、その１のパルス信号に基づいてフォトカプラＰＲ１を所定期間通電するものであれば良い。
【０１２６】
次に、枠開放検出回路２６０に接続されると共に、ホールコンピュータ２６２に接続される外部出力端子板２６１について説明する。外部出力端子板２６１は、ホールコンピュータ２６２に約１０ｍｓのパルス幅のパルス信号を出力する機能を有し、１ｋΩの抵抗Ｒ７とフォトカプラＰＲ１とから主に構成されている。
【０１２７】
抵抗Ｒ７は、フォトカプラＰＲ１に供給される電流を制限する抵抗であり、抵抗Ｒ７の一端は、枠開放検出回路２６０の抵抗Ｒ１の一端、スイッチＳＷ１の他端およびスイッチＳＷ２の他端と接続され、抵抗Ｒ７の他端はフォトカプラＰＲ１の一次側（発光ダイオードのアノード端子）と接続されている。フォトカプラＰＲ１は、発光ダイオードとその発光ダイオードが発する光を受光する受光素子(フォトトランジスタ)とから構成される電流スイッチである。フォトカプラＰＲ１の一次側である発光ダイオードは、上述した通り、アノード端子が抵抗Ｒ７の一端と接続されており、カソード端子が枠開放検出回路２６０のトランジスタＴＲ１のコレクタ端子ｃと接続されている。また、フォトカプラＰＲ１の二次側である受光素子（フォトトランジスタ）は、ホールコンピュータ２６２に接続されている。
【０１２８】
よって、内枠１２または前面枠１４が開放状態（スイッチＳＷ１またはスイッチＳＷ２が導通状態）となってから約１０ｍｓの間、トランジスタＴＲ１のコレクタ端子ｃとトランジスタＴＲ１のエミッタ端子ｅとの端子間が導通されると、フォトカプラＰＲ１の一次側の発光ダイオードに抵抗Ｒ７を介して電流が供給され、発光ダイオードは約１０ｍｓの間、光を発する。すると、フォトカプラＰＲ１の二次側の受光素子（フォトトランジスタ）は、発せられた光を受光し、受光した約１０ｍｓの光をパルス幅が約１０ｍｓのパルス信号（電気信号）に変えて、そのパルス信号をホールコンピュータ２６２へ出力する。ホールコンピュータ２６２は、フォトカプラＰＲ１の二次側の受光素子（フォトトランジスタ）から出力されたパルス信号を記憶することができる。よって、ホールコンピュータ２６２に、内枠１２の開放または前面枠１４の開放があったことを記憶させることができる。
【０１２９】
一方、内枠１２および前面枠１４が閉鎖されているときには（スイッチＳＷ１およびスイッチＳＷ２が遮断されているときには）、抵抗Ｒ７の一端に電圧が供給されないので、フォトカプラＰＲ１の一次側である発光ダイオードに電流が供給されない。よって、フォトカプラＰＲ１の二次側の受光素子（フォトトランジスタ）からホールコンピュータ２６２へパルス信号が出力されることはない。
【０１３０】
ここで、ホールコンピュータ２６２へパルス信号を出力する外部出力端子板２６１にフォトカプラＰＲ１を用いる利点について説明する。フォトカプラＰＲ１は、一次側の発光ダイオードに供給される電流を光に変換し、その光を二次側の受光素子（フォトトランジスタ）に受光させてパルス信号（電気信号）を出力する構成（発光ダイオードから受光素子へ一方向に信号を伝送する構成）である。よって、二次側の受光素子（フォトトランジスタ）から一次側の発光ダイオードへはパルス信号等の電気信号を伝えることができない。これにより、フォトカプラＰＲ１の一次側の発光ダイオードに枠開放検出回路２６０が接続され、フォトカプラＰＲ１の二次側の受光素子（フォトトランジスタ）にホールコンピュータ２６２が接続されていても、ホールコンピュータ２６２からのパルス信号等の電気信号を、枠開放検出回路２６０や枠開放検出回路２６０が設けられた主制御装置１１０等へ伝送することができない。従って、フォトカプラＰＲ１を用いることで、ホールコンピュータ２６２から枠開放検出回路２６０や主制御装置１１０等への不正なパルス信号等の電気信号の伝送を防止しつつ、外部出力端子板２６１からホールコンピュータ２６２へはパルス信号を伝送できるという利点がある。
【０１３１】
更には、フォトカプラＰＲ１は、一次側の発光ダイオードと二次側の受光素子（フォトトランジスタ）とが電気的に絶縁されている。よって、例えば、フォトカプラＰＲ１の発光ダイオードに供給される電流に電気ノイズが含まれていたとしても、その電気ノイズが２次側のフォトトランジスタに伝送されることがない。従って、フォトカプラＰＲ１を用いることで、外部出力端子板２６１は、ホールコンピュータ２６２へ、正確なパルス信号を出力することができるという利点がある。
【０１３２】
上述した通り、枠開放検出回路２６０には、０．１ＦのコンデンサＣＤ１が設けられているので、枠開放検出回路２６０は、パチンコ機１０への電源供給が行われ、直流電源ＤＣ１から１２ボルトの直流電圧が供給されている場合には当然に動作し、更に、例えば、遊技場の営業時間が終了してパチンコ機１０への電源供給が遮断され、直流電源ＤＣ１から１２ボルトの直流電圧が供給されていない場合であっても、内枠１２の開放および前面枠１４の開放を検出することができる。そして、枠開放検出回路２６０により、内枠１２の開放または前面枠１４の開放が検出されると、外部出力端子板２６１からホールコンピュータ２６２へパルス幅約１０ｍｓのパルス信号を出力することができる。なお、外部出力端子板２６１からホールコンピュータ２６２へ出力されたパルス信号は、２４時間動作し続けるホールコンピュータ２６２に記憶される。
【０１３３】
ここで、一般に、遊技場は民間の警備会社と防犯契約を交わしており、遊技場への侵入者があった場合には、直ちに警備会社の警備員が遊技場へ駆けつける。しかし、不正行為は短時間で行われるので、警備員が駆けつけたときには、大抵の場合、既に侵入者は遊技場から逃げ出しており、一体、どのパチンコ機１０に不正行為が行われたのか判別できないという問題点があった。不正行為がなされたパチンコ機１０は、正常な状態に戻さなければならないが、どのパチンコ機１０に不正行為がなされたか分からない場合には、すべてのパチンコ機１０の内枠１２および前面枠１４を開放して、１台ずつ検査しなければならず、多数のパチンコ機１０が設置されている遊技場でこの作業を行うことは相当な重労働であった。
【０１３４】
しかし、本実施形態のパチンコ機１０によれば、枠開放検出回路２６０により、内枠１２の開放または前面枠１４の開放が検出されると、外部出力端子板２６１からホールコンピュータ２６２へパルス幅約１０ｍｓのパルス信号を出力する。そして、その出力されたパルス信号はホールコンピュータ２６２に記憶される。よって、ホールコンピュータ２６２に記憶されたパルス信号により、内枠１２または前面枠１４の開放が行われたパチンコ機１０を特定することができる。更には、ホールコンピュータ２６２に外部出力端子板２６１からパルス信号が出力されたことと共に、その出力されたパルス信号の出力時刻を記憶させることで、特定したパチンコ機１０の内枠１２の開放時刻または前面枠１４の開放時刻を検出することができる。
【０１３５】
なお、例えば、遊技場の営業時間が終了してパチンコ機１０への電源供給が遮断され、枠開放検出回路２６０および外部出力端子板２６１へ、コンデンサＣＤ１から直流電圧が供給される場合に、内枠１２または前面枠１４の開放に伴うコンデンサＣＤ１からフォトカプラＰＲ１への電流の総供給期間を長くしたり、内枠１２または前面枠１４の開放を検出する回数を増やしたりする場合には、コンデンサＣＤ１の容量を増加させたり（例えば、コンデンサＣＤ１の容量を１Ｆとする）、コンデンサＣＤ１を蓄電量の多い二次電池に変更すれば良い。
【０１３６】
次に、図８を参照して、スイッチＳＷ１の状態（内枠１２の状態）とスイッチＳＷ２の状態（前面枠１４の状態）とに応じて変化するタイマＩＣ１のＴＲＧ端子電圧（外部出力端子板２６１の抵抗Ｒ７の一端に印加される電圧）と、タイマＩＣ１のＯＵＴ端子電圧と、外部出力端子板２６１の出力（ホールコンピュータ２６２の入力）との関係について説明する。図８は、スイッチＳＷ１の状態（内枠１２の状態）、スイッチＳＷ２の状態（前面枠１４の状態）、タイマＩＣ１のＴＲＧ端子電圧（外部出力端子板２６１の抵抗Ｒ７の一端に印加される電圧）、タイマＩＣ１のＯＵＴ端子電圧および外部出力端子板２６１の出力（ホールコンピュータ２６２の入力）の関係を示したタイミングチャートである。
【０１３７】
図８（ａ）に示すように、ｔ１時に、スイッチＳＷ１が導通状態（内枠１２が開放状態）となると、図８（ｃ）に示すように、タイマＩＣ１のＴＲＧ端子電圧（外部出力端子板２６１の抵抗Ｒ７の一端に印加される電圧）は、ｔ１時に、ゼロボルトから約１１．３ボルトへ切り換わる。このとき、図８（ｄ）に示すように、タイマＩＣ１は、ｔ１時から約１０ｍｓ経過するまでは、ＯＵＴ端子から約１０．６ボルトの電圧を出力し続ける。これにより、外部出力端子板２６１のフォトカプラＰＲ１の一次側の発光ダイオードに（図７参照）、電流供給が開始される（ｔ１時）。すると、図８（ｅ）に示すように、フォトカプラＰＲ１の二次側の受光素子（フォトトランジスタ）の出力、即ち、外部出力端子板２６１の出力は、ｔ１時に、ロウ状態からハイ状態に切り換わる。これにより、ホールコンピュータ２６２へ内枠１２または前面枠１４の開放を示すパルス信号の出力が開始される。
【０１３８】
そして、ｔ１時から約１０ｍｓ経過すると、図８（ｄ）に示すように、タイマＩＣ１は、ＯＵＴ端子の電圧を、約１０．６ボルトからゼロボルトに切り換える。すると、外部出力端子板２６１の抵抗Ｒ７の一端への電流供給が停止する。よって、外部出力端子板２６１の出力は、ｔ１時から１０ｍｓ経過すると、ハイ状態からロウ状態に切り換わる。このように、外部出力端子板２６１の出力が切り換わることで、外部出力端子板２６１からホールコンピュータ２６２へ出力されるパルス信号のパルス幅を約１０ｍｓに留めることができる。
【０１３９】
なお、図８（ａ）に示すように、ｔ２時に、スイッチＳＷ１が遮断状態（内枠１２が閉鎖状態）となると、図８（ｃ）に示すように、タイマＩＣ１のＴＲＧ端子電圧（外部出力端子板２６１の抵抗Ｒ７の一端に印加される電圧）が約１１．３ボルトからゼロボルトに切り換わると共に、タイマＩＣ１のＯＵＴ端子電圧がゼロボルトから約１０．６ボルトに切り換わる（ｔ２時）。これにより、枠開放検出回路２６０は、再び、内枠１２および前面枠１４の検出が可能な状態に設定される。
【０１４０】
次に、図８（ａ）に示すように、ｔ３時に、スイッチＳＷ２が導通状態（前面枠１４が開放状態）となると、図８（ｃ）に示すように、タイマＩＣ１のＴＲＧ端子電圧（外部出力端子板２６１の抵抗Ｒ７の一端に印加される電圧）は、ｔ３時に、ゼロボルトから約１１．３ボルトへ切り換わる。このとき、図８（ｄ）に示すように、タイマＩＣ１は、ｔ３時から約１０ｍｓ経過するまでは、ＯＵＴ端子から約１０．６ボルトの電圧を出力し続ける。これにより、外部出力端子板２６１のフォトカプラＰＲ１の一次側の発光ダイオードに（図７参照）、電流供給が開始される（ｔ３時）。すると、図８（ｅ）に示すように、フォトカプラＰＲ１の二次側の受光素子（フォトトランジスタ）の出力、即ち、外部出力端子板２６１の出力は、ｔ３時に、ロウ状態からハイ状態に切り換わる。これにより、ホールコンピュータ２６２へ内枠１２または前面枠１４の開放を示すパルス信号の出力が開始される。
【０１４１】
そして、ｔ３時から約１０ｍｓ経過すると、図８（ｄ）に示すように、タイマＩＣ１は、ＯＵＴ端子の電圧を、約１０．６ボルトからゼロボルトに切り換える。すると、外部出力端子板２６１の抵抗Ｒ７の一端への電流供給が停止する。よって、外部出力端子板２６１の出力は、ｔ３時から１０ｍｓ経過すると、ハイ状態からロウ状態に切り換わる。このように、外部出力端子板２６１の出力が切り換わることで、外部出力端子板２６１からホールコンピュータ２６２へ出力されるパルス信号のパルス幅を約１０ｍｓに留めることができる。
【０１４２】
なお、図８（ａ）に示すように、スイッチＳＷ２が遮断状態（前面枠１４が閉鎖状態）となると、図８（ｃ）に示すように、タイマＩＣ１のＴＲＧ端子電圧（外部出力端子板２６１の抵抗Ｒ７の一端に印加される電圧）が約１１．３ボルトからゼロボルトに切り換わると共に、タイマＩＣ１のＯＵＴ端子電圧がゼロボルトから約１０．６ボルトに切り換わる（ｔ４時）。これにより、枠開放検出回路２６０は、再び、内枠１２および前面枠１４の検出が可能な状態に設定される。
【０１４３】
最後に、スイッチＳＷ１が導通状態（内枠１２が開放状態）であるときに、スイッチＳＷ２が導通状態（前面枠１４が開放状態）となった場合について説明する。図８（ａ）に示すように、ｔ５時に、スイッチＳＷ１が導通状態（内枠１２が開放状態）となり、更に、図８（ｂ）に示すように、ｔ６時に、スイッチＳＷ２が導通状態（前面枠１４が開放状態）となると、図８（ｃ）に示すように、タイマＩＣ１のＴＲＧ端子電圧（外部出力端子板２６１の抵抗Ｒ７の一端に印加される電圧）は、ｔ５時に、ゼロボルトから約１１．３ボルトへ切り換わる。このとき、図８（ｄ）に示すように、タイマＩＣ１は、ｔ５時から約１０ｍｓ経過するまでは、ＯＵＴ端子から約１０．６ボルトの電圧を出力し続ける。これにより、外部出力端子板２６１のフォトカプラＰＲ１の一次側の発光ダイオードに（図７参照）、電流供給が開始される（ｔ５時）。すると、図８（ｅ）に示すように、フォトカプラＰＲ１の二次側の受光素子（フォトトランジスタ）の出力、即ち、外部出力端子板２６１の出力は、ｔ５時に、ロウ状態からハイ状態に切り換わる。これにより、ホールコンピュータ２６２へ内枠１２または前面枠１４の開放を示すパルス信号の出力が開始される。
【０１４４】
そして、ｔ５時から約１０ｍｓ経過すると、図８（ｄ）に示すように、タイマＩＣ１は、ＯＵＴ端子の電圧を、約１０．６ボルトからゼロボルトに切り換える。すると、外部出力端子板２６１の抵抗Ｒ７の一端への電流供給が停止する。よって、外部出力端子板２６１の出力は、ｔ５時から１０ｍｓ経過すると、ハイ状態からロウ状態に切り換わる。このように、外部出力端子板２６１の出力が切り換わることで、外部出力端子板２６１からホールコンピュータ２６２へ出力されるパルス信号のパルス幅を約１０ｍｓに留めることができる。
【０１４５】
なお、図８（ａ）に示すように、ｔ７時に、スイッチＳＷ１が遮断状態（内枠１２が閉鎖状態）となると共に、図８（ｂ）に示すように、ｔ８時に、スイッチＳＷ２が遮断状態（前面枠１４が閉鎖状態）となると、図８（ｃ）に示すように、タイマＩＣ１のＴＲＧ端子電圧（外部出力端子板２６１の抵抗Ｒ７の一端に印加される電圧）が約１１．３ボルトからゼロボルトに切り換わると共に、タイマＩＣ１のＯＵＴ端子電圧がゼロボルトから約１０．６ボルトに切り換わる（ｔ８時）。これにより、枠開放検出回路２６０は、再び、内枠１２および前面枠１４の検出が可能な状態に設定される。
【０１４６】
このように、スイッチＳＷ１が導通状態（内枠１２が開放状態）であるときに、スイッチＳＷ２が導通状態（前面枠１４が開放状態）となった場合でも、タイマＩＣ１は、スイッチＳＷ１の導通期間の長さ（内枠１２の開放期間の長さ）およびスイッチＳＷ２の導通期間の長さ（前面枠１４の開放期間の長さ）に拘らず、スイッチＳＷ１またはスイッチＳＷ２のいずれか一方が導通状態（内枠１２または前面枠１４のいずれか一方が開放状態）となったときから約１０ｍｓ経過すると、ＯＵＴ端子の電圧を約１０．６ボルトからゼロボルトに切り換える。これにより、外部出力端子板２６１のフォトカプラＰＲ１へ供給される電流の供給期間は、約１０ｍｓとなる。
【０１４７】
よって、例えば、遊技場の営業時間が終了してパチンコ機１０への電源供給が遮断され、枠開放検出回路２６０および外部出力端子板２６１へ直流電源ＤＣ１から１２ボルトの直流電圧が供給されない場合、即ち、枠開放検出回路２６０および外部出力端子板２６１へコンデンサＣＤ１から約１１．３ボルトの直流電圧が供給される場合に、コンデンサＣＤ１からフォトカプラＰＲ１へ供給される電流の供給期間を、内枠１２または前面枠１４の１回の開放につき、約１０ｍｓに留めることができる。従って、内枠１２または前面枠１４の開放による電力消費を小さく抑えることができる。
【０１４８】
ここで、コンデンサＣＤ１は容量が０．１Ｆであり、コンデンサＣＤ１に印加される電圧は約１１．３ボルトであるので、コンデンサＣＤ１に蓄えられる電荷は、コンデンサＣＤ１の容量とコンデンサＣＤ１の印加電圧との積から約１．１３Ｃ（クーロン）となる。このコンデンサＣＤ１に蓄えられる約１．１３Ｃの電荷は、コンデンサＣＤ１からフォトカプラＰＲ１へ供給される電流の１回の供給期間が約１０ｍｓである場合には、電流の供給回数で約５００回分に相当する。従って、例えば、遊技場の営業時間が終了してパチンコ機１０への電源供給が遮断され、直流電源ＤＣ１から１２ボルトの直流電圧が供給されていない場合に、内枠１２の開放（スイッチＳＷ１の導通）または前面枠１４の開放（スイッチＳＷ２の導通）が多数回に亘って行われたときでも、枠開放検出回路２６０は、内枠１２の開放または前面枠１４の開放（スイッチＳＷ１の導通またはスイッチＳＷ２の導通）を、約５００回まで毎回確実に検出して、外部出力端子板２６１からホールコンピュータ２６２へパルス信号を出力することができる。このとき、内枠１２の開放または前面枠１４の開放が約５００回付近となると、コンデンサＣＤ１に蓄えられる電荷が少なくなり、コンデンサＣＤ１からフォトカプラＰＲ１へ供給される電流値が低下するが、ホールコンピュータ２６２のパルス信号の検出感度を上げることにより（パルス信号の振幅に対する閾値を下げることにより）、ホールコンピュータ２６２にパルス信号を記憶させることができる。
【０１４９】
なお、本実施形態では、内枠１２または前面枠１４の開放があり、スイッチＳＷ１またはスイッチＳＷ２の導通があった場合に、外部出力端子板２６１からホールコンピュータ２６２へパルス信号が出力されたが、これに限られるものではない。即ち、本枠開放検出回路２６０の各部品の接続を変更し、内枠１２または前面枠１４が開放され、その開放された内枠１２または前面枠１４が閉鎖された場合に、フォトカプラＰＲ１に約１０ｍｓの間、電流を供給して、外部出力端子板２６１からホールコンピュータ２６２へパルス信号を出力するように構成しても良い。
【０１５０】
ただし、本実施形態の枠開放検出回路２６０では、内枠１２または前面枠１４の開放があり、スイッチＳＷ１またはスイッチＳＷ２の導通があった場合に、外部出力端子板２６１からホールコンピュータ２６２へパルス信号を出力するように構成しているので、内枠１２または前面枠１４の開放を素早く検出できる。よって、内枠１２または前面枠１４が開放されて主制御装置１１０または遊技盤１３に不正行為が行われる前に、内枠１２または前面枠１４の開放を検出することができる。従って、パチンコ機１０へ電源が供給されている場合に発生する不正行為が行われたことによる異常動作を防止することができる。
【０１５１】
なお、外部出力端子板２６１からホールコンピュータ２６２へ出力されたパルス信号は、２４時間動作し続けるホールコンピュータ２６２に記憶される。よって、ホールコンピュータ２６２に記憶されたパルス信号により、内枠１２または前面枠１４の開放が行われたパチンコ機１０を特定することができる。更には、ホールコンピュータ２６２に外部出力端子板２６１からパルス信号が出力されたことと共に、その出力されたパルス信号の出力時刻を記憶させることで、特定したパチンコ機１０の内枠１２の開放時刻または前面枠１４の開放時刻を検出することができる。
【０１５２】
また、内枠１２および前面枠１４が閉鎖されているときには（スイッチＳＷ１およびスイッチＳＷ２が遮断されているときには）、タイマＩＣ１のＯＵＴ端子電圧が約１０．６ボルトであるので、枠開放検出回路２６０のトランジスタＴＲ１のコレクタ端子ｃとトランジスタＴＲ１のエミッタ端子ｅ（図７参照）との端子間が導通状態となる。ただし、このときには、トランジスタＴＲ１に流れる電流はベース電流だけである。そして、このベース電流の電流値を決定する抵抗Ｒ３および抵抗Ｒ５は共に抵抗値１０ｋΩであり、フォトカプラＰＲ１に供給される電流を制限する抵抗Ｒ７の抵抗値（１ｋΩ）に比べて十分大きい。よって、ベース電流の電流値を約１００μＡ程度に留めることができる（なお、スイッチＳＷ１およびスイッチＳＷ２が導通されているときに、フォトカプラＰＲ１に供給される電流値は、約１１．３ｍＡ）。よって、トランジスタＴＲ１の導通状態によるコンデンサＣＤ１に蓄えられる電荷の消費をごく僅かに止めることができる。
【０１５３】
また、内枠１２および前面枠１４が閉鎖されているときには（スイッチＳＷ１およびスイッチＳＷ２が遮断されているときには）、タイマＩＣ１のＯＵＴ端子電圧が約１０．６ボルトであるので、タイマＩＣ１のＯＵＴ端子とグランドとの間に直列に接続される抵抗Ｒ３および抵抗Ｒ４を介して、電流が消費される。しかし、抵抗Ｒ３および抵抗Ｒ４は共に抵抗値が１０ｋΩであり、フォトカプラＰＲ１に供給される電流を制限する抵抗Ｒ７の抵抗値（１ｋΩ）に比べて十分大きい。よって、内枠１２および前面枠１４が閉鎖されているときに、抵抗Ｒ３および抵抗Ｒ４を介してタイマＩＣ１のＯＵＴ端子からグランドへ流れる電流値を、約５３０μＡ程度に留めることができる。従って、コンデンサＣＤ１に蓄えられる電荷の抵抗Ｒ３および抵抗Ｒ４による消費をごく僅かに止めることができる。
【０１５４】
なお、内枠１２および前面枠１４が閉鎖されている場合に（スイッチＳＷ１およびスイッチＳＷ２が遮断されている場合に）、トランジスタＴＲ１のベース電流によるコンデンサＣＤ１に蓄えられた電荷の消費および抵抗Ｒ３および抵抗Ｒ４によるコンデンサＣＤ１に蓄えられた電荷の消費を更に抑制したい場合には、抵抗Ｒ３、抵抗Ｒ４および抵抗Ｒ５の抵抗値を１０ｋΩよりも更に大きくすれば良い。
【０１５５】
更に、内枠１２および前面枠１４が閉鎖され、スイッチＳＷ１およびスイッチＳＷ２が遮断されている場合に、トランジスタＴＲ１のベース電流によるコンデンサＣＤ１に蓄えられた電荷の消費および抵抗Ｒ３および抵抗Ｒ４によるコンデンサＣＤ１に蓄えられた電荷の消費をゼロにしたい場合には、次の構成にすれば良い。スイッチＳＷ１およびスイッチＳＷ２にそれぞれ、雄型スイッチＳＷ１ｂおよび雄型スイッチＳＷ２ｂを更に設けて、スイッチＳＷ１およびスイッチＳＷ２に配設される雄型スイッチＳＷ１ｂおよび雄型スイッチＳＷ２ｂをそれぞれ２つずつにする。これに対応して、スイッチＳＷ１およびスイッチＳＷ２にそれぞれ、雌型スイッチＳＷ１ａおよび雌型スイッチＳＷ２ａを更に設けて、スイッチＳＷ１およびスイッチＳＷ２に配設される雌型スイッチＳＷ１ａおよび雌型スイッチＳＷ２ａをそれぞれ２つずつにする。これにより、スイッチＳＷ１には、雄型スイッチＳＷ１ｂと雌型スイッチＳＷ１ａの組み合わせが、新たに１つ加えられる。スイッチＳＷ２にもスイッチＳＷ１と同様に、雄型スイッチＳＷ２ｂと雌型スイッチＳＷ２ａの組み合わせが新たに１つ加えられる。そして、枠開放検出回路２６０内のタイマＩＣ１のＯＵＴ端子と抵抗Ｒ３の一端との接続を切断し、接続切断後のタイマＩＣ１のＯＵＴ端子に、新たに加えられた雌型スイッチＳＷ１ａに内蔵された一対の端子対ＳＷ１ｃの一端を接続する。そして、接続切断後の抵抗Ｒ３の一端に、新たに加えられた雌型スイッチＳＷ１ａに内蔵された一対の端子対ＳＷ１ｃの他端を接続する。同様に、接続切断後のタイマＩＣ１のＯＵＴ端子に、新たに加えられた雌型スイッチＳＷ２ａに内蔵された一対の端子対ＳＷ２ｃの一端を接続する。そして、接続切断後の抵抗Ｒ３の一端に、新たに加えられた雌型スイッチＳＷ２ａに内蔵された一対の端子対ＳＷ２ｃの他端を接続する。このように構成することで、内枠１２および前面枠１４が閉鎖され、スイッチＳＷ１およびスイッチＳＷ２が遮断されている場合には、タイマＩＣ１のＯＵＴ端子電圧である約１０．６ボルトが抵抗Ｒ３、抵抗Ｒ４および抵抗Ｒ５に印加されることはなく、トランジスタＴＲ１のベース電流によるコンデンサＣＤ１に蓄えられた電荷の消費および抵抗Ｒ３および抵抗Ｒ４によるコンデンサＣＤ１に蓄えられた電荷の消費をゼロにすることができる。反対に、内枠１２または前面枠１４の一方、若しくは内枠１２と前面枠１４との両方が開放されている場合には（スイッチＳＷ１またはスイッチＳＷ２の一方、若しくはスイッチＳＷ１とスイッチＳＷ２との両方が導通されている場合には）、抵抗Ｒ３、抵抗Ｒ４、抵抗Ｒ５、抵抗Ｒ６およびコンデンサＣＤ２にタイマＩＣ１のＯＵＴ端子電圧が分圧されて印加されることで、フォトカプラＰＲ１への電流供給を抵抗Ｒ７を介して正常に行うことができる。
【０１５６】
なお、タイマＩＣ１のＯＵＴ端子との接続を切断して、端子対ＳＷ１ｃおよび端子対ＳＷ２ｃを接続する箇所は上記に限られるものではない。例えば、抵抗Ｒ３の他端と、抵抗Ｒ４、抵抗Ｒ５およびコンデンサＣＤ２の一端とを切断して、接続切断後の抵抗Ｒ３の他端に、新たに加えられた雌型スイッチＳＷ１ａに内蔵された一対の端子対ＳＷ１ｃの一端を接続する。そして、接続切断後の抵抗Ｒ４、抵抗Ｒ５およびコンデンサＣＤ２の一端に、新たに加えられた雌型スイッチＳＷ１ａに内蔵された一対の端子対ＳＷ１ｃの他端を接続する。同様に、接続切断後の抵抗Ｒ３の他端に、新たに加えられた雌型スイッチＳＷ２ａに内蔵された一対の端子対ＳＷ２ｃの一端を接続する。そして、接続切断後の抵抗Ｒ４、抵抗Ｒ５およびコンデンサＣＤ２の一端に、新たに加えられた雌型スイッチＳＷ２ａに内蔵された一対の端子対ＳＷ２ｃの他端を接続すれば良い。つまり、新たに加えられた雄型スイッチＳＷ１ｂおよび雌型スイッチＳＷ１ａと、新たに加えられた雄型スイッチＳＷ２ｂおよび雌型スイッチＳＷ２ａとにより、内枠１２および前面枠１４が閉鎖されている場合には（スイッチＳＷ１およびスイッチＳＷ２が遮断されている場合には）、タイマＩＣ１のＯＵＴ端子とグランドとの導通を遮断する一方、内枠１２または前面枠１４の一方、若しくは内枠１２と前面枠１４との両方が開放されている場合には（スイッチＳＷ１またはスイッチＳＷ２の一方、若しくはスイッチＳＷ１とスイッチＳＷ２との両方が導通されている場合には）、抵抗Ｒ３、抵抗Ｒ４、抵抗Ｒ５、抵抗Ｒ６およびコンデンサＣＤ２にタイマＩＣ１のＯＵＴ端子電圧が分圧されて印加されるように構成すれば良いのである。
【０１５７】
また、内枠１２と前面枠１４とのどちらが開放したかを別々にホールコンピュータ２６２に記憶させたい場合には、次の構成にすれば良い。まず、本実施形態で使用した枠開放検出回路２６０と外部出力端子板２６１とをそれぞれ１つずつ新たに設け、スイッチＳＷ１に並列接続されたスイッチＳＷ２を切断し、その切断したスイッチＳＷ２を新たに設けた枠開放検出回路２６０に接続すれば良い。具体的には、切断したスイッチＳＷ２の一端を、新たに設けた枠開放検出回路２６０のコンデンサＣＤ１の一端、タイマＩＣ１のＶＤＤ端子、コンデンサＣＤ４の一端およびタイマＩＣ１のＲＥＳ端子に接続すると共に、切断したスイッチＳＷ２の他端を、新たに設けた枠開放検出回路２６０のコンデンサＣＤ５の一端、抵抗Ｒ１の一端、および外部出力端子盤２６１の抵抗Ｒ７の一端に接続すれば良い。このように新たに枠開放検出回路２６０および外部出力端子板２６１を設け、その新たに設けた枠開放検出回路２６０に、スイッチＳＷ２のみを接続すると共に、既存の枠開放検出回路２６０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。ここで、ホールコンピュータ２６２は、既存の外部出力端子板２６１（スイッチＳＷ１の導通検出用（内枠１２の開放検出用））から出力されるパルス信号の入力端子と、新たに設けた外部出力端子板２６１（スイッチＳＷ２の導通検出用（前面枠１４の開放検出用））から出力されるパルス信号の入力端子とをそれぞれ別にしておく。この構成により、スイッチＳＷ１の導通（内枠１２の開放）とスイッチＳＷ２の導通（前面枠１４の開放）とを区別してホールコンピュータ２６２に記憶させることができる。よって、ホールコンピュータ２６２に記憶されたパルス信号により、スイッチＳＷ１の導通（内枠１２の開放）があったのか、スイッチＳＷ２の導通（前面枠１４の開放）があったのか、または両方があったのかを正確に検出することができる。
【０１５８】
更に、パチンコ機１０への電源供給が行われている場合に、内枠１２と前面枠１４とのどちらが開放したかを別々にホールコンピュータ２６２に記憶させると共に、内枠１２と前面枠１４とのどちらかが開放したときにパチンコ機１０で報知を行いたい場合には、次の構成にすれば良い。まず、本実施形態で使用した枠開放検出回路２６０と外部出力端子板２６１とをそれぞれ１つずつ新たに設け、スイッチＳＷ１に並列接続されたスイッチＳＷ２を切断し、その切断したスイッチＳＷ２を新たに設けた枠開放検出回路２６０に接続する。次に、スイッチＳＷ１およびスイッチＳＷ２にそれぞれ、雄型スイッチＳＷ１ｂ，ＳＷ２ｂおよび雌型スイッチＳＷ１ａ，ＳＷ２ａを新たに１つずつ設ける。そして、新たに設けた雄型スイッチＳＷ１ｂ，ＳＷ２ｂおよび雌型スイッチＳＷ１ａ，ＳＷ２ａを用いて、内枠１２または前面枠１４が開放され、スイッチＳＷ１またはスイッチＳＷ２が導通した場合に、ＭＰＵ２０１に、信号が入力されるように構成すれば良い。
【０１５９】
具体的には、切断したスイッチＳＷ２の一端を、新たに設けた枠開放検出回路２６０のコンデンサＣＤ１の一端、タイマＩＣ１のＶＤＤ端子、コンデンサＣＤ４の一端およびタイマＩＣ１のＲＥＳ端子に接続すると共に、切断したスイッチＳＷ２の他端を、新たに設けた枠開放検出回路２６０のコンデンサＣＤ５の一端、抵抗Ｒ１の一端、および外部出力端子盤２６１の抵抗Ｒ７の一端に接続すれば良い。このように新たに枠開放検出回路２６０および外部出力端子板２６１を設け、その新たに設けた枠開放検出回路２６０に、スイッチＳＷ２のみを接続すると共に、既存の枠開放検出回路２６０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。
【０１６０】
次に、スイッチＳＷ１およびスイッチＳＷ２にそれぞれ、雄型スイッチＳＷ１ｂおよび雄型スイッチＳＷ２ｂを更に設けて、スイッチＳＷ１およびスイッチＳＷ２に配設される雄型スイッチＳＷ１ｂおよび雄型スイッチＳＷ２ｂをそれぞれ２つずつにする。これに対応して、スイッチＳＷ１およびスイッチＳＷ２にそれぞれ、雌型スイッチＳＷ１ａおよび雌型スイッチＳＷ２ａを更に設けて、スイッチＳＷ１およびスイッチＳＷ２に配設される雌型スイッチＳＷ１ａおよび雌型スイッチＳＷ２ａをそれぞれ２つずつにする。これにより、スイッチＳＷ１に新たに、雄型スイッチＳＷ１ｂと雌型スイッチＳＷ１ａの組み合わせを１つ加える。また、スイッチＳＷ２にもスイッチＳＷ１と同様に、新たに、雄型スイッチＳＷ２ｂと雌型スイッチＳＷ２ａの組み合わせを１つ加える。そして、新たに加えられた雌型スイッチＳＷ１ａに内蔵された一対の端子対ＳＷ１ｃの一端を、既存の枠開放検出回路２６０の直流電源ＤＣ１に接続し、新たに加えられた雌型スイッチＳＷ１ａに内蔵された一対の端子対ＳＷ１ｃの他端を、抵抗により構成される分圧回路を介してＭＰＵ２０１の入出力ポート２０５に接続する。同様に、新たに加えられた雌型スイッチＳＷ２ａに内蔵された一対の端子対ＳＷ２ｃの一端を、新たに設けられた枠開放検出回路２６０の直流電源ＤＣ１に接続し、新たに加えられた雌型スイッチＳＷ２ａに内蔵された一対の端子対ＳＷ２ｃの他端を、抵抗により構成される分圧回路を介してＭＰＵ２０１の入出力ポート２０５に、端子対ＳＷ１ｃの他端とは別のポートに接続する。更に、ＭＰＵ２０１は、内枠１２または前面枠１４が開放され、スイッチＳＷ１またはスイッチＳＷ２が導通して、内枠１２の開放を検出する５ボルトの電圧（分圧回路により、直流電源ＤＣ１から供給される１２ボルトの電圧が５ボルトに降圧される）または内枠１４の開放を検出する５ボルトの電圧（分圧回路により、直流電源ＤＣ１から供給される１２ボルトの電圧が５ボルトに降圧される）が入出力ポート２０５に入力された場合に、音声ランプ制御装置１１３や表示制御装置１１４へ、内枠１２または前面枠１４の開放が検出されたことを示すコマンドを送信する。このとき、ＭＰＵ２０１から送信されるコマンドを、内枠１２の開放が検出された場合のコマンド（以下、「内枠コマンド」と称す）と、前面枠１４が開放された場合のコマンド（以下、「前面枠コマンド」と称す）とで別にする。そして、この各コマンドを受信した音声ランプ制御装置１１３は、内枠コマンドを受信した場合と前面枠コマンドを受信した場合とで異なる態様の報知を行う。例えば、音声出力装置２２６から異なる警告音を出したり、ランプ表示装置２２７の点灯の態様を異ならせる。また、この各コマンドを受信した表示制御装置１１４は、内枠コマンドを受信した場合と前面枠コマンドを受信した場合とで異なる態様の表示を行う。例えば、表示制御装置１１４が内枠コマンドを受信した場合には、第３図柄表示装置８１に「内枠が開放しています」と表示したり、表示制御装置１１４が前面枠コマンドを受信した場合には、第３図柄表示装置８１に「前面枠が開放しています」と表示するように構成すれば良い。
【０１６１】
このように、スイッチＳＷ１に新たに、雄型スイッチＳＷ１ｂと雌型スイッチＳＷ１ａの組み合わせを１つ加え、スイッチＳＷ２にもスイッチＳＷ１と同様に、新たに、雄型スイッチＳＷ２ｂと雌型スイッチＳＷ２ａの組み合わせを１つ加えて、それらを用いて、スイッチＳＷ１が導通した場合には（内枠１２が開放された場合には）、ＭＰＵ２０１は、音声ランプ制御装置１１３や表示制御装置１１４へ内枠コマンドを送信するように構成する。また、スイッチＳＷ２が導通した場合には（前面枠１４が開放された場合には）、ＭＰＵ２０１は、音声ランプ制御装置１１３や表示制御装置１１４へ前面枠コマンドを送信するように構成する。このように構成することで、内枠１２の開放があった場合と前面枠１４の開放があった場合とで異なる態様の報知を、音声ランプ制御装置１１３や表示制御装置１１４を用いて行うことができる。これにより、スイッチＳＷ１の導通（内枠１２の開放）があったのか、スイッチＳＷ２の導通（前面枠１４の開放）があったのか、または両方があったのかを、パチンコ機１０を用いて正確に検出することができる。
【０１６２】
また、枠開放検出回路２６０および外部出力端子板２６１を新たに設け、その新たに設けた枠開放検出回路２６０に、スイッチＳＷ２のみを接続すると共に、既存の枠開放検出回路２６０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。よって、ホールコンピュータ２６２に記憶されたパルス信号により、スイッチＳＷ１の導通（内枠１２の開放）があったのか、スイッチＳＷ２の導通（前面枠１４の開放）があったのか、または両方があったのかを正確に検出することができる。
【０１６３】
なお、本実施形態においては、外部出力端子板２６１から出力されるパルス信号を、パチンコ機１０とは設置場所が異なるホールコンピュータ２６２へ出力したが、これに限られるものではない。ホールコンピュータ２６２の機能を有する専用の記憶装置をパチンコ機１０毎に設け、その専用の記憶装置を、主制御装置１１０等が設けられる各パチンコ機１０の背面側に配設しても良い。この場合には、より良くは、主制御装置１１０、払出制御装置１１１および発射制御装置１１２のように、専用の記憶装置を基板ボックスに収納し、その基板ボックスに設けられたボックスベースとボックスカバーとを封印ユニット（図示せず）によって開封不能に連結（かしめ構造による連結）する。そして、ボックスベースとボックスカバーとの連結部に、ボックスカバーとボックスベースとに亘って封印シール（図示せず）を貼付する。
【０１６４】
次に、図９を参照して、第３図柄表示装置８１の表示内容について説明する。図９は、第３図柄表示装置８１の表示画面を説明するための図面であり、図９（ａ）は、表示画面の領域区分設定と有効ライン設定とを模式的に示した図であり、図９（ｂ）は、実際の表示画面を例示した図である。
【０１６５】
第３図柄は、「０」から「９」の数字を付した１０種類の主図柄と、この主図柄より小さく形成された花びら形状の１種類の副図柄とにより構成されている。各主図柄は、木箱よりなる後方図柄の上に「０」から「９」の数字を付して構成され、そのうち奇数番号（１，３，５，７，９）を付した主図柄は、木箱の前面ほぼ一杯に大きな数字が付加されている。これに対し、偶数番号（０，２，４，６，８）を付した主図柄は、木箱の前面ほぼ一杯にお守り、風呂敷、ヘルメット等のキャラクタを模した付属図柄が付加されており、付属図柄の右下側に偶数の数字が緑色で小さく、且つ、付属図柄の前側に表示されるように付加されている。
【０１６６】
また、本実施の形態のパチンコ機１０においては、主制御装置１１０による抽選結果が大当たりであった場合に、同一の主図柄が揃う変動表示が行われ、その変動表示が終わった後に大当たりが発生するよう構成されている。大当たり終了後に高確率状態（確変状態）に移行する場合は、奇数番号が付加された主図柄（「高確率図柄」に相当）が揃う変動表示が行われる。一方、大当たり終了後に低確率状態に移行する場合は、偶数番号が付加された主図柄（「低確率図柄」に相当）が揃う変動表示が行われる。ここで、高確率状態とは、大当たり終了後に付加価値としてその後の大当たり確率がアップした状態、いわゆる確率変動（確変）の時をいう。また、通常状態（低確率状態）とは、確変でない時をいい、大当たり確率が通常の状態、即ち、確変の時より大当たり確率が低い状態をいう。
【０１６７】
図９（ａ）に示すように、第３図柄表示装置８１の表示画面は、大きくは上下に２分割され、下側の２／３が第３図柄を変動表示する主表示領域Ｄｍ、それ以外の上側の１／３が予告演出やキャラクタを表示する副表示領域Ｄｓとなっている。
【０１６８】
主表示領域Ｄｍには、左・中・右の３つの図柄列Ｚ１，Ｚ２，Ｚ３が表示される。各図柄列Ｚ１〜Ｚ３には、上述した第３図柄が規定の順序で表示される。即ち、各図柄列Ｚ１〜Ｚ３には、数字の昇順または降順に主図柄が配列されると共に、各主図柄の間に副図柄が１つずつ配列されている。このため、各図柄列には、１０個の主図柄と１０個の副図柄の計２０個の第３図柄が設定され、各図柄列Ｚ１〜Ｚ３毎に周期性をもって上から下へとスクロールして変動表示が行われる。特に、左図柄列Ｚ１においては主図柄の数字が降順に現れるように配列され、中図柄列Ｚ２及び右図柄列Ｚ３においては主図柄の数字が昇順に現れるように配列されている。
【０１６９】
また、主表示領域Ｄｍには、各図柄列Ｚ１〜Ｚ３毎に上・中・下の３段に第３図柄が表示される。従って、第３図柄表示装置８１には、３段×３列の計９個の第３図柄が表示される。この主表示領域Ｄｍには、５つの有効ライン、即ち上ラインＬ１、中ラインＬ２、下ラインＬ３、右上がりラインＬ４、左上がりラインＬ５が設定されている。そして、毎回の遊技に際して、左図柄列Ｚ１→右図柄列Ｚ３→中図柄列Ｚ２の順に変動表示が停止し、その停止時にいずれかの有効ライン上に大当たり図柄の組合せ（本実施の形態では、同一の主図柄の組合せ）で揃えば大当たりとして大当たり動画が表示される。
【０１７０】
副表示領域Ｄｓは、主表示領域Ｄｍよりも上方に横長に設けられており、さらに左右方向に３つの予告領域Ｄｓ１〜Ｄｓ３に等区分されている。ここで、左右の予告領域Ｄｓ１，Ｄｓ３は、ソレノイド（図示せず）で電気的に開閉される両開き式の不透明な扉で通常覆われており、時としてソレノイドが励磁されて扉が手前側に開放されることにより遊技者に視認可能となる表示領域となっている。中央の予告領域Ｄｓ２は、扉で覆い隠されずに常に視認できる表示領域となっている。
【０１７１】
図９（ｂ）に示すように、実際の表示画面では、主表示領域Ｄｍに第３図柄の主図柄と副図柄とが合計９個表示される。副表示領域Ｄｓにおいては、左右の扉が閉鎖された状態となっており、左右の予告領域Ｄｓ１，Ｄｓ３が覆い隠されて表示画面が視認できない状態となっている。変動表示の途中において、左右のいずれか一方、または両方の扉が開放されると、左右の予告領域Ｄｓ１，Ｄｓ３に動画が表示され、通常より大当たりへ遷移し易い状態であることが遊技者に示唆される。中央の予告領域Ｄｓ２では、通常は、所定のキャラクタ（本実施の形態ではハチマキを付けた少年）が所定動作をし、時として所定動作とは別の特別な動作をしたり、別のキャラクタが現出する等して予告演出が行われる。なお、第３図柄表示装置８１の表示画面は、原則として上下の表示領域Ｄｍ，Ｄｓに区分されているが、各表示領域Ｄｍ，Ｄｓを跨いでより大きく第３図柄やキャラクタ等を表示して表示演出を行うことができる。
【０１７２】
次に、図１０を参照して、主制御装置１１０のＲＡＭ２０３内に設けられるカウンタ等について説明する。これらのカウンタ等は、大当たり抽選や第１図柄表示装置３７の表示の設定、第２図柄表示装置８２の表示結果の抽選などを行うために、主制御装置１１０のＭＰＵ２０１で使用される。
【０１７３】
大当たり抽選や第１図柄表示装置３７の表示の設定には、大当たりの抽選に使用する第１当たり乱数カウンタＣ１と、大当たり図柄の選択に使用する第１当たり種別図柄カウンタＣ２と、停止パターン選択カウンタＣ３と、第１当たり乱数カウンタＣ１の初期値設定に使用する第１初期値乱数カウンタＣＩＮＩ１と、変動パターン選択に使用する変動種別カウンタＣＳ１，ＣＳ２，ＣＳ３とが用いられる。また、第２図柄表示装置８２の抽選には、第２当たり乱数カウンタＣ４が用いられ、第２当たり乱数カウンタＣ４の初期値設定には第２初期値乱数カウンタＣＩＮＩ２が用いられる。これら各カウンタは、更新の都度前回値に１が加算され、最大値に達した後０に戻るループカウンタとなっている。
【０１７４】
各カウンタは、メイン処理（図１２参照）の実行間隔である４ｍｓ間隔、またはタイマ割込処理（図１５参照）の実行間隔である２ｍｓ間隔で更新され、その更新値がＲＡＭ２０３の所定領域に設定されたカウンタ用バッファに適宜格納される。ＲＡＭ２０３には、１つの実行エリアと４つの保留エリア（保留第１〜第４エリア）とからなる保留球格納エリアが設けられており、これらの各エリアには、第１入球口６４への球の入賞タイミングに合わせて、第１当たり乱数カウンタＣ１、第１当たり種別カウンタＣ２及び停止パターン選択カウンタＣ３の各値がそれぞれ格納される。
【０１７５】
各カウンタについて詳しく説明する。第１当たり乱数カウンタＣ１は、例えば０〜７３８の範囲内で順に１ずつ加算され、最大値（つまり７３８）に達した後０に戻る構成となっている。特に、第１当たり乱数カウンタＣ１が１周した場合、その時点の第１初期値乱数カウンタＣＩＮＩ１の値が当該第１当たり乱数カウンタＣ１の初期値として読み込まれる。また、第１初期値乱数カウンタＣＩＮＩ１は、第１当たり乱数カウンタＣ１と同一範囲で更新されるループカウンタとして構成され（値＝０〜７３８）、タイマ割込処理（図１５参照）の実行毎に１回更新されると共に、メイン処理（図１２参照）の残余時間内で繰り返し更新される。第１当たり乱数カウンタＣ１の値は、例えば定期的に（本実施の形態ではタイマ割込処理毎に１回）更新され、球が第１入球口６４に入賞したタイミングでＲＡＭ２０３の保留球格納エリアに格納される。大当たりとなる乱数の値の数は、低確率時と高確率時とで２種類設定されており、低確率時に大当たりとなる乱数の値の数は２で、その値は「３７３，７２７」であり、高確率時に大当たりとなる乱数の値の数は１４で、その値は「５９，１０９，１６３，２１１，２６３，３１７，３６７，４２１，４７９，５２３，６３１，６８３，７３３」である。
【０１７６】
第１当たり種別カウンタＣ２は、大当たりの際の第１図柄表示装置３７の表示態様を決定するものであり、本実施の形態では、０〜４の範囲内で順に１ずつ加算され、最大値（つまり４）に達した後０に戻る構成となっている。第１当たり種別カウンタＣ２の値は、例えば定期的に（本実施の形態ではタイマ割込処理毎に１回）更新され、球が第１入球口６４に入賞したタイミングでＲＡＭ２０３の保留球格納エリアに格納される。なお、大当たり後に高確率状態となる乱数の値は「１，２，３」であり、大当たり後に低確率状態となる乱数の値は「０，４」であり、２種類の当たり種別が決定される。よって、第１図柄表示装置３７に表示される停止図柄に対応した表示態様は、高確率状態と低確率状態との２種類の大当たりに対応した表示態様と、はずれに対応した１種類の表示態様との合計３種類の表示態様のうち、いずれか１つが選択される。
【０１７７】
停止パターン選択カウンタＣ３は、例えば０〜２３８の範囲内で順に１ずつ加算され、最大値（つまり２３８）に達した後０に戻る構成となっている。本実施の形態では、停止パターン選択カウンタＣ３によって、第３図柄表示装置８１で表示される演出のパターンが選択され、リーチが発生した後、最終停止図柄がリーチ図柄の前後に１つだけずれて停止する「前後外れリーチ」（例えば０〜８の範囲）と、同じくリーチ発生した後、最終停止図柄がリーチ図柄の前後以外で停止する「前後外れ以外リーチ」（例えば９〜３８の範囲）と、リーチ発生しない「完全外れ」（例えば３９〜２３８の範囲）との３つの停止（演出）パターンが選択される。停止パターン選択カウンタＣ３の値は、例えば定期的に（本実施の形態ではタイマ割込処理毎に１回）更新され、球が第１入球口６４に入賞したタイミングでＲＡＭ２０３の保留球格納エリアに格納される。
【０１７８】
また、停止パターン選択カウンタＣ３には、停止パターンの選択される乱数値の範囲が異なる複数のテーブルが設けられている。これは、現在のパチンコ機１０の状態が高確率状態であるか低確率状態であるか、保留球格納エリアのどのエリアに各乱数値が格納されているか（即ち保留個数）等に応じて、停止パターンの選択比率を変更するためである。
【０１７９】
例えば、高確率状態では、大当たりが発生し易いため必要以上にリーチ演出が選択されないように、「完全外れ」の停止パターンに対応した乱数値の範囲が１０〜２３８と広いテーブルが選択され、「完全外れ」が選択され易くなる。このテーブルは、「前後外れリーチ」が０〜５と狭くなると共に「前後外れ以外リーチ」も６〜９と狭くなり、「前後外れリーチ」や「前後外れ以外リーチ」が選択され難くなる。また、低確率状態で保留球格納エリアに各乱数値が格納されていなければ、第１入球口６４への球の入球時間を確保するために「完全外れ」の停止パターンに対応した乱数値の範囲が５１〜２３８と狭いテーブルが選択され、「完全外れ」が選択され難くなる。このテーブルは、「前後外れ以外リーチ」の停止パターンに対応した乱数値の範囲が９〜５０と広くなり、「前後外れ以外リーチ」が選択され易くなっている。よって、低確率状態では、第１入球口６４への球の入球時間を確保できるので、第３図柄表示装置８１による変動表示が継続して行われ易くなる。
【０１８０】
２つの変動種別カウンタＣＳ１，ＣＳ２のうち、一方の変動種別カウンタＣＳ１は、例えば０〜１９８の範囲内で順に１ずつ加算され、最大値（つまり１９８）に達した後０に戻る構成となっており、他方の変動種別カウンタＣＳ２は、例えば０〜２４０の範囲内で順に１ずつ加算され、最大値（つまり２４０）に達した後０に戻る構成となっている。以下の説明では、ＣＳ１を「第１変動種別カウンタ」、ＣＳ２を「第２変動種別カウンタ」ともいう。
【０１８１】
第１変動種別カウンタＣＳ１によって、いわゆるノーマルリーチ、スーパーリーチ、プレミアムリーチ等の大まかな表示態様が決定される。表示態様の決定は、具体的には、図柄変動の変動時間の決定である。また、第２変動種別カウンタＣＳ２によって、リーチ発生後に最終停止図柄（本実施の形態では中図柄）が停止するまでの変動時間（言い換えれば、変動図柄数）が決定される。変動種別カウンタＣＳ１，ＣＳ２により決定された変動時間に基づいて、表示制御装置１１４により第３表示装置８１で表示される第３図柄のリーチ種別や細かな図柄変動態様が決定される。従って、これらの変動種別カウンタＣＳ１，ＣＳ２を組み合わせることで、変動パターンの多種多様化を容易に実現できる。また、第１変動種別カウンタＣＳ１だけで図柄変動態様を決定したり、第１変動種別カウンタＣＳ１と停止図柄との組み合わせで同じく図柄変動態様を決定したりすることも可能である。変動種別カウンタＣＳ１，ＣＳ２の値は、後述するメイン処理（図１２参照）が１回実行される毎に１回更新され、当該メイン処理内の残余時間内でも繰り返し更新される。
【０１８２】
変動種別カウンタＣＳ３の値は、例えば、０〜１６２の範囲内で順に１ずつ加算され、最大値（つまり１６２）に達した後に０に戻る構成となっている。以下の説明では、ＣＳ３を「第３変動種別カウンタ」ともいう。本実施の形態の第３図柄表示装置８１は、第１図柄表示装置３７の表示態様に応じた装飾的な演出を行うものであり、図柄の変動以外に、変動している図柄を滑らせたり、リーチ演出の発生を予告するための予告キャラクタを通過させるなどの予告演出が行われる。その予告演出の演出パターンが変動種別カウンタＣＳ３により選択される。具体的には、予告演出に必要となる時間を変動時間に加算したり、反対に変動表示される時間を短縮するために変動時間を減算したり、変動時間を加減算しない演出パターンが選択される。なお、変動種別カウンタＣＳ３は、停止パターン選択カウンタＣ３と同様に、演出パターンが選択される乱数値の範囲が異なる複数のテーブルが設けられ、現在のパチンコ機１０の状態が高確率状態であるか低確率状態であるか、保留球格納エリアのどのエリアに各乱数値が格納されているか等に応じて、各演出パターンの選択比率が異なるよう構成されている。
【０１８３】
上述したように、変動種別カウンタＣＳ１，ＣＳ２により図柄変動の変動時間が決定されると共に、変動種別カウンタＣＳ３により変動時間に加減算される時間が決定される。よって、最終停止図柄が停止するまでの最終的な変動時間は、変動種別カウンタＣＳ１，ＣＳ２，ＣＳ３により決定される。
【０１８４】
第２当たり乱数カウンタＣ４は、例えば０〜２５０の範囲内で順に１ずつ加算され、最大値（つまり２５０）に達した後０に戻るループカウンタとして構成されている。第２当たり乱数カウンタＣ４の値は、本実施の形態ではタイマ割込処理毎に、例えば定期的に更新され、球が左右何れかの第２入球口（スルーゲート）６７を通過したことが検知された時に取得される。当選することとなる乱数の値の数は１４９あり、その範囲は「５〜１５３」となっている。なお、第２初期値乱数カウンタＣＩＮＩ２は、第２当たり乱数カウンタＣ４と同一範囲で更新されるループカウンタとして構成され（値＝０〜２５０）、タイマ割込処理（図１５参照）毎に１回更新されると共に、メイン処理（図１２参照）の残余時間内で繰り返し更新される。
【０１８５】
次に、図１１から図１７のフローチャートを参照して、主制御装置１１０内のＭＰＵ２０１により実行される各制御処理を説明する。かかるＭＰＵ２０１の処理としては大別して、電源投入に伴い起動される立ち上げ処理と、その立ち上げ処理後に実行されるメイン処理と、定期的に（本実施の形態では２ｍｓ周期で）起動されるタイマ割込処理と、ＮＭＩ端子への停電信号ＳＧ１の入力により起動されるＮＭＩ割込処理とがあり、説明の便宜上、はじめにタイマ割込処理とＮＭＩ割込処理とを説明し、その後立ち上げ処理とメイン処理とを説明する。
【０１８６】
図１５は、タイマ割込処理を示すフローチャートである。タイマ割込処理は、主制御装置１１０のＭＰＵ２０１により例えば２ｍｓ毎に実行される。タイマ割込処理では、まず各種入賞スイッチの読み込み処理を実行する（Ｓ５０１）。即ち、主制御装置１１０に接続されている各種スイッチの状態を読み込むと共に、当該スイッチの状態を判定して検出情報（入賞検知情報）を保存する。
【０１８７】
次に、第１初期値乱数カウンタＣＩＮＩ１と第２初期値乱数カウンタＣＩＮＩ２の更新を実行する（Ｓ５０２）。具体的には、第１初期値乱数カウンタＣＩＮＩ１を１加算すると共に、そのカウンタ値が最大値（本実施の形態では７３８）に達した際、０にクリアする。そして、第１初期値乱数カウンタＣＩＮＩ１の更新値を、ＲＡＭ２０３の該当するバッファ領域に格納する。同様に、第２初期値乱数カウンタＣＩＮＩ２を１加算すると共に、そのカウンタ値が最大値（本実施の形態では２５０）に達した際、０にクリアし、その第２初期値乱数カウンタＣＩＮＩ２の更新値をＲＡＭ２０３の該当するバッファ領域に格納する。
【０１８８】
更に、第１当たり乱数カウンタＣ１、第１当たり種別カウンタＣ２、停止パターン選択カウンタＣ３及び第２当たり乱数カウンタＣ４の更新を実行する（Ｓ５０３）。具体的には、第１当たり乱数カウンタＣ１、第１当たり種別カウンタＣ２、停止パターン選択カウンタＣ３及び第２当たり乱数カウンタＣ４をそれぞれ１加算すると共に、それらのカウンタ値が最大値（本実施の形態ではそれぞれ、７３８，４，２３８，２５０）に達した際、それぞれ０にクリアする。そして、各カウンタＣ１〜Ｃ４の更新値を、ＲＡＭ２０３の該当するバッファ領域に格納する。
【０１８９】
その後は、第１入球口６４への入賞に伴う始動入賞処理（図１６参照）を実行し（Ｓ５０４）、発射制御処理を実行して（Ｓ５０５）、タイマ割込処理を終了する。なお、発射制御処理は、遊技者が操作ハンドル５１に触れていることをタッチセンサ５１ａにより検出し、発射を停止させるための打ち止めスイッチ５１ｂが操作されていないことを条件に、球の発射のオン／オフを決定する処理である。主制御装置１１０は、球の発射がオンである場合に、発射制御装置１１２に対して球の発射指示をする。
【０１９０】
ここで、図１６のフローチャートを参照して、Ｓ５０４の処理で実行される始動入賞処理を説明する。図１６は、タイマ割込処理（図１５参照）の中で実行される始動入賞処理（Ｓ５０４）を示すフローチャートである。
【０１９１】
この始動入賞処理が実行されると、まず、球が第１入球口６４に入賞（始動入賞）したか否かを判別する（Ｓ６０１）。球が第１入球口６４に入賞したと判別されると（Ｓ６０１：Ｙｅｓ）、第１図柄表示装置３７の作動保留球数Ｎが上限値（本実施の形態では４）未満であるか否かを判別する（Ｓ６０２）。第１入球口６４への入賞があり、且つ作動保留球数Ｎ＜４であれば（Ｓ６０２：Ｙｅｓ）、作動保留球数Ｎを１加算し（Ｓ６０３）、更に、前記ステップＳ５０３で更新した第１当たり乱数カウンタＣ１、第１当たり種別カウンタＣ２及び停止パターン選択カウンタＣ３の各値を、ＲＡＭ２０３の保留球格納エリアの空き保留エリアのうち最初のエリアに格納する（Ｓ６０４）。一方、第１入球口６４への入賞がないか（Ｓ６０１：Ｎｏ）、或いは、第１入球口６４への入賞があっても作動保留球数Ｎ＜４でなければ（Ｓ６０２：Ｎｏ）、Ｓ６０３及びＳ６０４の各処理をスキップし、始動入賞処理を終了してタイマ割込処理へ戻る。
【０１９２】
図１７は、ＮＭＩ割込処理を示すフローチャートである。ＮＭＩ割込処理は、停電の発生等によるパチンコ機１０の電源遮断時に、主制御装置１１０のＭＰＵ２０１により実行される処理である。このＮＭＩ割込処理により、電源断の発生情報がＲＡＭ２０３に記憶される。即ち、停電の発生等によりパチンコ機１０の電源が遮断されると、停電信号ＳＧ１が停電監視回路２５２から主制御装置１１０内のＭＰＵ２０１のＮＭＩ端子に出力される。すると、ＭＰＵ２０１は、実行中の制御を中断してＮＭＩ割込処理を開始し、電源断の発生情報の設定として、電源断の発生情報をＲＡＭ２０３に記憶し（Ｓ７０１）、ＮＭＩ割込処理を終了する。
【０１９３】
なお、上記のＮＭＩ割込処理は、払出発射制御装置１１１でも同様に実行され、かかるＮＭＩ割込処理により、電源断の発生情報がＲＡＭ２１３に記憶される。即ち、停電の発生等によりパチンコ機１０の電源が遮断されると、停電信号ＳＧ１が停電監視回路２５２から払出発射制御装置１１１内のＭＰＵ２１１のＮＭＩ端子に出力され、ＭＰＵ２１１は実行中の制御を中断して、ＮＭＩ割込処理を開始するのである。
【０１９４】
次に、図１１を参照して、主制御装置１１０に電源が投入された場合の立ち上げ処理について説明する。図１１は、主制御装置１１０内のＭＰＵ２０１により実行される立ち上げ処理を示すフローチャートである。この立ち上げ処理は電源投入時のリセットにより起動される。立ち上げ処理では、まず、電源投入に伴う初期設定処理を実行する（Ｓ１０１）。具体的には、スタックポインタに予め決められた所定値を設定すると共に、サブ側の制御装置（音声ランプ制御装置１１３、払出制御装置１１１等の周辺制御装置）が動作可能な状態になるのを待つために、ウェイト処理（本実施の形態では１秒）を実行する。次いで、ＲＡＭ２０３のアクセスを許可する（Ｓ１０３）。
【０１９５】
その後は、電源装置１１５に設けたＲＡＭ消去スイッチ１２２（図３参照）がオンされているか否かを判別し（Ｓ１０４）、オンされていれば（Ｓ１０４：Ｙｅｓ）、処理をＳ１１０へ移行する。一方、ＲＡＭ消去スイッチ１２２がオンされていなければ（Ｓ１０４：Ｎｏ）、更にＲＡＭ２０３に電源断の発生情報が記憶されているか否かを判別し（Ｓ１０５）、記憶されていなければ（Ｓ１０５：Ｎｏ）、前回の電源遮断時の処理が正常に終了しなかった可能性があるので、この場合も、処理をＳ１１０へ移行する。
【０１９６】
ＲＡＭ２０３に電源断の発生情報が記憶されていれば（Ｓ１０５：Ｙｅｓ）、ＲＡＭ判定値を算出し（Ｓ１０６）、算出したＲＡＭ判定値が正常でなければ（Ｓ１０７：Ｎｏ）、即ち、算出したＲＡＭ判定値が電源遮断時に保存したＲＡＭ判定値と一致しなければ、バックアップされたデータは破壊されているので、かかる場合にも処理をＳ１１０へ移行する。なお、図１２のＳ２１３の処理で後述する通り、ＲＡＭ判定値は、例えばＲＡＭ２０３の作業領域アドレスにおけるチェックサム値である。このＲＡＭ判定値に代えて、ＲＡＭ２０３の所定のエリアに書き込まれたキーワードが正しく保存されているか否かによりバックアップの有効性を判断するようにしても良い。
【０１９７】
Ｓ１１１の処理では、サブ側の制御装置（周辺制御装置）となる払出制御装置１１１を初期化するために払出初期化コマンドを送信する（Ｓ１１１）。払出制御装置１１１は、この払出初期化コマンドを受信すると、ＲＡＭ２１３のスタックエリア以外のエリア（作業領域）をクリアし、初期値を設定して、遊技球の払い出し制御を開始可能な状態となる。主制御装置１１０は、払出初期化コマンドの送信後は、ＲＡＭ２０３の初期化処理（Ｓ１１２、Ｓ１１３）を実行する。
【０１９８】
上述したように、本パチンコ機１０では、例えばホールの営業開始時など、電源投入時にＲＡＭデータを初期化する場合にはＲＡＭ消去スイッチ１２２を押しながら電源が投入される。従って、立ち上げ処理の実行時にＲＡＭ消去スイッチ１２２が押されていれば、ＲＡＭの初期化処理（Ｓ１１２、Ｓ１１３）を実行する。また、電源断の発生情報が設定されていない場合や、ＲＡＭ判定値（チェックサム値等）によりバックアップの異常が確認された場合も同様に、ＲＡＭ２０３の初期化処理（Ｓ１１２、Ｓ１１３）を実行する。ＲＡＭの初期化処理（Ｓ１１２、Ｓ１１３）では、ＲＡＭ２０３の使用領域を０クリアし（Ｓ１１２）、その後、ＲＡＭ２０３の初期値を設定する（Ｓ１１３）。ＲＡＭ２０３の初期化処理の実行後は、Ｓ１１０の処理へ移行する。
【０１９９】
一方、ＲＡＭ消去スイッチ１２２がオンされておらず（Ｓ１０４：Ｎｏ）、電源断の発生情報が記憶されており（Ｓ１０５：Ｙｅｓ）、更にＲＡＭ判定値（チェックサム値等）が正常であれば（Ｓ１０７：Ｙｅｓ）、ＲＡＭ２０３にバックアップされたデータを保持したまま、電源断の発生情報をクリアする（Ｓ１０８）。次に、サブ側の制御装置（周辺制御装置）を駆動電源遮断時の遊技状態に復帰させるための復電時の払出復帰コマンドを送信し（Ｓ１０９）、Ｓ１１０の処理へ移行する。払出制御装置１１１は、この払出復帰コマンドを受信すると、ＲＡＭ２１３に記憶されたデータを保持したまま、遊技球の払い出し制御を開始可能な状態となる。Ｓ１１０の処理では、割込みを許可して、後述するメイン処理に移行する。
【０２００】
次に、図１２を参照して、上記した立ち上げ処理後に実行されるメイン処理について説明する。図１２は、主制御装置１１０内のＭＰＵ２０１により実行されるメイン処理を示すフローチャートである。このメイン処理では遊技の主要な処理が実行される。その概要として、４ｍｓ周期の定期処理としてＳ２０１〜Ｓ２０６の各処理が実行され、その残余時間でＳ２０９，Ｓ２１０のカウンタ更新処理が実行される構成となっている。
【０２０１】
メイン処理においては、まず、前回の処理で更新されたコマンド等の出力データをサブ側の各制御装置（周辺制御装置）に送信する（Ｓ２０１）。具体的には、Ｓ５０１のスイッチ読み込み処理で検出した入賞検知情報の有無を判別し、入賞検知情報があれば払出制御装置１１１に対して獲得球数に対応する賞球コマンドを送信する。また、この外部出力処理により、第３図柄表示装置８１による第３図柄の変動表示に必要な変動パターンコマンド、停止図柄コマンド、停止コマンド、演出時間加算コマンド等を音声ランプ制御装置１１３に送信する。さらに、球の発射を行う場合には、発射制御装置１１２へ球発射信号を送信する。
【０２０２】
次に、変動種別カウンタＣＳ１，ＣＳ２，ＣＳ３の各値を更新する（Ｓ２０２）。具体的には、変動種別カウンタＣＳ１，ＣＳ２，ＣＳ３を１加算すると共に、それらのカウンタ値が最大値（本実施の形態では１９８，２４０，１６２）に達した際、それぞれ０にクリアする。そして、変動種別カウンタＣＳ１，ＣＳ２，ＣＳ３の更新値を、ＲＡＭ２０３の該当するバッファ領域に格納する。
【０２０３】
変動種別カウンタＣＳ１，ＣＳ２，ＣＳ３の更新が終わると、払出制御装置１１１より受信した賞球計数信号や払出異常信号を読み込み（Ｓ２０３）、第１図柄表示装置３７による表示を行うための処理や第３図柄表示装置８１による第３図柄の変動パターンなどを設定する変動処理を実行する（Ｓ２０４）。なお、変動処理の詳細は図１３を参照して後述する。
【０２０４】
変動処理の終了後は、大当たり状態である場合において可変入賞装置６５の特定入賞口（大開放口）６５ａを開放又は閉鎖するための大開放口開閉処理を実行する（Ｓ２０５）。即ち、大当たり状態のラウンド毎に特定入賞口６５ａを開放し、特定入賞口６５ａの最大開放時間が経過したか、又は特定入賞口６５ａに球が規定数入賞したかを判定する。そして、これら何れかの条件が成立すると特定入賞口６５ａを閉鎖する。この特定入賞口６５ａの開放と閉鎖とを所定ラウンド数繰り返し実行する。
【０２０５】
次に、第２図柄表示装置８２による第２図柄（例えば「○」又は「×」の図柄）の表示制御処理を実行する（Ｓ２０６）。簡単に説明すると、球が第２入球口（スルーゲート）６７を通過したことを条件に、その通過したタイミングで第２当たり乱数カウンタＣ４の値が取得されると共に、第２図柄表示装置８２の表示部８３にて第２図柄の変動表示が実施される。そして、第２当たり乱数カウンタＣ４の値により第２図柄の抽選が実施され、第２図柄の当たり状態になると、第１入球口６４に付随する電動役物が所定時間開放される。
【０２０６】
その後は、ＲＡＭ２０３に電源断の発生情報が記憶されているか否かを判別し（Ｓ２０７）、ＲＡＭ２０３に電源断の発生情報が記憶されていなければ（Ｓ２０７：Ｎｏ）、停電監視回路２５２から停電信号ＳＧ１は出力されておらず、電源は遮断されていない。よって、かかる場合には、次のメイン処理の実行タイミングに至ったか否か、即ち前回のメイン処理の開始から所定時間（本実施の形態では４ｍｓ）が経過したか否かを判別し（Ｓ２０８）、既に所定時間が経過していれば（Ｓ２０８：Ｙｅｓ）、処理をＳ２０１へ移行し、上述したＳ２０１以降の各処理を繰り返し実行する。
【０２０７】
一方、前回のメイン処理の開始から未だ所定時間が経過していなければ（Ｓ２０８：Ｎｏ）、所定時間に至るまで間、即ち、次のメイン処理の実行タイミングに至るまでの残余時間内において、第１初期値乱数カウンタＣＩＮＩ１、第２初期値乱数カウンタＣＩＮＩ２及び変動種別カウンタＣＳ１，ＣＳ２，ＣＳ３の更新を繰り返し実行する（Ｓ２０９，Ｓ２１０）。
【０２０８】
まず、第１初期値乱数カウンタＣＩＮＩ１と第２初期値乱数カウンタＣＩＮＩ２との更新を実行する（Ｓ２０９）。具体的には、第１初期値乱数カウンタＣＩＮＩ１と第２初期値乱数カウンタＣＩＮＩ２を１加算すると共に、そのカウンタ値が最大値（本実施の形態では７３８、２５０）に達した際、０にクリアする。そして、第１初期値乱数カウンタＣＩＮＩ１と第２初期値乱数カウンタＣＩＮＩ２の更新値を、ＲＡＭ２０３の該当するバッファ領域にそれぞれ格納する。
【０２０９】
次に、変動種別カウンタＣＳ１，ＣＳ２，ＣＳ３の更新を実行する（Ｓ２１０）。具体的には、変動種別カウンタＣＳ１，ＣＳ２，ＣＳ３を１加算すると共に、それらのカウンタ値が最大値（本実施の形態では１９８，２４０，１６２）に達した際、それぞれ０にクリアする。そして、変動種別カウンタＣＳ１，ＣＳ２，ＣＳ３の更新値を、ＲＡＭ２０３の該当するバッファ領域にそれぞれ格納する。
【０２１０】
ここで、Ｓ２０１〜Ｓ２０６の各処理の実行時間は遊技の状態に応じて変化するため、次のメイン処理の実行タイミングに至るまでの残余時間は一定でなく変動する。故に、かかる残余時間を使用して第１初期値乱数カウンタＣＩＮＩ１と第２初期値乱数カウンタＣＩＮＩ２の更新を繰り返し実行することにより、第１初期値乱数カウンタＣＩＮＩ１と第２初期値乱数カウンタＣＩＮＩ２（即ち、第１当たり乱数カウンタＣ１の初期値、第２当たり乱数カウンタＣ４の初期値）をランダムに更新することができ、同様に変動種別カウンタＣＳ１，ＣＳ２，ＣＳ３についてもランダムに更新することができる。
【０２１１】
また、Ｓ２０７の処理において、ＲＡＭ２０３に電源断の発生情報が記憶されていれば（Ｓ２０７：Ｙｅｓ）、停電の発生または電源のオフにより電源が遮断され、停電監視回路２５２から停電信号ＳＧ１が出力された結果、図１７のＮＭＩ割込処理が実行されたということなので、Ｓ２１１以降の電源遮断時の処理が実行される。まず、各割込処理の発生を禁止し（Ｓ２１１）、電源が遮断されたことを示す電源遮断通知コマンドを他の制御装置（払出制御装置１１１や音声ランプ制御装置１１３等の周辺制御装置）に対して送信する（Ｓ２１２）。そして、ＲＡＭ判定値を算出して、その値を保存し（Ｓ２１３）、ＲＡＭ２０３のアクセスを禁止して（Ｓ２１４）、電源が完全に遮断して処理が実行できなくなるまで無限ループを継続する。ここで、ＲＡＭ判定値は、例えば、ＲＡＭ２０３のバックアップされるスタックエリア及び作業エリアにおけるチェックサム値である。
【０２１２】
なお、Ｓ２０７の処理は、Ｓ２０１〜Ｓ２０６で行われる遊技の状態変化に対応した一連の処理の終了時、又は、残余時間内に行われるＳ２０９とＳ２１０の処理の１サイクルの終了時となるタイミングで実行されている。よって、主制御装置１１０のメイン処理において、各設定が終わったタイミングで電源断の発生情報を確認しているので、電源遮断の状態から復帰する場合には、立ち上げ処理の終了後、処理をＳ２０１の処理から開始することができる。即ち、立ち上げ処理において初期化された場合と同様に、処理をＳ２０１の処理から開始することができる。よって、電源遮断時の処理において、ＭＰＵ２０１が使用している各レジスタの内容をスタックエリアへ退避したり、スタックポインタの値を保存しなくても、初期設定の処理（Ｓ１０１）において、スタックポインタが所定値（初期値）に設定されることで、Ｓ２０１の処理から開始することができる。従って、主制御装置１１０の制御負担を軽減することができると共に、主制御装置１１０が誤動作したり暴走することなく正確な制御を行うことができる。
【０２１３】
次に、図１３を参照して、変動処理（Ｓ２０４）について説明する。図１３は、メイン処理（図１２参照）の中で実行される変動処理（Ｓ２０４）を示すフローチャートである。この変動処理では、まず、今現在大当たり中であるか否かを判別する（Ｓ３０１）。大当たり中としては、大当たりの際に第３図柄表示装置８１及び第１図柄表示装置３７で表示される大当たり遊技の最中と大当たり遊技終了後の所定時間の最中とが含まれる。判別の結果、大当たり中であれば（Ｓ３０１：Ｙｅｓ）、そのまま本処理を終了する。
【０２１４】
大当たり中でなければ（Ｓ３０１：Ｎｏ）、第１図柄表示装置３７の表示態様が変動中であるか否かを判別し（Ｓ３０２）、第１図柄表示装置３７の表示態様が変動中でなければ（Ｓ３０２：Ｎｏ）、作動保留球数Ｎが０よりも大きいか否かを判別する（Ｓ３０３）。作動保留球数Ｎが０であれば（Ｓ３０３：Ｎｏ）、そのまま本処理を終了する。作動保留球数Ｎ＞０であれば（Ｓ３０３：Ｙｅｓ）、作動保留球数Ｎを１減算し（Ｓ３０４）、保留球格納エリアに格納されたデータをシフト処理する（Ｓ３０５）。このデータシフト処理は、保留球格納エリアの保留第１〜第４エリアに格納されているデータを実行エリア側に順にシフトさせる処理であって、保留第１エリア→実行エリア、保留第２エリア→保留第１エリア、保留第３エリア→保留第２エリア、保留第４エリア→保留第３エリアといった具合に各エリア内のデータがシフトされる。データシフト処理の後は、第１図柄表示装置３７の変動開始処理を実行する（Ｓ３０６）。なお、変動開始処理については、図１４を参照して後述する。
【０２１５】
Ｓ３０２の処理において、第１図柄表示装置３７の表示態様が変動中であると判別されると（Ｓ３０２：Ｙｅｓ）、変動時間が経過したか否かを判別する（Ｓ３０７）。第１図柄表示装置３７の変動中の表示時間は、変動種別カウンタＣＳ１，ＣＳ２により選択された変動パターンと変動種別カウンタＣＳ３により選択された加算時間とに応じて決められており、この変動時間が経過していなければ（Ｓ３０７：Ｎｏ）、第１図柄表示装置３７の表示を更新する（Ｓ３０８）。
【０２１６】
本実施の形態では、第１図柄表示装置３７のＬＥＤ３７ａの内、変動が開始されてから変動時間が経過するまでは、例えば、現在点灯しているＬＥＤが赤であれば、その赤のＬＥＤを消灯すると共に緑のＬＥＤを点灯させ、緑のＬＥＤが点灯していれば、その緑のＬＥＤを消灯すると共に青のＬＥＤを点灯させ、青のＬＥＤが点灯していれば、その青のＬＥＤを消灯すると共に赤のＬＥＤを点灯させる表示態様が設定される。
【０２１７】
なお、変動処理は４ｍｓ毎に実行されるが、その変動処理の実行毎にＬＥＤの点灯色を変更すると、ＬＥＤの点灯色の変化を遊技者が確認することができない。そこで、遊技者がＬＥＤの点灯色の変化を確認することができるように、変動処理が実行される毎にカウンタ（図示せず）を１カウントし、そのカウンタが１００に達した場合に、ＬＥＤの点灯色の変更を行う。即ち、０．４ｓ毎にＬＥＤの点灯色の変更を行っている。なお、カウンタの値は、ＬＥＤの点灯色が変更されたら、０にリセットされる。
【０２１８】
一方、第１図柄表示装置３７の変動時間が経過していれば（Ｓ３０７：Ｙｅｓ）、第１図柄表示装置３７の停止図柄に対応した表示態様が設定される（Ｓ３０９）。停止図柄の設定は、第１当たり乱数カウンタＣ１の値に応じて大当たりか否かが決定されると共に、大当たりである場合には第１当たり種別カウンタＣ２の値により大当たり後に高確率状態となる図柄か低確率状態となる図柄かが決定される。本実施の形態では、大当たり後に高確率状態になる場合には赤色のＬＥＤを点灯させ、低確率状態になる場合には緑色のＬＥＤを点灯させ、外れである場合には青色のＬＥＤを点灯させる。なお、各ＬＥＤの表示は、次の変動表示が開始される場合に点灯が解除されるが、変動の停止後数秒間のみ点灯させるものとしても良い。
【０２１９】
Ｓ３０９の処理で停止図柄に対応した第１図柄表示装置３７の表示態様が設定されると、第３図柄表示装置８１の変動停止を第１図柄表示装置３７におけるＬＥＤの点灯と同調させるために停止コマンドが設定される（Ｓ３１０）。音声ランプ制御装置１１３は、この停止コマンドを受信すると、表示制御装置１１４に対して停止指示をする。第３図柄表示装置８１は、変動時間が経過すると変動が停止し、停止コマンドを受信することで、第３図柄表示装置８１における１の変動演出が終了する。
【０２２０】
次に、図１４を参照して、変動開始処理について説明する。図１４は、変動処理（図１３参照）の中で実行される変動開始処理（Ｓ３０６）を示したフローチャートである。変動開始処理（Ｓ３０６）では、まず、保留球格納エリアの実行エリアに格納されている第１当たり乱数カウンタＣ１の値に基づいて大当たりか否かを判別する（Ｓ４０１）。大当たりか否かは第１当たり乱数カウンタＣ１の値とその時々のモードとの関係に基づいて判別される。上述した通り通常の低確率時には第１当たり乱数カウンタＣ１の数値０〜７３８のうち「３７３，７２７」が当たり値であり、高確率時には「５９，１０９，１６３，２１１，２６３，３１７，３６７，４２１，４７９，５２３，６３１，６８３，７３３」が当たり値である。
【０２２１】
大当たりであると判別された場合（Ｓ４０１：Ｙｅｓ）、保留球格納エリアの実行エリアに格納されている第１当たり種別カウンタＣ２の値を確認して、大当たり時の表示態様が設定される（Ｓ４０２）。Ｓ４０２の処理では、第１当たり種別カウンタＣ２の値に基づき、大当たり後に高確率状態へ移行するか低確率状態へ移行するかが設定される。大当たり後の移行状態が設定されると、第１図柄表示装置３７の表示態様（ＬＥＤ３７ａの点灯状態）が設定される。また、大当たり後の移行状態に基づいて、第３図柄表示装置８１で停止表示される大当たりの停止図柄が音声ランプ制御装置１１３及び表示制御装置１１４で設定される。即ち、Ｓ４０２の処理により大当たり後の移行状態を設定することで、第３図柄表示装置８１における停止図柄が設定される。なお、第１当たり種別カウンタＣ２の数値０〜４のうち、「０，４」の場合は、以後、低確率状態に移行し、「１，２，３」の場合は高確率状態に移行する。
【０２２２】
次に、大当たり時の変動パターンを決定する（Ｓ４０３）。Ｓ４０３の処理で変動パターンが設定されると、第１図柄表示装置３７の表示時間が設定されると共に、第３図柄表示装置８１において大当たり図柄で停止するまでの第３図柄の変動時間が決定される。このとき、ＲＡＭ２０３のカウンタ用バッファに格納されている変動種別カウンタＣＳ１，ＣＳ２の値を確認し、第１変動種別カウンタＣＳ１の値に基づいてノーマルリーチ、スーパーリーチ、プレミアムリーチ等の大まかな図柄変動の変動時間を決定すると共に、第２変動種別カウンタＣＳ２の値に基づいてリーチ発生後に最終停止図柄（本実施の形態では中図柄Ｚ２）が停止するまでの変動時間（言い換えれば、変動図柄数）を決定する。
【０２２３】
なお、第１変動種別カウンタＣＳ１の数値と変動時間との関係、第２変動種別カウンタＣＳ２の数値と変動時間との関係は、それぞれにテーブル等により予め規定されている。但し、上記変動時間は、第２変動種別カウンタＣＳ２の値を使わずに第１変動種別カウンタＣＳ１の値だけを用いて設定することも可能であり、第１変動種別カウンタＣＳ１の値だけで設定するか又は両変動種別カウンタＣＳ１，ＣＳ２の両値で設定するかは、その都度の第１変動種別カウンタＣＳ１の値や遊技条件などに応じて適宜決められる。
【０２２４】
Ｓ４０１の処理で大当たりではないと判別された場合には（Ｓ４０１：Ｎｏ）、外れ時の表示態様が設定される（Ｓ４０４）。Ｓ４０４の処理では、第１図柄表示装置３７の表示態様を外れ図柄に対応した表示態様に設定すると共に、保留球格納エリアの実行エリアに格納されている停止パターン選択カウンタＣ３の値に基づいて、第３図柄表示装置８１において表示させる演出を、前後外れリーチであるか、前後外れ以外リーチであるか、完全外れであるかを設定する。本実施の形態では、上述したように、高確率状態であるか、低確率状態であるか、及び作動保留個数Ｎに応じて、停止パターン選択カウンタＣ３の各停止パターンに対応する値の範囲が異なるようテーブルが設定されている。
【０２２５】
次に、外れ時の変動パターンが決定され（Ｓ４０５）、第１図柄表示装置３７の表示時間が設定されると共に、第３図柄表示装置８１において外れ図柄で停止するまでの第３図柄の変動時間が決定される。このとき、Ｓ４０３の処理と同様に、ＲＡＭ２０３のカウンタ用バッファに格納されている変動種別カウンタＣＳ１，ＣＳ２の値を確認し、第１変動種別カウンタＣＳ１の値に基づいてノーマルリーチ、スーパーリーチ、プレミアムリーチ等の大まかな図柄変動の変動時間を決定すると共に、第２変動種別カウンタＣＳ２の値に基づいてリーチ発生後に最終停止図柄（本実施の形態では中図柄Ｚ２）が停止するまでの変動時間（言い換えれば、変動図柄数）を決定する。
【０２２６】
Ｓ４０３の処理またはＳ４０５の処理が終わると、第１及び第２種別カウンタＣＳ１，ＣＳ２により決定された変動時間に加減算される演出時間が決定される（Ｓ４０６）。このとき、ＲＡＭ２０３のカウンタ用バッファに格納されている第３種別カウンタＣＳ３の値に基づいて演出時間の加減算が決定され、第１図柄表示装置３７の表示時間が設定されると共に、第３図柄表示装置８１の変動時間が設定される。本実施の形態では、演出時間の加減算の決定は、第３変動種別カウンタＣＳ３の値に応じて、変動表示の時間を変更しない場合と変動表示時間を１秒加算する場合、変動表示時間を２秒加算する場合、変動表示時間を１秒減算する場合との４種類の加算値が決定される。
【０２２７】
なお、変動表示時間が加減算される場合には、第３図柄表示装置８１で大当たりの期待値が高くなる予告演出（例えば、変動図柄の変動時間を通常より長くしてスベリを伴わせるスベリ演出や予告キャラを表示させる演出、１の変動図柄の変動時間を通常より短くして即停止させる演出など）が行われる。また、第１当たり乱数カウンタＣ１の値が大当たりである場合は、２秒の加算値が選択される確率が高く設定されているので、遊技者は予告演出を確認することで大当たりを期待することができる。
【０２２８】
次に、Ｓ４０３又はＳ４０５の処理で決定された変動パターン（変動時間）に応じて変動パターンコマンドを設定し（Ｓ４０７）、Ｓ４０２又はＳ４０４の処理で設定された停止図柄に応じて停止図柄コマンドを設定する（Ｓ４０８）。そして、Ｓ４０６の処理で決定された演出時間の加算値に応じて演出時間加算コマンドを設定して（Ｓ４０９）、変動処理へ戻る。
【０２２９】
以上、説明したように、パチンコ機１０によれば、内枠１２または前面枠１４が開放状態となって、スイッチＳＷ１またはスイッチＳＷ２が導通状態となると（図５（ｂ）参照）、枠開放検出回路２６０は、内枠１２または前面枠１４が開放状態となってから約１０ｍｓ経過するまで（約１０ｍｓの間）、外部出力端子板２６１の抵抗Ｒ７の一端へ電流を供給する。すると、外部出力端子板２６１に設けられたフォトカプラＰＲ１の一次側の発光ダイオードに抵抗Ｒ７を介して電流が供給され、発光ダイオードは約１０ｍｓの間、光を発する。そして、フォトカプラＰＲ１の二次側の受光素子（フォトトランジスタ）が発光ダイオードの光を受光すると、フォトカプラＰＲ１の二次側の受光素子（フォトトランジスタ）は、受光した約１０ｍｓの光をパルス幅が約１０ｍｓのパルス信号（電気信号）に変え、そのパルス信号をホールコンピュータ２６２へ出力する。出力されたパルス信号は、ホールコンピュータ２６２に記憶される。よって、枠開放検出回路２６０と外部出力端子板２６１とを用いることで、ホールコンピュータ２６２に、内枠１２の開放または前面枠１４の開放があったことを記憶させることができる。なお、ホールコンピュータ２６２は、２４時間動作させ続けている。よって、枠開放検出回路２６０は、パルス信号が外部出力端子板２６１から出力されたことと共に、そのパルス信号が出力された時刻、即ち、内枠１２の開放および前面枠１４の開放時刻もホールコンピュータ２６２に記憶させることができる。
【０２３０】
また、枠開放検出回路２６０には、０．１ＦのコンデンサＣＤ１が設けられているので、枠開放検出回路２６０は、パチンコ機１０への電源供給が行われ、直流電源ＤＣ１から１２ボルトの直流電圧が供給されている場合には当然に動作し、更に、例えば、遊技場の営業時間が終了してパチンコ機１０への電源供給が遮断され、直流電源ＤＣ１から１２ボルトの直流電圧が供給されていない場合であっても、内枠１２の開放および前面枠１４の開放を検出することができる。よって、例えば、遊技場の営業時間が終了してパチンコ機１０への電源供給が遮断されている場合であっても、外部出力端子板２６１からホールコンピュータ２６２へパルス幅約１０ｍｓのパルス信号を出力することができる。
【０２３１】
次に、図１８および図１９を参照して、第２実施形態のパチンコ機を説明する。第２実施形態のパチンコ機は、第１実施形態のパチンコ機１０の枠開放検出回路２６０を別の構成である枠開放検出回路２７０に変更したものである。第２実施形態の枠開放検出回路２７０は、第１実施形態の枠開放検出回路２６０に対して、回路構成を簡略化している。具体的には、第２実施形態の枠開放検出回路２７０は、第１実施形態の枠開放検出回路２６０から、タイマＩＣ１、抵抗Ｒ１〜Ｒ３、コンデンサＣＤ３〜ＣＤ５を取り除き、コンデンサＣＤ１を容量の異なるコンデンサＣＤ６に変更し、各部品の接続を変更して、回路構成を簡略化したものである。
【０２３２】
この第２実施形態の枠開放検出回路２７０によれば、内枠１２または前面枠１４の開放期間に応じて出力期間が変動するハイ信号をホールコンピュータ２６２へ出力することができるので、内枠１２または前面枠１４の開放を検出することができることに加え、内枠１２または前面枠１４の開放期間も検出することができる。
【０２３３】
図１８は、第２実施形態の枠開放検出回路２７０の電気的構成を示したブロック図である。なお、図７で上述した第１実施形態の枠開放検出回路２６０と同一の部分には同一の番号を付してその説明は省略し、異なる部分についてのみ説明する。
【０２３４】
コンデンサＣＤ６は、第１実施形態の枠開放検出回路２６０に用いられたコンデンサＣＤ１の容量を０．１Ｆ（ファラッド）から１Ｆ（ファラッド）に変更したものである。コンデンサＣＤ６は、第１実施形態の枠開放検出回路２６０のコンデンサＣＤ１と同じく充電池として機能する部品であり、コンデンサＣＤ６の一端はダイオードＤ１のカソードと接続され、コンデンサＣＤ６の他端はグランドされている。
【０２３５】
このコンデンサＣＤ６は、上述したコンデンサＣＤ１（図７参照）と同様、第２実施形態のパチンコ機への電源供給が行われ、直流電源ＤＣ１から１２ボルトの直流電圧が供給されている場合には、コンデンサＣＤ６の容量１Ｆと、コンデンサＣＤ６に印加された直流電圧（直流電源ＤＣ１から供給される１２ボルトからダイオードＤ１での電圧降下０．７ボルトを引いた約１１．３ボルト）との積により求まる電荷を蓄える。
【０２３６】
一方、例えば、遊技場の営業時間が終了して、第２実施形態のパチンコ機への電源供給が遮断され、直流電源ＤＣ１から１２ボルトの直流電圧が供給されていない場合には、コンデンサＣＤ６は、コンデンサＣＤ６に蓄えられた電荷に基づく直流電圧（約１１．３ボルト）を枠開放検出回路２７０および外部出力端子板２６１へ供給する。
【０２３７】
具体的には、コンデンサＣＤ６は容量が１Ｆ（ファラッド）であり、コンデンサＣＤ６に印加される電圧は約１１．３ボルトであるので、コンデンサＣＤ６に蓄えられる電荷は、コンデンサＣＤ６の容量とコンデンサＣＤ６の印加電圧の積から約１１．３Ｃ（クーロン）となる。このコンデンサＣＤ６に蓄えられる約１１．３Ｃの電荷は、外部出力端子板２６１からホールコンピュータ２６２へ出力されるハイ信号の出力期間にすると、約１０分間の量となる。よって、例えば、遊技場の営業時間が終了して、第２実施形態のパチンコ機への電源供給が遮断され、直流電源ＤＣ１から１２ボルトの直流電圧が供給されていない場合であっても、外部出力端子板２６１から出力されるハイ信号の総出力期間が約１０分間となるまでは、枠開放検出回路２７０は、内枠１２または前面枠１４の開放を検出することができる。また、枠開放検出回路２７０は、内枠１２または前面枠１４の開放期間も検出することができる。なお、内枠１２の開放または前面枠１４の開放の総出力期間が約１０分間に近くなると、コンデンサＣＤ６に蓄えられる電荷が少なくなり、コンデンサＣＤ６からフォトカプラＰＲ１へ供給される電流値が低下するが、ホールコンピュータ２６２のハイ信号の検出感度を上げることにより（ハイ信号の振幅に対する閾値を下げることにより）、ホールコンピュータ２６２にハイ信号を記憶させることができる。
【０２３８】
このように、第２実施形態のパチンコ機への電源供給が行われ、直流電源ＤＣ１から１２ボルトの直流電圧が供給されている場合には当然に動作し、更に、例えば、遊技場の営業時間が終了して、第２実施形態のパチンコ機への電源供給が遮断され、直流電源ＤＣ１から１２ボルトの直流電圧が供給されていない場合であっても、枠開放検出回路２７０には、１Ｆ（ファラッド）のコンデンサＣＤ６が設けられているので、枠開放検出回路２７０は、内枠１２の開放および前面枠１４の開放を検出することができる。なお、コンデンサＣＤ６の一端には、ダイオードＤ１のカソード端子が接続されており、このダイオードＤ１が電流の逆流防止機能を果たしているので、コンデンサＣＤ６から枠開放検出回路２７０および外部出力端子板２６１へ直流電圧（約１１．３ボルト）が供給されている場合でも、その直流電圧が直流電源ＤＣ１に印加されることはなく、直流電源ＤＣ１が損傷することはない。なお、本実施形態においては、直流電源ＤＣ１から１２ボルトの直流電圧が供給されていない場合に、枠開放検出回路２７０および外部出力端子板２６１へ直流電圧を供給する部品として、コンデンサＣＤ６を使用した。しかし、これに限られるものではなく、コンデンサＣＤ６を、より蓄電量の多い二次電池（充電池）や、充電の必要のない一次電池としても良い。
【０２３９】
コンデンサＣＤ６の一端は、スイッチＳＷ１およびスイッチＳＷ２の一端と接続されると共に、外部出力端子板２６１の抵抗Ｒ７の一端と接続されている。スイッチＳＷ１およびスイッチＳＷ２の他端には、抵抗Ｒ９の一端が接続されている。そして、抵抗Ｒ９の他端には、コンデンサＣＤ２の一端、抵抗Ｒ４の一端およびトランジスタＴＲ１の内部抵抗Ｒ５の一端が接続されている。
【０２４０】
この接続により、スイッチＳＷ１若しくはスイッチＳＷ２の一方（内枠１２若しくは前面枠１４の一方）、またはスイッチＳＷ１およびスイッチＳＷ２の両方が導通状態である（内枠１２および前面枠１４の両方が開放状態である）期間中、抵抗Ｒ４に直流電圧が供給されるので、トランジスタＴＲ１のコレクタ端子ｃとトランジスタＴＲ１のエミッタ端子ｅとの端子間が導通する。すると、この期間中、外部出力端子板２６１の抵抗Ｒ７を介してフォトカプラＰＲ１の一次側の発光ダイオードへ電流が供給される。これにより、スイッチＳＷ１若しくはスイッチＳＷ２の一方（内枠１２若しくは前面枠１４の一方）、またはスイッチＳＷ１およびスイッチＳＷ２の両方が導通状態である（内枠１２および前面枠１４の両方が開放状態である）期間中、フォトカプラＰＲ１の二次側の受光素子（フォトトランジスタ）からホールコンピュータ２６２へ、ハイ信号が出力される。従って、第２実施形態の枠開放検出回路２７０によれば、枠開放検出回路２７０には、１Ｆ（ファラッド）のコンデンサＣＤ６が設けられているので、第２実施形態のパチンコ機への電源供給が遮断され、直流電源ＤＣ１から１２ボルトの直流電圧が供給されていない場合であっても、内枠１２または前面枠１４の開放期間に応じて出力期間が変動するハイ信号を、外部出力端子板２６１からホールコンピュータ２６２へ出力することができる。よって、内枠１２または前面枠１４の開放を検出することができることに加え、内枠１２または前面枠１４の開放期間も検出することができる。なお、ホールコンピュータ２６２は、２４時間動作させ続けている。よって、枠開放検出回路２７０は、ハイ信号が外部出力端子板２６１から出力されたことと共に、そのハイ信号が出力された時刻、即ち、内枠１２の開放および前面枠１４の開放時刻もホールコンピュータ２６２に記憶させることができる。
【０２４１】
更に、例えば、遊技場の営業時間が終了してパチンコ機１０への電源供給が遮断され、枠開放検出回路２７０および外部出力端子板２６１へ直流電源ＤＣ１から１２ボルトの直流電圧が供給されない場合、即ち、枠開放検出回路２７０および外部出力端子板２６１へコンデンサＣＤ６から約１１．３ボルトの直流電圧が供給される場合に、コンデンサＣＤ６からフォトカプラＰＲ１へ供給される電流の供給期間を、内枠１２または前面枠１４が開放された期間に留めることができる。よって、内枠１２または前面枠１４の開放による電力消費を小さく抑えることができる。
【０２４２】
なお、例えば、遊技場の営業時間が終了してパチンコ機への電源供給が遮断され、枠開放検出回路２７０および外部出力端子板２６１へ、コンデンサＣＤ６から直流電圧が供給される場合に、内枠１２または前面枠１４の開放に伴うコンデンサＣＤ６からフォトカプラＰＲ１への電流の総供給期間を長くしたり、内枠１２または前面枠１４の開放を検出する回数を増やしたりする場合には、コンデンサＣＤ６の容量を増加させたり（例えば、コンデンサＣＤ６の容量を１０Ｆとする）、コンデンサＣＤ６を蓄電量の多い二次電池に変更すれば良い。
【０２４３】
次に、図１９を参照して、スイッチＳＷ１の状態（内枠１２の状態）とスイッチＳＷ２の状態（前面枠１４の状態）とに応じて変化する枠開放検出回路２７０のＡの電圧（図１８参照）と、外部出力端子板２６１の出力（ホールコンピュータ２６２の入力）との関係について説明する。図１９は、スイッチＳＷ１の状態（内枠１２の状態）、スイッチＳＷ２の状態（前面枠１４の状態）、枠開放検出回路２７０のＡの電圧および外部出力端子板２６１の出力（ホールコンピュータ２６２の入力）の関係を示したタイミングチャートである。なお、図１９に記載されたｔ１時〜ｔ８時の各時は、図８に示す第１実施形態の枠開放検出回路２６０のタイミングチャートに記載されたｔ１時〜ｔ８時の各時と同一である。
【０２４４】
図１９（ａ）に示すように、ｔ１時に、スイッチＳＷ１が導通状態（内枠１２が開放状態）となると、これに追従して、図１９（ｃ）に示すように、枠開放検出回路２７０のＡの電圧（図１８参照）は、ゼロボルトから約１１．３ボルトへ切り換わる（ｔ１時）。すると、図１９（ｄ）に示すように、フォトカプラＰＲ１の二次側の受光素子（フォトトランジスタ）の出力、即ち、外部出力端子板２６１の出力は、ロウ状態からハイ状態に切り換わる（ｔ１時）。これにより、ホールコンピュータ２６２へ内枠１２または前面枠１４の開放を示すハイ信号の出力が開始される。
【０２４５】
そして、図１９（ａ）に示すように、ｔ２時に、スイッチＳＷ１が遮断状態（内枠１２が閉鎖状態）となると、図１９（ｃ）に示すように、枠開放検出回路２７０のＡの電圧は、約１１．３ボルトからゼロボルトへ切り換わる（ｔ２時）。すると、これに追従して、図１９（ｄ）に示すように、外部出力端子板２６１の出力は、ハイ状態からロウ状態に切り換わる（ｔ２時）。
【０２４６】
この外部出力端子板２６１の出力の切り換わりがハイ信号となり、そのハイ信号が外部出力端子板２６１からホールコンピュータ２６２へ、ｔ１時からｔ２時の間、出力される。つまり、パルス幅がｔ１からｔ２時までの出力期間となるハイ信号が、外部出力端子板２６１からホールコンピュータ２６２へ出力される。
【０２４７】
次に、図１９（ａ）に示すように、ｔ３時に、スイッチＳＷ１が導通状態（内枠１２が開放状態）となると、これに追従して、図１９（ｃ）に示すように、枠開放検出回路２７０のＡの電圧（図１８参照）は、ゼロボルトから約１１．３ボルトへ切り換わる（ｔ３時）。すると、図１９（ｄ）に示すように、フォトカプラＰＲ１の二次側の受光素子（フォトトランジスタ）の出力、即ち、外部出力端子板２６１の出力は、ロウ状態からハイ状態に切り換わる（ｔ３時）。これにより、ホールコンピュータ２６２へ内枠１２または前面枠１４の開放を示すハイ信号の出力が開始される。
【０２４８】
そして、図１９（ａ）に示すように、ｔ４時に、スイッチＳＷ１が遮断状態（内枠１２が閉鎖状態）となると、図１９（ｃ）に示すように、枠開放検出回路２７０のＡの電圧は、約１１．３ボルトからゼロボルトへ切り換わる（ｔ４時）。すると、これに追従して、図１９（ｄ）に示すように、外部出力端子板２６１の出力は、ハイ状態からロウ状態に切り換わる（ｔ４時）。
【０２４９】
この外部出力端子板２６１の出力の切り換わりがハイ信号となり、そのハイ信号が外部出力端子板２６１からホールコンピュータ２６２へ、ｔ３時からｔ４時の間、出力される。つまり、パルス幅がｔ３からｔ４時までの出力期間となるハイ信号が、外部出力端子板２６１からホールコンピュータ２６２へ出力される。
【０２５０】
最後に、スイッチＳＷ１が導通状態（内枠１２が開放状態）であるときに、スイッチＳＷ２が導通状態（前面枠１４が開放状態）となった場合について説明する。図１９（ａ）に示すように、ｔ５時に、スイッチＳＷ１が導通状態（内枠１２が開放状態）となり、更に、図１９（ｂ）に示すように、ｔ６時に、スイッチＳＷ２が導通状態（前面枠１４が開放状態）となると、図１９（ｃ）に示すように、枠開放検出回路２７０のＡの電圧（図１８参照）は、ｔ５時に、ゼロボルトから約１１．３ボルトへ切り換わる。すると、これに追従して、図１９（ｄ）に示すように、図１９（ｄ）に示すように、外部出力端子板２６１の出力は、ロウ状態からハイ状態に切り換わる（ｔ５時）。これにより、ホールコンピュータ２６２へ内枠１２または前面枠１４の開放を示すハイ信号の出力が開始される。
【０２５１】
そして、図１９（ａ）に示すように、ｔ７時に、スイッチＳＷ１が遮断状態（内枠１２が閉鎖状態）となると共に、図１９（ｂ）に示すように、ｔ８時に、スイッチＳＷ２が遮断状態（前面枠１４が閉鎖状態）となると、図１９（ｃ）に示すように、枠開放検出回路２７０のＡの電圧は、ｔ８時に、ゼロボルトから約１１．３ボルトへ切り換わる。すると、これに追従して、図１９（ｄ）に示すように、外部出力端子板２６１の出力は、ハイ状態からロウ状態に切り換わる（ｔ８時）。
【０２５２】
この外部出力端子板２６１の出力の切り換わりがハイ信号となり、そのハイ信号が外部出力端子板２６１からホールコンピュータ２６２へ、ｔ５時からｔ８時の間、出力される。つまり、パルス幅がｔ５からｔ８時までの出力期間となるハイ信号が、外部出力端子板２６１からホールコンピュータ２６２へ出力される。
【０２５３】
このように、スイッチＳＷ１およびスイッチＳＷ２が導通状態（内枠１２および前面枠１４が開放状態）であるときには、枠開放検出回路２７０は、スイッチＳＷ１またはスイッチＳＷ２のいずれか一方が導通状態（内枠１２または前面枠１４のいずれか一方が開放状態）となったときから、スイッチＳＷ１とスイッチＳＷ２との両方が遮断状態（内枠１２と前面枠１４との両方が閉鎖状態）となるまで、外部出力端子板２６１からホールコンピュータ２６２へ、ハイ信号を出力することができる。よって、内枠１２または前面枠１４の開放を検出することができることに加え、内枠１２または前面枠１４のいずれか一方が開放状態となったときから、内枠１２と前面枠１４との両方が閉鎖状態となるまでの開放期間を検出することができる。
【０２５４】
上述した通り、第２実施形態のパチンコ機によれば、枠開放検出回路２７０には、１Ｆ（ファラッド）のコンデンサＣＤ６が設けられているので、第２実施形態のパチンコ機への電源供給が遮断され、直流電源ＤＣ１から１２ボルトの直流電圧が供給されていない場合であっても、枠開放検出回路２７０により、内枠１２または前面枠１４の開放期間に応じて出力期間が変動するハイ信号をホールコンピュータ２６２に出力することができる。そして、ホールコンピュータ２６２に外部出力端子板２６１からハイ信号が出力されたことと共に、その出力されたハイ信号の出力期間を記憶させることで、内枠１２または前面枠１４の開放を検出することができることに加え、内枠１２または前面枠１４の開放期間も検出することができる。また、外部出力端子板２６１からホールコンピュータ２６２へ出力されたハイ信号は、２４時間動作し続けるホールコンピュータ２６２に記憶される。よって、ホールコンピュータ２６２に記憶されたハイ信号により、内枠１２または前面枠１４の開放が行われたパチンコ機を特定することができる。更には、ホールコンピュータ２６２に外部出力端子板２６１からハイ信号が出力されたことと共に、その出力されたハイ信号の出力時刻を記憶させることで、特定したパチンコ機の内枠１２の開放時刻または前面枠１４の開放時刻も検出することができる。
【０２５５】
次に、図２０および図２１を参照して、第３実施形態のパチンコ機を説明する。第３実施形態のパチンコ機は、第１実施形態のパチンコ機１０の枠開放検出回路２６０を別の構成である枠開放検出回路２８０に変更したものである。第３実施形態の枠開放検出回路２８０は、第１実施形態の枠開放検出回路２６０に対して、回路構成を簡略化している。具体的には、第３実施形態の枠開放検出回路２８０は、第１実施形態の枠開放検出回路２６０から、抵抗Ｒ２、コンデンサＣＤ４およびＣＤ５を取り除き、抵抗Ｒ１、コンデンサＣＤ３、抵抗Ｒ７、スイッチＳＷ１およびスイッチＳＷ２の各接続を変更し、タイマＩＣ１を単安定マルチバイブレータとして機能させ、そのタイマＩＣ１のＴＲＧ端子の前段に抵抗１０とコンデンサＣＤ７とから構成される積分回路２８１を接続して、回路構成を簡略化したものである。そして、第３実施形態の枠開放検出回路２８０は、第１実施形態の枠開放検出回路２６０に対して、タイマＩＣ１のＴＲＧ端子に印加される電圧の態様およびタイマＩＣ１のＯＵＴ端子から出力される電圧の態様を変更したものである。
【０２５６】
この第３実施形態の枠開放検出回路２８０によれば、積分回路２８１により、内枠１２または前面枠１４の開放期間に拘らず、タイマＩＣ１のＴＲＧ端子に印加される電圧の立ち下がり期間を一定期間（約２ｍｓ）とすることによって、タイマＩＣ１のＯＵＴ端子から約９．６ボルトの電圧が出力される期間（約１０ｍｓ）よりも、タイマＩＣ１のＴＲＧ端子に印加される電圧の立ち下がり期間を短く調整することができる。よって、内枠１２または前面枠１４の開放期間に拘らず、コンデンサＣＤ１からフォトカプラＰＲ１へ供給される電流の供給期間を、内枠１２または前面枠１４の１回の開放につき、約１０ｍｓに留めることができる。従って、枠開放検出回路２８０は、枠開放検出回路２６０と比較して回路構成を簡略化できると共に、タイマＩＣ１のＯＵＴ端子から約９．６ボルトの電圧が出力される期間を約１０ｍｓに留めることで、内枠１２または前面枠１４の開放による電力消費を枠開放検出回路２６０よりも更に小さく抑えることができる。
【０２５７】
図２０は、第３実施形態の枠開放検出回路２８０の電気的構成を示したブロック図である。なお、図７で上述した第１実施形態の枠開放検出回路２６０と同一の部分には同一の番号を付してその説明は省略し、異なる部分についてのみ説明する。
【０２５８】
パチンコ機への電源供給が遮断され、直流電源ＤＣ１から１２ボルトの直流電圧が供給されていない場合に、枠開放検出回路２８０および外部出力端子板２６１へ直流電圧を供給するコンデンサＣＤ１の一端は、１００ｋΩの抵抗Ｒ１０の一端と接続されると共に、タイマＩＣ１のＶＤＤ端子、１００ＫΩの抵抗Ｒ１ａの一端、タイマＩＣ１のＲＥＳ端子および１ＫΩの抵抗Ｒ７ａの一端と接続されている。
【０２５９】
抵抗Ｒ１ａの他端は、０．１μＦのコンデンサＣＤ３ａの一端と接続されると共に、タイマＩＣ１のＤＣＨ端子およびタイマＩＣ１のＴＨ端子と接続されている。そして、コンデンサＣＤ３ａの他端は、グランドされている。このコンデンサＣＤ３ａと抵抗Ｒ１ａとの接続により、タイマＩＣ１は、内枠１２または前面枠１４が開放されることで、スイッチＳＷ１またはスイッチＳＷ２が導通されて、タイマＩＣ１のＴＲＧ端子に印加される電圧がゼロボルトに立ち下がると、タイマＩＣ１のＯＵＴ端子の電圧を約１０ｍｓの間、ゼロボルトから約９．６ボルトに立ち上げる単安定マルチバイブレータとして機能する。なお、タイマＩＣ１のＯＵＴ端子の電圧をゼロボルトから約９．６ボルトに立ち上げる期間である約１０ｍｓは、抵抗Ｒ１ａの抵抗値（１００ｋΩ）とコンデンサＣＤ３ａの容量値（０．１μＦ）との積である時定数により決定されている。
【０２６０】
抵抗Ｒ１０は、タイマＩＣ１のＴＲＧ端子に印加される電圧を安定化させる抵抗であると共に、コンデンサＣＤ７とで積分回路２８１を構成する抵抗である。この抵抗Ｒ１０の他端は、ダイオードＤ２のアノード端子と接続され、このダイオードＤ２のカソード端子は、タイマＩＣ１のＴＲＧ端子に接続されると共に、制限電圧（ツェナー電圧）が約１０．５ボルトのツェナーダイオードＤ３のカソード端子、並列接続されたスイッチＳＷ１およびスイッチＳＷ２のそれぞれの一端に接続されている。よって、内枠１２および前面枠１４が閉鎖されて、スイッチＳＷ１およびスイッチＳＷ２が遮断されている状態では、タイマＩＣ１のＴＲＧ端子に印加される電圧は、コンデンサＣＤ１から供給される約１１．３ボルトの電圧から、抵抗Ｒ１０での電圧降下の約０．３ボルトと、ダイオードＤ２での電圧降下の約０．７ボルトとを差し引いた約１０．３ボルトとなる。
【０２６１】
０．０２μＦのコンデンサＣＤ７は、抵抗Ｒ１０とで積分回路２８１を構成して、タイマＩＣ１のＴＲＧ端子に印加される電圧を制御するコンデンサである。コンデンサＣＤ７の一端には、スイッチＳＷ１およびスイッチＳＷ２のそれぞれの他端が接続され、コンデンサＣＤ７の他端は、グランドされている。このコンデンサＣＤ７と抵抗Ｒ１０とにより構成される積分回路２８１は、内枠１２または前面枠１４が開放状態となることにより、スイッチＳＷ１またはスイッチＳＷ２が導通状態となると、タイマＩＣ１のＴＲＧ端子に印加されている約１０．３ボルトの電圧をゼロボルトに立ち下げ、その立ち下げから約２ｍｓ後に再び、タイマＩＣ１のＴＲＧ端子電圧を約１０．３ボルトに戻す回路である。
【０２６２】
具体的には、内枠１２または前面枠１４が開放され、その開放に応じて、スイッチＳＷ１またはスイッチＳＷ２が導通されると、コンデンサＣＤ１から供給される約１０．３ボルトの電圧がコンデンサＣＤ７に印加開始されて、コンデンサＣＤ７の充電が開始される。この充電開始時に、コンデンサＣＤ７に印加される電圧が瞬間的にゼロボルトとなることで、タイマＩＣ１のＴＲＧ端子に印加される電圧が瞬間的にゼロボルトになるのである。そして、コンデンサＣＤ７の充電に伴い、コンデンサＣＤ７は、タイマＩＣ１のＴＲＧ端子に印加される電圧を上昇させ、最終的に、タイマＩＣ１のＴＲＧ端子に印加される電圧を約１０．３ボルトに制御するのである。
【０２６３】
なお、コンデンサＣＤ７が充電完了するまでの期間、即ち、タイマＩＣ１のＴＲＧ端子に印加されている約１０．３ボルトの電圧がゼロボルトに立ち下がり、その立ち下がりから、タイマＩＣ１のＴＲＧ端子の電圧が再び、約１０．３ボルトに戻るまでの期間である約２ｍｓは、抵抗Ｒ１０の抵抗値（１００ｋΩ）とコンデンサＣＤ７の容量値（０．０２μＦ）の積である時定数により決定されている。
【０２６４】
このように、タイマＩＣ１のＴＲＧ端子に印加される電圧が立ち下がり、その立ち下がりから再び、タイマＩＣ１のＴＲＧ端子電圧が約１０．３ボルトに戻るまでの期間（約２ｍｓ）は、積分回路２８１により、内枠１２および前面枠１４の開放期間に拘らず、タイマＩＣ１のＯＵＴ端子の電圧がゼロボルトから約９．６ボルトに立ち上がる期間（約１０ｍｓ）よりも短い期間に調整されている。なお、抵抗Ｒ１０の抵抗値とコンデンサＣＤ７の容量値とを変更することにより、タイマＩＣ１のＴＲＧ端子に印加されている電圧が立ち下がってから、タイマＩＣ１のＴＲＧ端子の電圧が約１０．３ボルトに再び戻るまでの期間を、タイマＩＣ１のＯＵＴ端子の電圧がゼロボルトから約９．６ボルトに立ち上がるまでの期間である約１０ｍｓ以内で自由に変更することができる。
【０２６５】
ここで、単安定マルチバイブレータは、出力端子から出力される信号の出力期間よりも、入力端子へ入力される信号の入力期間が短くなければ、出力端子から正常に信号が出力されない（出力端子から信号が出力され続ける）。このため、積分回路２８１を使用せずに、単安定マルチバイブレータとしてタイマＩＣ１を機能させた場合には、タイマＩＣ１のＯＵＴ端子の電圧がゼロボルトから約９．６ボルトに立ち上がる期間よりも、タイマＩＣ１のＴＲＧ端子電圧がゼロボルトから再び、約１０．３ボルトに戻るまでの期間が、即ち、内枠１２および前面枠１４の開放期間（スイッチＳＷ１およびスイッチＳＷ２の導通期間）が短くなくてはならない。しかし、内枠１２および前面枠１４の開放期間はどの程度になるか全く予測不能であるので、タイマＩＣ１のＯＵＴ端子の電圧がゼロボルトから約９．６ボルトに立ち上がる期間よりも、内枠１２および前面枠１４の開放期間が常に短くなるようにするには、タイマＩＣ１のＯＵＴ端子の電圧がゼロボルトから約９．６ボルトに立ち上がる期間を、十分に余裕を持った期間に設定する必要がある。例えば、内枠１２および前面枠１４の開放期間が、数十秒単位から数分単位と予測すれば、タイマＩＣ１のＯＵＴ端子の電圧がゼロボルトから約９．６ボルトに立ち上がる期間は、十分に余裕を持って、数分単位から数十分単位に設定しなければならない。すると、この設定した期間中、枠開放検出回路２８０および外部出力端子板２６１へコンデンサＣＤ１から直流電圧の供給が行われ続けるので、コンデンサＣＤ１の消耗が著しくなってしまう。よって、積分回路２８１を使用せずに、単安定マルチバイブレータとしてタイマＩＣ１を機能させた上で、更に、コンデンサＣＤ１に蓄えられた電荷の消耗を抑制するためには、特殊な回路構成が必要であった。
【０２６６】
しかし、タイマＩＣ１のＴＲＧ端子の前段に積分回路２８１を設けることにより、内枠１２または前面枠１４が開放されると、その開放期間（スイッチＳＷ１およびスイッチＳＷ２の導通期間）に拘らず、タイマＩＣ１のＴＲＧ端子に印加される電圧がゼロボルトに立ち下がってから再び、約１０．３ボルトに戻るまで期間を、タイマＩＣ１のＯＵＴ端子の電圧がゼロボルトから約９．６ボルトに立ち上がる期間よりも短く調整することができる。このように、積分回路２８１により、内枠１２および前面枠１４の開放期間に拘らず、タイマＩＣ１のＴＲＧ端子電圧の立ち下り期間を一定期間（約２ｍｓ）とすることで、タイマＩＣ１を正常に動作させ、タイマＩＣ１のＯＵＴ端子の電圧がゼロボルトから約９．６ボルトに立ち上がる期間を約１０ｍｓに留めることができる。
【０２６７】
そして、タイマＩＣ１のＯＵＴ端子の電圧がゼロボルトから約９．６ボルトに約１０ｍｓの間、立ち上がると、トランジスタＴＲ１のコレクタ端子とエミッタ端子とが約１０ｍｓの間、導通し、抵抗Ｒ７ａを介して、コンデンサＣＤ１からフォトカプラＰＲ１に約１０ｍｓの間、電流が供給される。これにより、外部出力端子板２６１からホールコンピュータ２６２へ、内枠１２または前面枠１４の一回の開放につき、約１０ｍｓのパルス幅のパルス信号が出力される。このように、タイマＩＣ１を単安定マルチバイブレータとして機能させたとしても、タイマＩＣ１のＴＲＧ端子の前段に積分回路２８１を設けることで、コンデンサＣＤ１に蓄えられた電荷の消耗を抑制した上で、特殊な回路構成を採用することなく、外部出力端子板２６１からホールコンピュータ２６２へ出力されるパルス信号の出力期間を約１０ｍｓに留めることができる。
【０２６８】
なお、タイマＩＣ１のＴＲＧ端子には、制限電圧（ツェナー電圧）が約１０．５ボルトのツェナーダイオードＤ３のカソード端子が接続され、グランドには、ツェナーダイオードＤ３のアノード端子が接続されている。このツェナーダイオードＤ３は、内枠１２または前面枠１４が開放されて、スイッチＳＷ１またはスイッチＳＷ２が導通された場合に、コンデンサＣＤ７に蓄えられた電荷とコンデンサＣＤ１から供給される電圧とが重畳されることにより発生し得る、タイマＩＣ１を破壊する大きさの過電圧（例えば、１２．３ボルトの電圧）が、タイマＩＣ１のＴＲＧ端子に印加されるのを防止する素子である。具体的には、内枠１２または前面枠１４が開放されて、スイッチＳＷ１またはスイッチＳＷ２が導通され、コンデンサＣＤ７に蓄えられた電荷は、比較的短期間の内に再び、内枠１２または前面枠１４の次の開放が行われ、スイッチＳＷ１またはスイッチＳＷ２の導通が行われると、スイッチＳＷ１またはスイッチＳＷ２の他端側から一端側へ放電される。このコンデンサＣＤ７から放電された約１０．３ボルトの電圧とコンデンサＣＤ１から供給された約１０．３ボルトの電圧とが重畳されて、タイマＩＣ１を破壊する大きさの過電圧がタイマＩＣ１のＴＲＧ端子に印加され得る。しかし、タイマＩＣ１のＴＲＧ端子とグランドとの間には、制限電圧（ツェナー電圧）を約１０．５ボルトとするツェナーダイオードＤ３が接続されているので、タイマＩＣ１のＴＲＧ端子に印加される電圧の最大値は約１０．５ボルトとなり、タイマＩＣ１を破壊する大きさの過電圧がタイマＩＣ１のＴＲＧ端子に印加されることはない。このように、簡単な構成且つ安価なツェナーダイオードＤ３を用いて、タイマＩＣ１を破壊する大きさの過電圧がタイマＩＣ１のＴＲＧ端子に印加されることを防止し、タイマＩＣ１の損傷を防止することができる。
【０２６９】
なお、上述の通り、ツェナーダイオードＤ３の制限減圧（ツェナー電圧）は、約１０．５ボルトであるので、内枠１２および前面枠１４が閉鎖されて、スイッチＳＷ１およびスイッチＳＷ２が遮断された状態にあっては、コンデンサＣＤ１から供給される電流がツェナーダイオードＤ３を介してグランドに流れることはなく、コンデンサＣＤ１の電荷が消耗することはない。また、スイッチＳＷ１およびスイッチＳＷ２の一端には、ダイオードＤ２のカソード端子が接続されており、このダイオードＤ２が電流の逆流防止機能を発揮するので、コンデンサＣＤ７から放電された約１０．３ボルトの電圧が、コンデンサＣＤ１やタイマＩＣ１のＶＤＤ端子に印加されて、これらが損傷することはない。
【０２７０】
上述した通り、枠開放検出回路２８０のタイマＩＣ１は、内枠１２または前面枠１４が開放されて、スイッチＳＷ１またはスイッチＳＷ２が導通され、タイマＩＣ１のＴＲＧ端子に印加される電圧がゼロボルトに立ち下がると、この立ち下がりから約１０ｍｓの間、タイマＩＣ１のＯＵＴ端子の電圧をゼロボルトから約９．６ボルトに立ち上げる単安定マルチバイブレータとして機能する。そして、このタイマＩＣ１のＴＲＧ端子の前段に積分回路２８１を設けることにより、内枠１２または前面枠１４が開放された場合に、内枠１２および前面枠１４の開放期間に拘らず、タイマＩＣ１のＴＲＧ端子に印加される電圧がゼロボルトに立ち下がってから、約１０．３ボルトに戻るまで期間を、タイマＩＣ１のＯＵＴ端子の電圧がゼロボルトから約９．６ボルトに立ち上がる期間よりも短く調整することができる。このように、積分回路２８１により、内枠１２および前面枠１４の開放期間に拘らず、タイマＩＣ１のＴＲＧ端子電圧の立ち下がり期間を一定期間（約２ｍｓ）とすることで、単安定マルチバイブレータとして機能するタイマＩＣ１を正常に動作させ、タイマＩＣ１のＯＵＴ端子の電圧がゼロボルトから約９．６ボルトに立ち上がる期間を約１０ｍｓに留めることができる。これにより、コンデンサＣＤ１からフォトカプラＰＲ１に電流が供給される期間を約１０ｍｓに留めることができ、外部出力端子板２６１からホールコンピュータ２６２へ出力されるパルス信号の出力期間を約１０ｍｓに留めることができる。
【０２７１】
また、枠開放検出回路２８０には、０．１ＦのコンデンサＣＤ１が設けられているので、枠開放検出回路２８０は、パチンコ機への電源供給が行われ、直流電源ＤＣ１から１２ボルトの直流電圧が供給されている場合には当然に動作し、更に、例えば、遊技場の営業時間が終了してパチンコ機への電源供給が遮断され、直流電源ＤＣ１から１２ボルトの直流電圧が供給されていない場合であっても、内枠１２の開放および前面枠１４の開放を検出することができる。そして、枠開放検出回路２８０により、内枠１２の開放または前面枠１４の開放が検出されると、その１回の検出につき、外部出力端子板２６１からホールコンピュータ２６２へパルス幅約１０ｍｓのパルス信号を出力することができる。なお、外部出力端子板２６１からホールコンピュータ２６２へ出力されたパルス信号は、２４時間動作し続けるホールコンピュータ２６２に記憶される。よって、ホールコンピュータ２６２に記憶されたパルス信号により、内枠１２または前面枠１４の開放が行われたパチンコ機を特定することができる。更には、ホールコンピュータ２６２に外部出力端子板２６１からパルス信号が出力されたことと共に、その出力されたパルス信号の出力時刻を記憶させることで、特定したパチンコ機の内枠１２の開放時刻または前面枠１４の開放時刻を検出することができる。
【０２７２】
なお、扉開放検出回路２８０では、タイマＩＣ１にＬＭＣ５５５を用いて、内枠１２の開放または前面枠１４の開放を検出し、フォトカプラＰＲ１を約１０ｍｓの間通電する回路を実現したが、これに限られるものではない。即ち、タイマＩＣ１に他の集積回路等を用いて、内枠１２の１回の開放または前面枠１４の１回の開放に対して、１のパルス信号を発生する回路を実現し、その１のパルス信号に基づいてフォトカプラＰＲ１を所定期間通電するものであれば良い。
【０２７３】
また、例えば、遊技場の営業時間が終了してパチンコ機への電源供給が遮断され、枠開放検出回路２８０および外部出力端子板２６１へ、コンデンサＣＤ１から直流電圧が供給される場合に、内枠１２または前面枠１４の開放に伴うコンデンサＣＤ１からフォトカプラＰＲ１への電流の総供給期間を長くしたり、内枠１２または前面枠１４の開放を検出する回数を増やしたりする場合には、コンデンサＣＤ１の容量を増加させたり（例えば、コンデンサＣＤ１の容量を１Ｆとする）、コンデンサＣＤ１を蓄電量の多い二次電池に変更すれば良い。
【０２７４】
次に、図２１を参照して、スイッチＳＷ１の状態（内枠１２の状態）とスイッチＳＷ２の状態（前面枠１４の状態）とに応じて変化するタイマＩＣ１のＴＲＧ端子電圧と、タイマＩＣ１のＯＵＴ端子電圧と、外部出力端子板２６１の出力（ホールコンピュータ２６２の入力）との関係について説明する。図２１は、スイッチＳＷ１の状態（内枠１２の状態）、スイッチＳＷ２の状態（前面枠１４の状態）、タイマＩＣ１のＴＲＧ端子電圧、タイマＩＣ１のＯＵＴ端子電圧および外部出力端子板２６１の出力（ホールコンピュータ２６２の入力）の関係を示したタイミングチャートである。なお、図２１に記載されたｔ１時〜ｔ８時の各時は、図８に示す第１実施形態の枠開放検出回路２６０のタイミングチャートに記載されたｔ１時〜ｔ８時の各時と同一である。
【０２７５】
図２１（ａ）に示すように、ｔ１時に、スイッチＳＷ１が導通状態（内枠１２が開放状態）となると、コンデンサＣＤ７の充電が開始され、図２１（ｃ）に示すように、タイマＩＣ１のＴＲＧ端子電圧が、約１０．３ボルトからゼロボルトへ立ち下がる（ｔ１時）。すると、これに追従して、図２１（ｄ）に示すように、タイマＩＣ１のＯＵＴ端子電圧は、ゼロボルトから約９．６ボルトに立ち上がる（ｔ１時）。これにより、枠開放検出回路２８０のトランジスタＴＲ１のコレクタ端子とエミッタ端子とが導通され、外部出力端子板２６１のフォトカプラＰＲ１の一次側の発光ダイオードに（図２０参照）、電流供給が開始される（ｔ１時）。そして、図２１（ｅ）に示すように、フォトカプラＰＲ１の二次側の受光素子（フォトトランジスタ）の出力、即ち、外部出力端子板２６１の出力は、ｔ１時に、ロウ状態からハイ状態に切り換わる。これにより、ホールコンピュータ２６２へ内枠１２または前面枠１４の開放を示すパルス信号の出力が開始される。
【０２７６】
次に、図２１（ｃ）に示すように、ｔ１時から約２ｍｓ経過すると、コンデンサＣＤ７の充電が完了して、タイマＩＣ１のＴＲＧ端子電圧が再び、ゼロボルトから約１０．３ボルトへ戻る。しかし、タイマＩＣ１のＯＵＴ端子の電圧がゼロボルトから約９．６ボルトに立ち上がってから（ｔ１時から）、約１０ｍｓが経過していないので、タイマＩＣ１のＯＵＴ端子電圧は、約９．６ボルトの状態を維持している。
【０２７７】
その後、ｔ１時から約１０ｍｓ経過すると、図２１（ｄ）に示すように、タイマＩＣ１は、ＯＵＴ端子の電圧を、約９．６ボルトからゼロボルトに切り換える。すると、枠開放検出回路２８０のトランジスタＴＲ１のコレクタ端子とエミッタ端子とが遮断され、外部出力端子板２６１の抵抗Ｒ７ａの一端への電流供給が停止する。よって、外部出力端子板２６１の出力は、ｔ１時から約１０ｍｓ経過すると、図２１（ｅ）に示すように、ハイ状態からロウ状態に切り換わる。これにより、ホールコンピュータ２６２へ出力されていたパルス信号の出力が停止される。このように、外部出力端子板２６１の出力が切り換わることで、外部出力端子板２６１からホールコンピュータ２６２へ出力されるパルス信号のパルス幅を約１０ｍｓに留めることができる。
【０２７８】
なお、図２１（ａ）に示すように、ｔ２時に、スイッチＳＷ１が遮断状態（内枠１２が閉鎖状態）となると、枠開放検出回路２８０は、再び、内枠１２および前面枠１４の検出が可能な状態に設定される。
【０２７９】
次に、図２１（ｂ）に示すように、ｔ３時に、スイッチＳＷ２が導通状態（前面枠１４が開放状態）となると、コンデンサＣＤ７の充電が開始され、図２１（ｃ）に示すように、タイマＩＣ１のＴＲＧ端子電圧が、約１０．３ボルトからゼロボルトへ立ち下がる（ｔ３時）。すると、これに追従して、図２１（ｄ）に示すように、タイマＩＣ１のＯＵＴ端子電圧は、ゼロボルトから約９．６ボルトに立ち上がる（ｔ３時）。これにより、枠開放検出回路２８０のトランジスタＴＲ１のコレクタ端子とエミッタ端子とが導通され、外部出力端子板２６１のフォトカプラＰＲ１の一次側の発光ダイオードに（図２０参照）、電流供給が開始される（ｔ３時）。そして、図２１（ｅ）に示すように、フォトカプラＰＲ１の二次側の受光素子（フォトトランジスタ）の出力、即ち、外部出力端子板２６１の出力は、ｔ３時に、ロウ状態からハイ状態に切り換わる。これにより、ホールコンピュータ２６２へ内枠１２または前面枠１４の開放を示すパルス信号の出力が開始される。
【０２８０】
なお、ｔ１時からｔ２時の間にコンデンサＣＤ７に蓄えられた電荷は、ｔ３時に、ツェナーダイオードＤ３を介して瞬間的に放電完了する。このコンデンサＣＤ７の放電期間は、タイマＩＣ１のＴＲＧ端子の電圧が約１０．３ボルトからゼロボルトとなり、再び約１０．３ボルトとなる約２ｍｓよりも非常に微小な期間であるので、タイマＩＣ１のＴＲＧ端子に印加される電圧に著しい影響を与えるものではない。更に、この放電の他に、ｔ１時からｔ２時にコンデンサＣＤ７に蓄えられた電荷は、コンデンサＣＤ７の自己放電によっても放電が行われる。
【０２８１】
また、ｔ３時に、タイマＩＣ１のＴＲＧ端子には、コンデンサＣＤ１から供給される約１０．３ボルトの電圧と、コンデンサＣＤ７に蓄えられた電荷に伴う約１０．３ボルトの電圧とが重畳されて、タイマＩＣ１を破壊する大きさの過電圧が印加され得る。しかし、タイマＩＣ１のＴＲＧ端子の前段には、制限電圧（ツェナー電圧）を約１０．５ボルトとするツェナーダイオードＤ３が接続されているので、タイマＩＣ１のＴＲＧ端子に印加される電圧の最大値は約１０．５ボルトとなり、タイマＩＣ１を破壊する大きさの過電圧がタイマＩＣ１のＴＲＧ端子に印加されることはない。
【０２８２】
次に、図２１（ｃ）に示すように、ｔ３時から約２ｍｓ経過すると、コンデンサＣＤ７の充電が完了して、タイマＩＣ１のＴＲＧ端子電圧が再び、ゼロボルトから約１０．３ボルトへ戻る。しかし、タイマＩＣ１のＯＵＴ端子の電圧がゼロボルトから約９．６ボルトに立ち上がってから（ｔ３時から）、約１０ｍｓが経過していないので、タイマＩＣ１のＯＵＴ端子電圧は、約９．６ボルトの状態を維持している。
【０２８３】
その後、ｔ３時から約１０ｍｓ経過すると、図２１（ｄ）に示すように、タイマＩＣ１は、ＯＵＴ端子の電圧を、約９．６ボルトからゼロボルトに切り換える。すると、枠開放検出回路２８０のトランジスタＴＲ１のコレクタ端子とエミッタ端子とが遮断され、外部出力端子板２６１の抵抗Ｒ７ａの一端への電流供給が停止する。よって、外部出力端子板２６１の出力は、ｔ３時から約１０ｍｓ経過すると、図２１（ｅ）に示すように、ハイ状態からロウ状態に切り換わる。これにより、ホールコンピュータ２６２へ出力されていたパルス信号の出力が停止される。このように、外部出力端子板２６１の出力が切り換わることで、外部出力端子板２６１からホールコンピュータ２６２へ出力されるパルス信号のパルス幅を約１０ｍｓに留めることができる。
【０２８４】
なお、図２１（ｂ）に示すように、ｔ４時に、スイッチＳＷ２が遮断状態（前面枠１４が閉鎖状態）となると、枠開放検出回路２８０は、再び、内枠１２および前面枠１４の検出が可能な状態に設定される。
【０２８５】
最後に、スイッチＳＷ１が導通状態（内枠１２が開放状態）であるときに、スイッチＳＷ２が導通状態（前面枠１４が開放状態）となった場合について説明する。図２１（ａ）に示すように、ｔ５時に、スイッチＳＷ１が導通状態（内枠１２が開放状態）となり、更に、図２１（ｂ）に示すように、ｔ６時に、スイッチＳＷ２が導通状態（前面枠１４が開放状態）となると、ｔ５時に、コンデンサＣＤ７の充電が開始され、図２１（ｃ）に示すように、タイマＩＣ１のＴＲＧ端子電圧が、約１０．３ボルトからゼロボルトへ立ち下がる（ｔ５時）。すると、これに追従し、図２１（ｄ）に示すように、タイマＩＣ１のＯＵＴ端子電圧は、ゼロボルトから約９．６ボルトに立ち上がる（ｔ５時）。これにより、枠開放検出回路２８０のトランジスタＴＲ１のコレクタ端子とエミッタ端子とが導通され、外部出力端子板２６１のフォトカプラＰＲ１の一次側の発光ダイオードに（図２０参照）、電流供給が開始される（ｔ５時）。すると、図２１（ｅ）に示すように、フォトカプラＰＲ１の二次側の受光素子（フォトトランジスタ）の出力、即ち、外部出力端子板２６１の出力は、ｔ５時に、ロウ状態からハイ状態に切り換わる。これにより、ホールコンピュータ２６２へ内枠１２または前面枠１４の開放を示すパルス信号の出力が開始される。
【０２８６】
なお、ｔ３時からｔ４時の間にコンデンサＣＤ７に蓄えられた電荷は、ｔ５時に、ツェナーダイオードＤ３を介して瞬間的に放電完了するので、タイマＩＣ１のＴＲＧ端子に印加される電圧に著しい影響を与えるものではない。更に、この放電の他に、ｔ３時からｔ４時にコンデンサＣＤ７に蓄えられた電荷は、コンデンサＣＤ７の自己放電によっても放電が行われる。
【０２８７】
また、ｔ５時に、タイマＩＣ１のＴＲＧ端子には、コンデンサＣＤ１から供給される約１０．３ボルトの電圧と、コンデンサＣＤ７に蓄えられた電荷に伴う約１０．３ボルトの電圧とが重畳されて、タイマＩＣ１を破壊する大きさの過電圧が印加され得る。しかし、ツェナーダイオードＤ３により、タイマＩＣ１のＴＲＧ端子に印加される電圧の最大値は約１０．５ボルトとなるので、タイマＩＣ１を破壊する大きさの過電圧がタイマＩＣ１のＴＲＧ端子に印加されることはない。
【０２８８】
次に、図２１（ｃ）に示すように、ｔ５時から約２ｍｓ経過すると、コンデンサＣＤ７の充電が完了して、タイマＩＣ１のＴＲＧ端子電圧が再び、ゼロボルトから約１０．３ボルトへ戻る。しかし、タイマＩＣ１のＯＵＴ端子の電圧がゼロボルトから約９．６ボルトに立ち上がってから（ｔ５時から）、約１０ｍｓが経過していないので、タイマＩＣ１のＯＵＴ端子電圧は、約９．６ボルトの状態を維持している。
【０２８９】
その後、ｔ５時から約１０ｍｓ経過すると、図２１（ｄ）に示すように、タイマＩＣ１は、ＯＵＴ端子の電圧を、約９．６ボルトからゼロボルトに切り換える。すると、枠開放検出回路２８０のトランジスタＴＲ１のコレクタ端子とエミッタ端子とが遮断され、外部出力端子板２６１の抵抗Ｒ７ａの一端への電流供給が停止する。よって、外部出力端子板２６１の出力は、ｔ５時から約１０ｍｓ経過すると、図２１（ｅ）に示すように、ハイ状態からロウ状態に切り換わる。これにより、ホールコンピュータ２６２へ出力されていたパルス信号の出力が停止される。このように、外部出力端子板２６１の出力が切り換わることで、外部出力端子板２６１からホールコンピュータ２６２へ出力されるパルス信号のパルス幅を約１０ｍｓに留めることができる。
【０２９０】
なお、図２１（ａ）に示すように、ｔ７時に、スイッチＳＷ１が遮断状態（内枠１２が閉鎖状態）となると共に、図２１（ｂ）に示すように、ｔ８時に、スイッチＳＷ２が遮断状態（前面枠１４が閉鎖状態）となると、枠開放検出回路２８０は、再び、内枠１２および前面枠１４の検出が可能な状態に設定される。
【０２９１】
このように、スイッチＳＷ１が導通状態（内枠１２が開放状態）であるときに、スイッチＳＷ２が導通状態（前面枠１４が開放状態）となった場合でも、タイマＩＣ１は、スイッチＳＷ１の導通期間（内枠１２の開放期間）およびスイッチＳＷ２の導通期間（前面枠１４の開放期間）に拘らず、スイッチＳＷ１またはスイッチＳＷ２のいずれか一方が導通状態（内枠１２または前面枠１４のいずれか一方が開放状態）となり、タイマＩＣ１のＴＲＧ端子電圧が約１０．３ボルトからゼロボルトへ立ち下がってから約１０ｍｓ経過すると、タイマＩＣ１のＯＵＴ端子の電圧を約９．６ボルトからゼロボルトに切り換える。これにより、外部出力端子板２６１のフォトカプラＰＲ１へ供給される電流の供給期間は、約１０ｍｓとなる。
【０２９２】
よって、例えば、遊技場の営業時間が終了してパチンコ機への電源供給が遮断され、枠開放検出回路２８０および外部出力端子板２６１へ直流電源ＤＣ１から１２ボルトの直流電圧が供給されない場合、即ち、枠開放検出回路２８０および外部出力端子板２６１へコンデンサＣＤ１から約１０．３ボルトの直流電圧が供給される場合に、コンデンサＣＤ１からフォトカプラＰＲ１へ供給される電流の供給期間を、内枠１２または前面枠１４の１回の開放につき、約１０ｍｓに留めることができる。従って、内枠１２または前面枠１４の開放による電力消費を小さく抑えることができる。
【０２９３】
ここで、コンデンサＣＤ１は容量が０．１Ｆであり、コンデンサＣＤ１に印加される電圧は約１１．３ボルトであるので、コンデンサＣＤ１に蓄えられる電荷は、コンデンサＣＤ１の容量とコンデンサＣＤ１の印加電圧との積から約１．１３Ｃ（クーロン）となる。このコンデンサＣＤ１に蓄えられる約１．１３Ｃの電荷は、コンデンサＣＤ１からフォトカプラＰＲ１へ供給される電流の１回の供給期間が約１０ｍｓである場合には、電流の供給回数で約５００回分に相当する。従って、例えば、遊技場の営業時間が終了してパチンコ機への電源供給が遮断され、直流電源ＤＣ１から１２ボルトの直流電圧が供給されていない場合に、内枠１２の開放（スイッチＳＷ１の導通）または前面枠１４の開放（スイッチＳＷ２の導通）が多数回に亘って行われたときでも、枠開放検出回路２８０は、内枠１２の開放または前面枠１４の開放（スイッチＳＷ１の導通またはスイッチＳＷ２の導通）を、約５００回まで毎回確実に検出して、外部出力端子板２６１からホールコンピュータ２６２へパルス信号を出力することができる。このとき、内枠１２の開放または前面枠１４の開放が約５００回付近となると、コンデンサＣＤ１に蓄えられる電荷が少なくなり、コンデンサＣＤ１からフォトカプラＰＲ１へ供給される電流値が低下するが、ホールコンピュータ２６２のパルス信号の検出感度を上げることにより（パルス信号の振幅に対する閾値を下げることにより）、ホールコンピュータ２６２にパルス信号を記憶させることができる。
【０２９４】
以上、説明したように、第３実施形態のパチンコ機によれば、内枠１２または前面枠１４が開放状態となって、スイッチＳＷ１またはスイッチＳＷ２が導通状態となると、積分回路２８１により、内枠１２または前面枠１４の開放期間に拘らず、タイマＩＣ１のＴＲＧ端子に印加される電圧の立ち下がり期間を一定期間（約２ｍｓ）とする。すると、単安定マルチバイブレータとして機能するタイマＩＣ１は正常に動作を行い、タイマＩＣ１のＴＲＧ端子電圧がゼロボルトへ立ち下がってから約１０ｍｓ経過するまでの間、タイマＩＣ１のＯＵＴ端子の電圧をゼロボルトから約９．６ボルトへ立ち上げる。これにより、外部出力端子板２６１に設けられたフォトカプラＰＲ１の一次側の発光ダイオードに抵抗Ｒ７ａを介して電流が供給され、発光ダイオードは約１０ｍｓの間、光を発する。そして、フォトカプラＰＲ１の二次側の受光素子（フォトトランジスタ）が発光ダイオードの光を受光すると、フォトカプラＰＲ１の二次側の受光素子（フォトトランジスタ）は、受光した約１０ｍｓの光をパルス幅が約１０ｍｓのパルス信号（電気信号）に変え、そのパルス信号をホールコンピュータ２６２へ出力する。出力されたパルス信号は、ホールコンピュータ２６２に記憶される。よって、積分回路２８１を設けた枠開放検出回路２８０と外部出力端子板２６１とを用いることで、ホールコンピュータ２６２に、内枠１２の開放または前面枠１４の開放があったことを記憶させることができる。なお、ホールコンピュータ２６２は、２４時間動作させ続けている。よって、枠開放検出回路２８０は、パルス信号が外部出力端子板２６１から出力されたことと共に、そのパルス信号が出力された時刻、即ち、内枠１２の開放および前面枠１４の開放時刻もホールコンピュータ２６２に記憶させることができる。
【０２９５】
また、枠開放検出回路２８０には、０．１ＦのコンデンサＣＤ１が設けられているので、枠開放検出回路２８０は、パチンコ機への電源供給が行われ、直流電源ＤＣ１から１２ボルトの直流電圧が供給されている場合には当然に動作し、更に、例えば、遊技場の営業時間が終了してパチンコ機への電源供給が遮断され、直流電源ＤＣ１から１２ボルトの直流電圧が供給されていない場合であっても、内枠１２の開放および前面枠１４の開放を検出することができる。よって、例えば、遊技場の営業時間が終了してパチンコ機への電源供給が遮断されている場合であっても、外部出力端子板２６１からホールコンピュータ２６２へパルス幅約１０ｍｓのパルス信号を出力することができる。
【０２９６】
なお、本実施形態では、内枠１２または前面枠１４の開放があり、スイッチＳＷ１またはスイッチＳＷ２の導通があった場合に、外部出力端子板２６１からホールコンピュータ２６２へパルス信号が出力されたが、これに限られるものではない。即ち、本枠開放検出回路２８０の各部品の接続を変更し、内枠１２または前面枠１４が開放され、その開放された内枠１２または前面枠１４が閉鎖された場合に、フォトカプラＰＲ１に約１０ｍｓの間、電流を供給して、外部出力端子板２６１からホールコンピュータ２６２へパルス信号を出力するように構成しても良い。
【０２９７】
ただし、本実施形態の枠開放検出回路２８０では、内枠１２または前面枠１４の開放があり、スイッチＳＷ１またはスイッチＳＷ２の導通があった場合に、外部出力端子板２６１からホールコンピュータ２６２へパルス信号を出力するように構成しているので、内枠１２または前面枠１４の開放を素早く検出できる。よって、内枠１２または前面枠１４が開放されて主制御装置１１０または遊技盤１３に不正行為が行われる前に、内枠１２または前面枠１４の開放を検出することができる。従って、パチンコ機へ電源が供給されている場合に発生する不正行為が行われたことによる異常動作を防止することができる。
【０２９８】
また、内枠１２と前面枠１４とのどちらが開放したかを別々にホールコンピュータ２６２に記憶させたい場合には、次の構成にすれば良い。まず、本実施形態で使用した枠開放検出回路２８０と外部出力端子板２６１とをそれぞれ１つずつ新たに設け、スイッチＳＷ１に並列接続されたスイッチＳＷ２を切断し、その切断したスイッチＳＷ２を新たに設けた枠開放検出回路２８０に接続すれば良い。具体的には、切断したスイッチＳＷ２の一端を、新たに設けた枠開放検出回路２８０のダイオードＤ２のカソード端子、ダイオードＤ３のカソード端子およびタイマＩＣ１のＴＲＧ端子に接続すると共に、切断したスイッチＳＷ２の他端を、新たに設けた枠開放検出回路２８０のコンデンサＣＤ７の一端に接続すれば良い。このように新たに枠開放検出回路２８０および外部出力端子板２６１を設け、その新たに設けた枠開放検出回路２８０に、スイッチＳＷ２のみを接続すると共に、既存の枠開放検出回路２８０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。ここで、ホールコンピュータ２６２は、既存の外部出力端子板２６１（スイッチＳＷ１の導通検出用（内枠１２の開放検出用））から出力されるパルス信号の入力端子と、新たに設けた外部出力端子板２６１（スイッチＳＷ２の導通検出用（前面枠１４の開放検出用））から出力されるパルス信号の入力端子とをそれぞれ別にしておく。この構成により、スイッチＳＷ１の導通（内枠１２の開放）とスイッチＳＷ２の導通（前面枠１４の開放）とを区別してホールコンピュータ２６２に記憶させることができる。よって、ホールコンピュータ２６２に記憶されたパルス信号により、スイッチＳＷ１の導通（内枠１２の開放）があったのか、スイッチＳＷ２の導通（前面枠１４の開放）があったのか、または両方があったのかを正確に検出することができる。
【０２９９】
更に、パチンコ機への電源供給が行われている場合に、内枠１２と前面枠１４とのどちらが開放したかを別々にホールコンピュータ２６２に記憶させると共に、内枠１２と前面枠１４とのどちらかが開放したときにパチンコ機で報知を行いたい場合には、次の構成にすれば良い。まず、本実施形態で使用した枠開放検出回路２８０と外部出力端子板２６１とをそれぞれ１つずつ新たに設け、スイッチＳＷ１に並列接続されたスイッチＳＷ２を切断し、その切断したスイッチＳＷ２を新たに設けた枠開放検出回路２８０に接続する。次に、スイッチＳＷ１およびスイッチＳＷ２にそれぞれ、雄型スイッチＳＷ１ｂ，ＳＷ２ｂおよび雌型スイッチＳＷ１ａ，ＳＷ２ａを新たに１つずつ設ける。そして、新たに設けた雄型スイッチＳＷ１ｂ，ＳＷ２ｂおよび雌型スイッチＳＷ１ａ，ＳＷ２ａを用いて、内枠１２または前面枠１４が開放され、スイッチＳＷ１またはスイッチＳＷ２が導通した場合に、ＭＰＵ２０１に、信号が入力されるように構成すれば良い。
【０３００】
具体的には、切断したスイッチＳＷ２の一端を、新たに設けた枠開放検出回路２８０のダイオードＤ２のカソード端子、ダイオードＤ３のカソード端子およびタイマＩＣ１のＴＲＧ端子に接続すると共に、切断したスイッチＳＷ２の他端を、新たに設けた枠開放検出回路２８０のコンデンサＣＤ７の一端に接続すれば良い。このように新たに枠開放検出回路２８０および外部出力端子板２６１を設け、その新たに設けた枠開放検出回路２８０に、スイッチＳＷ２のみを接続すると共に、既存の枠開放検出回路２８０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。
【０３０１】
次に、スイッチＳＷ１およびスイッチＳＷ２にそれぞれ、雄型スイッチＳＷ１ｂおよび雄型スイッチＳＷ２ｂを更に設けて、スイッチＳＷ１およびスイッチＳＷ２に配設される雄型スイッチＳＷ１ｂおよび雄型スイッチＳＷ２ｂをそれぞれ２つずつにする。これに対応して、スイッチＳＷ１およびスイッチＳＷ２にそれぞれ、雌型スイッチＳＷ１ａおよび雌型スイッチＳＷ２ａを更に設けて、スイッチＳＷ１およびスイッチＳＷ２に配設される雌型スイッチＳＷ１ａおよび雌型スイッチＳＷ２ａをそれぞれ２つずつにする。これにより、スイッチＳＷ１に新たに、雄型スイッチＳＷ１ｂと雌型スイッチＳＷ１ａの組み合わせを１つ加える。また、スイッチＳＷ２にもスイッチＳＷ１と同様に、新たに、雄型スイッチＳＷ２ｂと雌型スイッチＳＷ２ａの組み合わせを１つ加える。そして、新たに加えられた雌型スイッチＳＷ１ａに内蔵された一対の端子対ＳＷ１ｃの一端を、既存の枠開放検出回路２８０の直流電源ＤＣ１に接続し、新たに加えられた雌型スイッチＳＷ１ａに内蔵された一対の端子対ＳＷ１ｃの他端をＭＰＵ２０１の入出力ポート２０５に接続する。同様に、新たに加えられた雌型スイッチＳＷ２ａに内蔵された一対の端子対ＳＷ２ｃの一端を、新たに設けられた枠開放検出回路２８０の直流電源ＤＣ１に接続し、新たに加えられた雌型スイッチＳＷ２ａに内蔵された一対の端子対ＳＷ２ｃの他端をＭＰＵ２０１の入出力ポート２０５に、端子対ＳＷ１ｃの他端とは別のポートに接続する。更に、ＭＰＵ２０１は、内枠１２または前面枠１４が開放され、スイッチＳＷ１またはスイッチＳＷ２が導通して、内枠１２の開放を検出する１２ボルトの電圧（信号）または内枠１４の開放を検出する１２ボルトの電圧（信号）が入出力ポート２０５に入力された場合に、音声ランプ制御装置１１３や表示制御装置１１４へ、内枠１２または前面枠１４の開放が検出されたことを示すコマンドを送信する。このとき、ＭＰＵ２０１から送信されるコマンドを、内枠１２の開放が検出された場合のコマンド（以下、「内枠コマンド」と称す）と、前面枠１４が開放された場合のコマンド（以下、「前面枠コマンド」と称す）とで別にする。そして、この各コマンドを受信した音声ランプ制御装置１１３は、内枠コマンドを受信した場合と前面枠コマンドを受信した場合とで異なる態様の報知を行う。例えば、音声出力装置２２６から異なる警告音を出したり、ランプ表示装置２２７の点灯の態様を異ならせる。また、この各コマンドを受信した表示制御装置１１４は、内枠コマンドを受信した場合と前面枠コマンドを受信した場合とで異なる態様の表示を行う。例えば、表示制御装置１１４が内枠コマンドを受信した場合には、第３図柄表示装置８１に「内枠が開放しています」と表示したり、表示制御装置１１４が前面枠コマンドを受信した場合には、第３図柄表示装置８１に「前面枠が開放しています」と表示するように構成すれば良い。
【０３０２】
このように、スイッチＳＷ１に新たに、雄型スイッチＳＷ１ｂと雌型スイッチＳＷ１ａの組み合わせを１つ加え、スイッチＳＷ２にもスイッチＳＷ１と同様に、新たに、雄型スイッチＳＷ２ｂと雌型スイッチＳＷ２ａの組み合わせを１つ加えて、それらを用いて、スイッチＳＷ１が導通した場合には（内枠１２が開放された場合には）、ＭＰＵ２０１は、音声ランプ制御装置１１３や表示制御装置１１４へ内枠コマンドを送信するように構成する。また、スイッチＳＷ２が導通した場合には（前面枠１４が開放された場合には）、ＭＰＵ２０１は、音声ランプ制御装置１１３や表示制御装置１１４へ前面枠コマンドを送信するように構成する。このように構成することで、内枠１２の開放があった場合と前面枠１４の開放があった場合とで異なる態様の報知を、音声ランプ制御装置１１３や表示制御装置１１４を用いて行うことができる。これにより、スイッチＳＷ１の導通（内枠１２の開放）があったのか、スイッチＳＷ２の導通（前面枠１４の開放）があったのか、または両方があったのかを、パチンコ機を用いて正確に検出することができる。
【０３０３】
また、枠開放検出回路２８０および外部出力端子板２６１を新たに設け、その新たに設けた枠開放検出回路２８０に、スイッチＳＷ２のみを接続すると共に、既存の枠開放検出回路２８０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。よって、ホールコンピュータ２６２に記憶されたパルス信号により、スイッチＳＷ１の導通（内枠１２の開放）があったのか、スイッチＳＷ２の導通（前面枠１４の開放）があったのか、または両方があったのかを正確に検出することができる。
【０３０４】
なお、本実施形態においては、外部出力端子板２６１から出力されるパルス信号を、パチンコ機とは設置場所が異なるホールコンピュータ２６２へ出力したが、これに限られるものではない。ホールコンピュータ２６２の機能を有する専用の記憶装置をパチンコ機毎に設け、その専用の記憶装置を、主制御装置１１０等が設けられる各パチンコ機の背面側に配設しても良い。この場合には、より良くは、主制御装置１１０、払出制御装置１１１および発射制御装置１１２のように、専用の記憶装置を基板ボックスに収納し、その基板ボックスに設けられたボックスベースとボックスカバーとを封印ユニット（図示せず）によって開封不能に連結（かしめ構造による連結）する。そして、ボックスベースとボックスカバーとの連結部に、ボックスカバーとボックスベースとに亘って封印シール（図示せず）を貼付する。
【０３０５】
以上、一実施の形態に基づき本発明を説明したが、本発明は上記形態に何ら限定されるものではなく、本発明の趣旨を逸脱しない範囲内で種々の変形改良が可能であることは容易に推察できるものである。
【０３０６】
例えば、上記各実施の形態では、主制御装置１１０から各コマンドが音声ランプ制御装置１１３に対して送信され、その音声ランプ制御装置１１３から表示制御装置１１４に対して表示の指示がなされるよう構成したが、主制御装置１１０から表示制御装置１１４に直接コマンドを送信するものとしても良い。また、表示制御装置に音声ランプ制御装置を接続して、表示制御装置から各音声の出力とランプの点灯を指示するコマンドを音声ランプ制御装置に送信するよう構成しても良い。さらに、音声ランプ制御装置と表示制御装置とを１の制御装置として構成するものとしても良い。
【０３０７】
また、上記実施の形態においては、第１入球口６４への入賞および第２入球口６７の通過は、それぞれ最大４回まで保留されるように構成したが、最大保留回数は４回に限定されるものでなく、３回以下、又は、５回以上の回数（例えば、８回）に設定しても良い。また、第１入球口６４への入賞に基づく変動表示の保留回数を、第３図柄表示装置８１の一部においても、数字で、或いは、４つに区画された領域を保留回数分だけ異なる態様（例えば、色や点灯パターン）にして表示するようにしても良く、第１図柄表示装置３７とは別体でランプ等の発光部材を設け、該発光部材によって保留回数を通知するように構成しても良い。
【０３０８】
また、上記実施の形態に示すように、動的表示の一種である変動表示は、第３図柄表示装置８１の表示画面上で識別情報としての図柄を縦方向にスクロールさせるものに限定されず、横方向あるいはＬ字形等の所定経路に沿って図柄を移動表示して行うものであっても良い。また、識別情報の動的表示としては、図柄の変動表示に限られるものではなく、例えば、１又は複数のキャラクタを図柄と共に、若しくは、図柄とは別に多種多様に動作表示または変化表示させて行われる演出表示なども含まれるのである。この場合、１又は複数のキャラクタが、第３図柄として用いられる。
【０３０９】
本発明を上記実施の形態とは異なるタイプのパチンコ機等に実施しても良い。例えば、Ｖゾーン等の特別領域を有する入賞装置を有するいわゆる第２種パチンコ遊技機などに実施しても良い。更に、パチンコ機以外にも、アレパチ、雀球など他の遊技機として実施するようにしても良い。
【０３１０】
本発明を上記実施の形態とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される）として実施しても良い。また、大当たり図柄が表示された後に、所定の領域に球を入賞させることを必要条件として遊技者に所定の遊技価値を付与する特別遊技を発生させるパチンコ機として実施しても良い。また、Ｖゾーン等の特別領域を有する入賞装置を有し、その特別領域に球を入賞させることを必要条件として特別遊技状態となるパチンコ機に実施しても良い。更に、パチンコ機以外にも、アレパチ、雀球、スロットマシン、いわゆるパチンコ機とスロットマシンとが融合した遊技機などの各種遊技機として実施するようにしても良い。
【０３１１】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０３１２】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。
【０３１３】
以下に、本発明の遊技機および変形例を示す。本体と、その本体の前面を開閉する扉体と、その扉体と前記本体とにより形成される空間内に設けられ遊技の制御を行う制御手段とを備えた遊技機において、前記本体に対する前記扉体の開放を検出する扉開放検出手段と、その扉開放検出手段により前記扉体の開放が検出された場合に、その検出結果を特定装置へ出力する出力手段とを備え、その出力手段は、前記遊技機の電源がオフされて前記制御手段が停止している場合に、前記扉開放検出手段による検出結果を前記特定装置へ出力可能に構成されていることを特徴とする遊技機１。
【０３１４】
遊技機１によれば、遊技機の電源がオフされ制御手段が停止している状態であっても、扉開放検出手段によって扉体の開放が検出されると、その検出結果は出力手段によって特定装置へ出力される。よって、例えば、すべての遊技機の電源がオフされている閉店後に、何者かによる不正行為によって扉体が開放されても、その扉体の開放された遊技機を特定装置によって判別できる。
【０３１５】
なお、扉体と本体とにより形成される空間内とは、扉体の閉鎖時に手を触れることができない扉体の背面または背面側を示している。また、複数の遊技機毎に設けられた出力手段から出力される検出結果を１の特定装置で受信しても良いし、遊技機毎に特定装置を設け、その特定装置を各遊技機に配設しても良い。特定装置を各遊技機に配設する場合には、ボックスベースと、そのボックスベースの開口部を覆うボックスカバーとを互いに連結させて、そのボックスカバーとボックスベースとにより形成される空間内に特定装置を収納する。そして、ボックスカバーとボックスベースとを封印ユニットにより開封不能に連結する。更に、ボックスカバーとボックスベースとの連結部には、ボックスカバーとボックスベースとに亘って封印シールを貼着する。その上で、扉体の背面または背面側に特定装置を配設すれば良い。
【０３１６】
本体と、その本体の前面を開閉する扉体と、その扉体と前記本体とにより形成される空間内に設けられ遊技の制御を行う制御手段とを備えた遊技機において、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める出力期間制限手段と、その出力期間制限手段と前記出力手段とを前記遊技機の電源オフ中に動作させるオフ中動作手段とを備えていることを特徴とする遊技機２。
【０３１７】
遊技機２によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できる。
【０３１８】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできる。
【０３１９】
本体と、その本体の前面を開閉する扉体と、その扉体と前記本体とにより形成される空間内に設けられ遊技の制御を行う制御手段とを備えた遊技機において、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める出力期間制限手段と、その出力期間制限手段と前記出力手段とを前記遊技機の電源オフ中に動作させるオフ中動作手段とを備え、前記出力手段は、前記出力期間制限手段からの出力に基づいて前記特定装置へ検出結果を出力し、前記出力期間制限手段は、前記扉開放検出手段により前記扉体の開放が検出された場合に、前記所定期間中に前記出力手段への出力を行うことを特徴とする遊技機３。
【０３２０】
遊技機３によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できる。
【０３２１】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできる。
【０３２２】
更に、出力期間制限手段からの出力に基づいて特定装置へ検出結果を出力する出力手段へは、扉開放検出手段により扉体の開放が検出された場合の所定期間中に、出力期間制限手段によって出力が行われる。よって、出力期間制限手段による出力手段への出力動作を、扉体の１回の開放につき、所定期間以内に留めることができる。従って、遊技機の電源オフ中におけるオフ中動作手段の消耗を抑制できると共に、出力手段の動作可能回数を多くして、扉体の開放の検出可能回数を多くできる。
【０３２３】
本体と、その本体の前面を開閉する扉体と、その扉体と前記本体とにより形成される空間内に設けられ遊技の制御を行う制御手段とを備えた遊技機において、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める出力期間制限手段と、その出力期間制限手段と前記出力手段とを前記遊技機の電源オフ中に動作させるオフ中動作手段とを備え、前記出力手段は、前記出力期間制限手段からの出力に基づいて前記特定装置へ検出結果を出力し、前記出力期間制限手段は、前記扉開放検出手段により前記扉体の開放が検出されない場合には、前記出力手段への出力を停止することを特徴とする遊技機４。
【０３２４】
遊技機４によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できる。
【０３２５】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできる。
【０３２６】
更に、特定装置へ検出結果を出力する出力手段への出力期間制限手段の出力は、扉開放検出手段により扉体の開放が検出されない場合には、停止される。よって、扉開放検出手段により扉体の開放が検出されない場合には、出力期間制限手段の出力動作に伴って消費される電力を抑制することができる。従って、遊技機の電源オフ中におけるオフ中動作手段の消耗を抑制できると共に、出力手段の動作可能回数を多くして、扉体の開放の検出可能回数を多くできる。
【０３２７】
本体と、その本体の前面を開閉する扉体と、その扉体と前記本体とにより形成される空間内に設けられ遊技の制御を行う制御手段とを備えた遊技機において、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める単安定マルチバイブレータを用いた出力期間制限手段と、その出力期間制限手段に接続され、前記扉開放検出手段により前記扉体の開放が検出された場合に、前記出力期間制限手段へ入力される信号を前記扉体の開放期間に拘らず前記所定期間よりも短い期間に調整する入力期間調整手段と、前記出力期間制限手段と出力手段とを前記遊技機の電源オフ中に動作させるオフ中動作手段とを備えていることを特徴とする遊技機５。
【０３２８】
遊技機５によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できる。
【０３２９】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできる。
【０３３０】
更に、単安定マルチバイブレータを用いた出力期間制限手段に入力される信号は、入力期間調整手段により、扉体の開放期間に拘らず、出力手段による１回の出力期間である所定期間よりも短く調整される。ここで、単安定マルチバイブレータは、出力される信号の出力期間よりも、入力される信号の入力期間が短くなければ、信号を出力し続ける。このため、単安定マルチバイブレータを出力期間制限手段に用いた場合には、出力される信号の出力期間よりも、即ち、出力期間制限手段が制限する所定期間よりも、出力期間制限手段に入力される信号の入力期間が、即ち、扉体の開放期間が短くなければならない。しかし、扉体の開放期間はどの程度になるか全く予測不能であるので、出力期間制限手段が制限する所定期間よりも、扉体の開放期間が常に短くなるようにするには、所定期間の設定を十分に余裕を持った期間にする必要がある。例えば、扉体の開放期間が、数十秒単位から数分単位と予測すれば、出力期間制限手段が制限する所定期間は、十分に余裕を持って、数分単位から数十分単位に設定しなければならない。すると、この所定期間中、出力期間制限手段および出力手段にオフ中動作手段から電力供給が行われ続けるので、オフ中動作手段の消耗が著しくなってしまう。よって、出力期間制限手段に単安定マルチバイブレータを使用した上でオフ中動作手段の消耗を抑制するためには、特殊な回路構成が必要であった。しかし、遊技機５によれば、入力期間調整手段により、扉体の開放期間に拘らず、出力期間制限手段に入力される信号を所定期間よりも短く調整することができる。よって、扉体の開放期間に拘らず、出力期間制限手段を正常に動作させることができるので、出力手段による１回の出力期間を出力期間制限手段により所定期間内に留めることができる。このように、遊技機５によれば、入力期間調整手段を設けることで、オフ中動作手段の消耗を抑制した上で、特殊な回路構成を採用することなく、単安定マルチバイブレータを用いて出力期間制限手段を実現することができる。
【０３３１】
遊技機５において、前記入力期間調整手段は、積分回路を用いて構成されていることを特徴とする遊技機６。
【０３３２】
遊技機６によれば、積分回路を用いて入力期間調整手段を構成しているので、複雑な回路や信号処理を用いることなく、出力期間制限手段に入力される信号を所定期間よりも短く調整することができる。また、積分回路に用いられる抵抗の抵抗値とコンデンサの容量値とを調整することで、出力期間制限手段に入力される信号の入力期間を所定期間内で自由に調整することができる。
【０３３３】
遊技機５又は６において、前記入力期間調整手段は、前記出力期間制限手段へ入力される信号の最大電圧を一定化する定電圧手段を備えていることを特徴とする遊技機７。
【０３３４】
遊技機７によれば、定電圧手段を設けているので、出力期間制限手段へ入力される信号の最大電圧を一定にして、出力期間制限手段へ入力される信号を安定化させ、出力手段による１回の出力期間を所定期間内に安定して留めることができる。
【０３３５】
また、積分回路を用いて入力期間調整手段を構成している場合には、積分回路に用いるコンデンサに電荷が蓄えられ、この電荷による電圧が、出力期間制限手段へ入力される信号と重畳されて、出力期間制限手段を破壊し得る過電圧が出力期間制限手段に印加される虞がある。しかし、遊技機７によれば、定電圧手段により、出力期間制限手段へ入力される信号の最大電圧を一定にしているので、出力期間制限手段を破壊し得る過電圧は出力期間制限手段に印加されない。よって、出力期間制限手段の破壊を防止することができる。
【０３３６】
遊技機７において、前記定電圧手段は、ツェナーダイオードで構成されていることを特徴とする遊技機８。
【０３３７】
遊技機８によれば、ツェナーダイオードにより定電圧手段を構成しているので、複雑な回路により構成される定電圧回路等と比較して、簡単な構成且つ安価に、出力期間制限手段へ入力される信号の最大電圧を一定にすることができる。よって、簡単な構成且つ安価なツェナーダイオードを用いて、出力期間制限手段へ入力される信号を安定化させ、出力手段による１回の出力期間を所定期間内に安定して留めつつ、出力期間制限手段を破壊し得る過電圧が出力期間制限手段に印加されることを防止することができる。
【０３３８】
遊技機１から８において、前記扉体は、前記本体に対して開閉される内枠と、その内枠に対して開閉される透明板支持扉とを有して構成され、前記扉開放検出手段は、その内枠と透明板支持扉とにそれぞれ設けられると共に、前記出力手段に並列接続されており、前記出力手段は、前記扉開放検出手段により前記内枠または透明板支持扉の少なくとも一方の開放が検出された場合に、その検出結果を前記特定装置へ出力することを特徴とする遊技機９。
【０３３９】
遊技機９によれば、扉開放検出手段は、内枠と透明板支持扉とにそれぞれ設けられると共に、出力手段に並列接続されているので、扉開放検出手段により内枠または透明板支持扉の少なくとも一方の開放が検出された場合には、出力手段によって、その検出結果が特定装置へ出力される。よって、扉体を構成する内枠または透明板支持扉のいずれか一方の開放であっても、１の出力手段によって、その開放を特定装置へ報せることができる。
【０３４０】
遊技機１から９のいずれかにおいて、前記扉開放検出手段は、前記扉体が開放されている場合には導通される一方、前記扉体が閉鎖されている場合には遮断されるように構成されていることを特徴とする遊技機１０。遊技機１０によれば、扉開放検出手段は、扉体が開放されている場合には導通され、一方、扉体が閉鎖されている場合には遮断されるので、不正行為の実行時である扉体の開放中にのみ出力手段を動作させて、電力消費を小さく抑えることができる。
【０３４１】
遊技機１から１０のいずれかにおいて、前記遊技機の電源オン中に充電されるオフ中動作手段を備えており、前記出力手段は、そのオフ中動作手段に充電された電荷または電力によって動作することを特徴とする遊技機１１。遊技機１１によれば、オフ中動作手段は、遊技機の電源オン中に、その遊技機に供給される電力によって充電されるので、遊技機の電源を遊技場の営業時間に合わせてオンするだけで、オフ中動作手段を充電することができる。よって、遊技場の閉店後の遊技機の電源がオフされている間に扉体の開放があった場合には、オフ中動作手段により出力手段（および出力期間制限手段）を動作させて、扉開放検出手段による検出結果を特定装置へ報せることができる。
【０３４２】
遊技機１から１１のいずれかにおいて、前記制御手段は、遊技の主な制御を行う主制御手段を備え、前記出力手段は、その主制御手段に搭載されていることを特徴とする遊技機１２。
【０３４３】
遊技機１から１１のいずれかにおいて、前記出力手段は、前記制御手段とは別の基板に搭載されていることを特徴とする遊技機１３。
【０３４４】
遊技機１から１３のいずれかにおいて、前記出力手段は、フォトカプラを備えており、前記扉開放検出手段による検出結果を、そのフォトカプラの出力により前記特定装置へ出力することを特徴とする遊技機１４。
【０３４５】
遊技機２から１４のいずれかにおいて、前記出力期間制限手段と前記出力手段とは、前記制御手段の動作電圧より低い電圧であっても動作可能に構成されていることを特徴とする遊技機１５。遊技機１５によれば、出力期間制限手段と出力手段とは、制御手段の動作電圧より低い電圧であっても動作可能に構成されているので、オフ中動作手段の充電量が減少して、オフ中動作手段の出力電圧が制御手段の動作電圧より低くなっても、出力期間制限手段および出力手段を動作させて、扉体の開放を特定装置へ報せることができる。即ち、遊技機の電源オフ時における扉体の開放検出を長時間行うことができる。
【０３４６】
遊技機２から１５のいずれかにおいて、前記出力期間制限手段と前記出力手段とは、その動作可能範囲電圧が前記制御手段の動作可能範囲電圧より広範囲に構成されていることを特徴とする遊技機１６。遊技機１６によれば、出力期間制限手段と出力手段とは、その動作可能範囲電圧が制御手段の動作可能範囲電圧より広範囲に構成されている。よって、遊技機の電源オフ時において、オフ中動作手段によって出力期間制限手段と出力手段とを長時間動作させることができるので、遊技機の電源オフ時における扉体の開放検出を長時間行うことができる。
【０３４７】
遊技機２から１６のいずれかにおいて、前記出力期間制限手段は、Ｃ−ＭＯＳ半導体を有して構成されていることを特徴とする遊技機１７。遊技機１７によれば、出力期間制限手段は、Ｃ−ＭＯＳ半導体を有して構成されている。ここで、Ｃ−ＭＯＳ半導体は、一般的に動作時の消費電力が小さい。よって、遊技機１７によれば、オフ中動作手段の消耗を小さくして、遊技機の電源オフ時における扉体の開放検出を長時間行うことができる。
【０３４８】
遊技機１から１７のいずれかにおいて、前記遊技機はパチンコ遊技機であることを特徴とする遊技機１８。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３４９】
遊技機１から１７のいずれかにおいて、前記遊技機はスロットマシンであることを特徴とする遊技機１９。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０３５０】
遊技機１から１７のいずれかにおいて、前記遊技機はパチンコ遊技機とスロットマシンとを融合させたものであることを特徴とする遊技機２０。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０３５１】
１０                        パチンコ機（遊技機）
１１                        外枠（本体）
１２                        内枠（扉体の一部）
１４                        前面枠（透明板支持扉，扉体の一部）
１１０                      主制御装置（制御手段の一部，主制御手段）
２６０，２７０，２８０      枠開放検出回路（出力手段の一部）
２６１                      外部出力端子板（出力手段の一部）
２８１                      積分回路（入力期間調整手段）
ＣＤ１，ＣＤ６              コンデンサ（オフ中動作手段）
Ｄ３                        ツェナーダイオード（定電圧手段）
ＩＣ１                      タイマ（出力期間制限手段）
ＰＲ１                      フォトカプラ（出力手段の一部）
ＳＷ１，ＳＷ２              スイッチ（扉開放検出手段）
【図１】
2020078716.tif 000003
【図２】
2020078716.tif 000004
【図３】
2020078716.tif 000005
【図４】
2020078716.tif 000006
【図５】
2020078716.tif 000007
【図６】
2020078716.tif 000008
【図７】
2020078716.tif 000009
【図８】
2020078716.tif 000010
【図９】
2020078716.tif 000011
【図１０】
2020078716.tif 000012
【図１１】
2020078716.tif 000013
【図１２】
2020078716.tif 000014
【図１３】
2020078716.tif 000015
【図１４】
2020078716.tif 000016
【図１５】
2020078716.tif 000017
【図１６】
2020078716.tif 000018
【図１７】
2020078716.tif 000019
【図１８】
2020078716.tif 000020
【図１９】
2020078716.tif 000021
【図２０】
2020078716.tif 000022
【図２１】
2020078716.tif 000023
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
本体と、その本体に対して開閉可能な扉体と、遊技の制御を行う制御手段とを備えた遊技機において、
前記本体に対する前記扉体の開放を検出する扉開放検出手段と、
その扉開放検出手段により前記扉体の開放が検出された場合に、その検出結果を特定装置へ出力する出力手段と、
その出力手段による出力を前記扉体が開放されてから閉鎖される１回の開閉動作について１回とし、且つ、その１回の出力期間を、所定期間以内に留める出力期間制限手段と、
その出力期間制限手段と前記出力手段とに前記制御手段を動作させる電圧よりも高い電圧を供給し、その出力期間制限手段と前記出力手段とを前記遊技機の電源オン中に動作させるオン中動作手段と、
そのオン中動作手段から供給される電圧を使って、前記出力手段に複数回の出力をさせるのに必要な電荷が充電され、その充電された電荷を放電して前記出力期間制限手段と前記出力手段とを前記遊技機の電源オフ中に動作させるオフ中動作手段とを備えていることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機、回胴式遊技機（例えばスロットマシン）、或いは遊技球を使用した回胴式遊技機等に代表される遊技機に関するものである。
【背景技術】
【０００２】
パチンコ機では、例えば、遊技領域に打ち込まれた球が図柄作動口へ入球すると、その入球のタイミングで抽選が行われる。また、スロットマシンや遊技球を使用した回胴式遊技機では、スタートレバーを操作すると、その操作したタイミングで抽選が行われる。抽選の結果、例えば当たりになると、賞球やコインの払い出しが可能な状態となる。この抽選および当たりを決定するための制御は、主制御装置によって行われるので、主制御装置が不正行為の対象になり易い。
【０００３】
具体的な不正行為としては、例えば、主制御装置を、当たりが頻繁に発生する不正なものに取り替えたり、或いは、主制御装置に不正な基板（例えば「ぶら下げ基板」）を接続して、当たりを不正に発生させるものなどがある。また、パチンコ機の場合、遊技盤面上に打ち込まれている釘を不正に曲げて、入賞口や図柄作動口へ球が入球し易くする不正行為などもある。
パチンコ機の場合、主制御装置は遊技盤の裏面側に装着されている。一方、遊技盤の前面には、ガラス枠が設けられ、このガラス枠は、遊技盤が装着される内枠体に対して、開閉可能にされている。よって、不正行為者が遊技盤面や主制御装置に対して不正行為を行う場合には、内枠またはガラス枠を開放しなければならないが、内枠またはガラス枠が開放された場合には、その開放がセンサによって検出され、遊技場を管理するホールコンピュータへ報される等の各種報知が行われ、どのパチンコ機に対して不正行為がなされたかは容易に把握することができる。
【先行技術文献】
【特許文献】
【０００４】
【特許文献１】特開２００１−１９８３３２号公報
【発明の概要】
【発明が解決しようとする課題】
【０００５】
しかしながら、遊技場の閉店後の例えば深夜に、不正行為者が侵入し、その侵入者が内枠またはガラス枠を開放して不正行為を行った場合、そのときにはパチンコ機の電源は断されており、パチンコ機は停止しているので、内枠またはガラス枠の開放を検知することができないという問題点があった。
【０００６】
本発明は、上記例示した問題点等を解決するためになされたものであり、遊技機の電源がオフされている場合にも不正防止を図ることが可能な遊技機を提供することを目的としている。
【課題を解決するための手段】
【０００７】
この目的を達成するために請求項１記載の遊技機は、本体と、その本体に対して開閉可能な扉体と、遊技の制御を行う制御手段とを備えており、前記本体に対する前記扉体の開放を検出する扉開放検出手段と、その扉開放検出手段により前記扉体の開放が検出された場合に、その検出結果を特定装置へ出力する出力手段と、その出力手段による出力を前記扉体が開放されてから閉鎖される１回の開閉動作について１回とし、且つ、その１回の出力期間を、所定期間以内に留める出力期間制限手段と、その出力期間制限手段と前記出力手段とに前記制御手段を動作させる電圧よりも高い電圧を供給し、その出力期間制限手段と前記出力手段とを前記遊技機の電源オン中に動作させるオン中動作手段と、そのオン中動作手段から供給される電圧を使って、前記出力手段に複数回の出力をさせるのに必要な電荷が充電され、その充電された電荷を放電して前記出力期間制限手段と前記出力手段とを前記遊技機の電源オフ中に動作させるオフ中動作手段とを備えている。
【０００８】
【０００９】
【００１０】
【００１１】
【００１２】
【発明の効果】
【００１３】
本発明の遊技機によれば、本体と、その本体に対して開閉可能な扉体と、遊技の制御を行う制御手段とを備えており、前記本体に対する前記扉体の開放を検出する扉開放検出手段と、その扉開放検出手段により前記扉体の開放が検出された場合に、その検出結果を特定装置へ出力する出力手段と、その出力手段による出力を前記扉体が開放されてから閉鎖される１回の開閉動作について１回とし、且つ、その１回の出力期間を、所定期間以内に留める出力期間制限手段と、その出力期間制限手段と前記出力手段とに前記制御手段を動作させる電圧よりも高い電圧を供給し、その出力期間制限手段と前記出力手段とを前記遊技機の電源オン中に動作させるオン中動作手段と、そのオン中動作手段から供給される電圧を使って、前記出力手段に複数回の出力をさせるのに必要な電荷が充電され、その充電された電荷を放電して前記出力期間制限手段と前記出力手段とを前記遊技機の電源オフ中に動作させるオフ中動作手段とを備えている。よって、遊技機の電源がオフされている場合にも不正防止を図ることができるという効果がある。
【００１４】
【００１５】
【００１６】
【００１７】
【００１８】
【００１９】
【００２０】
【００２１】
【００２２】
【００２３】
【００２４】
【図面の簡単な説明】
【００２５】
【図１】パチンコ機の正面図である。
【図２】パチンコ機の遊技盤の正面図である。
【図３】パチンコ機の背面図である。
【図４】内枠と前面枠と下皿ユニットとが開放された状態におけるパチンコ機の斜視図である。
【図５】スイッチの構造を示した図である。
【図６】パチンコ機の電気的構成を示すブロック図である。
【図７】枠開放検出回路及び外部出力端子板の電気的構成を示したブロック図である。
【図８】内枠の状態、前面枠の状態、タイマのＴＲＧ端子電圧、タイマのＯＵＴ端子電圧および外部出力端子板の出力の関係を示したタイミングチャートである。
【図９】（ａ）は、表示画面の領域区分設定と有効ライン設定とを模式的に示した図であり、（ｂ）は、実際の表示画面を例示した図である。
【図１０】各種カウンタの概要を示す図である。
【図１１】主制御装置１１０内のＭＰＵ２０１により実行される立ち上げ処理を示すフローチャートである。
【図１２】主制御装置内のＭＰＵにより実行されるメイン処理を示すフローチャートである。
【図１３】メイン処理の中で実行される変動処理を示すフローチャートである。
【図１４】変動処理の中で実行される変動開始処理を示したフローチャートである。
【図１５】タイマ割込処理を示すフローチャートである。
【図１６】タイマ割込処理の中で実行される始動入賞処理を示すフローチャートである。
【図１７】ＮＭＩ割込処理を示すフローチャートである。
【図１８】第２実施形態の枠開放検出回路の電気的構成を示したブロック図である。
【図１９】内枠１２の状態、前面枠１４の状態、第２実施形態の枠開放検出回路のＡの電圧および外部出力端子板の出力の関係を示したタイミングチャートである。
【図２０】第３実施形態の枠開放検出回路の電気的構成を示したブロック図である。
【図２１】内枠の状態、前面枠の状態、第３実施形態のタイマのＴＲＧ端子電圧、第３実施形態のタイマのＯＵＴ端子電圧および外部出力端子板の出力の関係を示したタイミングチャートである。
【発明を実施するための形態】
【００２６】
以下、パチンコ遊技機（以下、単に「パチンコ機」という）の一実施の形態を、図面に基づいて説明する。図１はパチンコ機１０の正面図であり、図２はパチンコ機１０の遊技盤１３の正面図であり、図３はパチンコ機１０の背面図である。
【００２７】
パチンコ機１０は、図１に示すように、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００２８】
内枠１２には、多数の釘や入賞口６３，６４等を有する遊技盤１３（図２参照）が裏面側から着脱可能に装着される。この遊技盤１３の前面を球が流下することにより弾球遊技が行われる。なお、内枠１２には、球を遊技盤１３の前面領域に発射する球発射ユニット１１２ａ（図５参照）やその球発射ユニット１１２ａから発射された球を遊技盤１３の前面領域まで誘導する発射レール（図示せず）等が取り付けられている。
【００２９】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００３０】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａへと案内される。また、上皿１７の上面には、枠ボタン２２が設けられている。この枠ボタン２２は、例えば、第３図柄表示装置８１で表示される変動表示の演出パターンを変更したり、リーチ演出時の演出内容を変更したりする場合などに、遊技者により操作される。
【００３１】
加えて、前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。
【００３２】
また、前面枠１４の正面視（図１参照）左上部には、ＬＥＤ等の発光手段が内蔵され賞球の払い出し中とエラー発生時とを表示可能な表示ランプ３４が設けられている。また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等はパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００３３】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００３４】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設され、かかる操作ハンドル５１の内部には球発射ユニット１１２ａの駆動を許可するためのタッチセンサ５１ａと、押下操作している期間中には球の発射を停止する押しボタン式の打ち止めスイッチ５１ｂと、操作ハンドル５１の回動操作量を電気抵抗の変化により検出する可変抵抗器（図示せず）とが内蔵されている。操作ハンドル５１が遊技者によって右回りに回転操作されると、タッチセンサがオンされると共に可変抵抗器の抵抗値が操作量に対応して変化し、操作ハンドル５１の回動操作量に応じて変化する可変抵抗器の抵抗値に対応した強さで球が発射され、これにより遊技者の操作に対応した飛び量で遊技盤１３の前面へ球が打ち込まれる。また、操作ハンドル５１が遊技者により操作されていない状態においては、タッチセンサ５１ａおよび打ち止めスイッチ５１ｂがオフとなっている。
【００３５】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。かかる球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００３６】
図２に示すように、遊技盤１３は、正面視略正方形状に切削加工した木製のベース板６０に、球案内用の多数の釘や風車およびレール６１，６２、一般入賞口６３、第１入球口６４、可変入賞装置６５、可変表示装置ユニット８０等を組み付けて構成され、その周縁部が内枠１２の裏面側に取り付けられる。一般入賞口６３、第１入球口６４、可変入賞装置６５、可変表示装置ユニット８０は、ルータ加工によってベース板６０に形成された貫通穴に配設され、遊技盤１３の前面側から木ネジ等により固定されている。また、遊技盤１３の前面中央部分は、前面枠１４の窓部１４ｃ（図１参照）を通じて内枠１３の前面側から視認することができる。以下に、遊技盤１３の構成について説明する。
【００３７】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２と円弧部材７０とにより区画して形成される略円形状の領域（入賞口等が配設され、発射された球が流下する領域）である。
【００３８】
２本のレール６１，６２は、球発射ユニット１１２ａから発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００３９】
遊技領域の正面視右側上部（図２の右側上部）には、発光手段である複数のＬＥＤ３７ａと７セグメント表示器３７ｂとが設けられた第１図柄表示装置３７が配設されている。第１図柄表示装置３７は、主制御装置１１０で行われる各制御に応じた表示がなされるものであり、主にパチンコ機１０の遊技状態の表示が行われる。複数のＬＥＤ３７ａは、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すものである。７セグメント表示装置３７ｂは、大当たり中のラウンド数やエラー表示を行うものである。なお、ＬＥＤ３７ａは、それぞれのＬＥＤの発光色（例えば、赤、緑、青）が異なるよう構成され、その発光色の組合わせにより、少ないＬＥＤでパチンコ機１０の各種遊技状態を示唆することができる。
【００４０】
なお、上述したパチンコ機１０が確変中とは、大当たり確率がアップして特別遊技状態へ移行し易い遊技の状態である。更に、本実施の形態における確変中は、第２図柄の当たり確率がアップして第１入球口６４へ球が入球し易い遊技の状態である。また、パチンコ機１０が時短中とは、大当たり確率がそのままで第２図柄の当たり確率のみがアップして第１入球口６４へ球が入球し易い遊技の状態である。また、パチンコ機１０が通常中とは、確変中でも時短中でもない遊技の状態（大当たり確率も第２図柄の当たり確率もアップしていない状態）である。なお、パチンコ機１０の遊技状態に応じて、第１入球口６４に付随する電動役物（図示せず）が開放する時間や、１回の当たりで電動役物が開放する回数を変更するものとしても良い。
【００４１】
また、遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４への入賞をトリガとして第３図柄を変動表示する液晶ディスプレイ（以下単に「表示装置」と略す。）で構成された第３図柄表示装置８１と、第２入球口６７の球の通過をトリガとして第２図柄を変動表示する発光ダイオード（以下、「ＬＥＤ」と略す。）で構成される第２図柄表示装置８２とが設けられている。
【００４２】
第３図柄表示装置８１は、後述する表示制御装置１１４によって表示内容が制御され、例えば左、中及び右の３つの図柄列が表示される。各図柄列は複数の図柄によって構成され、これらの図柄が図柄列毎に縦スクロールして第３図柄表示装置８１の表示画面上にて第３図柄が可変表示されるようになっている。また、本実施の形態では、第３図柄表示装置８１は８インチサイズの大型の液晶ディスプレイで構成され、可変表示装置ユニット８０には、この第３図柄表示装置８１の外周を囲むようにして、センターフレーム８６が配設されている。本実施の形態の第３図柄表示装置８１は、主制御装置１１０の制御に伴った遊技状態の表示が第１図柄表示装置３７で行われるのに対して、その第１図柄表示装置３７の表示に応じた装飾的な表示を行うものである。なお、表示装置に代えて、例えば、リール等を用いて第３図柄表示装置８１を構成するようにしても良い。
【００４３】
また、第１図柄表示装置３７にて停止図柄（確変大当たり図柄、普通大当たり図柄、外れ図柄のいずれか１つ）が表示されるまでの間に球が第１入球口６４へ入球した場合、その入球回数は最大４回まで保留され、その保留回数は第１図柄表示装置３７により示されると共に保留ランプ８５の点灯個数においても示される。保留ランプ８５は、最大保留数分の４つ設けられ、第３図柄表示装置８１の上方に左右対称に配設されている。なお、本実施の形態においては、第１入球口６４への入賞は、最大４回まで保留されるように構成したが、最大保留回数は４回に限定されるものでなく、３回以下、又は、５回以上の回数（例えば、８回）に設定しても良い。また、保留ランプ８５を削除し、第１入球口６４への入賞に基づく変動表示の保留回数を第３図柄表示装置８１の一部に数字で、或いは、４つに区画された領域を保留回数分だけ異なる態様（例えば、色や点灯パターン）にして表示するようにしても良い。また、第１図柄表示装置３７により保留回数が示されるので、保留ランプ８５により点灯表示を行わないものとしても良い。
【００４４】
第２図柄表示装置８２は、第２図柄の表示部８３と保留ランプ８４とを有し、球が第２入球口６７を通過する毎に、表示部８３において表示図柄（第２図柄）としての「○」の図柄と「×」の図柄とが交互に点灯して変動表示が行われ、その変動表示が所定図柄（本実施の形態においては「○」の図柄）で停止した場合に第１入球口６４が所定時間だけ作動状態となる（開放される）よう構成されている。球の第２入球口６７の通過回数は最大４回まで保留され、その保留回数が上述した第１図柄表示装置３７により表示されると共に保留ランプ８４においても点灯表示される。なお、第２図柄の変動表示は、本実施の形態のように、表示部８３において複数のランプの点灯と非点灯を切り換えることにより行うものの他、第１図柄表示装置３７及び第３図柄表示装置８１の一部を使用して行うようにしても良い。同様に、保留ランプ８４の点灯を第３図柄表示装置８１の一部で行うようにしても良い。また、第２入球口６７の通過は、第１入球口６４と同様に、最大保留回数は４回に限定されるものでなく、３回以下、又は、５回以上の回数（例えば、８回）に設定しても良い。また、第１図柄表示装置３７により保留回数が示されるので、保留ランプ８４により点灯表示を行わないものとしても良い。
【００４５】
可変表示装置ユニット８０の下方には、球が入球し得る第１入球口６４が配設されている。この第１入球口６４へ球が入球すると遊技盤１３の裏面側に設けられる第１入球口スイッチ（図示せず）がオンとなり、その第１入球口スイッチのオンに起因して主制御装置１１０で大当たりの抽選がなされ、その抽選結果に応じた表示が第１図柄表示装置３７のＬＥＤ３７ａで示される。また、第１入球口６４は、球が入球すると５個の球が賞球として払い出される入賞口の１つにもなっている。
【００４６】
第１入球口６４の下方には可変入賞装置６５が配設されており、その略中央部分に横長矩形状の特定入賞口（大開放口）６５ａが設けられている。パチンコ機１０においては、主制御装置１１０での抽選が大当たりとなると、所定時間（変動時間）が経過した後に、大当たりの停止図柄となるよう第１図柄表示装置３７のＬＥＤ３７ａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００４７】
この特定入賞口６５ａは、所定時間が経過すると閉鎖され、その閉鎖後、再度、その特定入賞口６５ａが所定時間開放される。この特定入賞口６５ａの開閉動作は、最高で例えば１６回（１６ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００４８】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００４９】
なお、上記した形態に特別遊技状態は限定されるものではない。特定入賞口６５ａとは別に開閉される大開放口を遊技領域に設け、第１図柄表示装置３７において大当たりに対応したＬＥＤ３７ａが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。
【００５０】
遊技盤１３の下側における左右の隅部には、証紙や識別ラベル等を貼着するための貼着スペースＫ１，Ｋ２が設けられ、貼着スペースＫ１に貼られた証紙等は、前面枠１４の小窓３５（図１参照）を通じて視認することができる。
【００５１】
更に、遊技盤１３には、アウト口６６が設けられている。いずれの入賞口６３，６４，６５ａにも入球しなかった球はアウト口６６を通って図示しない球排出路へと案内される。遊技盤１３には、球の落下方向を適宜分散、調整等するために多数の釘が植設されているとともに、風車等の各種部材（役物）が配設されている。
【００５２】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００５３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００５４】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００５５】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００５６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図５参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００５７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００５８】
次に、図４を参照して、本パチンコ機１０の内部構成について説明する。図４は、内枠１２と前面枠１４と下皿ユニット１５とが開放された状態におけるパチンコ機１０の斜視図である。
【００５９】
パチンコ機１０には、その外殻を形成する外枠１１が設けられ、この外枠１１に対して内枠１２が開閉可能に支持される。遊技場においては、外枠１１の外周面が遊技場の島と呼ばれる設置箇所に固定される。内枠１２、前面枠１４および下皿ユニット１５は、外枠１１に対して前面側に開放可能に構成されるので、パチンコ機１０の前面側からは触れられない裏面側や内部に対しての点検や調整は、外枠１１に対して内枠１２等を前面側に開放して行われる。
【００６０】
外枠１１には、内枠１２を支持するために正面視左側の上下２カ所に金属製の上ヒンジ（図示せず）および下ヒンジ（図示せず）が取り付けられている。この上ヒンジおよび下ヒンジが設けられた側を開閉の軸として内枠１２は開閉可能に支持される。
【００６１】
内枠１２は、矩形状に形成されたＡＢＳ樹脂製の内枠ベース５２を主体に構成されており、内枠ベース５２の中央部には略円形状の中央窓５２ａが形成されている。内枠ベース５２の裏面側には遊技盤１３の取付部が設けられ、遊技盤１３が着脱可能に装着される。
【００６２】
内枠ベース５２の中央窓５２ａの下側は、前面側が開放した凹状に窪んで形成されており、その奥側には、平面状の取付面５２ｂが形成されている。取付面５２ｂには、球を遊技盤１３の前面に発射するための発射ユニット１４０や、上皿１７および下皿５０に球を排出する通路を形成する通路形成部材５３等が取り付けられる。
【００６３】
外枠１１と内枠１２との間には、内枠１２の開放および閉鎖を検出するスイッチＳＷ１（ＳＷ１ａ，ＳＷ１ｂ）が設けられており、内枠１２と前面枠１４との間には、前面枠１４の開放および閉鎖を検出するスイッチＳＷ２（ＳＷ２ａ，ＳＷ２ｂ）が設けられている。スイッチＳＷ１は、外枠１１の内枠１２と対向する面に配設された雌型スイッチＳＷ１ａと、内枠１２の外枠１１と対向する面に配設された雄型スイッチＳＷ１ｂとから構成される。また、スイッチＳＷ２は、内枠１２の前面枠１４と対向する面に配設された雌型スイッチＳＷ２ａと、前面枠１４の内枠１２と対向する面に配設された雄型スイッチＳＷ２ｂとから構成される。
【００６４】
ここで、図５を参照して、スイッチＳＷ１およびスイッチＳＷ２の構造について説明する。なお、スイッチＳＷ１とスイッチＳＷ２とは同一の構造であるので、スイッチＳＷ１についてその構造を説明し、スイッチＳＷ２についてはその説明を省略する。
【００６５】
図５は、スイッチＳＷ１の構造を示した図である。図５（ａ）は、内枠１２が閉鎖された状態におけるスイッチＳＷ１の状態（遮断状態）を示した図である。また、図５（ｂ）は、内枠１２が開放された状態におけるスイッチＳＷ１の状態（導通状態）を示した図である。
【００６６】
図５（ａ）に示すように、外枠１１の内枠１２と対向する面に配設された雌型スイッチＳＷ１ａには、導電部材である金属から構成される一対の端子対ＳＷ１ｃが内蔵されている。内枠１２が閉鎖された状態においては、外枠１１の内枠１２と対向する面に配設された雌型スイッチＳＷ１ａに、内枠１２の外枠１１と対向する面に配設された雄型スイッチＳＷ１ｂが内挿される状態となり、端子対ＳＷ１ｃ同士の接触が妨げられる。よって、内枠１２が閉鎖された状態においては、スイッチＳＷ１は導通が遮断された状態となる。
【００６７】
一方、図５（ｂ）に示すように、内枠１２が開放された状態においては、外枠１１の内枠１２と対向する面に配設された雌型スイッチＳＷ１ａから、内枠１２の外枠１１と対向する面に配設された雄型スイッチＳＷ１ｂが引き抜かれた状態となる。雌型スイッチＳＷ１ａに内蔵される端子対ＳＷ１ｃは、互いに対向する方向に付勢力が発生する構造であるため、雄型スイッチＳＷ１ｂが雌型スイッチＳＷ１ａから引き抜かれた状態では、端子対ＳＷ１ｃ同士が接触する。よって、内枠１２が開放された状態においては、スイッチＳＷ１は導通された状態となる。
【００６８】
このように、スイッチＳＷ１は、内枠１２が閉鎖された状態では遮断状態となる一方、内枠１２が開放された状態では導通状態となる。ただし、スイッチＳＷ１の構造は、図５に記載した形状に限られるものではなく、内枠１２が閉鎖された状態では、スイッチＳＷ１が遮断状態となる一方、内枠１２が開放された状態では、スイッチＳＷ１が導通状態となる構造であれば良い。これは、スイッチＳＷ２の構造についても同様である。
【００６９】
次に、図６を参照して、本パチンコ機１０の電気的構成について説明する。図６は、パチンコ機１０の電気的構成を示すブロック図である。
【００７０】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７１】
ＲＡＭ２０３は、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図１２参照）によって電源遮断時に実行され、ＲＡＭ２０３に書き込まれた各値の復帰は電源投入時の立ち上げ処理（図１１参照）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図１７参照）が即座に実行される。
【００７３】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置８２や、図示しないスイッチ群やセンサ群などからなる各種スイッチ２０８や、特定入賞口６５ａの開閉板の下辺を軸として前方側に開閉駆動するための大開放口ソレノイドや電動役物を駆動するためのソレノイドなどからなるソレノイド２０９が接続されている。
【００７４】
また、主制御装置１１０には、スイッチＳＷ１が導通することにより内枠１２の開放を検出すると共に、スイッチＳＷ２が導通することにより前面枠１４の開放を検出する枠開放検出回路２６０が設けられている。枠開放検出回路２６０には、内枠１２の開放を検出するスイッチＳＷ１と、前面枠１４の開放を検出するスイッチＳＷ２と、ホールコンピュータ２６２と接続可能に構成された外部出力端子板２６１とが接続されている。なお、スイッチＳＷ１およびスイッチＳＷ２と枠開放検出回路２６０との接続、並びに枠開放検出回路２６０と外部出力端子板２６１との接続には、信号の入出力を行う入出力部（入出力ポート２０５とは異なる入出力ポート、図示せず）を介して接続が行われている。枠開放検出回路２６０は、スイッチＳＷ１が導通して内枠１２の開放を検出すると、または、スイッチＳＷ２が導通して前面枠１４の開放を検出すると、外部出力端子板２６１からホールコンピュータ２６２へ、パルス幅１０ｍｓのパルス信号を出力する。外部出力端子板２６１から出力されたパルス信号はホールコンピュータ２６２に記憶される。よって、ホールコンピュータ２６２に記憶されたパルス信号を解析することで、内枠１２または前面枠１４の開放を検出することができる。
【００７５】
なお、枠開放検出回路２６０は、主制御装置１１０のＭＰＵ２０１や入出力ポート２０５（ＭＰＵ２０１の入出力ポート）と非接続に構成されている。よって、この枠開放検出回路２６０を、主制御装置１１０以外の他の装置（回路基板）に搭載するように構成しても良い。例えば、ＭＰＵやＣＰＵなどの演算装置の搭載されない装置（回路基板）上に搭載しても良いし、枠開放検出回路２６０の専用基板を設けて、そこに搭載するようにしても良い。より良くは、主制御装置１１０、払出制御装置１１１および発射制御装置１１２のように、枠開放検出回路２６０を基板ボックスに収納し、その基板ボックスに設けられたボックスベースとボックスカバーとを封印ユニット（図示せず）によって開封不能に連結（かしめ構造による連結）する。そして、ボックスベースとボックスカバーとの連結部に、ボックスカバーとボックスベースとに亘って封印シール（図示せず）を貼付しても良い。
【００７６】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７７】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図１７参照）が即座に実行される。
【００７８】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７９】
発射制御装置１１２は、主制御装置１１０により球の発射の指示がなされた場合に、操作ハンドル５１の回転操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための打ち止めスイッチ５１ｂがオフ（操作されていないこと）を条件に、操作ハンドル５１の回動量に対応して発射ソレノイドが励磁され、操作ハンドル５１の操作量に応じた強さで球が発射される。
【００８０】
音声ランプ制御装置１１３は、音声出力装置（図示しないスピーカなど）２２６における音声の出力、ランプ表示装置（電飾部２９〜３３や表示ランプ３４など）における点灯および消灯の出力、表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８１】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６やランプ表示装置２２７などがそれぞれ接続されている。
【００８２】
表示制御装置１１４は、第３図柄表示装置（ＬＣＤ）８１における第３図柄の変動表示を制御するものである。表示制御装置１１４は、ＭＰＵ２３１と、ＲＯＭ（プログラムＲＯＭ）２３２と、ワークＲＡＭ２３３と、ビデオＲＡＭ２３４と、キャラクタＲＯＭ２３５と、画像コントローラ２３６と、入力ポート２３７と、出力ポート２３８と、バスライン２３９，２４０とを有している。入力ポート２３７の入力側には音声ランプ制御装置１１３の出力側が接続され、入力ポート２３７の出力側には、ＭＰＵ２３１、ＲＯＭ２３２、ワークＲＡＭ２３３、画像コントローラ２３６が接続されている。画像コントローラ２３６には、ビデオＲＡＭ２３４、キャラクタＲＯＭ２３５が接続されると共に、バスライン２４０を介して出力ポート２３８が接続されている。出力ポート２３８の出力側には、第３図柄表示装置８１が接続されている。なお、パチンコ機１０は、大当たりの抽選確率や１回の大当たりで払い出される賞球数が異なる別機種であっても、第３図柄表示装置８１で表示される図柄構成が全く同じ仕様の機種があるので、表示制御装置１１４は共通部品化されコスト低減が図られている。
【００８３】
表示制御装置１１４のＭＰＵ２３１は、音声ランプ制御装置１１３から入力された図柄表示用のコマンドに基づいて、第３図柄表示装置８１の表示内容を制御する。ＲＯＭ２３２は、ＭＰＵ２３１により実行される各種の制御プログラムや固定値データを記憶するためのメモリである。ワークＲＡＭ２３３は、ＭＰＵ２３１による各種プログラムの実行時に使用されるワークデータやフラグを一時的に記憶するためのメモリである。キャラクタＲＯＭ２３５は、第３図柄表示装置８１に表示される図柄（背景図柄や第３図柄）などの演出用のデータを記憶したメモリである。ビデオＲＡＭ２３４は、第３図柄表示装置８１に表示される演出データを記憶するためのメモリであり、ビデオＲＡＭ２３４の内容を書き替えることにより、第３図柄表示装置８１の表示内容が変更される。
【００８４】
画像コントローラ２３６は、ＭＰＵ２３１、ビデオＲＡＭ２３４、出力ポート２３８のそれぞれのタイミングを調整してデータの読み書きを介在すると共に、ビデオＲＡＭ２３４に記憶される表示データを所定のタイミングで読み出して第３図柄表示装置８１に表示させるものである。
【００８５】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８６】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図１７参照）を正常に実行し完了することができる。
【００８７】
ＲＡＭ消去スイッチ回路２５３は、ＲＡＭ消去スイッチ１２２が押下された場合に、主制御装置１１０へ、バックアップデータをクリアさせるためのＲＡＭ消去信号ＳＧ２を出力するための回路である。主制御装置１１０及び払出制御装置１１１は、パチンコ機１０の電源投入時に、ＲＡＭ消去信号ＳＧ２を入力した場合に、それぞれのバックアップデータをクリアすると共に、払出制御装置１１１においてバックアップデータをクリアさせるための払出初期化コマンドを払出制御装置１１１に対して送信する。
【００８８】
次に、図７を参照して、枠開放検出回路２６０および外部出力端子板２６１を説明する。図７は、枠開放検出回路２６０および外部出力端子板２６１の電気的構成を示したブロック図である。なお、図７では、まず枠開放検出回路２６０を説明し、次に外部出力端子板２６１を説明する。
【００８９】
内枠１２の開放または前面枠１４の開放を検出する枠開放検出回路２６０は、１２ボルトの直流電圧を供給する直流電源ＤＣ１と、ダイオードＤ１と、コンデンサＣＤ１〜ＣＤ５と、抵抗Ｒ１〜Ｒ４と、Ｃ−ＭＯＳタイマであるタイマＩＣ１（ナショナルセミコンダクタ社製ＬＭＣ５５５）と、内部抵抗Ｒ５および内部抵抗Ｒ６が設けられたトランジスタＴＲ１とを主に有している。
【００９０】
スイッチＳＷ１が導通することにより内枠１２の開放を検出すると共に、スイッチＳＷ２が導通することにより前面枠１４の開放を検出するために、枠開放検出回路２６０は、上記の部品が図７に示すブロック図に従って接続される。なお、スイッチＳＷ１とスイッチＳＷ２とは並列接続された上で枠開放検出回路２６０に接続されているので、いずれか一方のスイッチが導通すれば、枠開放検出回路２６０は、内枠１２または前面枠１４の開放を検出することができる。
【００９１】
直流電源ＤＣ１は、枠開放検出回路２６０および外部出力端子板２６１へ１２ボルトの直流電圧を供給する電源である。直流電源ＤＣ１への電力（電源）は、電源装置１１５に設けられた電源部２５１から図示しない電源経路を通じて供給される。この直流電源ＤＣ１は、ダイオードＤ１のアノード端子と接続される。ダイオードＤ１のカソード端子には０．１Ｆ（ファラッド）のコンデンサＣＤ１の一端が接続されている。そして、コンデンサＣＤ１の他端はグランドされている。また、コンデンサＣＤ１の一端は、スイッチＳＷ１の一端と、スイッチＳＷ２の一端と、タイマＩＣ１のＶＤＤ端子およびＲＥＳ端子と接続されている。
【００９２】
コンデンサＣＤ１は、パチンコ機１０への電源供給が遮断され、直流電源ＤＣ１から１２ボルトの直流電圧が供給されていない場合に、枠開放検出回路２６０および外部出力端子板２６１へ直流電圧を供給する充電池の機能を発揮する部品である。
【００９３】
これは、コンデンサＣＤ１は、パチンコ機１０への電源供給が行われ、直流電源ＤＣ１から１２ボルトの直流電圧が供給されている場合には、コンデンサＣＤ１の容量０．１Ｆ（ファラッド）とコンデンサＣＤ１に印加された直流電圧（直流電源ＤＣ１から供給される１２ボルトからダイオードＤ１での電圧降下約０．７ボルトを引いた約１１．３ボルト）との積により求まる電荷を蓄える。
【００９４】
一方、コンデンサＣＤ１は、例えば、遊技場の営業時間が終了してパチンコ機１０への電源供給が遮断され、直流電源ＤＣ１から１２ボルトの直流電圧が供給されていない場合には、コンデンサＣＤ１に蓄えられた電荷に基づく直流電圧（約１１．３ボルト）を枠開放検出回路２６０および外部出力端子板２６１へ供給する。
【００９５】
よって、枠開放検出回路２６０は、パチンコ機１０への電源供給が行われ、直流電源ＤＣ１から１２ボルトの直流電圧が供給されている場合には当然に動作し、更に、例えば、遊技場の営業時間が終了してパチンコ機１０への電源供給が遮断され、直流電源ＤＣ１から１２ボルトの直流電圧が供給されていない場合であっても、コンデンサＣＤ１により供給される直流電圧によって動作して、内枠１２の開放および前面枠１４の開放を検出することができる。なお、本実施形態においては、直流電源ＤＣ１から１２ボルトの直流電圧が供給されていない場合に、枠開放検出回路２６０および外部出力端子板２６１へ直流電圧を供給する部品として、コンデンサＣＤ１を使用した。しかし、これに限られるものではなく、コンデンサＣＤ１を、より蓄電量の多い二次電池（充電池）や、充電の必要のない一次電池としても良い。
【００９６】
また、コンデンサＣＤ１の一端には、ダイオードＤ１のカソード端子が接続されており、このダイオードＤ１が電流の逆流防止機能を果たしているので、コンデンサＣＤ１から枠開放検出回路２６０および外部出力端子板２６１へ直流電圧（約１１．３ボルト）が供給されている場合でも、その直流電圧が直流電源ＤＣ１に印加されることはなく、直流電源ＤＣ１が損傷することはない。
【００９７】
タイマＩＣ１は、Ｃ−ＭＯＳタイマであり、１００ｋΩの抵抗Ｒ１〜Ｒ２と、０．１μＦのコンデンサＣＤ３〜ＣＤ５との接続によって、内枠１２の開放または前面枠１４の開放を検出し、外部出力端子板２６１のフォトカプラＰＲ１を約１０ｍｓの間通電する回路として機能する。
【００９８】
このタイマＩＣ１の動作電圧範囲は、主制御装置１１０に搭載されるＭＰＵ２０１、払出制御装置１１１に搭載されるＭＰＵ２１１、音声ランプ制御装置１１３に搭載されるＭＰＵ２２１および表示制御装置１１４に搭載されるＭＰＵ２３１の各動作電圧範囲よりも広範囲に設定されている。具体的には、タイマＩＣ１の動作電圧範囲は、約１．５ボルトから約１２．０ボルトであるのに対し、ＭＰＵ２０１，２１１，２２１，２３１の各動作電圧範囲は、約４．５ボルトから約５．５ボルト（なお、本実施形態の各動作電圧は約５．０ボルト）である。よって、タイマＩＣ１は、ＭＰＵ２０１，２１１，２２１，２３１の各動作電圧よりも低い電圧で動作できる。従って、コンデンサＣＤ１に蓄えられた電荷が少なくなり、コンデンサＣＤ１により供給される電圧が約４．５ボルト未満に低下したとしても、タイマＩＣ１は、十分に動作することができる。また、タイマＩＣ１は、例えば、遊技場の営業時間が終了してパチンコ機１０への電源供給が遮断され、直流電源ＤＣ１から１２ボルトの直流電圧が供給されていない場合、即ち、コンデンサＣＤ１により直流電圧が供給されている場合と、パチンコ機１０への電源供給が行われ、直流電源ＤＣ１から１２ボルトの直流電圧が供給されている場合とで兼用している。よって、当然に、タイマＩＣ１は、パチンコ機１０への電源供給が行われている場合に枠開放検出回路２６０へ供給される直流電圧１２ボルト以下で動作可能である。更に、タイマＩＣ１は、Ｃ−ＭＯＳ半導体で構成されるタイマであるので、動作時の消費電力を抑制し、長時間の動作が可能である。
【００９９】
このタイマＩＣ１のＶＤＤ端子は、タイマＩＣ１に供給された直流電圧を入力する端子であり、コンデンサＣＤ１の一端と接続されている。また、タイマＩＣ１のＶＤＤ端子は、０．１μＦのコンデンサＣＤ４の一端と接続され、このコンデンサＣＤ４の他端は、グランドされたタイマＩＣ１のＧＮＤ端子と接続されている。このコンデンサＣＤ４によって、スイッチＳＷ１およびスイッチＳＷ２が導通または遮断された際に（内枠１２および前面枠１４が開放または閉鎖された際に）、タイマＩＣ１のＶＤＤ端子に発生するノイズを低減している。
【０１００】
タイマＩＣ１のＲＥＳ端子は、ＲＥＳ端子にパルス信号が入力された場合に、ＯＵＴ端子から出力されている電圧を強制的に出力停止状態（ゼロボルト）にするリセット機能を作動させるための端子である。ただし、本枠開放検出回路２６０では、このリセット機能を使用しないので、タイマＩＣ１のＲＥＳ端子をコンデンサＣＤ１の一端に接続して、リセット機能が作動しないようにしている。なお、タイマＩＣ１のＶＤＤ端子およびタイマＩＣ１のＲＥＳ端子は、上述の通り、コンデンサＣＤ１の一端と接続されているので、タイマＩＣ１のＶＤＤ端子およびＲＥＳ端子には、約１１．３ボルトの直流電圧が印加される。
【０１０１】
タイマＩＣ１のＴＲＧ端子は、スイッチＳＷ１およびスイッチＳＷ２が遮断されている場合には（内枠１２および前面枠１４が閉鎖されている場合には）、タイマＩＣ１のＯＵＴ端子から出力される電圧を約１０．６ボルトに設定し、一方、スイッチＳＷ１又はスイッチＳＷ２のいずれか一方、またはスイッチＳＷ１およびスイッチＳＷ２の両方が導通状態となった場合には（内枠１２又は前面枠１４のいずれか一方、または内枠１２および前面枠１４の両方が開放状態となった場合には）、タイマＩＣ１のＯＵＴ端子から出力される電圧を約１０ｍｓ後に約１０．６ボルトからゼロボルトに設定するための端子である。タイマＩＣ１のＴＲＧ端子は、抵抗Ｒ２の一端、コンデンサＣＤ５の一端、スイッチＳＷ１の他端、スイッチＳＷ２の他端、抵抗Ｒ１の一端および外部出力端子板２６１の抵抗Ｒ７の一端と接続されている。なお、抵抗Ｒ２の他端およびコンデンサＣＤ５の他端は、グランドされている。
【０１０２】
タイマＩＣ１のＴＲＧ端子に接続される抵抗Ｒ２は、内枠１２および前面枠１４が開放状態となって、スイッチＳＷ１およびスイッチＳＷ２が導通状態（図５（ｂ）参照）となったときに、タイマＩＣ１のＴＲＧ端子に直流電圧（約１１．３ボルト）を印加するための抵抗である。また、このコンデンサＣＤ５は、スイッチＳＷ１およびスイッチＳＷ２が導通または遮断された際に（内枠１２および前面枠１４が開放または閉鎖された際に）、抵抗Ｒ２に発生するノイズを低減するためのコンデンサである。
【０１０３】
上記の接続により、スイッチＳＷ１およびスイッチＳＷ２が遮断状態にあるときには（内枠１２および前面枠１４が閉鎖状態にあるときには）、抵抗Ｒ２およびコンデンサＣＤ５に電圧が供給されないので、抵抗Ｒ２およびコンデンサＣＤ５に印加される電圧は（タイマＩＣ１のＴＲＧ端子に印加される電圧は）、ゼロボルトとなる。このとき、タイマＩＣ１のＯＵＴ端子から出力される電圧は約１０．６ボルトとなる。
【０１０４】
一方、スイッチＳＷ１又はスイッチＳＷ２のいずれか一方、またはスイッチＳＷ１およびスイッチＳＷ２の両方が導通状態にあるときには（内枠１２又は前面枠１４のいずれか一方、または内枠１２および前面枠１４の両方が開放状態にあるときには）、抵抗Ｒ２およびコンデンサＣＤ５に電圧が供給されるので、抵抗Ｒ２およびコンデンサＣＤ５に印加される電圧は（タイマＩＣ１のＴＲＧ端子に印加される電圧は）、コンデンサＣＤ１の一端に印加される電圧と同じ約１１．３ボルトとなる。このとき、タイマＩＣ１のＯＵＴ端子から出力される電圧は、スイッチＳＷ１又はスイッチＳＷ２のいずれか一方、またはスイッチＳＷ１およびスイッチＳＷ２の両方が導通状態となってから約１０ｍｓの間は約１０．６ボルトとなり、その後、ゼロボルトとなる。
【０１０５】
このように、タイマＩＣ１のＴＲＧ端子に印加される電圧により、タイマＩＣ１のＯＵＴ端子から出力される電圧を、約１０．６ボルトかゼロボルトかのいずれか一方に設定することができる。なお、スイッチＳＷ１またはスイッチＳＷ２が導通され（内枠１２または前面枠１４が開放され）、タイマＩＣ１のＴＲＧ端子に印加される電圧（抵抗Ｒ２に印加される電圧）がゼロボルトから約１１．３ボルトに変化すると、上述の通り、その電圧の立ち上がりから約１０ｍｓ遅れて、タイマＩＣ１のＯＵＴ端子から出力されている約１０．６ボルトの電圧がゼロボルトに立ち下がる。そして、詳細は後述するが、このタイマＩＣ１のＴＲＧ端子に印加される電圧（抵抗Ｒ２に印加される電圧）の立ち上がりと、タイマＩＣ１のＯＵＴ端子から出力されている電圧の立ち下がりとの時間差（約１０ｍｓ）によって、外部出力端子板２６１の抵抗Ｒ７の一端に約１０ｍｓだけ電流が供給され、外部出力端子板２６１のフォトカプラＰＲ１が約１０ｍｓの間だけ通電される。
【０１０６】
タイマＩＣ１のＯＵＴ端子は、スイッチＳＷ１およびスイッチＳＷ２が遮断され（内枠１２および前面枠１４が閉鎖され）、タイマＩＣ１のＴＲＧ端子に印加される電圧がゼロボルトになると、約１０．６ボルトの電圧を出力し、一方、スイッチＳＷ１またはスイッチＳＷ２が導通され（内枠１２または前面枠１４が開放され）、タイマＩＣ１のＴＲＧ端子に印加される電圧が約１１．３ボルトに立ち上がると、その立ち上がりから約１０ｍｓ遅れて、出力している約１０．６ボルトの電圧をゼロボルトに設定する端子である。このＯＵＴ端子は、１０ｋΩの抵抗Ｒ３の一端と接続される。この抵抗Ｒ３の他端は、コンデンサＣＤ２の一端および１０ｋΩの抵抗Ｒ４の一端と接続されており、コンデンサＣＤ２の他端および抵抗Ｒ４の他端は、グランドされている。
【０１０７】
抵抗Ｒ３および抵抗Ｒ４は、タイマＩＣ１のＯＵＴ端子から出力される電圧を分圧するための分圧抵抗である。よって、タイマＩＣ１のＯＵＴ端子から出力される電圧は、抵抗Ｒ３の抵抗値と抵抗Ｒ４の抵抗値との比に応じて、抵抗Ｒ３と抵抗Ｒ４とに分圧される。抵抗Ｒ３と抵抗Ｒ４とは共に１０ｋΩであるので、タイマＩＣ１のＯＵＴ端子から出力される約１０．６ボルトの電圧は、抵抗Ｒ３と抵抗Ｒ４とにより、それぞれ最大値約５．３ボルトずつに分圧される。
【０１０８】
抵抗Ｒ４に並列に接続される１０μＦのコンデンサＣＤ２は、抵抗Ｒ４に印加される電圧を安定化させるためのコンデンサである。このコンデンサＣＤ２の一端は、抵抗Ｒ４の一端と接続され、コンデンサＣＤ２の他端は、抵抗Ｒ４の他端と接続されて、グランドされている。このコンデンサＣＤ２により、抵抗Ｒ４に印加される電圧を安定化させることで、トランジスタＴＲ１のベース端子ｂとトランジスタＴＲ１のエミッタ端子ｅとの間に印加されるバイアス電圧を安定化させて、トランジスタＴＲ１の動作を安定化させることができる。
【０１０９】
トランジスタＴＲ１は、抵抗Ｒ４に印加される電圧に基づいて、トランジスタＴＲ１のコレクタ端子ｃとトランジスタＴＲ１のエミッタ端子ｅとの端子間を、導通または遮断のいずれか一方に切り換えるスイッチング素子である。トランジスタＴＲ１には、１０ｋΩの内部抵抗Ｒ５が設けられている。この内部抵抗Ｒ５の一端には、抵抗Ｒ４の一端が接続され、内部抵抗Ｒ５の他端には、ベース端子ｂが接続されている。また、トランジスタＴＲ１には、１０ｋΩの内部抵抗Ｒ６が設けられている。この内部抵抗Ｒ６の一端には、内部抵抗Ｒ５の他端が接続され、内部抵抗Ｒ６の他端には、エミッタ端子ｅが接続されている。
【０１１０】
よって、タイマＩＣ１のＯＵＴ端子から約１０．６ボルトの電圧が出力されている場合には（内枠１２および前面枠１４が閉鎖されている場合、ならびに、内枠１２または前面枠１４が開放されてから約１０ｍｓ内である場合には）、その電圧が抵抗Ｒ３と抵抗Ｒ４で分圧され、抵抗Ｒ４に印加された電圧（約５．３ボルト）が、トランジスタＴＲ１の内部抵抗Ｒ５の一端とトランジスタＴＲ１のエミッタ端子ｅとの間に印加される。これにより、トランジスタＴＲ１のコレクタ端子ｃとトランジスタＴＲ１のエミッタ端子ｅとの端子間が導通される。このとき、スイッチＳＷ１またはスイッチＳＷ２が導通状態（内枠１２または前面枠１４が開放状態）であれば、タイマＩＣ１のＯＵＴ端子から出力されている約１０．６ボルトの電圧がゼロボルトに切り換わるまで、即ち、内枠１２または前面枠１４が開放されてから約１０ｍｓの間、外部出力端子板２６１の抵抗Ｒ７の一端に電流が供給される。抵抗Ｒ７の一端に電流が供給されれば、外部出力端子板２６１のフォトカプラＰＲ１を約１０ｍｓの間、通電し、ホールコンピュータ２６２へパルス幅約１０ｍｓのパルス信号を出力することができる。ただし、内枠１２および前面枠１４が閉鎖され、スイッチＳＷ１およびスイッチＳＷ２が遮断されているときには、コンデンサＣＤ１の一端と外部出力端子板２６１に設けられた抵抗Ｒ７との接続が遮断される。よって、外部出力端子板２６１の抵抗Ｒ７の一端に電流が供給されない。従って、外部出力端子板２６１のフォトカプラＰＲ１が通電されず、ホールコンピュータ２６２へパルス信号は出力されない。
【０１１１】
一方、タイマＩＣ１のＯＵＴ端子電圧がゼロボルトの場合には（内枠１２または前面枠１４が開放されてから約１０ｍｓが経過した場合）、抵抗Ｒ４に電圧が印加されないので、トランジスタＴＲ１の内部抵抗Ｒ５の一端とトランジスタＴＲ１のエミッタ端子ｅとの間にも電圧が印加されない。これにより、トランジスタＴＲ１のコレクタ端子ｃとトランジスタＴＲ１のエミッタ端子ｅとの端子間が遮断される。よって、スイッチＳＷ１またはスイッチＳＷ２が導通状態（内枠１２または前面枠１４が開放状態）であっても、外部出力端子板２６１の抵抗Ｒ７の一端に電流が供給されない。従って、外部出力端子板２６１のフォトカプラＰＲ１が通電されず、ホールコンピュータ２６２へパルス信号は出力されない。
【０１１２】
このように、内枠１２または前面枠１４が開放状態となった場合には、外部出力端子板２６１のフォトカプラＰＲ１へ約１０ｍｓの間だけ通電することができる。よって、内枠１２または前面枠１４が開放状態となった場合には、外部出力端子板２６１からホールコンピュータ２６２へ約１０ｍｓのパルス幅のパルス信号を出力することができる。
【０１１３】
タイマＩＣ１のＴＨ端子は、ＴＨ端子に印加される電圧を計測する端子であり、抵抗Ｒ１の他端と、コンデンサＣＤ３の一端と、タイマＩＣ１のＤＣＨ端子とに接続されている。タイマＩＣ１のＤＣＨ端子は、タイマＩＣ１のＴＨ端子に印加された電圧がタイマＩＣ１のＶＤＤ端子に入力される直流電圧（約１１．３ボルト）の２／３の電圧（約７．５ボルト）となった場合に、ＤＣＨ端子のインピーダンスを無限大の状態からゼロの状態に切り換える端子である。ＤＣＨ端子のインピーダンスがゼロの状態（グランド状態）となると、コンデンサＣＤ３へ電圧が印加できない状態となる。一方、ＤＣＨ端子のインピーダンスが無限大の状態となると、コンデンサＣＤ３に電圧が印加可能な状態となる。
【０１１４】
タイマＩＣ１のＴＨ端子およびタイマＩＣ１のＤＣＨ端子に接続される抵抗Ｒ１およびコンデンサＣＤ３は、抵抗Ｒ１の抵抗値とコンデンサＣＤ３との積である時定数に基づいて、内枠１２または前面枠１４が開放された場合に、タイマＩＣ１のＯＵＴ端子から出力されている約１０．６ボルトの電圧をゼロボルトに切り換えるまでの期間を約１０ｍｓに決定するための部品である。抵抗Ｒ１の一端は、スイッチＳＷ１の他端、スイッチＳＷ２の他端および外部出力端子板２６１の抵抗Ｒ７の一端と接続されている。また、抵抗Ｒ１の他端は、タイマＩＣ１のＴＨ端子と、タイマＩＣ１のＤＣＨ端子と、コンデンサＣＤ３の一端と接続されている。また、コンデンサＣＤ３の他端は、グランドされている。
【０１１５】
ここで、抵抗Ｒ１およびコンデンサＣＤ３について、タイマＩＣ１のＴＲＧ端子、タイマＩＣ１のＴＨ端子、タイマＩＣ１のＤＣＨ端子およびタイマＩＣ１のＯＵＴ端子と共に説明する。
【０１１６】
内枠１２および前面枠１４が閉鎖状態では（スイッチＳＷ１およびスイッチＳＷ２が遮断状態では）、抵抗Ｒ１に電圧が供給されないので、タイマＩＣ１のＴＨ端子に印加される電圧はゼロボルト（約７．５ボルト未満）となり、タイマＩＣ１のＤＣＨ端子は、インピーダンスが無限大の状態に設定される。よって、コンデンサＣＤ３に電圧が印加可能な状態となり、コンデンサＣＤ３は、充電可能状態（電荷を蓄えることができる状態）となる。しかし、スイッチＳＷ１およびスイッチＳＷ２が遮断されているときには、コンデンサＣＤ１の一端と抵抗Ｒ１との接続が遮断されているので、コンデンサＣＤ３には電圧が印加されず、コンデンサＣＤ３に印加される電圧がゼロボルトとなる。このように、コンデンサＣＤ３は、充電可能状態となるものの、充電は行われない状態となる。なお、このとき、タイマＩＣ１のＯＵＴ端子の電圧は、約１０．６ボルトであり、トランジスタＴＲ１のコレクタ端子ｃとエミッタ端子ｅとが導通している。しかし、スイッチＳＷ１およびスイッチＳＷ２が遮断状態であるので、外部出力端子板２６１の抵抗Ｒ７の一端には、電流が供給されない。従って、外部出力端子板２６１のフォトカプラＰＲ１への通電も行われず、外部出力端子板２６１からホールコンピュータ２６２へもパルス信号は出力されない。
【０１１７】
次に、内枠１２または前面枠１４が開放状態となって（図５（ｂ）参照）、スイッチＳＷ１またはスイッチＳＷ２が導通状態となると、タイマＩＣ１のＴＲＧ端子に印加される電圧（抵抗Ｒ７に印加される電圧）は、ゼロボルトから約１１．３ボルトに切り換わる。このとき、タイマＩＣ１のＯＵＴ端子の電圧は、約１０．６ボルトであり、トランジスタＴＲ１のコレクタ端子ｃとエミッタ端子ｅとが導通している。よって、抵抗Ｒ７の一端への電流供給が開始され、外部出力端子板２６１のフォトカプラＰＲ１が通電される。これにより、ホールコンピュータ２６２へ信号が出力開始される。
【０１１８】
また、タイマＩＣ１のＴＲＧ端子に印加される電圧（抵抗Ｒ７に印加される電圧）が、ゼロボルトから約１１．３ボルトに切り換わるのと同時に、コンデンサＣＤ３に電圧が印加され、コンデンサＣＤ３の充電が開始される。このとき、タイマＩＣ１のＴＨ端子に印加される電圧が上昇を開始する。
【０１１９】
タイマＩＣ１のＯＵＴ端子の電圧は、タイマＩＣ１のＴＨ端子に印加される電圧（コンデンサＣＤ３に印加される電圧）が、タイマＩＣ１のＶＤＤ端子に入力される電圧（約１１．３ボルト）の２／３の電圧、即ち、約７．５ボルトと等しくなるまで、約１０．６ボルトを保ち続ける。タイマＩＣ１のＴＨ端子に印加される電圧（コンデンサＣＤ２に印加される電圧）が上昇し、約７．５ボルトと等しくなると、タイマＩＣ１のＤＣＨ端子のインピーダンスが無限大の状態からゼロの状態（グランドされた状態）に切り換わる。すると、コンデンサＣＤ３に印加される電圧がゼロボルト状態となり、コンデンサＣＤ３に蓄えられた電荷が放電される。これにより、タイマＩＣ１のＴＨ端子に印加される電圧は、約７．５ボルトからゼロボルトに切り換わる。このタイマＩＣ１のＴＨ端子に印加される電圧の切り換わりにより、タイマＩＣ１のＯＵＴ端子の電圧は、約１０．６ボルトからゼロボルトに切り換わる。すると、トランジスタＴＲ１のコレクタ端子ｃとエミッタ端子ｅとの導通が遮断され、抵抗Ｒ７の一端への電流供給が停止される。これにより、外部出力端子板２６１のフォトカプラＰＲ１への通電が停止し、ホールコンピュータ２６２への信号の出力が停止される。
【０１２０】
このように、内枠１２または前面枠１４が開放状態となって、スイッチＳＷ１またはスイッチＳＷ２が導通状態となった場合に（図５（ｂ）参照）、タイマＩＣ１のＯＵＴ端子から出力されている約１０．６ボルトの電圧をゼロボルトに切り換えるまでの期間、即ち、タイマＩＣ１のＴＨ端子に印加される電圧（コンデンサＣＤ３に印加される電圧）がゼロボルトから約７．５ボルトとなるまでの期間を、抵抗Ｒ１の抵抗値とコンデンサＣＤ３の容量との積である時定数に基づいて約１０ｍｓに決定する。すると、内枠１２または前面枠１４が開放状態となった場合に、外部出力端子板２６１のフォトカプラＰＲ１の抵抗Ｒ７の一端に電流の供給が開始される。そして、抵抗Ｒ７の一端への電流の供給開始から約１０ｍｓ経過後に、タイマＩＣ１のＯＵＴ端子から出力されている約１０．６ボルトの電圧がゼロボルトに切り換わり、トランジスタＴＲ１のコレクタ端子ｃとエミッタ端子ｅとの導通が遮断されて、抵抗Ｒ７の一端への電流供給が停止される。これにより、内枠１２または前面枠１４が開放状態となった場合に、外部出力端子板２６１の抵抗Ｒ７の一端に約１０ｍｓだけ電流が供給され、外部出力端子板２６１のフォトカプラＰＲ１を約１０ｍｓの間だけ通電することができる。よって、内枠１２または前面枠１４が開放状態となった場合には、外部出力端子板２６１からホールコンピュータ２６２へ、約１０ｍｓのパルス幅のパルス信号を出力することができる。
【０１２１】
なお、内枠１２および前面枠１４が開放状態から閉鎖状態（スイッチＳＷ１およびスイッチＳＷ２が導通状態から遮断状態）となると、即ち、タイマＩＣ１のＴＲＧ端子に印加される電圧（抵抗Ｒ７に印加される電圧）が約１１．３ボルトからゼロボルトに切り換わると、タイマＩＣ１のＯＵＴ端子の電圧は、ゼロボルトから約１０．６ボルトに切り換わる。この状態においては、上述した通り、トランジスタＴＲ１のコレクタ端子ｃとエミッタ端子ｅとが導通しているが、スイッチＳＷ１およびスイッチＳＷ２が遮断状態であるので、外部出力端子板２６１の抵抗Ｒ７の一端には、電流が供給されない。よって、外部出力端子板２６１のフォトカプラＰＲ１への通電も行われず、外部出力端子板２６１からホールコンピュータ２６２へもパルス信号は出力されない。
【０１２２】
上述の通り、内枠１２または前面枠１４が開放状態となった場合には、抵抗Ｒ１の抵抗値とコンデンサＣＤ３との積である時定数に基づき、外部出力端子板２６１の抵抗Ｒ７の一端に約１０ｍｓだけ電流が供給され、外部出力端子板２６１のフォトカプラＰＲ１を約１０ｍｓの間だけ通電することができる。これにより、内枠１２または前面枠１４が開放状態となった場合には、外部出力端子板２６１からホールコンピュータ２６２へ、約１０ｍｓのパルス幅のパルス信号を出力することができる。
【０１２３】
図７の説明に戻る。タイマＩＣ１のＣＮＴ端子は、ＣＮＴ端子に入力される信号により、タイマＩＣ１のＯＵＴ端子から出力される電圧の出力期間を調整する端子である。ただし、本枠開放検出回路２６０では、タイマＩＣ１のＯＵＴ端子から出力される電圧の出力期間を調整しないので（タイマＩＣ１のＯＵＴ端子から出力される電圧の出力期間は１０ｍｓに固定）、タイマＩＣ１のＣＮＴ端子は、枠開放検出回路２６０および外部出力端子板２６１のいずれの部品にも接続されず、開放されている。
【０１２４】
上述したように、枠開放検出回路２６０は、内枠１２または前面枠１４が開放状態となって、スイッチＳＷ１またはスイッチＳＷ２が導通状態となると（図５（ｂ）参照）、外部出力端子板２６１の抵抗Ｒ７の一端への電流供給を開始する。一方、枠開放検出回路２６０は、内枠１２または前面枠１４が開放状態となってから約１０ｍｓ経過すると、トランジスタＴＲ１のコレクタ端子ｃとトランジスタＴＲ１のエミッタ端子ｅとの端子間を導通状態から遮断状態へ切り換え、外部出力端子板２６１の抵抗Ｒ７の一端への電流供給を停止する。これにより、外部出力端子板２６１のフォトカプラＰＲ１が約１０ｍｓの間、通電され、外部出力端子板２６１からホールコンピュータ２６２へ約１０ｍｓのパルス幅のパルス信号が出力される。
【０１２５】
なお、扉開放検出回路２６０では、タイマＩＣ１にＬＭＣ５５５を用いて、内枠１２の開放または前面枠１４の開放を検出し、フォトカプラＰＲ１を約１０ｍｓの間通電する回路を実現したが、これに限られるものではない。即ち、タイマＩＣ１に他の集積回路等を用いて、内枠１２の１回の開放または前面枠１４の１回の開放に対して、１のパルス信号を発生する回路を実現し、その１のパルス信号に基づいてフォトカプラＰＲ１を所定期間通電するものであれば良い。
【０１２６】
次に、枠開放検出回路２６０に接続されると共に、ホールコンピュータ２６２に接続される外部出力端子板２６１について説明する。外部出力端子板２６１は、ホールコンピュータ２６２に約１０ｍｓのパルス幅のパルス信号を出力する機能を有し、１ｋΩの抵抗Ｒ７とフォトカプラＰＲ１とから主に構成されている。
【０１２７】
抵抗Ｒ７は、フォトカプラＰＲ１に供給される電流を制限する抵抗であり、抵抗Ｒ７の一端は、枠開放検出回路２６０の抵抗Ｒ１の一端、スイッチＳＷ１の他端およびスイッチＳＷ２の他端と接続され、抵抗Ｒ７の他端はフォトカプラＰＲ１の一次側（発光ダイオードのアノード端子）と接続されている。フォトカプラＰＲ１は、発光ダイオードとその発光ダイオードが発する光を受光する受光素子(フォトトランジスタ)とから構成される電流スイッチである。フォトカプラＰＲ１の一次側である発光ダイオードは、上述した通り、アノード端子が抵抗Ｒ７の一端と接続されており、カソード端子が枠開放検出回路２６０のトランジスタＴＲ１のコレクタ端子ｃと接続されている。また、フォトカプラＰＲ１の二次側である受光素子（フォトトランジスタ）は、ホールコンピュータ２６２に接続されている。
【０１２８】
よって、内枠１２または前面枠１４が開放状態（スイッチＳＷ１またはスイッチＳＷ２が導通状態）となってから約１０ｍｓの間、トランジスタＴＲ１のコレクタ端子ｃとトランジスタＴＲ１のエミッタ端子ｅとの端子間が導通されると、フォトカプラＰＲ１の一次側の発光ダイオードに抵抗Ｒ７を介して電流が供給され、発光ダイオードは約１０ｍｓの間、光を発する。すると、フォトカプラＰＲ１の二次側の受光素子（フォトトランジスタ）は、発せられた光を受光し、受光した約１０ｍｓの光をパルス幅が約１０ｍｓのパルス信号（電気信号）に変えて、そのパルス信号をホールコンピュータ２６２へ出力する。ホールコンピュータ２６２は、フォトカプラＰＲ１の二次側の受光素子（フォトトランジスタ）から出力されたパルス信号を記憶することができる。よって、ホールコンピュータ２６２に、内枠１２の開放または前面枠１４の開放があったことを記憶させることができる。
【０１２９】
一方、内枠１２および前面枠１４が閉鎖されているときには（スイッチＳＷ１およびスイッチＳＷ２が遮断されているときには）、抵抗Ｒ７の一端に電圧が供給されないので、フォトカプラＰＲ１の一次側である発光ダイオードに電流が供給されない。よって、フォトカプラＰＲ１の二次側の受光素子（フォトトランジスタ）からホールコンピュータ２６２へパルス信号が出力されることはない。
【０１３０】
ここで、ホールコンピュータ２６２へパルス信号を出力する外部出力端子板２６１にフォトカプラＰＲ１を用いる利点について説明する。フォトカプラＰＲ１は、一次側の発光ダイオードに供給される電流を光に変換し、その光を二次側の受光素子（フォトトランジスタ）に受光させてパルス信号（電気信号）を出力する構成（発光ダイオードから受光素子へ一方向に信号を伝送する構成）である。よって、二次側の受光素子（フォトトランジスタ）から一次側の発光ダイオードへはパルス信号等の電気信号を伝えることができない。これにより、フォトカプラＰＲ１の一次側の発光ダイオードに枠開放検出回路２６０が接続され、フォトカプラＰＲ１の二次側の受光素子（フォトトランジスタ）にホールコンピュータ２６２が接続されていても、ホールコンピュータ２６２からのパルス信号等の電気信号を、枠開放検出回路２６０や枠開放検出回路２６０が設けられた主制御装置１１０等へ伝送することができない。従って、フォトカプラＰＲ１を用いることで、ホールコンピュータ２６２から枠開放検出回路２６０や主制御装置１１０等への不正なパルス信号等の電気信号の伝送を防止しつつ、外部出力端子板２６１からホールコンピュータ２６２へはパルス信号を伝送できるという利点がある。
【０１３１】
更には、フォトカプラＰＲ１は、一次側の発光ダイオードと二次側の受光素子（フォトトランジスタ）とが電気的に絶縁されている。よって、例えば、フォトカプラＰＲ１の発光ダイオードに供給される電流に電気ノイズが含まれていたとしても、その電気ノイズが２次側のフォトトランジスタに伝送されることがない。従って、フォトカプラＰＲ１を用いることで、外部出力端子板２６１は、ホールコンピュータ２６２へ、正確なパルス信号を出力することができるという利点がある。
【０１３２】
上述した通り、枠開放検出回路２６０には、０．１ＦのコンデンサＣＤ１が設けられているので、枠開放検出回路２６０は、パチンコ機１０への電源供給が行われ、直流電源ＤＣ１から１２ボルトの直流電圧が供給されている場合には当然に動作し、更に、例えば、遊技場の営業時間が終了してパチンコ機１０への電源供給が遮断され、直流電源ＤＣ１から１２ボルトの直流電圧が供給されていない場合であっても、内枠１２の開放および前面枠１４の開放を検出することができる。そして、枠開放検出回路２６０により、内枠１２の開放または前面枠１４の開放が検出されると、外部出力端子板２６１からホールコンピュータ２６２へパルス幅約１０ｍｓのパルス信号を出力することができる。なお、外部出力端子板２６１からホールコンピュータ２６２へ出力されたパルス信号は、２４時間動作し続けるホールコンピュータ２６２に記憶される。
【０１３３】
ここで、一般に、遊技場は民間の警備会社と防犯契約を交わしており、遊技場への侵入者があった場合には、直ちに警備会社の警備員が遊技場へ駆けつける。しかし、不正行為は短時間で行われるので、警備員が駆けつけたときには、大抵の場合、既に侵入者は遊技場から逃げ出しており、一体、どのパチンコ機１０に不正行為が行われたのか判別できないという問題点があった。不正行為がなされたパチンコ機１０は、正常な状態に戻さなければならないが、どのパチンコ機１０に不正行為がなされたか分からない場合には、すべてのパチンコ機１０の内枠１２および前面枠１４を開放して、１台ずつ検査しなければならず、多数のパチンコ機１０が設置されている遊技場でこの作業を行うことは相当な重労働であった。
【０１３４】
しかし、本実施形態のパチンコ機１０によれば、枠開放検出回路２６０により、内枠１２の開放または前面枠１４の開放が検出されると、外部出力端子板２６１からホールコンピュータ２６２へパルス幅約１０ｍｓのパルス信号を出力する。そして、その出力されたパルス信号はホールコンピュータ２６２に記憶される。よって、ホールコンピュータ２６２に記憶されたパルス信号により、内枠１２または前面枠１４の開放が行われたパチンコ機１０を特定することができる。更には、ホールコンピュータ２６２に外部出力端子板２６１からパルス信号が出力されたことと共に、その出力されたパルス信号の出力時刻を記憶させることで、特定したパチンコ機１０の内枠１２の開放時刻または前面枠１４の開放時刻を検出することができる。
【０１３５】
なお、例えば、遊技場の営業時間が終了してパチンコ機１０への電源供給が遮断され、枠開放検出回路２６０および外部出力端子板２６１へ、コンデンサＣＤ１から直流電圧が供給される場合に、内枠１２または前面枠１４の開放に伴うコンデンサＣＤ１からフォトカプラＰＲ１への電流の総供給期間を長くしたり、内枠１２または前面枠１４の開放を検出する回数を増やしたりする場合には、コンデンサＣＤ１の容量を増加させたり（例えば、コンデンサＣＤ１の容量を１Ｆとする）、コンデンサＣＤ１を蓄電量の多い二次電池に変更すれば良い。
【０１３６】
次に、図８を参照して、スイッチＳＷ１の状態（内枠１２の状態）とスイッチＳＷ２の状態（前面枠１４の状態）とに応じて変化するタイマＩＣ１のＴＲＧ端子電圧（外部出力端子板２６１の抵抗Ｒ７の一端に印加される電圧）と、タイマＩＣ１のＯＵＴ端子電圧と、外部出力端子板２６１の出力（ホールコンピュータ２６２の入力）との関係について説明する。図８は、スイッチＳＷ１の状態（内枠１２の状態）、スイッチＳＷ２の状態（前面枠１４の状態）、タイマＩＣ１のＴＲＧ端子電圧（外部出力端子板２６１の抵抗Ｒ７の一端に印加される電圧）、タイマＩＣ１のＯＵＴ端子電圧および外部出力端子板２６１の出力（ホールコンピュータ２６２の入力）の関係を示したタイミングチャートである。
【０１３７】
図８（ａ）に示すように、ｔ１時に、スイッチＳＷ１が導通状態（内枠１２が開放状態）となると、図８（ｃ）に示すように、タイマＩＣ１のＴＲＧ端子電圧（外部出力端子板２６１の抵抗Ｒ７の一端に印加される電圧）は、ｔ１時に、ゼロボルトから約１１．３ボルトへ切り換わる。このとき、図８（ｄ）に示すように、タイマＩＣ１は、ｔ１時から約１０ｍｓ経過するまでは、ＯＵＴ端子から約１０．６ボルトの電圧を出力し続ける。これにより、外部出力端子板２６１のフォトカプラＰＲ１の一次側の発光ダイオードに（図７参照）、電流供給が開始される（ｔ１時）。すると、図８（ｅ）に示すように、フォトカプラＰＲ１の二次側の受光素子（フォトトランジスタ）の出力、即ち、外部出力端子板２６１の出力は、ｔ１時に、ロウ状態からハイ状態に切り換わる。これにより、ホールコンピュータ２６２へ内枠１２または前面枠１４の開放を示すパルス信号の出力が開始される。
【０１３８】
そして、ｔ１時から約１０ｍｓ経過すると、図８（ｄ）に示すように、タイマＩＣ１は、ＯＵＴ端子の電圧を、約１０．６ボルトからゼロボルトに切り換える。すると、外部出力端子板２６１の抵抗Ｒ７の一端への電流供給が停止する。よって、外部出力端子板２６１の出力は、ｔ１時から１０ｍｓ経過すると、ハイ状態からロウ状態に切り換わる。このように、外部出力端子板２６１の出力が切り換わることで、外部出力端子板２６１からホールコンピュータ２６２へ出力されるパルス信号のパルス幅を約１０ｍｓに留めることができる。
【０１３９】
なお、図８（ａ）に示すように、ｔ２時に、スイッチＳＷ１が遮断状態（内枠１２が閉鎖状態）となると、図８（ｃ）に示すように、タイマＩＣ１のＴＲＧ端子電圧（外部出力端子板２６１の抵抗Ｒ７の一端に印加される電圧）が約１１．３ボルトからゼロボルトに切り換わると共に、タイマＩＣ１のＯＵＴ端子電圧がゼロボルトから約１０．６ボルトに切り換わる（ｔ２時）。これにより、枠開放検出回路２６０は、再び、内枠１２および前面枠１４の検出が可能な状態に設定される。
【０１４０】
次に、図８（ａ）に示すように、ｔ３時に、スイッチＳＷ２が導通状態（前面枠１４が開放状態）となると、図８（ｃ）に示すように、タイマＩＣ１のＴＲＧ端子電圧（外部出力端子板２６１の抵抗Ｒ７の一端に印加される電圧）は、ｔ３時に、ゼロボルトから約１１．３ボルトへ切り換わる。このとき、図８（ｄ）に示すように、タイマＩＣ１は、ｔ３時から約１０ｍｓ経過するまでは、ＯＵＴ端子から約１０．６ボルトの電圧を出力し続ける。これにより、外部出力端子板２６１のフォトカプラＰＲ１の一次側の発光ダイオードに（図７参照）、電流供給が開始される（ｔ３時）。すると、図８（ｅ）に示すように、フォトカプラＰＲ１の二次側の受光素子（フォトトランジスタ）の出力、即ち、外部出力端子板２６１の出力は、ｔ３時に、ロウ状態からハイ状態に切り換わる。これにより、ホールコンピュータ２６２へ内枠１２または前面枠１４の開放を示すパルス信号の出力が開始される。
【０１４１】
そして、ｔ３時から約１０ｍｓ経過すると、図８（ｄ）に示すように、タイマＩＣ１は、ＯＵＴ端子の電圧を、約１０．６ボルトからゼロボルトに切り換える。すると、外部出力端子板２６１の抵抗Ｒ７の一端への電流供給が停止する。よって、外部出力端子板２６１の出力は、ｔ３時から１０ｍｓ経過すると、ハイ状態からロウ状態に切り換わる。このように、外部出力端子板２６１の出力が切り換わることで、外部出力端子板２６１からホールコンピュータ２６２へ出力されるパルス信号のパルス幅を約１０ｍｓに留めることができる。
【０１４２】
なお、図８（ａ）に示すように、スイッチＳＷ２が遮断状態（前面枠１４が閉鎖状態）となると、図８（ｃ）に示すように、タイマＩＣ１のＴＲＧ端子電圧（外部出力端子板２６１の抵抗Ｒ７の一端に印加される電圧）が約１１．３ボルトからゼロボルトに切り換わると共に、タイマＩＣ１のＯＵＴ端子電圧がゼロボルトから約１０．６ボルトに切り換わる（ｔ４時）。これにより、枠開放検出回路２６０は、再び、内枠１２および前面枠１４の検出が可能な状態に設定される。
【０１４３】
最後に、スイッチＳＷ１が導通状態（内枠１２が開放状態）であるときに、スイッチＳＷ２が導通状態（前面枠１４が開放状態）となった場合について説明する。図８（ａ）に示すように、ｔ５時に、スイッチＳＷ１が導通状態（内枠１２が開放状態）となり、更に、図８（ｂ）に示すように、ｔ６時に、スイッチＳＷ２が導通状態（前面枠１４が開放状態）となると、図８（ｃ）に示すように、タイマＩＣ１のＴＲＧ端子電圧（外部出力端子板２６１の抵抗Ｒ７の一端に印加される電圧）は、ｔ５時に、ゼロボルトから約１１．３ボルトへ切り換わる。このとき、図８（ｄ）に示すように、タイマＩＣ１は、ｔ５時から約１０ｍｓ経過するまでは、ＯＵＴ端子から約１０．６ボルトの電圧を出力し続ける。これにより、外部出力端子板２６１のフォトカプラＰＲ１の一次側の発光ダイオードに（図７参照）、電流供給が開始される（ｔ５時）。すると、図８（ｅ）に示すように、フォトカプラＰＲ１の二次側の受光素子（フォトトランジスタ）の出力、即ち、外部出力端子板２６１の出力は、ｔ５時に、ロウ状態からハイ状態に切り換わる。これにより、ホールコンピュータ２６２へ内枠１２または前面枠１４の開放を示すパルス信号の出力が開始される。
【０１４４】
そして、ｔ５時から約１０ｍｓ経過すると、図８（ｄ）に示すように、タイマＩＣ１は、ＯＵＴ端子の電圧を、約１０．６ボルトからゼロボルトに切り換える。すると、外部出力端子板２６１の抵抗Ｒ７の一端への電流供給が停止する。よって、外部出力端子板２６１の出力は、ｔ５時から１０ｍｓ経過すると、ハイ状態からロウ状態に切り換わる。このように、外部出力端子板２６１の出力が切り換わることで、外部出力端子板２６１からホールコンピュータ２６２へ出力されるパルス信号のパルス幅を約１０ｍｓに留めることができる。
【０１４５】
なお、図８（ａ）に示すように、ｔ７時に、スイッチＳＷ１が遮断状態（内枠１２が閉鎖状態）となると共に、図８（ｂ）に示すように、ｔ８時に、スイッチＳＷ２が遮断状態（前面枠１４が閉鎖状態）となると、図８（ｃ）に示すように、タイマＩＣ１のＴＲＧ端子電圧（外部出力端子板２６１の抵抗Ｒ７の一端に印加される電圧）が約１１．３ボルトからゼロボルトに切り換わると共に、タイマＩＣ１のＯＵＴ端子電圧がゼロボルトから約１０．６ボルトに切り換わる（ｔ８時）。これにより、枠開放検出回路２６０は、再び、内枠１２および前面枠１４の検出が可能な状態に設定される。
【０１４６】
このように、スイッチＳＷ１が導通状態（内枠１２が開放状態）であるときに、スイッチＳＷ２が導通状態（前面枠１４が開放状態）となった場合でも、タイマＩＣ１は、スイッチＳＷ１の導通期間の長さ（内枠１２の開放期間の長さ）およびスイッチＳＷ２の導通期間の長さ（前面枠１４の開放期間の長さ）に拘らず、スイッチＳＷ１またはスイッチＳＷ２のいずれか一方が導通状態（内枠１２または前面枠１４のいずれか一方が開放状態）となったときから約１０ｍｓ経過すると、ＯＵＴ端子の電圧を約１０．６ボルトからゼロボルトに切り換える。これにより、外部出力端子板２６１のフォトカプラＰＲ１へ供給される電流の供給期間は、約１０ｍｓとなる。
【０１４７】
よって、例えば、遊技場の営業時間が終了してパチンコ機１０への電源供給が遮断され、枠開放検出回路２６０および外部出力端子板２６１へ直流電源ＤＣ１から１２ボルトの直流電圧が供給されない場合、即ち、枠開放検出回路２６０および外部出力端子板２６１へコンデンサＣＤ１から約１１．３ボルトの直流電圧が供給される場合に、コンデンサＣＤ１からフォトカプラＰＲ１へ供給される電流の供給期間を、内枠１２または前面枠１４の１回の開放につき、約１０ｍｓに留めることができる。従って、内枠１２または前面枠１４の開放による電力消費を小さく抑えることができる。
【０１４８】
ここで、コンデンサＣＤ１は容量が０．１Ｆであり、コンデンサＣＤ１に印加される電圧は約１１．３ボルトであるので、コンデンサＣＤ１に蓄えられる電荷は、コンデンサＣＤ１の容量とコンデンサＣＤ１の印加電圧との積から約１．１３Ｃ（クーロン）となる。このコンデンサＣＤ１に蓄えられる約１．１３Ｃの電荷は、コンデンサＣＤ１からフォトカプラＰＲ１へ供給される電流の１回の供給期間が約１０ｍｓである場合には、電流の供給回数で約５００回分に相当する。従って、例えば、遊技場の営業時間が終了してパチンコ機１０への電源供給が遮断され、直流電源ＤＣ１から１２ボルトの直流電圧が供給されていない場合に、内枠１２の開放（スイッチＳＷ１の導通）または前面枠１４の開放（スイッチＳＷ２の導通）が多数回に亘って行われたときでも、枠開放検出回路２６０は、内枠１２の開放または前面枠１４の開放（スイッチＳＷ１の導通またはスイッチＳＷ２の導通）を、約５００回まで毎回確実に検出して、外部出力端子板２６１からホールコンピュータ２６２へパルス信号を出力することができる。このとき、内枠１２の開放または前面枠１４の開放が約５００回付近となると、コンデンサＣＤ１に蓄えられる電荷が少なくなり、コンデンサＣＤ１からフォトカプラＰＲ１へ供給される電流値が低下するが、ホールコンピュータ２６２のパルス信号の検出感度を上げることにより（パルス信号の振幅に対する閾値を下げることにより）、ホールコンピュータ２６２にパルス信号を記憶させることができる。
【０１４９】
なお、本実施形態では、内枠１２または前面枠１４の開放があり、スイッチＳＷ１またはスイッチＳＷ２の導通があった場合に、外部出力端子板２６１からホールコンピュータ２６２へパルス信号が出力されたが、これに限られるものではない。即ち、本枠開放検出回路２６０の各部品の接続を変更し、内枠１２または前面枠１４が開放され、その開放された内枠１２または前面枠１４が閉鎖された場合に、フォトカプラＰＲ１に約１０ｍｓの間、電流を供給して、外部出力端子板２６１からホールコンピュータ２６２へパルス信号を出力するように構成しても良い。
【０１５０】
ただし、本実施形態の枠開放検出回路２６０では、内枠１２または前面枠１４の開放があり、スイッチＳＷ１またはスイッチＳＷ２の導通があった場合に、外部出力端子板２６１からホールコンピュータ２６２へパルス信号を出力するように構成しているので、内枠１２または前面枠１４の開放を素早く検出できる。よって、内枠１２または前面枠１４が開放されて主制御装置１１０または遊技盤１３に不正行為が行われる前に、内枠１２または前面枠１４の開放を検出することができる。従って、パチンコ機１０へ電源が供給されている場合に発生する不正行為が行われたことによる異常動作を防止することができる。
【０１５１】
なお、外部出力端子板２６１からホールコンピュータ２６２へ出力されたパルス信号は、２４時間動作し続けるホールコンピュータ２６２に記憶される。よって、ホールコンピュータ２６２に記憶されたパルス信号により、内枠１２または前面枠１４の開放が行われたパチンコ機１０を特定することができる。更には、ホールコンピュータ２６２に外部出力端子板２６１からパルス信号が出力されたことと共に、その出力されたパルス信号の出力時刻を記憶させることで、特定したパチンコ機１０の内枠１２の開放時刻または前面枠１４の開放時刻を検出することができる。
【０１５２】
また、内枠１２および前面枠１４が閉鎖されているときには（スイッチＳＷ１およびスイッチＳＷ２が遮断されているときには）、タイマＩＣ１のＯＵＴ端子電圧が約１０．６ボルトであるので、枠開放検出回路２６０のトランジスタＴＲ１のコレクタ端子ｃとトランジスタＴＲ１のエミッタ端子ｅ（図７参照）との端子間が導通状態となる。ただし、このときには、トランジスタＴＲ１に流れる電流はベース電流だけである。そして、このベース電流の電流値を決定する抵抗Ｒ３および抵抗Ｒ５は共に抵抗値１０ｋΩであり、フォトカプラＰＲ１に供給される電流を制限する抵抗Ｒ７の抵抗値（１ｋΩ）に比べて十分大きい。よって、ベース電流の電流値を約１００μＡ程度に留めることができる（なお、スイッチＳＷ１およびスイッチＳＷ２が導通されているときに、フォトカプラＰＲ１に供給される電流値は、約１１．３ｍＡ）。よって、トランジスタＴＲ１の導通状態によるコンデンサＣＤ１に蓄えられる電荷の消費をごく僅かに止めることができる。
【０１５３】
また、内枠１２および前面枠１４が閉鎖されているときには（スイッチＳＷ１およびスイッチＳＷ２が遮断されているときには）、タイマＩＣ１のＯＵＴ端子電圧が約１０．６ボルトであるので、タイマＩＣ１のＯＵＴ端子とグランドとの間に直列に接続される抵抗Ｒ３および抵抗Ｒ４を介して、電流が消費される。しかし、抵抗Ｒ３および抵抗Ｒ４は共に抵抗値が１０ｋΩであり、フォトカプラＰＲ１に供給される電流を制限する抵抗Ｒ７の抵抗値（１ｋΩ）に比べて十分大きい。よって、内枠１２および前面枠１４が閉鎖されているときに、抵抗Ｒ３および抵抗Ｒ４を介してタイマＩＣ１のＯＵＴ端子からグランドへ流れる電流値を、約５３０μＡ程度に留めることができる。従って、コンデンサＣＤ１に蓄えられる電荷の抵抗Ｒ３および抵抗Ｒ４による消費をごく僅かに止めることができる。
【０１５４】
なお、内枠１２および前面枠１４が閉鎖されている場合に（スイッチＳＷ１およびスイッチＳＷ２が遮断されている場合に）、トランジスタＴＲ１のベース電流によるコンデンサＣＤ１に蓄えられた電荷の消費および抵抗Ｒ３および抵抗Ｒ４によるコンデンサＣＤ１に蓄えられた電荷の消費を更に抑制したい場合には、抵抗Ｒ３、抵抗Ｒ４および抵抗Ｒ５の抵抗値を１０ｋΩよりも更に大きくすれば良い。
【０１５５】
更に、内枠１２および前面枠１４が閉鎖され、スイッチＳＷ１およびスイッチＳＷ２が遮断されている場合に、トランジスタＴＲ１のベース電流によるコンデンサＣＤ１に蓄えられた電荷の消費および抵抗Ｒ３および抵抗Ｒ４によるコンデンサＣＤ１に蓄えられた電荷の消費をゼロにしたい場合には、次の構成にすれば良い。スイッチＳＷ１およびスイッチＳＷ２にそれぞれ、雄型スイッチＳＷ１ｂおよび雄型スイッチＳＷ２ｂを更に設けて、スイッチＳＷ１およびスイッチＳＷ２に配設される雄型スイッチＳＷ１ｂおよび雄型スイッチＳＷ２ｂをそれぞれ２つずつにする。これに対応して、スイッチＳＷ１およびスイッチＳＷ２にそれぞれ、雌型スイッチＳＷ１ａおよび雌型スイッチＳＷ２ａを更に設けて、スイッチＳＷ１およびスイッチＳＷ２に配設される雌型スイッチＳＷ１ａおよび雌型スイッチＳＷ２ａをそれぞれ２つずつにする。これにより、スイッチＳＷ１には、雄型スイッチＳＷ１ｂと雌型スイッチＳＷ１ａの組み合わせが、新たに１つ加えられる。スイッチＳＷ２にもスイッチＳＷ１と同様に、雄型スイッチＳＷ２ｂと雌型スイッチＳＷ２ａの組み合わせが新たに１つ加えられる。そして、枠開放検出回路２６０内のタイマＩＣ１のＯＵＴ端子と抵抗Ｒ３の一端との接続を切断し、接続切断後のタイマＩＣ１のＯＵＴ端子に、新たに加えられた雌型スイッチＳＷ１ａに内蔵された一対の端子対ＳＷ１ｃの一端を接続する。そして、接続切断後の抵抗Ｒ３の一端に、新たに加えられた雌型スイッチＳＷ１ａに内蔵された一対の端子対ＳＷ１ｃの他端を接続する。同様に、接続切断後のタイマＩＣ１のＯＵＴ端子に、新たに加えられた雌型スイッチＳＷ２ａに内蔵された一対の端子対ＳＷ２ｃの一端を接続する。そして、接続切断後の抵抗Ｒ３の一端に、新たに加えられた雌型スイッチＳＷ２ａに内蔵された一対の端子対ＳＷ２ｃの他端を接続する。このように構成することで、内枠１２および前面枠１４が閉鎖され、スイッチＳＷ１およびスイッチＳＷ２が遮断されている場合には、タイマＩＣ１のＯＵＴ端子電圧である約１０．６ボルトが抵抗Ｒ３、抵抗Ｒ４および抵抗Ｒ５に印加されることはなく、トランジスタＴＲ１のベース電流によるコンデンサＣＤ１に蓄えられた電荷の消費および抵抗Ｒ３および抵抗Ｒ４によるコンデンサＣＤ１に蓄えられた電荷の消費をゼロにすることができる。反対に、内枠１２または前面枠１４の一方、若しくは内枠１２と前面枠１４との両方が開放されている場合には（スイッチＳＷ１またはスイッチＳＷ２の一方、若しくはスイッチＳＷ１とスイッチＳＷ２との両方が導通されている場合には）、抵抗Ｒ３、抵抗Ｒ４、抵抗Ｒ５、抵抗Ｒ６およびコンデンサＣＤ２にタイマＩＣ１のＯＵＴ端子電圧が分圧されて印加されることで、フォトカプラＰＲ１への電流供給を抵抗Ｒ７を介して正常に行うことができる。
【０１５６】
なお、タイマＩＣ１のＯＵＴ端子との接続を切断して、端子対ＳＷ１ｃおよび端子対ＳＷ２ｃを接続する箇所は上記に限られるものではない。例えば、抵抗Ｒ３の他端と、抵抗Ｒ４、抵抗Ｒ５およびコンデンサＣＤ２の一端とを切断して、接続切断後の抵抗Ｒ３の他端に、新たに加えられた雌型スイッチＳＷ１ａに内蔵された一対の端子対ＳＷ１ｃの一端を接続する。そして、接続切断後の抵抗Ｒ４、抵抗Ｒ５およびコンデンサＣＤ２の一端に、新たに加えられた雌型スイッチＳＷ１ａに内蔵された一対の端子対ＳＷ１ｃの他端を接続する。同様に、接続切断後の抵抗Ｒ３の他端に、新たに加えられた雌型スイッチＳＷ２ａに内蔵された一対の端子対ＳＷ２ｃの一端を接続する。そして、接続切断後の抵抗Ｒ４、抵抗Ｒ５およびコンデンサＣＤ２の一端に、新たに加えられた雌型スイッチＳＷ２ａに内蔵された一対の端子対ＳＷ２ｃの他端を接続すれば良い。つまり、新たに加えられた雄型スイッチＳＷ１ｂおよび雌型スイッチＳＷ１ａと、新たに加えられた雄型スイッチＳＷ２ｂおよび雌型スイッチＳＷ２ａとにより、内枠１２および前面枠１４が閉鎖されている場合には（スイッチＳＷ１およびスイッチＳＷ２が遮断されている場合には）、タイマＩＣ１のＯＵＴ端子とグランドとの導通を遮断する一方、内枠１２または前面枠１４の一方、若しくは内枠１２と前面枠１４との両方が開放されている場合には（スイッチＳＷ１またはスイッチＳＷ２の一方、若しくはスイッチＳＷ１とスイッチＳＷ２との両方が導通されている場合には）、抵抗Ｒ３、抵抗Ｒ４、抵抗Ｒ５、抵抗Ｒ６およびコンデンサＣＤ２にタイマＩＣ１のＯＵＴ端子電圧が分圧されて印加されるように構成すれば良いのである。
【０１５７】
また、内枠１２と前面枠１４とのどちらが開放したかを別々にホールコンピュータ２６２に記憶させたい場合には、次の構成にすれば良い。まず、本実施形態で使用した枠開放検出回路２６０と外部出力端子板２６１とをそれぞれ１つずつ新たに設け、スイッチＳＷ１に並列接続されたスイッチＳＷ２を切断し、その切断したスイッチＳＷ２を新たに設けた枠開放検出回路２６０に接続すれば良い。具体的には、切断したスイッチＳＷ２の一端を、新たに設けた枠開放検出回路２６０のコンデンサＣＤ１の一端、タイマＩＣ１のＶＤＤ端子、コンデンサＣＤ４の一端およびタイマＩＣ１のＲＥＳ端子に接続すると共に、切断したスイッチＳＷ２の他端を、新たに設けた枠開放検出回路２６０のコンデンサＣＤ５の一端、抵抗Ｒ１の一端、および外部出力端子盤２６１の抵抗Ｒ７の一端に接続すれば良い。このように新たに枠開放検出回路２６０および外部出力端子板２６１を設け、その新たに設けた枠開放検出回路２６０に、スイッチＳＷ２のみを接続すると共に、既存の枠開放検出回路２６０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。ここで、ホールコンピュータ２６２は、既存の外部出力端子板２６１（スイッチＳＷ１の導通検出用（内枠１２の開放検出用））から出力されるパルス信号の入力端子と、新たに設けた外部出力端子板２６１（スイッチＳＷ２の導通検出用（前面枠１４の開放検出用））から出力されるパルス信号の入力端子とをそれぞれ別にしておく。この構成により、スイッチＳＷ１の導通（内枠１２の開放）とスイッチＳＷ２の導通（前面枠１４の開放）とを区別してホールコンピュータ２６２に記憶させることができる。よって、ホールコンピュータ２６２に記憶されたパルス信号により、スイッチＳＷ１の導通（内枠１２の開放）があったのか、スイッチＳＷ２の導通（前面枠１４の開放）があったのか、または両方があったのかを正確に検出することができる。
【０１５８】
更に、パチンコ機１０への電源供給が行われている場合に、内枠１２と前面枠１４とのどちらが開放したかを別々にホールコンピュータ２６２に記憶させると共に、内枠１２と前面枠１４とのどちらかが開放したときにパチンコ機１０で報知を行いたい場合には、次の構成にすれば良い。まず、本実施形態で使用した枠開放検出回路２６０と外部出力端子板２６１とをそれぞれ１つずつ新たに設け、スイッチＳＷ１に並列接続されたスイッチＳＷ２を切断し、その切断したスイッチＳＷ２を新たに設けた枠開放検出回路２６０に接続する。次に、スイッチＳＷ１およびスイッチＳＷ２にそれぞれ、雄型スイッチＳＷ１ｂ，ＳＷ２ｂおよび雌型スイッチＳＷ１ａ，ＳＷ２ａを新たに１つずつ設ける。そして、新たに設けた雄型スイッチＳＷ１ｂ，ＳＷ２ｂおよび雌型スイッチＳＷ１ａ，ＳＷ２ａを用いて、内枠１２または前面枠１４が開放され、スイッチＳＷ１またはスイッチＳＷ２が導通した場合に、ＭＰＵ２０１に、信号が入力されるように構成すれば良い。
【０１５９】
具体的には、切断したスイッチＳＷ２の一端を、新たに設けた枠開放検出回路２６０のコンデンサＣＤ１の一端、タイマＩＣ１のＶＤＤ端子、コンデンサＣＤ４の一端およびタイマＩＣ１のＲＥＳ端子に接続すると共に、切断したスイッチＳＷ２の他端を、新たに設けた枠開放検出回路２６０のコンデンサＣＤ５の一端、抵抗Ｒ１の一端、および外部出力端子盤２６１の抵抗Ｒ７の一端に接続すれば良い。このように新たに枠開放検出回路２６０および外部出力端子板２６１を設け、その新たに設けた枠開放検出回路２６０に、スイッチＳＷ２のみを接続すると共に、既存の枠開放検出回路２６０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。
【０１６０】
次に、スイッチＳＷ１およびスイッチＳＷ２にそれぞれ、雄型スイッチＳＷ１ｂおよび雄型スイッチＳＷ２ｂを更に設けて、スイッチＳＷ１およびスイッチＳＷ２に配設される雄型スイッチＳＷ１ｂおよび雄型スイッチＳＷ２ｂをそれぞれ２つずつにする。これに対応して、スイッチＳＷ１およびスイッチＳＷ２にそれぞれ、雌型スイッチＳＷ１ａおよび雌型スイッチＳＷ２ａを更に設けて、スイッチＳＷ１およびスイッチＳＷ２に配設される雌型スイッチＳＷ１ａおよび雌型スイッチＳＷ２ａをそれぞれ２つずつにする。これにより、スイッチＳＷ１に新たに、雄型スイッチＳＷ１ｂと雌型スイッチＳＷ１ａの組み合わせを１つ加える。また、スイッチＳＷ２にもスイッチＳＷ１と同様に、新たに、雄型スイッチＳＷ２ｂと雌型スイッチＳＷ２ａの組み合わせを１つ加える。そして、新たに加えられた雌型スイッチＳＷ１ａに内蔵された一対の端子対ＳＷ１ｃの一端を、既存の枠開放検出回路２６０の直流電源ＤＣ１に接続し、新たに加えられた雌型スイッチＳＷ１ａに内蔵された一対の端子対ＳＷ１ｃの他端を、抵抗により構成される分圧回路を介してＭＰＵ２０１の入出力ポート２０５に接続する。同様に、新たに加えられた雌型スイッチＳＷ２ａに内蔵された一対の端子対ＳＷ２ｃの一端を、新たに設けられた枠開放検出回路２６０の直流電源ＤＣ１に接続し、新たに加えられた雌型スイッチＳＷ２ａに内蔵された一対の端子対ＳＷ２ｃの他端を、抵抗により構成される分圧回路を介してＭＰＵ２０１の入出力ポート２０５に、端子対ＳＷ１ｃの他端とは別のポートに接続する。更に、ＭＰＵ２０１は、内枠１２または前面枠１４が開放され、スイッチＳＷ１またはスイッチＳＷ２が導通して、内枠１２の開放を検出する５ボルトの電圧（分圧回路により、直流電源ＤＣ１から供給される１２ボルトの電圧が５ボルトに降圧される）または内枠１４の開放を検出する５ボルトの電圧（分圧回路により、直流電源ＤＣ１から供給される１２ボルトの電圧が５ボルトに降圧される）が入出力ポート２０５に入力された場合に、音声ランプ制御装置１１３や表示制御装置１１４へ、内枠１２または前面枠１４の開放が検出されたことを示すコマンドを送信する。このとき、ＭＰＵ２０１から送信されるコマンドを、内枠１２の開放が検出された場合のコマンド（以下、「内枠コマンド」と称す）と、前面枠１４が開放された場合のコマンド（以下、「前面枠コマンド」と称す）とで別にする。そして、この各コマンドを受信した音声ランプ制御装置１１３は、内枠コマンドを受信した場合と前面枠コマンドを受信した場合とで異なる態様の報知を行う。例えば、音声出力装置２２６から異なる警告音を出したり、ランプ表示装置２２７の点灯の態様を異ならせる。また、この各コマンドを受信した表示制御装置１１４は、内枠コマンドを受信した場合と前面枠コマンドを受信した場合とで異なる態様の表示を行う。例えば、表示制御装置１１４が内枠コマンドを受信した場合には、第３図柄表示装置８１に「内枠が開放しています」と表示したり、表示制御装置１１４が前面枠コマンドを受信した場合には、第３図柄表示装置８１に「前面枠が開放しています」と表示するように構成すれば良い。
【０１６１】
このように、スイッチＳＷ１に新たに、雄型スイッチＳＷ１ｂと雌型スイッチＳＷ１ａの組み合わせを１つ加え、スイッチＳＷ２にもスイッチＳＷ１と同様に、新たに、雄型スイッチＳＷ２ｂと雌型スイッチＳＷ２ａの組み合わせを１つ加えて、それらを用いて、スイッチＳＷ１が導通した場合には（内枠１２が開放された場合には）、ＭＰＵ２０１は、音声ランプ制御装置１１３や表示制御装置１１４へ内枠コマンドを送信するように構成する。また、スイッチＳＷ２が導通した場合には（前面枠１４が開放された場合には）、ＭＰＵ２０１は、音声ランプ制御装置１１３や表示制御装置１１４へ前面枠コマンドを送信するように構成する。このように構成することで、内枠１２の開放があった場合と前面枠１４の開放があった場合とで異なる態様の報知を、音声ランプ制御装置１１３や表示制御装置１１４を用いて行うことができる。これにより、スイッチＳＷ１の導通（内枠１２の開放）があったのか、スイッチＳＷ２の導通（前面枠１４の開放）があったのか、または両方があったのかを、パチンコ機１０を用いて正確に検出することができる。
【０１６２】
また、枠開放検出回路２６０および外部出力端子板２６１を新たに設け、その新たに設けた枠開放検出回路２６０に、スイッチＳＷ２のみを接続すると共に、既存の枠開放検出回路２６０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。よって、ホールコンピュータ２６２に記憶されたパルス信号により、スイッチＳＷ１の導通（内枠１２の開放）があったのか、スイッチＳＷ２の導通（前面枠１４の開放）があったのか、または両方があったのかを正確に検出することができる。
【０１６３】
なお、本実施形態においては、外部出力端子板２６１から出力されるパルス信号を、パチンコ機１０とは設置場所が異なるホールコンピュータ２６２へ出力したが、これに限られるものではない。ホールコンピュータ２６２の機能を有する専用の記憶装置をパチンコ機１０毎に設け、その専用の記憶装置を、主制御装置１１０等が設けられる各パチンコ機１０の背面側に配設しても良い。この場合には、より良くは、主制御装置１１０、払出制御装置１１１および発射制御装置１１２のように、専用の記憶装置を基板ボックスに収納し、その基板ボックスに設けられたボックスベースとボックスカバーとを封印ユニット（図示せず）によって開封不能に連結（かしめ構造による連結）する。そして、ボックスベースとボックスカバーとの連結部に、ボックスカバーとボックスベースとに亘って封印シール（図示せず）を貼付する。
【０１６４】
次に、図９を参照して、第３図柄表示装置８１の表示内容について説明する。図９は、第３図柄表示装置８１の表示画面を説明するための図面であり、図９（ａ）は、表示画面の領域区分設定と有効ライン設定とを模式的に示した図であり、図９（ｂ）は、実際の表示画面を例示した図である。
【０１６５】
第３図柄は、「０」から「９」の数字を付した１０種類の主図柄と、この主図柄より小さく形成された花びら形状の１種類の副図柄とにより構成されている。各主図柄は、木箱よりなる後方図柄の上に「０」から「９」の数字を付して構成され、そのうち奇数番号（１，３，５，７，９）を付した主図柄は、木箱の前面ほぼ一杯に大きな数字が付加されている。これに対し、偶数番号（０，２，４，６，８）を付した主図柄は、木箱の前面ほぼ一杯にお守り、風呂敷、ヘルメット等のキャラクタを模した付属図柄が付加されており、付属図柄の右下側に偶数の数字が緑色で小さく、且つ、付属図柄の前側に表示されるように付加されている。
【０１６６】
また、本実施の形態のパチンコ機１０においては、主制御装置１１０による抽選結果が大当たりであった場合に、同一の主図柄が揃う変動表示が行われ、その変動表示が終わった後に大当たりが発生するよう構成されている。大当たり終了後に高確率状態（確変状態）に移行する場合は、奇数番号が付加された主図柄（「高確率図柄」に相当）が揃う変動表示が行われる。一方、大当たり終了後に低確率状態に移行する場合は、偶数番号が付加された主図柄（「低確率図柄」に相当）が揃う変動表示が行われる。ここで、高確率状態とは、大当たり終了後に付加価値としてその後の大当たり確率がアップした状態、いわゆる確率変動（確変）の時をいう。また、通常状態（低確率状態）とは、確変でない時をいい、大当たり確率が通常の状態、即ち、確変の時より大当たり確率が低い状態をいう。
【０１６７】
図９（ａ）に示すように、第３図柄表示装置８１の表示画面は、大きくは上下に２分割され、下側の２／３が第３図柄を変動表示する主表示領域Ｄｍ、それ以外の上側の１／３が予告演出やキャラクタを表示する副表示領域Ｄｓとなっている。
【０１６８】
主表示領域Ｄｍには、左・中・右の３つの図柄列Ｚ１，Ｚ２，Ｚ３が表示される。各図柄列Ｚ１〜Ｚ３には、上述した第３図柄が規定の順序で表示される。即ち、各図柄列Ｚ１〜Ｚ３には、数字の昇順または降順に主図柄が配列されると共に、各主図柄の間に副図柄が１つずつ配列されている。このため、各図柄列には、１０個の主図柄と１０個の副図柄の計２０個の第３図柄が設定され、各図柄列Ｚ１〜Ｚ３毎に周期性をもって上から下へとスクロールして変動表示が行われる。特に、左図柄列Ｚ１においては主図柄の数字が降順に現れるように配列され、中図柄列Ｚ２及び右図柄列Ｚ３においては主図柄の数字が昇順に現れるように配列されている。
【０１６９】
また、主表示領域Ｄｍには、各図柄列Ｚ１〜Ｚ３毎に上・中・下の３段に第３図柄が表示される。従って、第３図柄表示装置８１には、３段×３列の計９個の第３図柄が表示される。この主表示領域Ｄｍには、５つの有効ライン、即ち上ラインＬ１、中ラインＬ２、下ラインＬ３、右上がりラインＬ４、左上がりラインＬ５が設定されている。そして、毎回の遊技に際して、左図柄列Ｚ１→右図柄列Ｚ３→中図柄列Ｚ２の順に変動表示が停止し、その停止時にいずれかの有効ライン上に大当たり図柄の組合せ（本実施の形態では、同一の主図柄の組合せ）で揃えば大当たりとして大当たり動画が表示される。
【０１７０】
副表示領域Ｄｓは、主表示領域Ｄｍよりも上方に横長に設けられており、さらに左右方向に３つの予告領域Ｄｓ１〜Ｄｓ３に等区分されている。ここで、左右の予告領域Ｄｓ１，Ｄｓ３は、ソレノイド（図示せず）で電気的に開閉される両開き式の不透明な扉で通常覆われており、時としてソレノイドが励磁されて扉が手前側に開放されることにより遊技者に視認可能となる表示領域となっている。中央の予告領域Ｄｓ２は、扉で覆い隠されずに常に視認できる表示領域となっている。
【０１７１】
図９（ｂ）に示すように、実際の表示画面では、主表示領域Ｄｍに第３図柄の主図柄と副図柄とが合計９個表示される。副表示領域Ｄｓにおいては、左右の扉が閉鎖された状態となっており、左右の予告領域Ｄｓ１，Ｄｓ３が覆い隠されて表示画面が視認できない状態となっている。変動表示の途中において、左右のいずれか一方、または両方の扉が開放されると、左右の予告領域Ｄｓ１，Ｄｓ３に動画が表示され、通常より大当たりへ遷移し易い状態であることが遊技者に示唆される。中央の予告領域Ｄｓ２では、通常は、所定のキャラクタ（本実施の形態ではハチマキを付けた少年）が所定動作をし、時として所定動作とは別の特別な動作をしたり、別のキャラクタが現出する等して予告演出が行われる。なお、第３図柄表示装置８１の表示画面は、原則として上下の表示領域Ｄｍ，Ｄｓに区分されているが、各表示領域Ｄｍ，Ｄｓを跨いでより大きく第３図柄やキャラクタ等を表示して表示演出を行うことができる。
【０１７２】
次に、図１０を参照して、主制御装置１１０のＲＡＭ２０３内に設けられるカウンタ等について説明する。これらのカウンタ等は、大当たり抽選や第１図柄表示装置３７の表示の設定、第２図柄表示装置８２の表示結果の抽選などを行うために、主制御装置１１０のＭＰＵ２０１で使用される。
【０１７３】
大当たり抽選や第１図柄表示装置３７の表示の設定には、大当たりの抽選に使用する第１当たり乱数カウンタＣ１と、大当たり図柄の選択に使用する第１当たり種別図柄カウンタＣ２と、停止パターン選択カウンタＣ３と、第１当たり乱数カウンタＣ１の初期値設定に使用する第１初期値乱数カウンタＣＩＮＩ１と、変動パターン選択に使用する変動種別カウンタＣＳ１，ＣＳ２，ＣＳ３とが用いられる。また、第２図柄表示装置８２の抽選には、第２当たり乱数カウンタＣ４が用いられ、第２当たり乱数カウンタＣ４の初期値設定には第２初期値乱数カウンタＣＩＮＩ２が用いられる。これら各カウンタは、更新の都度前回値に１が加算され、最大値に達した後０に戻るループカウンタとなっている。
【０１７４】
各カウンタは、メイン処理（図１２参照）の実行間隔である４ｍｓ間隔、またはタイマ割込処理（図１５参照）の実行間隔である２ｍｓ間隔で更新され、その更新値がＲＡＭ２０３の所定領域に設定されたカウンタ用バッファに適宜格納される。ＲＡＭ２０３には、１つの実行エリアと４つの保留エリア（保留第１〜第４エリア）とからなる保留球格納エリアが設けられており、これらの各エリアには、第１入球口６４への球の入賞タイミングに合わせて、第１当たり乱数カウンタＣ１、第１当たり種別カウンタＣ２及び停止パターン選択カウンタＣ３の各値がそれぞれ格納される。
【０１７５】
各カウンタについて詳しく説明する。第１当たり乱数カウンタＣ１は、例えば０〜７３８の範囲内で順に１ずつ加算され、最大値（つまり７３８）に達した後０に戻る構成となっている。特に、第１当たり乱数カウンタＣ１が１周した場合、その時点の第１初期値乱数カウンタＣＩＮＩ１の値が当該第１当たり乱数カウンタＣ１の初期値として読み込まれる。また、第１初期値乱数カウンタＣＩＮＩ１は、第１当たり乱数カウンタＣ１と同一範囲で更新されるループカウンタとして構成され（値＝０〜７３８）、タイマ割込処理（図１５参照）の実行毎に１回更新されると共に、メイン処理（図１２参照）の残余時間内で繰り返し更新される。第１当たり乱数カウンタＣ１の値は、例えば定期的に（本実施の形態ではタイマ割込処理毎に１回）更新され、球が第１入球口６４に入賞したタイミングでＲＡＭ２０３の保留球格納エリアに格納される。大当たりとなる乱数の値の数は、低確率時と高確率時とで２種類設定されており、低確率時に大当たりとなる乱数の値の数は２で、その値は「３７３，７２７」であり、高確率時に大当たりとなる乱数の値の数は１４で、その値は「５９，１０９，１６３，２１１，２６３，３１７，３６７，４２１，４７９，５２３，６３１，６８３，７３３」である。
【０１７６】
第１当たり種別カウンタＣ２は、大当たりの際の第１図柄表示装置３７の表示態様を決定するものであり、本実施の形態では、０〜４の範囲内で順に１ずつ加算され、最大値（つまり４）に達した後０に戻る構成となっている。第１当たり種別カウンタＣ２の値は、例えば定期的に（本実施の形態ではタイマ割込処理毎に１回）更新され、球が第１入球口６４に入賞したタイミングでＲＡＭ２０３の保留球格納エリアに格納される。なお、大当たり後に高確率状態となる乱数の値は「１，２，３」であり、大当たり後に低確率状態となる乱数の値は「０，４」であり、２種類の当たり種別が決定される。よって、第１図柄表示装置３７に表示される停止図柄に対応した表示態様は、高確率状態と低確率状態との２種類の大当たりに対応した表示態様と、はずれに対応した１種類の表示態様との合計３種類の表示態様のうち、いずれか１つが選択される。
【０１７７】
停止パターン選択カウンタＣ３は、例えば０〜２３８の範囲内で順に１ずつ加算され、最大値（つまり２３８）に達した後０に戻る構成となっている。本実施の形態では、停止パターン選択カウンタＣ３によって、第３図柄表示装置８１で表示される演出のパターンが選択され、リーチが発生した後、最終停止図柄がリーチ図柄の前後に１つだけずれて停止する「前後外れリーチ」（例えば０〜８の範囲）と、同じくリーチ発生した後、最終停止図柄がリーチ図柄の前後以外で停止する「前後外れ以外リーチ」（例えば９〜３８の範囲）と、リーチ発生しない「完全外れ」（例えば３９〜２３８の範囲）との３つの停止（演出）パターンが選択される。停止パターン選択カウンタＣ３の値は、例えば定期的に（本実施の形態ではタイマ割込処理毎に１回）更新され、球が第１入球口６４に入賞したタイミングでＲＡＭ２０３の保留球格納エリアに格納される。
【０１７８】
また、停止パターン選択カウンタＣ３には、停止パターンの選択される乱数値の範囲が異なる複数のテーブルが設けられている。これは、現在のパチンコ機１０の状態が高確率状態であるか低確率状態であるか、保留球格納エリアのどのエリアに各乱数値が格納されているか（即ち保留個数）等に応じて、停止パターンの選択比率を変更するためである。
【０１７９】
例えば、高確率状態では、大当たりが発生し易いため必要以上にリーチ演出が選択されないように、「完全外れ」の停止パターンに対応した乱数値の範囲が１０〜２３８と広いテーブルが選択され、「完全外れ」が選択され易くなる。このテーブルは、「前後外れリーチ」が０〜５と狭くなると共に「前後外れ以外リーチ」も６〜９と狭くなり、「前後外れリーチ」や「前後外れ以外リーチ」が選択され難くなる。また、低確率状態で保留球格納エリアに各乱数値が格納されていなければ、第１入球口６４への球の入球時間を確保するために「完全外れ」の停止パターンに対応した乱数値の範囲が５１〜２３８と狭いテーブルが選択され、「完全外れ」が選択され難くなる。このテーブルは、「前後外れ以外リーチ」の停止パターンに対応した乱数値の範囲が９〜５０と広くなり、「前後外れ以外リーチ」が選択され易くなっている。よって、低確率状態では、第１入球口６４への球の入球時間を確保できるので、第３図柄表示装置８１による変動表示が継続して行われ易くなる。
【０１８０】
２つの変動種別カウンタＣＳ１，ＣＳ２のうち、一方の変動種別カウンタＣＳ１は、例えば０〜１９８の範囲内で順に１ずつ加算され、最大値（つまり１９８）に達した後０に戻る構成となっており、他方の変動種別カウンタＣＳ２は、例えば０〜２４０の範囲内で順に１ずつ加算され、最大値（つまり２４０）に達した後０に戻る構成となっている。以下の説明では、ＣＳ１を「第１変動種別カウンタ」、ＣＳ２を「第２変動種別カウンタ」ともいう。
【０１８１】
第１変動種別カウンタＣＳ１によって、いわゆるノーマルリーチ、スーパーリーチ、プレミアムリーチ等の大まかな表示態様が決定される。表示態様の決定は、具体的には、図柄変動の変動時間の決定である。また、第２変動種別カウンタＣＳ２によって、リーチ発生後に最終停止図柄（本実施の形態では中図柄）が停止するまでの変動時間（言い換えれば、変動図柄数）が決定される。変動種別カウンタＣＳ１，ＣＳ２により決定された変動時間に基づいて、表示制御装置１１４により第３表示装置８１で表示される第３図柄のリーチ種別や細かな図柄変動態様が決定される。従って、これらの変動種別カウンタＣＳ１，ＣＳ２を組み合わせることで、変動パターンの多種多様化を容易に実現できる。また、第１変動種別カウンタＣＳ１だけで図柄変動態様を決定したり、第１変動種別カウンタＣＳ１と停止図柄との組み合わせで同じく図柄変動態様を決定したりすることも可能である。変動種別カウンタＣＳ１，ＣＳ２の値は、後述するメイン処理（図１２参照）が１回実行される毎に１回更新され、当該メイン処理内の残余時間内でも繰り返し更新される。
【０１８２】
変動種別カウンタＣＳ３の値は、例えば、０〜１６２の範囲内で順に１ずつ加算され、最大値（つまり１６２）に達した後に０に戻る構成となっている。以下の説明では、ＣＳ３を「第３変動種別カウンタ」ともいう。本実施の形態の第３図柄表示装置８１は、第１図柄表示装置３７の表示態様に応じた装飾的な演出を行うものであり、図柄の変動以外に、変動している図柄を滑らせたり、リーチ演出の発生を予告するための予告キャラクタを通過させるなどの予告演出が行われる。その予告演出の演出パターンが変動種別カウンタＣＳ３により選択される。具体的には、予告演出に必要となる時間を変動時間に加算したり、反対に変動表示される時間を短縮するために変動時間を減算したり、変動時間を加減算しない演出パターンが選択される。なお、変動種別カウンタＣＳ３は、停止パターン選択カウンタＣ３と同様に、演出パターンが選択される乱数値の範囲が異なる複数のテーブルが設けられ、現在のパチンコ機１０の状態が高確率状態であるか低確率状態であるか、保留球格納エリアのどのエリアに各乱数値が格納されているか等に応じて、各演出パターンの選択比率が異なるよう構成されている。
【０１８３】
上述したように、変動種別カウンタＣＳ１，ＣＳ２により図柄変動の変動時間が決定されると共に、変動種別カウンタＣＳ３により変動時間に加減算される時間が決定される。よって、最終停止図柄が停止するまでの最終的な変動時間は、変動種別カウンタＣＳ１，ＣＳ２，ＣＳ３により決定される。
【０１８４】
第２当たり乱数カウンタＣ４は、例えば０〜２５０の範囲内で順に１ずつ加算され、最大値（つまり２５０）に達した後０に戻るループカウンタとして構成されている。第２当たり乱数カウンタＣ４の値は、本実施の形態ではタイマ割込処理毎に、例えば定期的に更新され、球が左右何れかの第２入球口（スルーゲート）６７を通過したことが検知された時に取得される。当選することとなる乱数の値の数は１４９あり、その範囲は「５〜１５３」となっている。なお、第２初期値乱数カウンタＣＩＮＩ２は、第２当たり乱数カウンタＣ４と同一範囲で更新されるループカウンタとして構成され（値＝０〜２５０）、タイマ割込処理（図１５参照）毎に１回更新されると共に、メイン処理（図１２参照）の残余時間内で繰り返し更新される。
【０１８５】
次に、図１１から図１７のフローチャートを参照して、主制御装置１１０内のＭＰＵ２０１により実行される各制御処理を説明する。かかるＭＰＵ２０１の処理としては大別して、電源投入に伴い起動される立ち上げ処理と、その立ち上げ処理後に実行されるメイン処理と、定期的に（本実施の形態では２ｍｓ周期で）起動されるタイマ割込処理と、ＮＭＩ端子への停電信号ＳＧ１の入力により起動されるＮＭＩ割込処理とがあり、説明の便宜上、はじめにタイマ割込処理とＮＭＩ割込処理とを説明し、その後立ち上げ処理とメイン処理とを説明する。
【０１８６】
図１５は、タイマ割込処理を示すフローチャートである。タイマ割込処理は、主制御装置１１０のＭＰＵ２０１により例えば２ｍｓ毎に実行される。タイマ割込処理では、まず各種入賞スイッチの読み込み処理を実行する（Ｓ５０１）。即ち、主制御装置１１０に接続されている各種スイッチの状態を読み込むと共に、当該スイッチの状態を判定して検出情報（入賞検知情報）を保存する。
【０１８７】
次に、第１初期値乱数カウンタＣＩＮＩ１と第２初期値乱数カウンタＣＩＮＩ２の更新を実行する（Ｓ５０２）。具体的には、第１初期値乱数カウンタＣＩＮＩ１を１加算すると共に、そのカウンタ値が最大値（本実施の形態では７３８）に達した際、０にクリアする。そして、第１初期値乱数カウンタＣＩＮＩ１の更新値を、ＲＡＭ２０３の該当するバッファ領域に格納する。同様に、第２初期値乱数カウンタＣＩＮＩ２を１加算すると共に、そのカウンタ値が最大値（本実施の形態では２５０）に達した際、０にクリアし、その第２初期値乱数カウンタＣＩＮＩ２の更新値をＲＡＭ２０３の該当するバッファ領域に格納する。
【０１８８】
更に、第１当たり乱数カウンタＣ１、第１当たり種別カウンタＣ２、停止パターン選択カウンタＣ３及び第２当たり乱数カウンタＣ４の更新を実行する（Ｓ５０３）。具体的には、第１当たり乱数カウンタＣ１、第１当たり種別カウンタＣ２、停止パターン選択カウンタＣ３及び第２当たり乱数カウンタＣ４をそれぞれ１加算すると共に、それらのカウンタ値が最大値（本実施の形態ではそれぞれ、７３８，４，２３８，２５０）に達した際、それぞれ０にクリアする。そして、各カウンタＣ１〜Ｃ４の更新値を、ＲＡＭ２０３の該当するバッファ領域に格納する。
【０１８９】
その後は、第１入球口６４への入賞に伴う始動入賞処理（図１６参照）を実行し（Ｓ５０４）、発射制御処理を実行して（Ｓ５０５）、タイマ割込処理を終了する。なお、発射制御処理は、遊技者が操作ハンドル５１に触れていることをタッチセンサ５１ａにより検出し、発射を停止させるための打ち止めスイッチ５１ｂが操作されていないことを条件に、球の発射のオン／オフを決定する処理である。主制御装置１１０は、球の発射がオンである場合に、発射制御装置１１２に対して球の発射指示をする。
【０１９０】
ここで、図１６のフローチャートを参照して、Ｓ５０４の処理で実行される始動入賞処理を説明する。図１６は、タイマ割込処理（図１５参照）の中で実行される始動入賞処理（Ｓ５０４）を示すフローチャートである。
【０１９１】
この始動入賞処理が実行されると、まず、球が第１入球口６４に入賞（始動入賞）したか否かを判別する（Ｓ６０１）。球が第１入球口６４に入賞したと判別されると（Ｓ６０１：Ｙｅｓ）、第１図柄表示装置３７の作動保留球数Ｎが上限値（本実施の形態では４）未満であるか否かを判別する（Ｓ６０２）。第１入球口６４への入賞があり、且つ作動保留球数Ｎ＜４であれば（Ｓ６０２：Ｙｅｓ）、作動保留球数Ｎを１加算し（Ｓ６０３）、更に、前記ステップＳ５０３で更新した第１当たり乱数カウンタＣ１、第１当たり種別カウンタＣ２及び停止パターン選択カウンタＣ３の各値を、ＲＡＭ２０３の保留球格納エリアの空き保留エリアのうち最初のエリアに格納する（Ｓ６０４）。一方、第１入球口６４への入賞がないか（Ｓ６０１：Ｎｏ）、或いは、第１入球口６４への入賞があっても作動保留球数Ｎ＜４でなければ（Ｓ６０２：Ｎｏ）、Ｓ６０３及びＳ６０４の各処理をスキップし、始動入賞処理を終了してタイマ割込処理へ戻る。
【０１９２】
図１７は、ＮＭＩ割込処理を示すフローチャートである。ＮＭＩ割込処理は、停電の発生等によるパチンコ機１０の電源遮断時に、主制御装置１１０のＭＰＵ２０１により実行される処理である。このＮＭＩ割込処理により、電源断の発生情報がＲＡＭ２０３に記憶される。即ち、停電の発生等によりパチンコ機１０の電源が遮断されると、停電信号ＳＧ１が停電監視回路２５２から主制御装置１１０内のＭＰＵ２０１のＮＭＩ端子に出力される。すると、ＭＰＵ２０１は、実行中の制御を中断してＮＭＩ割込処理を開始し、電源断の発生情報の設定として、電源断の発生情報をＲＡＭ２０３に記憶し（Ｓ７０１）、ＮＭＩ割込処理を終了する。
【０１９３】
なお、上記のＮＭＩ割込処理は、払出発射制御装置１１１でも同様に実行され、かかるＮＭＩ割込処理により、電源断の発生情報がＲＡＭ２１３に記憶される。即ち、停電の発生等によりパチンコ機１０の電源が遮断されると、停電信号ＳＧ１が停電監視回路２５２から払出発射制御装置１１１内のＭＰＵ２１１のＮＭＩ端子に出力され、ＭＰＵ２１１は実行中の制御を中断して、ＮＭＩ割込処理を開始するのである。
【０１９４】
次に、図１１を参照して、主制御装置１１０に電源が投入された場合の立ち上げ処理について説明する。図１１は、主制御装置１１０内のＭＰＵ２０１により実行される立ち上げ処理を示すフローチャートである。この立ち上げ処理は電源投入時のリセットにより起動される。立ち上げ処理では、まず、電源投入に伴う初期設定処理を実行する（Ｓ１０１）。具体的には、スタックポインタに予め決められた所定値を設定すると共に、サブ側の制御装置（音声ランプ制御装置１１３、払出制御装置１１１等の周辺制御装置）が動作可能な状態になるのを待つために、ウェイト処理（本実施の形態では１秒）を実行する。次いで、ＲＡＭ２０３のアクセスを許可する（Ｓ１０３）。
【０１９５】
その後は、電源装置１１５に設けたＲＡＭ消去スイッチ１２２（図３参照）がオンされているか否かを判別し（Ｓ１０４）、オンされていれば（Ｓ１０４：Ｙｅｓ）、処理をＳ１１０へ移行する。一方、ＲＡＭ消去スイッチ１２２がオンされていなければ（Ｓ１０４：Ｎｏ）、更にＲＡＭ２０３に電源断の発生情報が記憶されているか否かを判別し（Ｓ１０５）、記憶されていなければ（Ｓ１０５：Ｎｏ）、前回の電源遮断時の処理が正常に終了しなかった可能性があるので、この場合も、処理をＳ１１０へ移行する。
【０１９６】
ＲＡＭ２０３に電源断の発生情報が記憶されていれば（Ｓ１０５：Ｙｅｓ）、ＲＡＭ判定値を算出し（Ｓ１０６）、算出したＲＡＭ判定値が正常でなければ（Ｓ１０７：Ｎｏ）、即ち、算出したＲＡＭ判定値が電源遮断時に保存したＲＡＭ判定値と一致しなければ、バックアップされたデータは破壊されているので、かかる場合にも処理をＳ１１０へ移行する。なお、図１２のＳ２１３の処理で後述する通り、ＲＡＭ判定値は、例えばＲＡＭ２０３の作業領域アドレスにおけるチェックサム値である。このＲＡＭ判定値に代えて、ＲＡＭ２０３の所定のエリアに書き込まれたキーワードが正しく保存されているか否かによりバックアップの有効性を判断するようにしても良い。
【０１９７】
Ｓ１１１の処理では、サブ側の制御装置（周辺制御装置）となる払出制御装置１１１を初期化するために払出初期化コマンドを送信する（Ｓ１１１）。払出制御装置１１１は、この払出初期化コマンドを受信すると、ＲＡＭ２１３のスタックエリア以外のエリア（作業領域）をクリアし、初期値を設定して、遊技球の払い出し制御を開始可能な状態となる。主制御装置１１０は、払出初期化コマンドの送信後は、ＲＡＭ２０３の初期化処理（Ｓ１１２、Ｓ１１３）を実行する。
【０１９８】
上述したように、本パチンコ機１０では、例えばホールの営業開始時など、電源投入時にＲＡＭデータを初期化する場合にはＲＡＭ消去スイッチ１２２を押しながら電源が投入される。従って、立ち上げ処理の実行時にＲＡＭ消去スイッチ１２２が押されていれば、ＲＡＭの初期化処理（Ｓ１１２、Ｓ１１３）を実行する。また、電源断の発生情報が設定されていない場合や、ＲＡＭ判定値（チェックサム値等）によりバックアップの異常が確認された場合も同様に、ＲＡＭ２０３の初期化処理（Ｓ１１２、Ｓ１１３）を実行する。ＲＡＭの初期化処理（Ｓ１１２、Ｓ１１３）では、ＲＡＭ２０３の使用領域を０クリアし（Ｓ１１２）、その後、ＲＡＭ２０３の初期値を設定する（Ｓ１１３）。ＲＡＭ２０３の初期化処理の実行後は、Ｓ１１０の処理へ移行する。
【０１９９】
一方、ＲＡＭ消去スイッチ１２２がオンされておらず（Ｓ１０４：Ｎｏ）、電源断の発生情報が記憶されており（Ｓ１０５：Ｙｅｓ）、更にＲＡＭ判定値（チェックサム値等）が正常であれば（Ｓ１０７：Ｙｅｓ）、ＲＡＭ２０３にバックアップされたデータを保持したまま、電源断の発生情報をクリアする（Ｓ１０８）。次に、サブ側の制御装置（周辺制御装置）を駆動電源遮断時の遊技状態に復帰させるための復電時の払出復帰コマンドを送信し（Ｓ１０９）、Ｓ１１０の処理へ移行する。払出制御装置１１１は、この払出復帰コマンドを受信すると、ＲＡＭ２１３に記憶されたデータを保持したまま、遊技球の払い出し制御を開始可能な状態となる。Ｓ１１０の処理では、割込みを許可して、後述するメイン処理に移行する。
【０２００】
次に、図１２を参照して、上記した立ち上げ処理後に実行されるメイン処理について説明する。図１２は、主制御装置１１０内のＭＰＵ２０１により実行されるメイン処理を示すフローチャートである。このメイン処理では遊技の主要な処理が実行される。その概要として、４ｍｓ周期の定期処理としてＳ２０１〜Ｓ２０６の各処理が実行され、その残余時間でＳ２０９，Ｓ２１０のカウンタ更新処理が実行される構成となっている。
【０２０１】
メイン処理においては、まず、前回の処理で更新されたコマンド等の出力データをサブ側の各制御装置（周辺制御装置）に送信する（Ｓ２０１）。具体的には、Ｓ５０１のスイッチ読み込み処理で検出した入賞検知情報の有無を判別し、入賞検知情報があれば払出制御装置１１１に対して獲得球数に対応する賞球コマンドを送信する。また、この外部出力処理により、第３図柄表示装置８１による第３図柄の変動表示に必要な変動パターンコマンド、停止図柄コマンド、停止コマンド、演出時間加算コマンド等を音声ランプ制御装置１１３に送信する。さらに、球の発射を行う場合には、発射制御装置１１２へ球発射信号を送信する。
【０２０２】
次に、変動種別カウンタＣＳ１，ＣＳ２，ＣＳ３の各値を更新する（Ｓ２０２）。具体的には、変動種別カウンタＣＳ１，ＣＳ２，ＣＳ３を１加算すると共に、それらのカウンタ値が最大値（本実施の形態では１９８，２４０，１６２）に達した際、それぞれ０にクリアする。そして、変動種別カウンタＣＳ１，ＣＳ２，ＣＳ３の更新値を、ＲＡＭ２０３の該当するバッファ領域に格納する。
【０２０３】
変動種別カウンタＣＳ１，ＣＳ２，ＣＳ３の更新が終わると、払出制御装置１１１より受信した賞球計数信号や払出異常信号を読み込み（Ｓ２０３）、第１図柄表示装置３７による表示を行うための処理や第３図柄表示装置８１による第３図柄の変動パターンなどを設定する変動処理を実行する（Ｓ２０４）。なお、変動処理の詳細は図１３を参照して後述する。
【０２０４】
変動処理の終了後は、大当たり状態である場合において可変入賞装置６５の特定入賞口（大開放口）６５ａを開放又は閉鎖するための大開放口開閉処理を実行する（Ｓ２０５）。即ち、大当たり状態のラウンド毎に特定入賞口６５ａを開放し、特定入賞口６５ａの最大開放時間が経過したか、又は特定入賞口６５ａに球が規定数入賞したかを判定する。そして、これら何れかの条件が成立すると特定入賞口６５ａを閉鎖する。この特定入賞口６５ａの開放と閉鎖とを所定ラウンド数繰り返し実行する。
【０２０５】
次に、第２図柄表示装置８２による第２図柄（例えば「○」又は「×」の図柄）の表示制御処理を実行する（Ｓ２０６）。簡単に説明すると、球が第２入球口（スルーゲート）６７を通過したことを条件に、その通過したタイミングで第２当たり乱数カウンタＣ４の値が取得されると共に、第２図柄表示装置８２の表示部８３にて第２図柄の変動表示が実施される。そして、第２当たり乱数カウンタＣ４の値により第２図柄の抽選が実施され、第２図柄の当たり状態になると、第１入球口６４に付随する電動役物が所定時間開放される。
【０２０６】
その後は、ＲＡＭ２０３に電源断の発生情報が記憶されているか否かを判別し（Ｓ２０７）、ＲＡＭ２０３に電源断の発生情報が記憶されていなければ（Ｓ２０７：Ｎｏ）、停電監視回路２５２から停電信号ＳＧ１は出力されておらず、電源は遮断されていない。よって、かかる場合には、次のメイン処理の実行タイミングに至ったか否か、即ち前回のメイン処理の開始から所定時間（本実施の形態では４ｍｓ）が経過したか否かを判別し（Ｓ２０８）、既に所定時間が経過していれば（Ｓ２０８：Ｙｅｓ）、処理をＳ２０１へ移行し、上述したＳ２０１以降の各処理を繰り返し実行する。
【０２０７】
一方、前回のメイン処理の開始から未だ所定時間が経過していなければ（Ｓ２０８：Ｎｏ）、所定時間に至るまで間、即ち、次のメイン処理の実行タイミングに至るまでの残余時間内において、第１初期値乱数カウンタＣＩＮＩ１、第２初期値乱数カウンタＣＩＮＩ２及び変動種別カウンタＣＳ１，ＣＳ２，ＣＳ３の更新を繰り返し実行する（Ｓ２０９，Ｓ２１０）。
【０２０８】
まず、第１初期値乱数カウンタＣＩＮＩ１と第２初期値乱数カウンタＣＩＮＩ２との更新を実行する（Ｓ２０９）。具体的には、第１初期値乱数カウンタＣＩＮＩ１と第２初期値乱数カウンタＣＩＮＩ２を１加算すると共に、そのカウンタ値が最大値（本実施の形態では７３８、２５０）に達した際、０にクリアする。そして、第１初期値乱数カウンタＣＩＮＩ１と第２初期値乱数カウンタＣＩＮＩ２の更新値を、ＲＡＭ２０３の該当するバッファ領域にそれぞれ格納する。
【０２０９】
次に、変動種別カウンタＣＳ１，ＣＳ２，ＣＳ３の更新を実行する（Ｓ２１０）。具体的には、変動種別カウンタＣＳ１，ＣＳ２，ＣＳ３を１加算すると共に、それらのカウンタ値が最大値（本実施の形態では１９８，２４０，１６２）に達した際、それぞれ０にクリアする。そして、変動種別カウンタＣＳ１，ＣＳ２，ＣＳ３の更新値を、ＲＡＭ２０３の該当するバッファ領域にそれぞれ格納する。
【０２１０】
ここで、Ｓ２０１〜Ｓ２０６の各処理の実行時間は遊技の状態に応じて変化するため、次のメイン処理の実行タイミングに至るまでの残余時間は一定でなく変動する。故に、かかる残余時間を使用して第１初期値乱数カウンタＣＩＮＩ１と第２初期値乱数カウンタＣＩＮＩ２の更新を繰り返し実行することにより、第１初期値乱数カウンタＣＩＮＩ１と第２初期値乱数カウンタＣＩＮＩ２（即ち、第１当たり乱数カウンタＣ１の初期値、第２当たり乱数カウンタＣ４の初期値）をランダムに更新することができ、同様に変動種別カウンタＣＳ１，ＣＳ２，ＣＳ３についてもランダムに更新することができる。
【０２１１】
また、Ｓ２０７の処理において、ＲＡＭ２０３に電源断の発生情報が記憶されていれば（Ｓ２０７：Ｙｅｓ）、停電の発生または電源のオフにより電源が遮断され、停電監視回路２５２から停電信号ＳＧ１が出力された結果、図１７のＮＭＩ割込処理が実行されたということなので、Ｓ２１１以降の電源遮断時の処理が実行される。まず、各割込処理の発生を禁止し（Ｓ２１１）、電源が遮断されたことを示す電源遮断通知コマンドを他の制御装置（払出制御装置１１１や音声ランプ制御装置１１３等の周辺制御装置）に対して送信する（Ｓ２１２）。そして、ＲＡＭ判定値を算出して、その値を保存し（Ｓ２１３）、ＲＡＭ２０３のアクセスを禁止して（Ｓ２１４）、電源が完全に遮断して処理が実行できなくなるまで無限ループを継続する。ここで、ＲＡＭ判定値は、例えば、ＲＡＭ２０３のバックアップされるスタックエリア及び作業エリアにおけるチェックサム値である。
【０２１２】
なお、Ｓ２０７の処理は、Ｓ２０１〜Ｓ２０６で行われる遊技の状態変化に対応した一連の処理の終了時、又は、残余時間内に行われるＳ２０９とＳ２１０の処理の１サイクルの終了時となるタイミングで実行されている。よって、主制御装置１１０のメイン処理において、各設定が終わったタイミングで電源断の発生情報を確認しているので、電源遮断の状態から復帰する場合には、立ち上げ処理の終了後、処理をＳ２０１の処理から開始することができる。即ち、立ち上げ処理において初期化された場合と同様に、処理をＳ２０１の処理から開始することができる。よって、電源遮断時の処理において、ＭＰＵ２０１が使用している各レジスタの内容をスタックエリアへ退避したり、スタックポインタの値を保存しなくても、初期設定の処理（Ｓ１０１）において、スタックポインタが所定値（初期値）に設定されることで、Ｓ２０１の処理から開始することができる。従って、主制御装置１１０の制御負担を軽減することができると共に、主制御装置１１０が誤動作したり暴走することなく正確な制御を行うことができる。
【０２１３】
次に、図１３を参照して、変動処理（Ｓ２０４）について説明する。図１３は、メイン処理（図１２参照）の中で実行される変動処理（Ｓ２０４）を示すフローチャートである。この変動処理では、まず、今現在大当たり中であるか否かを判別する（Ｓ３０１）。大当たり中としては、大当たりの際に第３図柄表示装置８１及び第１図柄表示装置３７で表示される大当たり遊技の最中と大当たり遊技終了後の所定時間の最中とが含まれる。判別の結果、大当たり中であれば（Ｓ３０１：Ｙｅｓ）、そのまま本処理を終了する。
【０２１４】
大当たり中でなければ（Ｓ３０１：Ｎｏ）、第１図柄表示装置３７の表示態様が変動中であるか否かを判別し（Ｓ３０２）、第１図柄表示装置３７の表示態様が変動中でなければ（Ｓ３０２：Ｎｏ）、作動保留球数Ｎが０よりも大きいか否かを判別する（Ｓ３０３）。作動保留球数Ｎが０であれば（Ｓ３０３：Ｎｏ）、そのまま本処理を終了する。作動保留球数Ｎ＞０であれば（Ｓ３０３：Ｙｅｓ）、作動保留球数Ｎを１減算し（Ｓ３０４）、保留球格納エリアに格納されたデータをシフト処理する（Ｓ３０５）。このデータシフト処理は、保留球格納エリアの保留第１〜第４エリアに格納されているデータを実行エリア側に順にシフトさせる処理であって、保留第１エリア→実行エリア、保留第２エリア→保留第１エリア、保留第３エリア→保留第２エリア、保留第４エリア→保留第３エリアといった具合に各エリア内のデータがシフトされる。データシフト処理の後は、第１図柄表示装置３７の変動開始処理を実行する（Ｓ３０６）。なお、変動開始処理については、図１４を参照して後述する。
【０２１５】
Ｓ３０２の処理において、第１図柄表示装置３７の表示態様が変動中であると判別されると（Ｓ３０２：Ｙｅｓ）、変動時間が経過したか否かを判別する（Ｓ３０７）。第１図柄表示装置３７の変動中の表示時間は、変動種別カウンタＣＳ１，ＣＳ２により選択された変動パターンと変動種別カウンタＣＳ３により選択された加算時間とに応じて決められており、この変動時間が経過していなければ（Ｓ３０７：Ｎｏ）、第１図柄表示装置３７の表示を更新する（Ｓ３０８）。
【０２１６】
本実施の形態では、第１図柄表示装置３７のＬＥＤ３７ａの内、変動が開始されてから変動時間が経過するまでは、例えば、現在点灯しているＬＥＤが赤であれば、その赤のＬＥＤを消灯すると共に緑のＬＥＤを点灯させ、緑のＬＥＤが点灯していれば、その緑のＬＥＤを消灯すると共に青のＬＥＤを点灯させ、青のＬＥＤが点灯していれば、その青のＬＥＤを消灯すると共に赤のＬＥＤを点灯させる表示態様が設定される。
【０２１７】
なお、変動処理は４ｍｓ毎に実行されるが、その変動処理の実行毎にＬＥＤの点灯色を変更すると、ＬＥＤの点灯色の変化を遊技者が確認することができない。そこで、遊技者がＬＥＤの点灯色の変化を確認することができるように、変動処理が実行される毎にカウンタ（図示せず）を１カウントし、そのカウンタが１００に達した場合に、ＬＥＤの点灯色の変更を行う。即ち、０．４ｓ毎にＬＥＤの点灯色の変更を行っている。なお、カウンタの値は、ＬＥＤの点灯色が変更されたら、０にリセットされる。
【０２１８】
一方、第１図柄表示装置３７の変動時間が経過していれば（Ｓ３０７：Ｙｅｓ）、第１図柄表示装置３７の停止図柄に対応した表示態様が設定される（Ｓ３０９）。停止図柄の設定は、第１当たり乱数カウンタＣ１の値に応じて大当たりか否かが決定されると共に、大当たりである場合には第１当たり種別カウンタＣ２の値により大当たり後に高確率状態となる図柄か低確率状態となる図柄かが決定される。本実施の形態では、大当たり後に高確率状態になる場合には赤色のＬＥＤを点灯させ、低確率状態になる場合には緑色のＬＥＤを点灯させ、外れである場合には青色のＬＥＤを点灯させる。なお、各ＬＥＤの表示は、次の変動表示が開始される場合に点灯が解除されるが、変動の停止後数秒間のみ点灯させるものとしても良い。
【０２１９】
Ｓ３０９の処理で停止図柄に対応した第１図柄表示装置３７の表示態様が設定されると、第３図柄表示装置８１の変動停止を第１図柄表示装置３７におけるＬＥＤの点灯と同調させるために停止コマンドが設定される（Ｓ３１０）。音声ランプ制御装置１１３は、この停止コマンドを受信すると、表示制御装置１１４に対して停止指示をする。第３図柄表示装置８１は、変動時間が経過すると変動が停止し、停止コマンドを受信することで、第３図柄表示装置８１における１の変動演出が終了する。
【０２２０】
次に、図１４を参照して、変動開始処理について説明する。図１４は、変動処理（図１３参照）の中で実行される変動開始処理（Ｓ３０６）を示したフローチャートである。変動開始処理（Ｓ３０６）では、まず、保留球格納エリアの実行エリアに格納されている第１当たり乱数カウンタＣ１の値に基づいて大当たりか否かを判別する（Ｓ４０１）。大当たりか否かは第１当たり乱数カウンタＣ１の値とその時々のモードとの関係に基づいて判別される。上述した通り通常の低確率時には第１当たり乱数カウンタＣ１の数値０〜７３８のうち「３７３，７２７」が当たり値であり、高確率時には「５９，１０９，１６３，２１１，２６３，３１７，３６７，４２１，４７９，５２３，６３１，６８３，７３３」が当たり値である。
【０２２１】
大当たりであると判別された場合（Ｓ４０１：Ｙｅｓ）、保留球格納エリアの実行エリアに格納されている第１当たり種別カウンタＣ２の値を確認して、大当たり時の表示態様が設定される（Ｓ４０２）。Ｓ４０２の処理では、第１当たり種別カウンタＣ２の値に基づき、大当たり後に高確率状態へ移行するか低確率状態へ移行するかが設定される。大当たり後の移行状態が設定されると、第１図柄表示装置３７の表示態様（ＬＥＤ３７ａの点灯状態）が設定される。また、大当たり後の移行状態に基づいて、第３図柄表示装置８１で停止表示される大当たりの停止図柄が音声ランプ制御装置１１３及び表示制御装置１１４で設定される。即ち、Ｓ４０２の処理により大当たり後の移行状態を設定することで、第３図柄表示装置８１における停止図柄が設定される。なお、第１当たり種別カウンタＣ２の数値０〜４のうち、「０，４」の場合は、以後、低確率状態に移行し、「１，２，３」の場合は高確率状態に移行する。
【０２２２】
次に、大当たり時の変動パターンを決定する（Ｓ４０３）。Ｓ４０３の処理で変動パターンが設定されると、第１図柄表示装置３７の表示時間が設定されると共に、第３図柄表示装置８１において大当たり図柄で停止するまでの第３図柄の変動時間が決定される。このとき、ＲＡＭ２０３のカウンタ用バッファに格納されている変動種別カウンタＣＳ１，ＣＳ２の値を確認し、第１変動種別カウンタＣＳ１の値に基づいてノーマルリーチ、スーパーリーチ、プレミアムリーチ等の大まかな図柄変動の変動時間を決定すると共に、第２変動種別カウンタＣＳ２の値に基づいてリーチ発生後に最終停止図柄（本実施の形態では中図柄Ｚ２）が停止するまでの変動時間（言い換えれば、変動図柄数）を決定する。
【０２２３】
なお、第１変動種別カウンタＣＳ１の数値と変動時間との関係、第２変動種別カウンタＣＳ２の数値と変動時間との関係は、それぞれにテーブル等により予め規定されている。但し、上記変動時間は、第２変動種別カウンタＣＳ２の値を使わずに第１変動種別カウンタＣＳ１の値だけを用いて設定することも可能であり、第１変動種別カウンタＣＳ１の値だけで設定するか又は両変動種別カウンタＣＳ１，ＣＳ２の両値で設定するかは、その都度の第１変動種別カウンタＣＳ１の値や遊技条件などに応じて適宜決められる。
【０２２４】
Ｓ４０１の処理で大当たりではないと判別された場合には（Ｓ４０１：Ｎｏ）、外れ時の表示態様が設定される（Ｓ４０４）。Ｓ４０４の処理では、第１図柄表示装置３７の表示態様を外れ図柄に対応した表示態様に設定すると共に、保留球格納エリアの実行エリアに格納されている停止パターン選択カウンタＣ３の値に基づいて、第３図柄表示装置８１において表示させる演出を、前後外れリーチであるか、前後外れ以外リーチであるか、完全外れであるかを設定する。本実施の形態では、上述したように、高確率状態であるか、低確率状態であるか、及び作動保留個数Ｎに応じて、停止パターン選択カウンタＣ３の各停止パターンに対応する値の範囲が異なるようテーブルが設定されている。
【０２２５】
次に、外れ時の変動パターンが決定され（Ｓ４０５）、第１図柄表示装置３７の表示時間が設定されると共に、第３図柄表示装置８１において外れ図柄で停止するまでの第３図柄の変動時間が決定される。このとき、Ｓ４０３の処理と同様に、ＲＡＭ２０３のカウンタ用バッファに格納されている変動種別カウンタＣＳ１，ＣＳ２の値を確認し、第１変動種別カウンタＣＳ１の値に基づいてノーマルリーチ、スーパーリーチ、プレミアムリーチ等の大まかな図柄変動の変動時間を決定すると共に、第２変動種別カウンタＣＳ２の値に基づいてリーチ発生後に最終停止図柄（本実施の形態では中図柄Ｚ２）が停止するまでの変動時間（言い換えれば、変動図柄数）を決定する。
【０２２６】
Ｓ４０３の処理またはＳ４０５の処理が終わると、第１及び第２種別カウンタＣＳ１，ＣＳ２により決定された変動時間に加減算される演出時間が決定される（Ｓ４０６）。このとき、ＲＡＭ２０３のカウンタ用バッファに格納されている第３種別カウンタＣＳ３の値に基づいて演出時間の加減算が決定され、第１図柄表示装置３７の表示時間が設定されると共に、第３図柄表示装置８１の変動時間が設定される。本実施の形態では、演出時間の加減算の決定は、第３変動種別カウンタＣＳ３の値に応じて、変動表示の時間を変更しない場合と変動表示時間を１秒加算する場合、変動表示時間を２秒加算する場合、変動表示時間を１秒減算する場合との４種類の加算値が決定される。
【０２２７】
なお、変動表示時間が加減算される場合には、第３図柄表示装置８１で大当たりの期待値が高くなる予告演出（例えば、変動図柄の変動時間を通常より長くしてスベリを伴わせるスベリ演出や予告キャラを表示させる演出、１の変動図柄の変動時間を通常より短くして即停止させる演出など）が行われる。また、第１当たり乱数カウンタＣ１の値が大当たりである場合は、２秒の加算値が選択される確率が高く設定されているので、遊技者は予告演出を確認することで大当たりを期待することができる。
【０２２８】
次に、Ｓ４０３又はＳ４０５の処理で決定された変動パターン（変動時間）に応じて変動パターンコマンドを設定し（Ｓ４０７）、Ｓ４０２又はＳ４０４の処理で設定された停止図柄に応じて停止図柄コマンドを設定する（Ｓ４０８）。そして、Ｓ４０６の処理で決定された演出時間の加算値に応じて演出時間加算コマンドを設定して（Ｓ４０９）、変動処理へ戻る。
【０２２９】
以上、説明したように、パチンコ機１０によれば、内枠１２または前面枠１４が開放状態となって、スイッチＳＷ１またはスイッチＳＷ２が導通状態となると（図５（ｂ）参照）、枠開放検出回路２６０は、内枠１２または前面枠１４が開放状態となってから約１０ｍｓ経過するまで（約１０ｍｓの間）、外部出力端子板２６１の抵抗Ｒ７の一端へ電流を供給する。すると、外部出力端子板２６１に設けられたフォトカプラＰＲ１の一次側の発光ダイオードに抵抗Ｒ７を介して電流が供給され、発光ダイオードは約１０ｍｓの間、光を発する。そして、フォトカプラＰＲ１の二次側の受光素子（フォトトランジスタ）が発光ダイオードの光を受光すると、フォトカプラＰＲ１の二次側の受光素子（フォトトランジスタ）は、受光した約１０ｍｓの光をパルス幅が約１０ｍｓのパルス信号（電気信号）に変え、そのパルス信号をホールコンピュータ２６２へ出力する。出力されたパルス信号は、ホールコンピュータ２６２に記憶される。よって、枠開放検出回路２６０と外部出力端子板２６１とを用いることで、ホールコンピュータ２６２に、内枠１２の開放または前面枠１４の開放があったことを記憶させることができる。なお、ホールコンピュータ２６２は、２４時間動作させ続けている。よって、枠開放検出回路２６０は、パルス信号が外部出力端子板２６１から出力されたことと共に、そのパルス信号が出力された時刻、即ち、内枠１２の開放および前面枠１４の開放時刻もホールコンピュータ２６２に記憶させることができる。
【０２３０】
また、枠開放検出回路２６０には、０．１ＦのコンデンサＣＤ１が設けられているので、枠開放検出回路２６０は、パチンコ機１０への電源供給が行われ、直流電源ＤＣ１から１２ボルトの直流電圧が供給されている場合には当然に動作し、更に、例えば、遊技場の営業時間が終了してパチンコ機１０への電源供給が遮断され、直流電源ＤＣ１から１２ボルトの直流電圧が供給されていない場合であっても、内枠１２の開放および前面枠１４の開放を検出することができる。よって、例えば、遊技場の営業時間が終了してパチンコ機１０への電源供給が遮断されている場合であっても、外部出力端子板２６１からホールコンピュータ２６２へパルス幅約１０ｍｓのパルス信号を出力することができる。
【０２３１】
次に、図１８および図１９を参照して、第２実施形態のパチンコ機を説明する。第２実施形態のパチンコ機は、第１実施形態のパチンコ機１０の枠開放検出回路２６０を別の構成である枠開放検出回路２７０に変更したものである。第２実施形態の枠開放検出回路２７０は、第１実施形態の枠開放検出回路２６０に対して、回路構成を簡略化している。具体的には、第２実施形態の枠開放検出回路２７０は、第１実施形態の枠開放検出回路２６０から、タイマＩＣ１、抵抗Ｒ１〜Ｒ３、コンデンサＣＤ３〜ＣＤ５を取り除き、コンデンサＣＤ１を容量の異なるコンデンサＣＤ６に変更し、各部品の接続を変更して、回路構成を簡略化したものである。
【０２３２】
この第２実施形態の枠開放検出回路２７０によれば、内枠１２または前面枠１４の開放期間に応じて出力期間が変動するハイ信号をホールコンピュータ２６２へ出力することができるので、内枠１２または前面枠１４の開放を検出することができることに加え、内枠１２または前面枠１４の開放期間も検出することができる。
【０２３３】
図１８は、第２実施形態の枠開放検出回路２７０の電気的構成を示したブロック図である。なお、図７で上述した第１実施形態の枠開放検出回路２６０と同一の部分には同一の番号を付してその説明は省略し、異なる部分についてのみ説明する。
【０２３４】
コンデンサＣＤ６は、第１実施形態の枠開放検出回路２６０に用いられたコンデンサＣＤ１の容量を０．１Ｆ（ファラッド）から１Ｆ（ファラッド）に変更したものである。コンデンサＣＤ６は、第１実施形態の枠開放検出回路２６０のコンデンサＣＤ１と同じく充電池として機能する部品であり、コンデンサＣＤ６の一端はダイオードＤ１のカソードと接続され、コンデンサＣＤ６の他端はグランドされている。
【０２３５】
このコンデンサＣＤ６は、上述したコンデンサＣＤ１（図７参照）と同様、第２実施形態のパチンコ機への電源供給が行われ、直流電源ＤＣ１から１２ボルトの直流電圧が供給されている場合には、コンデンサＣＤ６の容量１Ｆと、コンデンサＣＤ６に印加された直流電圧（直流電源ＤＣ１から供給される１２ボルトからダイオードＤ１での電圧降下０．７ボルトを引いた約１１．３ボルト）との積により求まる電荷を蓄える。
【０２３６】
一方、例えば、遊技場の営業時間が終了して、第２実施形態のパチンコ機への電源供給が遮断され、直流電源ＤＣ１から１２ボルトの直流電圧が供給されていない場合には、コンデンサＣＤ６は、コンデンサＣＤ６に蓄えられた電荷に基づく直流電圧（約１１．３ボルト）を枠開放検出回路２７０および外部出力端子板２６１へ供給する。
【０２３７】
具体的には、コンデンサＣＤ６は容量が１Ｆ（ファラッド）であり、コンデンサＣＤ６に印加される電圧は約１１．３ボルトであるので、コンデンサＣＤ６に蓄えられる電荷は、コンデンサＣＤ６の容量とコンデンサＣＤ６の印加電圧の積から約１１．３Ｃ（クーロン）となる。このコンデンサＣＤ６に蓄えられる約１１．３Ｃの電荷は、外部出力端子板２６１からホールコンピュータ２６２へ出力されるハイ信号の出力期間にすると、約１０分間の量となる。よって、例えば、遊技場の営業時間が終了して、第２実施形態のパチンコ機への電源供給が遮断され、直流電源ＤＣ１から１２ボルトの直流電圧が供給されていない場合であっても、外部出力端子板２６１から出力されるハイ信号の総出力期間が約１０分間となるまでは、枠開放検出回路２７０は、内枠１２または前面枠１４の開放を検出することができる。また、枠開放検出回路２７０は、内枠１２または前面枠１４の開放期間も検出することができる。なお、内枠１２の開放または前面枠１４の開放の総出力期間が約１０分間に近くなると、コンデンサＣＤ６に蓄えられる電荷が少なくなり、コンデンサＣＤ６からフォトカプラＰＲ１へ供給される電流値が低下するが、ホールコンピュータ２６２のハイ信号の検出感度を上げることにより（ハイ信号の振幅に対する閾値を下げることにより）、ホールコンピュータ２６２にハイ信号を記憶させることができる。
【０２３８】
このように、第２実施形態のパチンコ機への電源供給が行われ、直流電源ＤＣ１から１２ボルトの直流電圧が供給されている場合には当然に動作し、更に、例えば、遊技場の営業時間が終了して、第２実施形態のパチンコ機への電源供給が遮断され、直流電源ＤＣ１から１２ボルトの直流電圧が供給されていない場合であっても、枠開放検出回路２７０には、１Ｆ（ファラッド）のコンデンサＣＤ６が設けられているので、枠開放検出回路２７０は、内枠１２の開放および前面枠１４の開放を検出することができる。なお、コンデンサＣＤ６の一端には、ダイオードＤ１のカソード端子が接続されており、このダイオードＤ１が電流の逆流防止機能を果たしているので、コンデンサＣＤ６から枠開放検出回路２７０および外部出力端子板２６１へ直流電圧（約１１．３ボルト）が供給されている場合でも、その直流電圧が直流電源ＤＣ１に印加されることはなく、直流電源ＤＣ１が損傷することはない。なお、本実施形態においては、直流電源ＤＣ１から１２ボルトの直流電圧が供給されていない場合に、枠開放検出回路２７０および外部出力端子板２６１へ直流電圧を供給する部品として、コンデンサＣＤ６を使用した。しかし、これに限られるものではなく、コンデンサＣＤ６を、より蓄電量の多い二次電池（充電池）や、充電の必要のない一次電池としても良い。
【０２３９】
コンデンサＣＤ６の一端は、スイッチＳＷ１およびスイッチＳＷ２の一端と接続されると共に、外部出力端子板２６１の抵抗Ｒ７の一端と接続されている。スイッチＳＷ１およびスイッチＳＷ２の他端には、抵抗Ｒ９の一端が接続されている。そして、抵抗Ｒ９の他端には、コンデンサＣＤ２の一端、抵抗Ｒ４の一端およびトランジスタＴＲ１の内部抵抗Ｒ５の一端が接続されている。
【０２４０】
この接続により、スイッチＳＷ１若しくはスイッチＳＷ２の一方（内枠１２若しくは前面枠１４の一方）、またはスイッチＳＷ１およびスイッチＳＷ２の両方が導通状態である（内枠１２および前面枠１４の両方が開放状態である）期間中、抵抗Ｒ４に直流電圧が供給されるので、トランジスタＴＲ１のコレクタ端子ｃとトランジスタＴＲ１のエミッタ端子ｅとの端子間が導通する。すると、この期間中、外部出力端子板２６１の抵抗Ｒ７を介してフォトカプラＰＲ１の一次側の発光ダイオードへ電流が供給される。これにより、スイッチＳＷ１若しくはスイッチＳＷ２の一方（内枠１２若しくは前面枠１４の一方）、またはスイッチＳＷ１およびスイッチＳＷ２の両方が導通状態である（内枠１２および前面枠１４の両方が開放状態である）期間中、フォトカプラＰＲ１の二次側の受光素子（フォトトランジスタ）からホールコンピュータ２６２へ、ハイ信号が出力される。従って、第２実施形態の枠開放検出回路２７０によれば、枠開放検出回路２７０には、１Ｆ（ファラッド）のコンデンサＣＤ６が設けられているので、第２実施形態のパチンコ機への電源供給が遮断され、直流電源ＤＣ１から１２ボルトの直流電圧が供給されていない場合であっても、内枠１２または前面枠１４の開放期間に応じて出力期間が変動するハイ信号を、外部出力端子板２６１からホールコンピュータ２６２へ出力することができる。よって、内枠１２または前面枠１４の開放を検出することができることに加え、内枠１２または前面枠１４の開放期間も検出することができる。なお、ホールコンピュータ２６２は、２４時間動作させ続けている。よって、枠開放検出回路２７０は、ハイ信号が外部出力端子板２６１から出力されたことと共に、そのハイ信号が出力された時刻、即ち、内枠１２の開放および前面枠１４の開放時刻もホールコンピュータ２６２に記憶させることができる。
【０２４１】
更に、例えば、遊技場の営業時間が終了してパチンコ機１０への電源供給が遮断され、枠開放検出回路２７０および外部出力端子板２６１へ直流電源ＤＣ１から１２ボルトの直流電圧が供給されない場合、即ち、枠開放検出回路２７０および外部出力端子板２６１へコンデンサＣＤ６から約１１．３ボルトの直流電圧が供給される場合に、コンデンサＣＤ６からフォトカプラＰＲ１へ供給される電流の供給期間を、内枠１２または前面枠１４が開放された期間に留めることができる。よって、内枠１２または前面枠１４の開放による電力消費を小さく抑えることができる。
【０２４２】
なお、例えば、遊技場の営業時間が終了してパチンコ機への電源供給が遮断され、枠開放検出回路２７０および外部出力端子板２６１へ、コンデンサＣＤ６から直流電圧が供給される場合に、内枠１２または前面枠１４の開放に伴うコンデンサＣＤ６からフォトカプラＰＲ１への電流の総供給期間を長くしたり、内枠１２または前面枠１４の開放を検出する回数を増やしたりする場合には、コンデンサＣＤ６の容量を増加させたり（例えば、コンデンサＣＤ６の容量を１０Ｆとする）、コンデンサＣＤ６を蓄電量の多い二次電池に変更すれば良い。
【０２４３】
次に、図１９を参照して、スイッチＳＷ１の状態（内枠１２の状態）とスイッチＳＷ２の状態（前面枠１４の状態）とに応じて変化する枠開放検出回路２７０のＡの電圧（図１８参照）と、外部出力端子板２６１の出力（ホールコンピュータ２６２の入力）との関係について説明する。図１９は、スイッチＳＷ１の状態（内枠１２の状態）、スイッチＳＷ２の状態（前面枠１４の状態）、枠開放検出回路２７０のＡの電圧および外部出力端子板２６１の出力（ホールコンピュータ２６２の入力）の関係を示したタイミングチャートである。なお、図１９に記載されたｔ１時〜ｔ８時の各時は、図８に示す第１実施形態の枠開放検出回路２６０のタイミングチャートに記載されたｔ１時〜ｔ８時の各時と同一である。
【０２４４】
図１９（ａ）に示すように、ｔ１時に、スイッチＳＷ１が導通状態（内枠１２が開放状態）となると、これに追従して、図１９（ｃ）に示すように、枠開放検出回路２７０のＡの電圧（図１８参照）は、ゼロボルトから約１１．３ボルトへ切り換わる（ｔ１時）。すると、図１９（ｄ）に示すように、フォトカプラＰＲ１の二次側の受光素子（フォトトランジスタ）の出力、即ち、外部出力端子板２６１の出力は、ロウ状態からハイ状態に切り換わる（ｔ１時）。これにより、ホールコンピュータ２６２へ内枠１２または前面枠１４の開放を示すハイ信号の出力が開始される。
【０２４５】
そして、図１９（ａ）に示すように、ｔ２時に、スイッチＳＷ１が遮断状態（内枠１２が閉鎖状態）となると、図１９（ｃ）に示すように、枠開放検出回路２７０のＡの電圧は、約１１．３ボルトからゼロボルトへ切り換わる（ｔ２時）。すると、これに追従して、図１９（ｄ）に示すように、外部出力端子板２６１の出力は、ハイ状態からロウ状態に切り換わる（ｔ２時）。
【０２４６】
この外部出力端子板２６１の出力の切り換わりがハイ信号となり、そのハイ信号が外部出力端子板２６１からホールコンピュータ２６２へ、ｔ１時からｔ２時の間、出力される。つまり、パルス幅がｔ１からｔ２時までの出力期間となるハイ信号が、外部出力端子板２６１からホールコンピュータ２６２へ出力される。
【０２４７】
次に、図１９（ａ）に示すように、ｔ３時に、スイッチＳＷ１が導通状態（内枠１２が開放状態）となると、これに追従して、図１９（ｃ）に示すように、枠開放検出回路２７０のＡの電圧（図１８参照）は、ゼロボルトから約１１．３ボルトへ切り換わる（ｔ３時）。すると、図１９（ｄ）に示すように、フォトカプラＰＲ１の二次側の受光素子（フォトトランジスタ）の出力、即ち、外部出力端子板２６１の出力は、ロウ状態からハイ状態に切り換わる（ｔ３時）。これにより、ホールコンピュータ２６２へ内枠１２または前面枠１４の開放を示すハイ信号の出力が開始される。
【０２４８】
そして、図１９（ａ）に示すように、ｔ４時に、スイッチＳＷ１が遮断状態（内枠１２が閉鎖状態）となると、図１９（ｃ）に示すように、枠開放検出回路２７０のＡの電圧は、約１１．３ボルトからゼロボルトへ切り換わる（ｔ４時）。すると、これに追従して、図１９（ｄ）に示すように、外部出力端子板２６１の出力は、ハイ状態からロウ状態に切り換わる（ｔ４時）。
【０２４９】
この外部出力端子板２６１の出力の切り換わりがハイ信号となり、そのハイ信号が外部出力端子板２６１からホールコンピュータ２６２へ、ｔ３時からｔ４時の間、出力される。つまり、パルス幅がｔ３からｔ４時までの出力期間となるハイ信号が、外部出力端子板２６１からホールコンピュータ２６２へ出力される。
【０２５０】
最後に、スイッチＳＷ１が導通状態（内枠１２が開放状態）であるときに、スイッチＳＷ２が導通状態（前面枠１４が開放状態）となった場合について説明する。図１９（ａ）に示すように、ｔ５時に、スイッチＳＷ１が導通状態（内枠１２が開放状態）となり、更に、図１９（ｂ）に示すように、ｔ６時に、スイッチＳＷ２が導通状態（前面枠１４が開放状態）となると、図１９（ｃ）に示すように、枠開放検出回路２７０のＡの電圧（図１８参照）は、ｔ５時に、ゼロボルトから約１１．３ボルトへ切り換わる。すると、これに追従して、図１９（ｄ）に示すように、図１９（ｄ）に示すように、外部出力端子板２６１の出力は、ロウ状態からハイ状態に切り換わる（ｔ５時）。これにより、ホールコンピュータ２６２へ内枠１２または前面枠１４の開放を示すハイ信号の出力が開始される。
【０２５１】
そして、図１９（ａ）に示すように、ｔ７時に、スイッチＳＷ１が遮断状態（内枠１２が閉鎖状態）となると共に、図１９（ｂ）に示すように、ｔ８時に、スイッチＳＷ２が遮断状態（前面枠１４が閉鎖状態）となると、図１９（ｃ）に示すように、枠開放検出回路２７０のＡの電圧は、ｔ８時に、ゼロボルトから約１１．３ボルトへ切り換わる。すると、これに追従して、図１９（ｄ）に示すように、外部出力端子板２６１の出力は、ハイ状態からロウ状態に切り換わる（ｔ８時）。
【０２５２】
この外部出力端子板２６１の出力の切り換わりがハイ信号となり、そのハイ信号が外部出力端子板２６１からホールコンピュータ２６２へ、ｔ５時からｔ８時の間、出力される。つまり、パルス幅がｔ５からｔ８時までの出力期間となるハイ信号が、外部出力端子板２６１からホールコンピュータ２６２へ出力される。
【０２５３】
このように、スイッチＳＷ１およびスイッチＳＷ２が導通状態（内枠１２および前面枠１４が開放状態）であるときには、枠開放検出回路２７０は、スイッチＳＷ１またはスイッチＳＷ２のいずれか一方が導通状態（内枠１２または前面枠１４のいずれか一方が開放状態）となったときから、スイッチＳＷ１とスイッチＳＷ２との両方が遮断状態（内枠１２と前面枠１４との両方が閉鎖状態）となるまで、外部出力端子板２６１からホールコンピュータ２６２へ、ハイ信号を出力することができる。よって、内枠１２または前面枠１４の開放を検出することができることに加え、内枠１２または前面枠１４のいずれか一方が開放状態となったときから、内枠１２と前面枠１４との両方が閉鎖状態となるまでの開放期間を検出することができる。
【０２５４】
上述した通り、第２実施形態のパチンコ機によれば、枠開放検出回路２７０には、１Ｆ（ファラッド）のコンデンサＣＤ６が設けられているので、第２実施形態のパチンコ機への電源供給が遮断され、直流電源ＤＣ１から１２ボルトの直流電圧が供給されていない場合であっても、枠開放検出回路２７０により、内枠１２または前面枠１４の開放期間に応じて出力期間が変動するハイ信号をホールコンピュータ２６２に出力することができる。そして、ホールコンピュータ２６２に外部出力端子板２６１からハイ信号が出力されたことと共に、その出力されたハイ信号の出力期間を記憶させることで、内枠１２または前面枠１４の開放を検出することができることに加え、内枠１２または前面枠１４の開放期間も検出することができる。また、外部出力端子板２６１からホールコンピュータ２６２へ出力されたハイ信号は、２４時間動作し続けるホールコンピュータ２６２に記憶される。よって、ホールコンピュータ２６２に記憶されたハイ信号により、内枠１２または前面枠１４の開放が行われたパチンコ機を特定することができる。更には、ホールコンピュータ２６２に外部出力端子板２６１からハイ信号が出力されたことと共に、その出力されたハイ信号の出力時刻を記憶させることで、特定したパチンコ機の内枠１２の開放時刻または前面枠１４の開放時刻も検出することができる。
【０２５５】
次に、図２０および図２１を参照して、第３実施形態のパチンコ機を説明する。第３実施形態のパチンコ機は、第１実施形態のパチンコ機１０の枠開放検出回路２６０を別の構成である枠開放検出回路２８０に変更したものである。第３実施形態の枠開放検出回路２８０は、第１実施形態の枠開放検出回路２６０に対して、回路構成を簡略化している。具体的には、第３実施形態の枠開放検出回路２８０は、第１実施形態の枠開放検出回路２６０から、抵抗Ｒ２、コンデンサＣＤ４およびＣＤ５を取り除き、抵抗Ｒ１、コンデンサＣＤ３、抵抗Ｒ７、スイッチＳＷ１およびスイッチＳＷ２の各接続を変更し、タイマＩＣ１を単安定マルチバイブレータとして機能させ、そのタイマＩＣ１のＴＲＧ端子の前段に抵抗１０とコンデンサＣＤ７とから構成される積分回路２８１を接続して、回路構成を簡略化したものである。そして、第３実施形態の枠開放検出回路２８０は、第１実施形態の枠開放検出回路２６０に対して、タイマＩＣ１のＴＲＧ端子に印加される電圧の態様およびタイマＩＣ１のＯＵＴ端子から出力される電圧の態様を変更したものである。
【０２５６】
この第３実施形態の枠開放検出回路２８０によれば、積分回路２８１により、内枠１２または前面枠１４の開放期間に拘らず、タイマＩＣ１のＴＲＧ端子に印加される電圧の立ち下がり期間を一定期間（約２ｍｓ）とすることによって、タイマＩＣ１のＯＵＴ端子から約９．６ボルトの電圧が出力される期間（約１０ｍｓ）よりも、タイマＩＣ１のＴＲＧ端子に印加される電圧の立ち下がり期間を短く調整することができる。よって、内枠１２または前面枠１４の開放期間に拘らず、コンデンサＣＤ１からフォトカプラＰＲ１へ供給される電流の供給期間を、内枠１２または前面枠１４の１回の開放につき、約１０ｍｓに留めることができる。従って、枠開放検出回路２８０は、枠開放検出回路２６０と比較して回路構成を簡略化できると共に、タイマＩＣ１のＯＵＴ端子から約９．６ボルトの電圧が出力される期間を約１０ｍｓに留めることで、内枠１２または前面枠１４の開放による電力消費を枠開放検出回路２６０よりも更に小さく抑えることができる。
【０２５７】
図２０は、第３実施形態の枠開放検出回路２８０の電気的構成を示したブロック図である。なお、図７で上述した第１実施形態の枠開放検出回路２６０と同一の部分には同一の番号を付してその説明は省略し、異なる部分についてのみ説明する。
【０２５８】
パチンコ機への電源供給が遮断され、直流電源ＤＣ１から１２ボルトの直流電圧が供給されていない場合に、枠開放検出回路２８０および外部出力端子板２６１へ直流電圧を供給するコンデンサＣＤ１の一端は、１００ｋΩの抵抗Ｒ１０の一端と接続されると共に、タイマＩＣ１のＶＤＤ端子、１００ＫΩの抵抗Ｒ１ａの一端、タイマＩＣ１のＲＥＳ端子および１ＫΩの抵抗Ｒ７ａの一端と接続されている。
【０２５９】
抵抗Ｒ１ａの他端は、０．１μＦのコンデンサＣＤ３ａの一端と接続されると共に、タイマＩＣ１のＤＣＨ端子およびタイマＩＣ１のＴＨ端子と接続されている。そして、コンデンサＣＤ３ａの他端は、グランドされている。このコンデンサＣＤ３ａと抵抗Ｒ１ａとの接続により、タイマＩＣ１は、内枠１２または前面枠１４が開放されることで、スイッチＳＷ１またはスイッチＳＷ２が導通されて、タイマＩＣ１のＴＲＧ端子に印加される電圧がゼロボルトに立ち下がると、タイマＩＣ１のＯＵＴ端子の電圧を約１０ｍｓの間、ゼロボルトから約９．６ボルトに立ち上げる単安定マルチバイブレータとして機能する。なお、タイマＩＣ１のＯＵＴ端子の電圧をゼロボルトから約９．６ボルトに立ち上げる期間である約１０ｍｓは、抵抗Ｒ１ａの抵抗値（１００ｋΩ）とコンデンサＣＤ３ａの容量値（０．１μＦ）との積である時定数により決定されている。
【０２６０】
抵抗Ｒ１０は、タイマＩＣ１のＴＲＧ端子に印加される電圧を安定化させる抵抗であると共に、コンデンサＣＤ７とで積分回路２８１を構成する抵抗である。この抵抗Ｒ１０の他端は、ダイオードＤ２のアノード端子と接続され、このダイオードＤ２のカソード端子は、タイマＩＣ１のＴＲＧ端子に接続されると共に、制限電圧（ツェナー電圧）が約１０．５ボルトのツェナーダイオードＤ３のカソード端子、並列接続されたスイッチＳＷ１およびスイッチＳＷ２のそれぞれの一端に接続されている。よって、内枠１２および前面枠１４が閉鎖されて、スイッチＳＷ１およびスイッチＳＷ２が遮断されている状態では、タイマＩＣ１のＴＲＧ端子に印加される電圧は、コンデンサＣＤ１から供給される約１１．３ボルトの電圧から、抵抗Ｒ１０での電圧降下の約０．３ボルトと、ダイオードＤ２での電圧降下の約０．７ボルトとを差し引いた約１０．３ボルトとなる。
【０２６１】
０．０２μＦのコンデンサＣＤ７は、抵抗Ｒ１０とで積分回路２８１を構成して、タイマＩＣ１のＴＲＧ端子に印加される電圧を制御するコンデンサである。コンデンサＣＤ７の一端には、スイッチＳＷ１およびスイッチＳＷ２のそれぞれの他端が接続され、コンデンサＣＤ７の他端は、グランドされている。このコンデンサＣＤ７と抵抗Ｒ１０とにより構成される積分回路２８１は、内枠１２または前面枠１４が開放状態となることにより、スイッチＳＷ１またはスイッチＳＷ２が導通状態となると、タイマＩＣ１のＴＲＧ端子に印加されている約１０．３ボルトの電圧をゼロボルトに立ち下げ、その立ち下げから約２ｍｓ後に再び、タイマＩＣ１のＴＲＧ端子電圧を約１０．３ボルトに戻す回路である。
【０２６２】
具体的には、内枠１２または前面枠１４が開放され、その開放に応じて、スイッチＳＷ１またはスイッチＳＷ２が導通されると、コンデンサＣＤ１から供給される約１０．３ボルトの電圧がコンデンサＣＤ７に印加開始されて、コンデンサＣＤ７の充電が開始される。この充電開始時に、コンデンサＣＤ７に印加される電圧が瞬間的にゼロボルトとなることで、タイマＩＣ１のＴＲＧ端子に印加される電圧が瞬間的にゼロボルトになるのである。そして、コンデンサＣＤ７の充電に伴い、コンデンサＣＤ７は、タイマＩＣ１のＴＲＧ端子に印加される電圧を上昇させ、最終的に、タイマＩＣ１のＴＲＧ端子に印加される電圧を約１０．３ボルトに制御するのである。
【０２６３】
なお、コンデンサＣＤ７が充電完了するまでの期間、即ち、タイマＩＣ１のＴＲＧ端子に印加されている約１０．３ボルトの電圧がゼロボルトに立ち下がり、その立ち下がりから、タイマＩＣ１のＴＲＧ端子の電圧が再び、約１０．３ボルトに戻るまでの期間である約２ｍｓは、抵抗Ｒ１０の抵抗値（１００ｋΩ）とコンデンサＣＤ７の容量値（０．０２μＦ）の積である時定数により決定されている。
【０２６４】
このように、タイマＩＣ１のＴＲＧ端子に印加される電圧が立ち下がり、その立ち下がりから再び、タイマＩＣ１のＴＲＧ端子電圧が約１０．３ボルトに戻るまでの期間（約２ｍｓ）は、積分回路２８１により、内枠１２および前面枠１４の開放期間に拘らず、タイマＩＣ１のＯＵＴ端子の電圧がゼロボルトから約９．６ボルトに立ち上がる期間（約１０ｍｓ）よりも短い期間に調整されている。なお、抵抗Ｒ１０の抵抗値とコンデンサＣＤ７の容量値とを変更することにより、タイマＩＣ１のＴＲＧ端子に印加されている電圧が立ち下がってから、タイマＩＣ１のＴＲＧ端子の電圧が約１０．３ボルトに再び戻るまでの期間を、タイマＩＣ１のＯＵＴ端子の電圧がゼロボルトから約９．６ボルトに立ち上がるまでの期間である約１０ｍｓ以内で自由に変更することができる。
【０２６５】
ここで、単安定マルチバイブレータは、出力端子から出力される信号の出力期間よりも、入力端子へ入力される信号の入力期間が短くなければ、出力端子から正常に信号が出力されない（出力端子から信号が出力され続ける）。このため、積分回路２８１を使用せずに、単安定マルチバイブレータとしてタイマＩＣ１を機能させた場合には、タイマＩＣ１のＯＵＴ端子の電圧がゼロボルトから約９．６ボルトに立ち上がる期間よりも、タイマＩＣ１のＴＲＧ端子電圧がゼロボルトから再び、約１０．３ボルトに戻るまでの期間が、即ち、内枠１２および前面枠１４の開放期間（スイッチＳＷ１およびスイッチＳＷ２の導通期間）が短くなくてはならない。しかし、内枠１２および前面枠１４の開放期間はどの程度になるか全く予測不能であるので、タイマＩＣ１のＯＵＴ端子の電圧がゼロボルトから約９．６ボルトに立ち上がる期間よりも、内枠１２および前面枠１４の開放期間が常に短くなるようにするには、タイマＩＣ１のＯＵＴ端子の電圧がゼロボルトから約９．６ボルトに立ち上がる期間を、十分に余裕を持った期間に設定する必要がある。例えば、内枠１２および前面枠１４の開放期間が、数十秒単位から数分単位と予測すれば、タイマＩＣ１のＯＵＴ端子の電圧がゼロボルトから約９．６ボルトに立ち上がる期間は、十分に余裕を持って、数分単位から数十分単位に設定しなければならない。すると、この設定した期間中、枠開放検出回路２８０および外部出力端子板２６１へコンデンサＣＤ１から直流電圧の供給が行われ続けるので、コンデンサＣＤ１の消耗が著しくなってしまう。よって、積分回路２８１を使用せずに、単安定マルチバイブレータとしてタイマＩＣ１を機能させた上で、更に、コンデンサＣＤ１に蓄えられた電荷の消耗を抑制するためには、特殊な回路構成が必要であった。
【０２６６】
しかし、タイマＩＣ１のＴＲＧ端子の前段に積分回路２８１を設けることにより、内枠１２または前面枠１４が開放されると、その開放期間（スイッチＳＷ１およびスイッチＳＷ２の導通期間）に拘らず、タイマＩＣ１のＴＲＧ端子に印加される電圧がゼロボルトに立ち下がってから再び、約１０．３ボルトに戻るまで期間を、タイマＩＣ１のＯＵＴ端子の電圧がゼロボルトから約９．６ボルトに立ち上がる期間よりも短く調整することができる。このように、積分回路２８１により、内枠１２および前面枠１４の開放期間に拘らず、タイマＩＣ１のＴＲＧ端子電圧の立ち下り期間を一定期間（約２ｍｓ）とすることで、タイマＩＣ１を正常に動作させ、タイマＩＣ１のＯＵＴ端子の電圧がゼロボルトから約９．６ボルトに立ち上がる期間を約１０ｍｓに留めることができる。
【０２６７】
そして、タイマＩＣ１のＯＵＴ端子の電圧がゼロボルトから約９．６ボルトに約１０ｍｓの間、立ち上がると、トランジスタＴＲ１のコレクタ端子とエミッタ端子とが約１０ｍｓの間、導通し、抵抗Ｒ７ａを介して、コンデンサＣＤ１からフォトカプラＰＲ１に約１０ｍｓの間、電流が供給される。これにより、外部出力端子板２６１からホールコンピュータ２６２へ、内枠１２または前面枠１４の一回の開放につき、約１０ｍｓのパルス幅のパルス信号が出力される。このように、タイマＩＣ１を単安定マルチバイブレータとして機能させたとしても、タイマＩＣ１のＴＲＧ端子の前段に積分回路２８１を設けることで、コンデンサＣＤ１に蓄えられた電荷の消耗を抑制した上で、特殊な回路構成を採用することなく、外部出力端子板２６１からホールコンピュータ２６２へ出力されるパルス信号の出力期間を約１０ｍｓに留めることができる。
【０２６８】
なお、タイマＩＣ１のＴＲＧ端子には、制限電圧（ツェナー電圧）が約１０．５ボルトのツェナーダイオードＤ３のカソード端子が接続され、グランドには、ツェナーダイオードＤ３のアノード端子が接続されている。このツェナーダイオードＤ３は、内枠１２または前面枠１４が開放されて、スイッチＳＷ１またはスイッチＳＷ２が導通された場合に、コンデンサＣＤ７に蓄えられた電荷とコンデンサＣＤ１から供給される電圧とが重畳されることにより発生し得る、タイマＩＣ１を破壊する大きさの過電圧（例えば、１２．３ボルトの電圧）が、タイマＩＣ１のＴＲＧ端子に印加されるのを防止する素子である。具体的には、内枠１２または前面枠１４が開放されて、スイッチＳＷ１またはスイッチＳＷ２が導通され、コンデンサＣＤ７に蓄えられた電荷は、比較的短期間の内に再び、内枠１２または前面枠１４の次の開放が行われ、スイッチＳＷ１またはスイッチＳＷ２の導通が行われると、スイッチＳＷ１またはスイッチＳＷ２の他端側から一端側へ放電される。このコンデンサＣＤ７から放電された約１０．３ボルトの電圧とコンデンサＣＤ１から供給された約１０．３ボルトの電圧とが重畳されて、タイマＩＣ１を破壊する大きさの過電圧がタイマＩＣ１のＴＲＧ端子に印加され得る。しかし、タイマＩＣ１のＴＲＧ端子とグランドとの間には、制限電圧（ツェナー電圧）を約１０．５ボルトとするツェナーダイオードＤ３が接続されているので、タイマＩＣ１のＴＲＧ端子に印加される電圧の最大値は約１０．５ボルトとなり、タイマＩＣ１を破壊する大きさの過電圧がタイマＩＣ１のＴＲＧ端子に印加されることはない。このように、簡単な構成且つ安価なツェナーダイオードＤ３を用いて、タイマＩＣ１を破壊する大きさの過電圧がタイマＩＣ１のＴＲＧ端子に印加されることを防止し、タイマＩＣ１の損傷を防止することができる。
【０２６９】
なお、上述の通り、ツェナーダイオードＤ３の制限減圧（ツェナー電圧）は、約１０．５ボルトであるので、内枠１２および前面枠１４が閉鎖されて、スイッチＳＷ１およびスイッチＳＷ２が遮断された状態にあっては、コンデンサＣＤ１から供給される電流がツェナーダイオードＤ３を介してグランドに流れることはなく、コンデンサＣＤ１の電荷が消耗することはない。また、スイッチＳＷ１およびスイッチＳＷ２の一端には、ダイオードＤ２のカソード端子が接続されており、このダイオードＤ２が電流の逆流防止機能を発揮するので、コンデンサＣＤ７から放電された約１０．３ボルトの電圧が、コンデンサＣＤ１やタイマＩＣ１のＶＤＤ端子に印加されて、これらが損傷することはない。
【０２７０】
上述した通り、枠開放検出回路２８０のタイマＩＣ１は、内枠１２または前面枠１４が開放されて、スイッチＳＷ１またはスイッチＳＷ２が導通され、タイマＩＣ１のＴＲＧ端子に印加される電圧がゼロボルトに立ち下がると、この立ち下がりから約１０ｍｓの間、タイマＩＣ１のＯＵＴ端子の電圧をゼロボルトから約９．６ボルトに立ち上げる単安定マルチバイブレータとして機能する。そして、このタイマＩＣ１のＴＲＧ端子の前段に積分回路２８１を設けることにより、内枠１２または前面枠１４が開放された場合に、内枠１２および前面枠１４の開放期間に拘らず、タイマＩＣ１のＴＲＧ端子に印加される電圧がゼロボルトに立ち下がってから、約１０．３ボルトに戻るまで期間を、タイマＩＣ１のＯＵＴ端子の電圧がゼロボルトから約９．６ボルトに立ち上がる期間よりも短く調整することができる。このように、積分回路２８１により、内枠１２および前面枠１４の開放期間に拘らず、タイマＩＣ１のＴＲＧ端子電圧の立ち下がり期間を一定期間（約２ｍｓ）とすることで、単安定マルチバイブレータとして機能するタイマＩＣ１を正常に動作させ、タイマＩＣ１のＯＵＴ端子の電圧がゼロボルトから約９．６ボルトに立ち上がる期間を約１０ｍｓに留めることができる。これにより、コンデンサＣＤ１からフォトカプラＰＲ１に電流が供給される期間を約１０ｍｓに留めることができ、外部出力端子板２６１からホールコンピュータ２６２へ出力されるパルス信号の出力期間を約１０ｍｓに留めることができる。
【０２７１】
また、枠開放検出回路２８０には、０．１ＦのコンデンサＣＤ１が設けられているので、枠開放検出回路２８０は、パチンコ機への電源供給が行われ、直流電源ＤＣ１から１２ボルトの直流電圧が供給されている場合には当然に動作し、更に、例えば、遊技場の営業時間が終了してパチンコ機への電源供給が遮断され、直流電源ＤＣ１から１２ボルトの直流電圧が供給されていない場合であっても、内枠１２の開放および前面枠１４の開放を検出することができる。そして、枠開放検出回路２８０により、内枠１２の開放または前面枠１４の開放が検出されると、その１回の検出につき、外部出力端子板２６１からホールコンピュータ２６２へパルス幅約１０ｍｓのパルス信号を出力することができる。なお、外部出力端子板２６１からホールコンピュータ２６２へ出力されたパルス信号は、２４時間動作し続けるホールコンピュータ２６２に記憶される。よって、ホールコンピュータ２６２に記憶されたパルス信号により、内枠１２または前面枠１４の開放が行われたパチンコ機を特定することができる。更には、ホールコンピュータ２６２に外部出力端子板２６１からパルス信号が出力されたことと共に、その出力されたパルス信号の出力時刻を記憶させることで、特定したパチンコ機の内枠１２の開放時刻または前面枠１４の開放時刻を検出することができる。
【０２７２】
なお、扉開放検出回路２８０では、タイマＩＣ１にＬＭＣ５５５を用いて、内枠１２の開放または前面枠１４の開放を検出し、フォトカプラＰＲ１を約１０ｍｓの間通電する回路を実現したが、これに限られるものではない。即ち、タイマＩＣ１に他の集積回路等を用いて、内枠１２の１回の開放または前面枠１４の１回の開放に対して、１のパルス信号を発生する回路を実現し、その１のパルス信号に基づいてフォトカプラＰＲ１を所定期間通電するものであれば良い。
【０２７３】
また、例えば、遊技場の営業時間が終了してパチンコ機への電源供給が遮断され、枠開放検出回路２８０および外部出力端子板２６１へ、コンデンサＣＤ１から直流電圧が供給される場合に、内枠１２または前面枠１４の開放に伴うコンデンサＣＤ１からフォトカプラＰＲ１への電流の総供給期間を長くしたり、内枠１２または前面枠１４の開放を検出する回数を増やしたりする場合には、コンデンサＣＤ１の容量を増加させたり（例えば、コンデンサＣＤ１の容量を１Ｆとする）、コンデンサＣＤ１を蓄電量の多い二次電池に変更すれば良い。
【０２７４】
次に、図２１を参照して、スイッチＳＷ１の状態（内枠１２の状態）とスイッチＳＷ２の状態（前面枠１４の状態）とに応じて変化するタイマＩＣ１のＴＲＧ端子電圧と、タイマＩＣ１のＯＵＴ端子電圧と、外部出力端子板２６１の出力（ホールコンピュータ２６２の入力）との関係について説明する。図２１は、スイッチＳＷ１の状態（内枠１２の状態）、スイッチＳＷ２の状態（前面枠１４の状態）、タイマＩＣ１のＴＲＧ端子電圧、タイマＩＣ１のＯＵＴ端子電圧および外部出力端子板２６１の出力（ホールコンピュータ２６２の入力）の関係を示したタイミングチャートである。なお、図２１に記載されたｔ１時〜ｔ８時の各時は、図８に示す第１実施形態の枠開放検出回路２６０のタイミングチャートに記載されたｔ１時〜ｔ８時の各時と同一である。
【０２７５】
図２１（ａ）に示すように、ｔ１時に、スイッチＳＷ１が導通状態（内枠１２が開放状態）となると、コンデンサＣＤ７の充電が開始され、図２１（ｃ）に示すように、タイマＩＣ１のＴＲＧ端子電圧が、約１０．３ボルトからゼロボルトへ立ち下がる（ｔ１時）。すると、これに追従して、図２１（ｄ）に示すように、タイマＩＣ１のＯＵＴ端子電圧は、ゼロボルトから約９．６ボルトに立ち上がる（ｔ１時）。これにより、枠開放検出回路２８０のトランジスタＴＲ１のコレクタ端子とエミッタ端子とが導通され、外部出力端子板２６１のフォトカプラＰＲ１の一次側の発光ダイオードに（図２０参照）、電流供給が開始される（ｔ１時）。そして、図２１（ｅ）に示すように、フォトカプラＰＲ１の二次側の受光素子（フォトトランジスタ）の出力、即ち、外部出力端子板２６１の出力は、ｔ１時に、ロウ状態からハイ状態に切り換わる。これにより、ホールコンピュータ２６２へ内枠１２または前面枠１４の開放を示すパルス信号の出力が開始される。
【０２７６】
次に、図２１（ｃ）に示すように、ｔ１時から約２ｍｓ経過すると、コンデンサＣＤ７の充電が完了して、タイマＩＣ１のＴＲＧ端子電圧が再び、ゼロボルトから約１０．３ボルトへ戻る。しかし、タイマＩＣ１のＯＵＴ端子の電圧がゼロボルトから約９．６ボルトに立ち上がってから（ｔ１時から）、約１０ｍｓが経過していないので、タイマＩＣ１のＯＵＴ端子電圧は、約９．６ボルトの状態を維持している。
【０２７７】
その後、ｔ１時から約１０ｍｓ経過すると、図２１（ｄ）に示すように、タイマＩＣ１は、ＯＵＴ端子の電圧を、約９．６ボルトからゼロボルトに切り換える。すると、枠開放検出回路２８０のトランジスタＴＲ１のコレクタ端子とエミッタ端子とが遮断され、外部出力端子板２６１の抵抗Ｒ７ａの一端への電流供給が停止する。よって、外部出力端子板２６１の出力は、ｔ１時から約１０ｍｓ経過すると、図２１（ｅ）に示すように、ハイ状態からロウ状態に切り換わる。これにより、ホールコンピュータ２６２へ出力されていたパルス信号の出力が停止される。このように、外部出力端子板２６１の出力が切り換わることで、外部出力端子板２６１からホールコンピュータ２６２へ出力されるパルス信号のパルス幅を約１０ｍｓに留めることができる。
【０２７８】
なお、図２１（ａ）に示すように、ｔ２時に、スイッチＳＷ１が遮断状態（内枠１２が閉鎖状態）となると、枠開放検出回路２８０は、再び、内枠１２および前面枠１４の検出が可能な状態に設定される。
【０２７９】
次に、図２１（ｂ）に示すように、ｔ３時に、スイッチＳＷ２が導通状態（前面枠１４が開放状態）となると、コンデンサＣＤ７の充電が開始され、図２１（ｃ）に示すように、タイマＩＣ１のＴＲＧ端子電圧が、約１０．３ボルトからゼロボルトへ立ち下がる（ｔ３時）。すると、これに追従して、図２１（ｄ）に示すように、タイマＩＣ１のＯＵＴ端子電圧は、ゼロボルトから約９．６ボルトに立ち上がる（ｔ３時）。これにより、枠開放検出回路２８０のトランジスタＴＲ１のコレクタ端子とエミッタ端子とが導通され、外部出力端子板２６１のフォトカプラＰＲ１の一次側の発光ダイオードに（図２０参照）、電流供給が開始される（ｔ３時）。そして、図２１（ｅ）に示すように、フォトカプラＰＲ１の二次側の受光素子（フォトトランジスタ）の出力、即ち、外部出力端子板２６１の出力は、ｔ３時に、ロウ状態からハイ状態に切り換わる。これにより、ホールコンピュータ２６２へ内枠１２または前面枠１４の開放を示すパルス信号の出力が開始される。
【０２８０】
なお、ｔ１時からｔ２時の間にコンデンサＣＤ７に蓄えられた電荷は、ｔ３時に、ツェナーダイオードＤ３を介して瞬間的に放電完了する。このコンデンサＣＤ７の放電期間は、タイマＩＣ１のＴＲＧ端子の電圧が約１０．３ボルトからゼロボルトとなり、再び約１０．３ボルトとなる約２ｍｓよりも非常に微小な期間であるので、タイマＩＣ１のＴＲＧ端子に印加される電圧に著しい影響を与えるものではない。更に、この放電の他に、ｔ１時からｔ２時にコンデンサＣＤ７に蓄えられた電荷は、コンデンサＣＤ７の自己放電によっても放電が行われる。
【０２８１】
また、ｔ３時に、タイマＩＣ１のＴＲＧ端子には、コンデンサＣＤ１から供給される約１０．３ボルトの電圧と、コンデンサＣＤ７に蓄えられた電荷に伴う約１０．３ボルトの電圧とが重畳されて、タイマＩＣ１を破壊する大きさの過電圧が印加され得る。しかし、タイマＩＣ１のＴＲＧ端子の前段には、制限電圧（ツェナー電圧）を約１０．５ボルトとするツェナーダイオードＤ３が接続されているので、タイマＩＣ１のＴＲＧ端子に印加される電圧の最大値は約１０．５ボルトとなり、タイマＩＣ１を破壊する大きさの過電圧がタイマＩＣ１のＴＲＧ端子に印加されることはない。
【０２８２】
次に、図２１（ｃ）に示すように、ｔ３時から約２ｍｓ経過すると、コンデンサＣＤ７の充電が完了して、タイマＩＣ１のＴＲＧ端子電圧が再び、ゼロボルトから約１０．３ボルトへ戻る。しかし、タイマＩＣ１のＯＵＴ端子の電圧がゼロボルトから約９．６ボルトに立ち上がってから（ｔ３時から）、約１０ｍｓが経過していないので、タイマＩＣ１のＯＵＴ端子電圧は、約９．６ボルトの状態を維持している。
【０２８３】
その後、ｔ３時から約１０ｍｓ経過すると、図２１（ｄ）に示すように、タイマＩＣ１は、ＯＵＴ端子の電圧を、約９．６ボルトからゼロボルトに切り換える。すると、枠開放検出回路２８０のトランジスタＴＲ１のコレクタ端子とエミッタ端子とが遮断され、外部出力端子板２６１の抵抗Ｒ７ａの一端への電流供給が停止する。よって、外部出力端子板２６１の出力は、ｔ３時から約１０ｍｓ経過すると、図２１（ｅ）に示すように、ハイ状態からロウ状態に切り換わる。これにより、ホールコンピュータ２６２へ出力されていたパルス信号の出力が停止される。このように、外部出力端子板２６１の出力が切り換わることで、外部出力端子板２６１からホールコンピュータ２６２へ出力されるパルス信号のパルス幅を約１０ｍｓに留めることができる。
【０２８４】
なお、図２１（ｂ）に示すように、ｔ４時に、スイッチＳＷ２が遮断状態（前面枠１４が閉鎖状態）となると、枠開放検出回路２８０は、再び、内枠１２および前面枠１４の検出が可能な状態に設定される。
【０２８５】
最後に、スイッチＳＷ１が導通状態（内枠１２が開放状態）であるときに、スイッチＳＷ２が導通状態（前面枠１４が開放状態）となった場合について説明する。図２１（ａ）に示すように、ｔ５時に、スイッチＳＷ１が導通状態（内枠１２が開放状態）となり、更に、図２１（ｂ）に示すように、ｔ６時に、スイッチＳＷ２が導通状態（前面枠１４が開放状態）となると、ｔ５時に、コンデンサＣＤ７の充電が開始され、図２１（ｃ）に示すように、タイマＩＣ１のＴＲＧ端子電圧が、約１０．３ボルトからゼロボルトへ立ち下がる（ｔ５時）。すると、これに追従し、図２１（ｄ）に示すように、タイマＩＣ１のＯＵＴ端子電圧は、ゼロボルトから約９．６ボルトに立ち上がる（ｔ５時）。これにより、枠開放検出回路２８０のトランジスタＴＲ１のコレクタ端子とエミッタ端子とが導通され、外部出力端子板２６１のフォトカプラＰＲ１の一次側の発光ダイオードに（図２０参照）、電流供給が開始される（ｔ５時）。すると、図２１（ｅ）に示すように、フォトカプラＰＲ１の二次側の受光素子（フォトトランジスタ）の出力、即ち、外部出力端子板２６１の出力は、ｔ５時に、ロウ状態からハイ状態に切り換わる。これにより、ホールコンピュータ２６２へ内枠１２または前面枠１４の開放を示すパルス信号の出力が開始される。
【０２８６】
なお、ｔ３時からｔ４時の間にコンデンサＣＤ７に蓄えられた電荷は、ｔ５時に、ツェナーダイオードＤ３を介して瞬間的に放電完了するので、タイマＩＣ１のＴＲＧ端子に印加される電圧に著しい影響を与えるものではない。更に、この放電の他に、ｔ３時からｔ４時にコンデンサＣＤ７に蓄えられた電荷は、コンデンサＣＤ７の自己放電によっても放電が行われる。
【０２８７】
また、ｔ５時に、タイマＩＣ１のＴＲＧ端子には、コンデンサＣＤ１から供給される約１０．３ボルトの電圧と、コンデンサＣＤ７に蓄えられた電荷に伴う約１０．３ボルトの電圧とが重畳されて、タイマＩＣ１を破壊する大きさの過電圧が印加され得る。しかし、ツェナーダイオードＤ３により、タイマＩＣ１のＴＲＧ端子に印加される電圧の最大値は約１０．５ボルトとなるので、タイマＩＣ１を破壊する大きさの過電圧がタイマＩＣ１のＴＲＧ端子に印加されることはない。
【０２８８】
次に、図２１（ｃ）に示すように、ｔ５時から約２ｍｓ経過すると、コンデンサＣＤ７の充電が完了して、タイマＩＣ１のＴＲＧ端子電圧が再び、ゼロボルトから約１０．３ボルトへ戻る。しかし、タイマＩＣ１のＯＵＴ端子の電圧がゼロボルトから約９．６ボルトに立ち上がってから（ｔ５時から）、約１０ｍｓが経過していないので、タイマＩＣ１のＯＵＴ端子電圧は、約９．６ボルトの状態を維持している。
【０２８９】
その後、ｔ５時から約１０ｍｓ経過すると、図２１（ｄ）に示すように、タイマＩＣ１は、ＯＵＴ端子の電圧を、約９．６ボルトからゼロボルトに切り換える。すると、枠開放検出回路２８０のトランジスタＴＲ１のコレクタ端子とエミッタ端子とが遮断され、外部出力端子板２６１の抵抗Ｒ７ａの一端への電流供給が停止する。よって、外部出力端子板２６１の出力は、ｔ５時から約１０ｍｓ経過すると、図２１（ｅ）に示すように、ハイ状態からロウ状態に切り換わる。これにより、ホールコンピュータ２６２へ出力されていたパルス信号の出力が停止される。このように、外部出力端子板２６１の出力が切り換わることで、外部出力端子板２６１からホールコンピュータ２６２へ出力されるパルス信号のパルス幅を約１０ｍｓに留めることができる。
【０２９０】
なお、図２１（ａ）に示すように、ｔ７時に、スイッチＳＷ１が遮断状態（内枠１２が閉鎖状態）となると共に、図２１（ｂ）に示すように、ｔ８時に、スイッチＳＷ２が遮断状態（前面枠１４が閉鎖状態）となると、枠開放検出回路２８０は、再び、内枠１２および前面枠１４の検出が可能な状態に設定される。
【０２９１】
このように、スイッチＳＷ１が導通状態（内枠１２が開放状態）であるときに、スイッチＳＷ２が導通状態（前面枠１４が開放状態）となった場合でも、タイマＩＣ１は、スイッチＳＷ１の導通期間（内枠１２の開放期間）およびスイッチＳＷ２の導通期間（前面枠１４の開放期間）に拘らず、スイッチＳＷ１またはスイッチＳＷ２のいずれか一方が導通状態（内枠１２または前面枠１４のいずれか一方が開放状態）となり、タイマＩＣ１のＴＲＧ端子電圧が約１０．３ボルトからゼロボルトへ立ち下がってから約１０ｍｓ経過すると、タイマＩＣ１のＯＵＴ端子の電圧を約９．６ボルトからゼロボルトに切り換える。これにより、外部出力端子板２６１のフォトカプラＰＲ１へ供給される電流の供給期間は、約１０ｍｓとなる。
【０２９２】
よって、例えば、遊技場の営業時間が終了してパチンコ機への電源供給が遮断され、枠開放検出回路２８０および外部出力端子板２６１へ直流電源ＤＣ１から１２ボルトの直流電圧が供給されない場合、即ち、枠開放検出回路２８０および外部出力端子板２６１へコンデンサＣＤ１から約１０．３ボルトの直流電圧が供給される場合に、コンデンサＣＤ１からフォトカプラＰＲ１へ供給される電流の供給期間を、内枠１２または前面枠１４の１回の開放につき、約１０ｍｓに留めることができる。従って、内枠１２または前面枠１４の開放による電力消費を小さく抑えることができる。
【０２９３】
ここで、コンデンサＣＤ１は容量が０．１Ｆであり、コンデンサＣＤ１に印加される電圧は約１１．３ボルトであるので、コンデンサＣＤ１に蓄えられる電荷は、コンデンサＣＤ１の容量とコンデンサＣＤ１の印加電圧との積から約１．１３Ｃ（クーロン）となる。このコンデンサＣＤ１に蓄えられる約１．１３Ｃの電荷は、コンデンサＣＤ１からフォトカプラＰＲ１へ供給される電流の１回の供給期間が約１０ｍｓである場合には、電流の供給回数で約５００回分に相当する。従って、例えば、遊技場の営業時間が終了してパチンコ機への電源供給が遮断され、直流電源ＤＣ１から１２ボルトの直流電圧が供給されていない場合に、内枠１２の開放（スイッチＳＷ１の導通）または前面枠１４の開放（スイッチＳＷ２の導通）が多数回に亘って行われたときでも、枠開放検出回路２８０は、内枠１２の開放または前面枠１４の開放（スイッチＳＷ１の導通またはスイッチＳＷ２の導通）を、約５００回まで毎回確実に検出して、外部出力端子板２６１からホールコンピュータ２６２へパルス信号を出力することができる。このとき、内枠１２の開放または前面枠１４の開放が約５００回付近となると、コンデンサＣＤ１に蓄えられる電荷が少なくなり、コンデンサＣＤ１からフォトカプラＰＲ１へ供給される電流値が低下するが、ホールコンピュータ２６２のパルス信号の検出感度を上げることにより（パルス信号の振幅に対する閾値を下げることにより）、ホールコンピュータ２６２にパルス信号を記憶させることができる。
【０２９４】
以上、説明したように、第３実施形態のパチンコ機によれば、内枠１２または前面枠１４が開放状態となって、スイッチＳＷ１またはスイッチＳＷ２が導通状態となると、積分回路２８１により、内枠１２または前面枠１４の開放期間に拘らず、タイマＩＣ１のＴＲＧ端子に印加される電圧の立ち下がり期間を一定期間（約２ｍｓ）とする。すると、単安定マルチバイブレータとして機能するタイマＩＣ１は正常に動作を行い、タイマＩＣ１のＴＲＧ端子電圧がゼロボルトへ立ち下がってから約１０ｍｓ経過するまでの間、タイマＩＣ１のＯＵＴ端子の電圧をゼロボルトから約９．６ボルトへ立ち上げる。これにより、外部出力端子板２６１に設けられたフォトカプラＰＲ１の一次側の発光ダイオードに抵抗Ｒ７ａを介して電流が供給され、発光ダイオードは約１０ｍｓの間、光を発する。そして、フォトカプラＰＲ１の二次側の受光素子（フォトトランジスタ）が発光ダイオードの光を受光すると、フォトカプラＰＲ１の二次側の受光素子（フォトトランジスタ）は、受光した約１０ｍｓの光をパルス幅が約１０ｍｓのパルス信号（電気信号）に変え、そのパルス信号をホールコンピュータ２６２へ出力する。出力されたパルス信号は、ホールコンピュータ２６２に記憶される。よって、積分回路２８１を設けた枠開放検出回路２８０と外部出力端子板２６１とを用いることで、ホールコンピュータ２６２に、内枠１２の開放または前面枠１４の開放があったことを記憶させることができる。なお、ホールコンピュータ２６２は、２４時間動作させ続けている。よって、枠開放検出回路２８０は、パルス信号が外部出力端子板２６１から出力されたことと共に、そのパルス信号が出力された時刻、即ち、内枠１２の開放および前面枠１４の開放時刻もホールコンピュータ２６２に記憶させることができる。
【０２９５】
また、枠開放検出回路２８０には、０．１ＦのコンデンサＣＤ１が設けられているので、枠開放検出回路２８０は、パチンコ機への電源供給が行われ、直流電源ＤＣ１から１２ボルトの直流電圧が供給されている場合には当然に動作し、更に、例えば、遊技場の営業時間が終了してパチンコ機への電源供給が遮断され、直流電源ＤＣ１から１２ボルトの直流電圧が供給されていない場合であっても、内枠１２の開放および前面枠１４の開放を検出することができる。よって、例えば、遊技場の営業時間が終了してパチンコ機への電源供給が遮断されている場合であっても、外部出力端子板２６１からホールコンピュータ２６２へパルス幅約１０ｍｓのパルス信号を出力することができる。
【０２９６】
なお、本実施形態では、内枠１２または前面枠１４の開放があり、スイッチＳＷ１またはスイッチＳＷ２の導通があった場合に、外部出力端子板２６１からホールコンピュータ２６２へパルス信号が出力されたが、これに限られるものではない。即ち、本枠開放検出回路２８０の各部品の接続を変更し、内枠１２または前面枠１４が開放され、その開放された内枠１２または前面枠１４が閉鎖された場合に、フォトカプラＰＲ１に約１０ｍｓの間、電流を供給して、外部出力端子板２６１からホールコンピュータ２６２へパルス信号を出力するように構成しても良い。
【０２９７】
ただし、本実施形態の枠開放検出回路２８０では、内枠１２または前面枠１４の開放があり、スイッチＳＷ１またはスイッチＳＷ２の導通があった場合に、外部出力端子板２６１からホールコンピュータ２６２へパルス信号を出力するように構成しているので、内枠１２または前面枠１４の開放を素早く検出できる。よって、内枠１２または前面枠１４が開放されて主制御装置１１０または遊技盤１３に不正行為が行われる前に、内枠１２または前面枠１４の開放を検出することができる。従って、パチンコ機へ電源が供給されている場合に発生する不正行為が行われたことによる異常動作を防止することができる。
【０２９８】
また、内枠１２と前面枠１４とのどちらが開放したかを別々にホールコンピュータ２６２に記憶させたい場合には、次の構成にすれば良い。まず、本実施形態で使用した枠開放検出回路２８０と外部出力端子板２６１とをそれぞれ１つずつ新たに設け、スイッチＳＷ１に並列接続されたスイッチＳＷ２を切断し、その切断したスイッチＳＷ２を新たに設けた枠開放検出回路２８０に接続すれば良い。具体的には、切断したスイッチＳＷ２の一端を、新たに設けた枠開放検出回路２８０のダイオードＤ２のカソード端子、ダイオードＤ３のカソード端子およびタイマＩＣ１のＴＲＧ端子に接続すると共に、切断したスイッチＳＷ２の他端を、新たに設けた枠開放検出回路２８０のコンデンサＣＤ７の一端に接続すれば良い。このように新たに枠開放検出回路２８０および外部出力端子板２６１を設け、その新たに設けた枠開放検出回路２８０に、スイッチＳＷ２のみを接続すると共に、既存の枠開放検出回路２８０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。ここで、ホールコンピュータ２６２は、既存の外部出力端子板２６１（スイッチＳＷ１の導通検出用（内枠１２の開放検出用））から出力されるパルス信号の入力端子と、新たに設けた外部出力端子板２６１（スイッチＳＷ２の導通検出用（前面枠１４の開放検出用））から出力されるパルス信号の入力端子とをそれぞれ別にしておく。この構成により、スイッチＳＷ１の導通（内枠１２の開放）とスイッチＳＷ２の導通（前面枠１４の開放）とを区別してホールコンピュータ２６２に記憶させることができる。よって、ホールコンピュータ２６２に記憶されたパルス信号により、スイッチＳＷ１の導通（内枠１２の開放）があったのか、スイッチＳＷ２の導通（前面枠１４の開放）があったのか、または両方があったのかを正確に検出することができる。
【０２９９】
更に、パチンコ機への電源供給が行われている場合に、内枠１２と前面枠１４とのどちらが開放したかを別々にホールコンピュータ２６２に記憶させると共に、内枠１２と前面枠１４とのどちらかが開放したときにパチンコ機で報知を行いたい場合には、次の構成にすれば良い。まず、本実施形態で使用した枠開放検出回路２８０と外部出力端子板２６１とをそれぞれ１つずつ新たに設け、スイッチＳＷ１に並列接続されたスイッチＳＷ２を切断し、その切断したスイッチＳＷ２を新たに設けた枠開放検出回路２８０に接続する。次に、スイッチＳＷ１およびスイッチＳＷ２にそれぞれ、雄型スイッチＳＷ１ｂ，ＳＷ２ｂおよび雌型スイッチＳＷ１ａ，ＳＷ２ａを新たに１つずつ設ける。そして、新たに設けた雄型スイッチＳＷ１ｂ，ＳＷ２ｂおよび雌型スイッチＳＷ１ａ，ＳＷ２ａを用いて、内枠１２または前面枠１４が開放され、スイッチＳＷ１またはスイッチＳＷ２が導通した場合に、ＭＰＵ２０１に、信号が入力されるように構成すれば良い。
【０３００】
具体的には、切断したスイッチＳＷ２の一端を、新たに設けた枠開放検出回路２８０のダイオードＤ２のカソード端子、ダイオードＤ３のカソード端子およびタイマＩＣ１のＴＲＧ端子に接続すると共に、切断したスイッチＳＷ２の他端を、新たに設けた枠開放検出回路２８０のコンデンサＣＤ７の一端に接続すれば良い。このように新たに枠開放検出回路２８０および外部出力端子板２６１を設け、その新たに設けた枠開放検出回路２８０に、スイッチＳＷ２のみを接続すると共に、既存の枠開放検出回路２８０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。
【０３０１】
次に、スイッチＳＷ１およびスイッチＳＷ２にそれぞれ、雄型スイッチＳＷ１ｂおよび雄型スイッチＳＷ２ｂを更に設けて、スイッチＳＷ１およびスイッチＳＷ２に配設される雄型スイッチＳＷ１ｂおよび雄型スイッチＳＷ２ｂをそれぞれ２つずつにする。これに対応して、スイッチＳＷ１およびスイッチＳＷ２にそれぞれ、雌型スイッチＳＷ１ａおよび雌型スイッチＳＷ２ａを更に設けて、スイッチＳＷ１およびスイッチＳＷ２に配設される雌型スイッチＳＷ１ａおよび雌型スイッチＳＷ２ａをそれぞれ２つずつにする。これにより、スイッチＳＷ１に新たに、雄型スイッチＳＷ１ｂと雌型スイッチＳＷ１ａの組み合わせを１つ加える。また、スイッチＳＷ２にもスイッチＳＷ１と同様に、新たに、雄型スイッチＳＷ２ｂと雌型スイッチＳＷ２ａの組み合わせを１つ加える。そして、新たに加えられた雌型スイッチＳＷ１ａに内蔵された一対の端子対ＳＷ１ｃの一端を、既存の枠開放検出回路２８０の直流電源ＤＣ１に接続し、新たに加えられた雌型スイッチＳＷ１ａに内蔵された一対の端子対ＳＷ１ｃの他端をＭＰＵ２０１の入出力ポート２０５に接続する。同様に、新たに加えられた雌型スイッチＳＷ２ａに内蔵された一対の端子対ＳＷ２ｃの一端を、新たに設けられた枠開放検出回路２８０の直流電源ＤＣ１に接続し、新たに加えられた雌型スイッチＳＷ２ａに内蔵された一対の端子対ＳＷ２ｃの他端をＭＰＵ２０１の入出力ポート２０５に、端子対ＳＷ１ｃの他端とは別のポートに接続する。更に、ＭＰＵ２０１は、内枠１２または前面枠１４が開放され、スイッチＳＷ１またはスイッチＳＷ２が導通して、内枠１２の開放を検出する１２ボルトの電圧（信号）または内枠１４の開放を検出する１２ボルトの電圧（信号）が入出力ポート２０５に入力された場合に、音声ランプ制御装置１１３や表示制御装置１１４へ、内枠１２または前面枠１４の開放が検出されたことを示すコマンドを送信する。このとき、ＭＰＵ２０１から送信されるコマンドを、内枠１２の開放が検出された場合のコマンド（以下、「内枠コマンド」と称す）と、前面枠１４が開放された場合のコマンド（以下、「前面枠コマンド」と称す）とで別にする。そして、この各コマンドを受信した音声ランプ制御装置１１３は、内枠コマンドを受信した場合と前面枠コマンドを受信した場合とで異なる態様の報知を行う。例えば、音声出力装置２２６から異なる警告音を出したり、ランプ表示装置２２７の点灯の態様を異ならせる。また、この各コマンドを受信した表示制御装置１１４は、内枠コマンドを受信した場合と前面枠コマンドを受信した場合とで異なる態様の表示を行う。例えば、表示制御装置１１４が内枠コマンドを受信した場合には、第３図柄表示装置８１に「内枠が開放しています」と表示したり、表示制御装置１１４が前面枠コマンドを受信した場合には、第３図柄表示装置８１に「前面枠が開放しています」と表示するように構成すれば良い。
【０３０２】
このように、スイッチＳＷ１に新たに、雄型スイッチＳＷ１ｂと雌型スイッチＳＷ１ａの組み合わせを１つ加え、スイッチＳＷ２にもスイッチＳＷ１と同様に、新たに、雄型スイッチＳＷ２ｂと雌型スイッチＳＷ２ａの組み合わせを１つ加えて、それらを用いて、スイッチＳＷ１が導通した場合には（内枠１２が開放された場合には）、ＭＰＵ２０１は、音声ランプ制御装置１１３や表示制御装置１１４へ内枠コマンドを送信するように構成する。また、スイッチＳＷ２が導通した場合には（前面枠１４が開放された場合には）、ＭＰＵ２０１は、音声ランプ制御装置１１３や表示制御装置１１４へ前面枠コマンドを送信するように構成する。このように構成することで、内枠１２の開放があった場合と前面枠１４の開放があった場合とで異なる態様の報知を、音声ランプ制御装置１１３や表示制御装置１１４を用いて行うことができる。これにより、スイッチＳＷ１の導通（内枠１２の開放）があったのか、スイッチＳＷ２の導通（前面枠１４の開放）があったのか、または両方があったのかを、パチンコ機を用いて正確に検出することができる。
【０３０３】
また、枠開放検出回路２８０および外部出力端子板２６１を新たに設け、その新たに設けた枠開放検出回路２８０に、スイッチＳＷ２のみを接続すると共に、既存の枠開放検出回路２８０には、スイッチＳＷ１のみを接続することにより、スイッチＳＷ１の導通（内枠１２の開放）があった場合に、既存の外部出力端子板２６１から出力されるパルス信号と、スイッチＳＷ２の導通（前面枠１４の開放）があった場合に、新たに設けた外部出力端子板２６１から出力されるパルス信号とを別々にホールコンピュータ２６２へ出力することができる。よって、ホールコンピュータ２６２に記憶されたパルス信号により、スイッチＳＷ１の導通（内枠１２の開放）があったのか、スイッチＳＷ２の導通（前面枠１４の開放）があったのか、または両方があったのかを正確に検出することができる。
【０３０４】
なお、本実施形態においては、外部出力端子板２６１から出力されるパルス信号を、パチンコ機とは設置場所が異なるホールコンピュータ２６２へ出力したが、これに限られるものではない。ホールコンピュータ２６２の機能を有する専用の記憶装置をパチンコ機毎に設け、その専用の記憶装置を、主制御装置１１０等が設けられる各パチンコ機の背面側に配設しても良い。この場合には、より良くは、主制御装置１１０、払出制御装置１１１および発射制御装置１１２のように、専用の記憶装置を基板ボックスに収納し、その基板ボックスに設けられたボックスベースとボックスカバーとを封印ユニット（図示せず）によって開封不能に連結（かしめ構造による連結）する。そして、ボックスベースとボックスカバーとの連結部に、ボックスカバーとボックスベースとに亘って封印シール（図示せず）を貼付する。
【０３０５】
以上、一実施の形態に基づき本発明を説明したが、本発明は上記形態に何ら限定されるものではなく、本発明の趣旨を逸脱しない範囲内で種々の変形改良が可能であることは容易に推察できるものである。
【０３０６】
例えば、上記各実施の形態では、主制御装置１１０から各コマンドが音声ランプ制御装置１１３に対して送信され、その音声ランプ制御装置１１３から表示制御装置１１４に対して表示の指示がなされるよう構成したが、主制御装置１１０から表示制御装置１１４に直接コマンドを送信するものとしても良い。また、表示制御装置に音声ランプ制御装置を接続して、表示制御装置から各音声の出力とランプの点灯を指示するコマンドを音声ランプ制御装置に送信するよう構成しても良い。さらに、音声ランプ制御装置と表示制御装置とを１の制御装置として構成するものとしても良い。
【０３０７】
また、上記実施の形態においては、第１入球口６４への入賞および第２入球口６７の通過は、それぞれ最大４回まで保留されるように構成したが、最大保留回数は４回に限定されるものでなく、３回以下、又は、５回以上の回数（例えば、８回）に設定しても良い。また、第１入球口６４への入賞に基づく変動表示の保留回数を、第３図柄表示装置８１の一部においても、数字で、或いは、４つに区画された領域を保留回数分だけ異なる態様（例えば、色や点灯パターン）にして表示するようにしても良く、第１図柄表示装置３７とは別体でランプ等の発光部材を設け、該発光部材によって保留回数を通知するように構成しても良い。
【０３０８】
また、上記実施の形態に示すように、動的表示の一種である変動表示は、第３図柄表示装置８１の表示画面上で識別情報としての図柄を縦方向にスクロールさせるものに限定されず、横方向あるいはＬ字形等の所定経路に沿って図柄を移動表示して行うものであっても良い。また、識別情報の動的表示としては、図柄の変動表示に限られるものではなく、例えば、１又は複数のキャラクタを図柄と共に、若しくは、図柄とは別に多種多様に動作表示または変化表示させて行われる演出表示なども含まれるのである。この場合、１又は複数のキャラクタが、第３図柄として用いられる。
【０３０９】
本発明を上記実施の形態とは異なるタイプのパチンコ機等に実施しても良い。例えば、Ｖゾーン等の特別領域を有する入賞装置を有するいわゆる第２種パチンコ遊技機などに実施しても良い。更に、パチンコ機以外にも、アレパチ、雀球など他の遊技機として実施するようにしても良い。
【０３１０】
本発明を上記実施の形態とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される）として実施しても良い。また、大当たり図柄が表示された後に、所定の領域に球を入賞させることを必要条件として遊技者に所定の遊技価値を付与する特別遊技を発生させるパチンコ機として実施しても良い。また、Ｖゾーン等の特別領域を有する入賞装置を有し、その特別領域に球を入賞させることを必要条件として特別遊技状態となるパチンコ機に実施しても良い。更に、パチンコ機以外にも、アレパチ、雀球、スロットマシン、いわゆるパチンコ機とスロットマシンとが融合した遊技機などの各種遊技機として実施するようにしても良い。
【０３１１】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０３１２】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。
【０３１３】
以下に、本発明の遊技機および変形例を示す。本体と、その本体の前面を開閉する扉体と、その扉体と前記本体とにより形成される空間内に設けられ遊技の制御を行う制御手段とを備えた遊技機において、前記本体に対する前記扉体の開放を検出する扉開放検出手段と、その扉開放検出手段により前記扉体の開放が検出された場合に、その検出結果を特定装置へ出力する出力手段とを備え、その出力手段は、前記遊技機の電源がオフされて前記制御手段が停止している場合に、前記扉開放検出手段による検出結果を前記特定装置へ出力可能に構成されていることを特徴とする遊技機１。
【０３１４】
遊技機１によれば、遊技機の電源がオフされ制御手段が停止している状態であっても、扉開放検出手段によって扉体の開放が検出されると、その検出結果は出力手段によって特定装置へ出力される。よって、例えば、すべての遊技機の電源がオフされている閉店後に、何者かによる不正行為によって扉体が開放されても、その扉体の開放された遊技機を特定装置によって判別できる。
【０３１５】
なお、扉体と本体とにより形成される空間内とは、扉体の閉鎖時に手を触れることができない扉体の背面または背面側を示している。また、複数の遊技機毎に設けられた出力手段から出力される検出結果を１の特定装置で受信しても良いし、遊技機毎に特定装置を設け、その特定装置を各遊技機に配設しても良い。特定装置を各遊技機に配設する場合には、ボックスベースと、そのボックスベースの開口部を覆うボックスカバーとを互いに連結させて、そのボックスカバーとボックスベースとにより形成される空間内に特定装置を収納する。そして、ボックスカバーとボックスベースとを封印ユニットにより開封不能に連結する。更に、ボックスカバーとボックスベースとの連結部には、ボックスカバーとボックスベースとに亘って封印シールを貼着する。その上で、扉体の背面または背面側に特定装置を配設すれば良い。
【０３１６】
本体と、その本体の前面を開閉する扉体と、その扉体と前記本体とにより形成される空間内に設けられ遊技の制御を行う制御手段とを備えた遊技機において、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める出力期間制限手段と、その出力期間制限手段と前記出力手段とを前記遊技機の電源オフ中に動作させるオフ中動作手段とを備えていることを特徴とする遊技機２。
【０３１７】
遊技機２によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できる。
【０３１８】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできる。
【０３１９】
本体と、その本体の前面を開閉する扉体と、その扉体と前記本体とにより形成される空間内に設けられ遊技の制御を行う制御手段とを備えた遊技機において、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める出力期間制限手段と、その出力期間制限手段と前記出力手段とを前記遊技機の電源オフ中に動作させるオフ中動作手段とを備え、前記出力手段は、前記出力期間制限手段からの出力に基づいて前記特定装置へ検出結果を出力し、前記出力期間制限手段は、前記扉開放検出手段により前記扉体の開放が検出された場合に、前記所定期間中に前記出力手段への出力を行うことを特徴とする遊技機３。
【０３２０】
遊技機３によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できる。
【０３２１】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできる。
【０３２２】
更に、出力期間制限手段からの出力に基づいて特定装置へ検出結果を出力する出力手段へは、扉開放検出手段により扉体の開放が検出された場合の所定期間中に、出力期間制限手段によって出力が行われる。よって、出力期間制限手段による出力手段への出力動作を、扉体の１回の開放につき、所定期間以内に留めることができる。従って、遊技機の電源オフ中におけるオフ中動作手段の消耗を抑制できると共に、出力手段の動作可能回数を多くして、扉体の開放の検出可能回数を多くできる。
【０３２３】
本体と、その本体の前面を開閉する扉体と、その扉体と前記本体とにより形成される空間内に設けられ遊技の制御を行う制御手段とを備えた遊技機において、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める出力期間制限手段と、その出力期間制限手段と前記出力手段とを前記遊技機の電源オフ中に動作させるオフ中動作手段とを備え、前記出力手段は、前記出力期間制限手段からの出力に基づいて前記特定装置へ検出結果を出力し、前記出力期間制限手段は、前記扉開放検出手段により前記扉体の開放が検出されない場合には、前記出力手段への出力を停止することを特徴とする遊技機４。
【０３２４】
遊技機４によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できる。
【０３２５】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできる。
【０３２６】
更に、特定装置へ検出結果を出力する出力手段への出力期間制限手段の出力は、扉開放検出手段により扉体の開放が検出されない場合には、停止される。よって、扉開放検出手段により扉体の開放が検出されない場合には、出力期間制限手段の出力動作に伴って消費される電力を抑制することができる。従って、遊技機の電源オフ中におけるオフ中動作手段の消耗を抑制できると共に、出力手段の動作可能回数を多くして、扉体の開放の検出可能回数を多くできる。
【０３２７】
本体と、その本体の前面を開閉する扉体と、その扉体と前記本体とにより形成される空間内に設けられ遊技の制御を行う制御手段とを備えた遊技機において、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める単安定マルチバイブレータを用いた出力期間制限手段と、その出力期間制限手段に接続され、前記扉開放検出手段により前記扉体の開放が検出された場合に、前記出力期間制限手段へ入力される信号を前記扉体の開放期間に拘らず前記所定期間よりも短い期間に調整する入力期間調整手段と、前記出力期間制限手段と出力手段とを前記遊技機の電源オフ中に動作させるオフ中動作手段とを備えていることを特徴とする遊技機５。
【０３２８】
遊技機５によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できる。
【０３２９】
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできる。
【０３３０】
更に、単安定マルチバイブレータを用いた出力期間制限手段に入力される信号は、入力期間調整手段により、扉体の開放期間に拘らず、出力手段による１回の出力期間である所定期間よりも短く調整される。ここで、単安定マルチバイブレータは、出力される信号の出力期間よりも、入力される信号の入力期間が短くなければ、信号を出力し続ける。このため、単安定マルチバイブレータを出力期間制限手段に用いた場合には、出力される信号の出力期間よりも、即ち、出力期間制限手段が制限する所定期間よりも、出力期間制限手段に入力される信号の入力期間が、即ち、扉体の開放期間が短くなければならない。しかし、扉体の開放期間はどの程度になるか全く予測不能であるので、出力期間制限手段が制限する所定期間よりも、扉体の開放期間が常に短くなるようにするには、所定期間の設定を十分に余裕を持った期間にする必要がある。例えば、扉体の開放期間が、数十秒単位から数分単位と予測すれば、出力期間制限手段が制限する所定期間は、十分に余裕を持って、数分単位から数十分単位に設定しなければならない。すると、この所定期間中、出力期間制限手段および出力手段にオフ中動作手段から電力供給が行われ続けるので、オフ中動作手段の消耗が著しくなってしまう。よって、出力期間制限手段に単安定マルチバイブレータを使用した上でオフ中動作手段の消耗を抑制するためには、特殊な回路構成が必要であった。しかし、遊技機５によれば、入力期間調整手段により、扉体の開放期間に拘らず、出力期間制限手段に入力される信号を所定期間よりも短く調整することができる。よって、扉体の開放期間に拘らず、出力期間制限手段を正常に動作させることができるので、出力手段による１回の出力期間を出力期間制限手段により所定期間内に留めることができる。このように、遊技機５によれば、入力期間調整手段を設けることで、オフ中動作手段の消耗を抑制した上で、特殊な回路構成を採用することなく、単安定マルチバイブレータを用いて出力期間制限手段を実現することができる。
【０３３１】
遊技機５において、前記入力期間調整手段は、積分回路を用いて構成されていることを特徴とする遊技機６。
【０３３２】
遊技機６によれば、積分回路を用いて入力期間調整手段を構成しているので、複雑な回路や信号処理を用いることなく、出力期間制限手段に入力される信号を所定期間よりも短く調整することができる。また、積分回路に用いられる抵抗の抵抗値とコンデンサの容量値とを調整することで、出力期間制限手段に入力される信号の入力期間を所定期間内で自由に調整することができる。
【０３３３】
遊技機５又は６において、前記入力期間調整手段は、前記出力期間制限手段へ入力される信号の最大電圧を一定化する定電圧手段を備えていることを特徴とする遊技機７。
【０３３４】
遊技機７によれば、定電圧手段を設けているので、出力期間制限手段へ入力される信号の最大電圧を一定にして、出力期間制限手段へ入力される信号を安定化させ、出力手段による１回の出力期間を所定期間内に安定して留めることができる。
【０３３５】
また、積分回路を用いて入力期間調整手段を構成している場合には、積分回路に用いるコンデンサに電荷が蓄えられ、この電荷による電圧が、出力期間制限手段へ入力される信号と重畳されて、出力期間制限手段を破壊し得る過電圧が出力期間制限手段に印加される虞がある。しかし、遊技機７によれば、定電圧手段により、出力期間制限手段へ入力される信号の最大電圧を一定にしているので、出力期間制限手段を破壊し得る過電圧は出力期間制限手段に印加されない。よって、出力期間制限手段の破壊を防止することができる。
【０３３６】
遊技機７において、前記定電圧手段は、ツェナーダイオードで構成されていることを特徴とする遊技機８。
【０３３７】
遊技機８によれば、ツェナーダイオードにより定電圧手段を構成しているので、複雑な回路により構成される定電圧回路等と比較して、簡単な構成且つ安価に、出力期間制限手段へ入力される信号の最大電圧を一定にすることができる。よって、簡単な構成且つ安価なツェナーダイオードを用いて、出力期間制限手段へ入力される信号を安定化させ、出力手段による１回の出力期間を所定期間内に安定して留めつつ、出力期間制限手段を破壊し得る過電圧が出力期間制限手段に印加されることを防止することができる。
【０３３８】
遊技機１から８において、前記扉体は、前記本体に対して開閉される内枠と、その内枠に対して開閉される透明板支持扉とを有して構成され、前記扉開放検出手段は、その内枠と透明板支持扉とにそれぞれ設けられると共に、前記出力手段に並列接続されており、前記出力手段は、前記扉開放検出手段により前記内枠または透明板支持扉の少なくとも一方の開放が検出された場合に、その検出結果を前記特定装置へ出力することを特徴とする遊技機９。
【０３３９】
遊技機９によれば、扉開放検出手段は、内枠と透明板支持扉とにそれぞれ設けられると共に、出力手段に並列接続されているので、扉開放検出手段により内枠または透明板支持扉の少なくとも一方の開放が検出された場合には、出力手段によって、その検出結果が特定装置へ出力される。よって、扉体を構成する内枠または透明板支持扉のいずれか一方の開放であっても、１の出力手段によって、その開放を特定装置へ報せることができる。
【０３４０】
遊技機１から９のいずれかにおいて、前記扉開放検出手段は、前記扉体が開放されている場合には導通される一方、前記扉体が閉鎖されている場合には遮断されるように構成されていることを特徴とする遊技機１０。遊技機１０によれば、扉開放検出手段は、扉体が開放されている場合には導通され、一方、扉体が閉鎖されている場合には遮断されるので、不正行為の実行時である扉体の開放中にのみ出力手段を動作させて、電力消費を小さく抑えることができる。
【０３４１】
遊技機１から１０のいずれかにおいて、前記遊技機の電源オン中に充電されるオフ中動作手段を備えており、前記出力手段は、そのオフ中動作手段に充電された電荷または電力によって動作することを特徴とする遊技機１１。遊技機１１によれば、オフ中動作手段は、遊技機の電源オン中に、その遊技機に供給される電力によって充電されるので、遊技機の電源を遊技場の営業時間に合わせてオンするだけで、オフ中動作手段を充電することができる。よって、遊技場の閉店後の遊技機の電源がオフされている間に扉体の開放があった場合には、オフ中動作手段により出力手段（および出力期間制限手段）を動作させて、扉開放検出手段による検出結果を特定装置へ報せることができる。
【０３４２】
遊技機１から１１のいずれかにおいて、前記制御手段は、遊技の主な制御を行う主制御手段を備え、前記出力手段は、その主制御手段に搭載されていることを特徴とする遊技機１２。
【０３４３】
遊技機１から１１のいずれかにおいて、前記出力手段は、前記制御手段とは別の基板に搭載されていることを特徴とする遊技機１３。
【０３４４】
遊技機１から１３のいずれかにおいて、前記出力手段は、フォトカプラを備えており、前記扉開放検出手段による検出結果を、そのフォトカプラの出力により前記特定装置へ出力することを特徴とする遊技機１４。
【０３４５】
遊技機２から１４のいずれかにおいて、前記出力期間制限手段と前記出力手段とは、前記制御手段の動作電圧より低い電圧であっても動作可能に構成されていることを特徴とする遊技機１５。遊技機１５によれば、出力期間制限手段と出力手段とは、制御手段の動作電圧より低い電圧であっても動作可能に構成されているので、オフ中動作手段の充電量が減少して、オフ中動作手段の出力電圧が制御手段の動作電圧より低くなっても、出力期間制限手段および出力手段を動作させて、扉体の開放を特定装置へ報せることができる。即ち、遊技機の電源オフ時における扉体の開放検出を長時間行うことができる。
【０３４６】
遊技機２から１５のいずれかにおいて、前記出力期間制限手段と前記出力手段とは、その動作可能範囲電圧が前記制御手段の動作可能範囲電圧より広範囲に構成されていることを特徴とする遊技機１６。遊技機１６によれば、出力期間制限手段と出力手段とは、その動作可能範囲電圧が制御手段の動作可能範囲電圧より広範囲に構成されている。よって、遊技機の電源オフ時において、オフ中動作手段によって出力期間制限手段と出力手段とを長時間動作させることができるので、遊技機の電源オフ時における扉体の開放検出を長時間行うことができる。
【０３４７】
遊技機２から１６のいずれかにおいて、前記出力期間制限手段は、Ｃ−ＭＯＳ半導体を有して構成されていることを特徴とする遊技機１７。遊技機１７によれば、出力期間制限手段は、Ｃ−ＭＯＳ半導体を有して構成されている。ここで、Ｃ−ＭＯＳ半導体は、一般的に動作時の消費電力が小さい。よって、遊技機１７によれば、オフ中動作手段の消耗を小さくして、遊技機の電源オフ時における扉体の開放検出を長時間行うことができる。
【０３４８】
遊技機１から１７のいずれかにおいて、前記遊技機はパチンコ遊技機であることを特徴とする遊技機１８。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３４９】
遊技機１から１７のいずれかにおいて、前記遊技機はスロットマシンであることを特徴とする遊技機１９。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０３５０】
遊技機１から１７のいずれかにおいて、前記遊技機はパチンコ遊技機とスロットマシンとを融合させたものであることを特徴とする遊技機２０。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機では、遊技領域に打ち込まれた球が図柄作動口へ入球すると、その入球のタイミングで抽選が行われる。また、スロットマシンや遊技球を使用した回胴式遊技機では、スタートレバーを操作すると、その操作したタイミングで抽選が行われる。抽選の結果、例えば大当たりになると、大量の賞球やコインの払い出しが可能な状態となる。この抽選および大当たりを決定するための制御は、主制御装置によって行われるので、主制御装置が不正行為の対象になり易い。
具体的な不正行為としては、例えば、主制御装置を、大当たりが頻繁に発生する不正なものに取り替えたり、或いは、主制御装置に不正な基板（例えば「ぶら下げ基板」）を接続して、大当たりを不正に発生させるものなどがある。また、パチンコ機の場合、遊技盤面上に打ち込まれている釘を不正に曲げて、入賞口や図柄作動口へ球が入球し易くする不正行為もある。
パチンコ機の場合、主制御装置は遊技盤の裏面に装着されている。一方、遊技盤の前面には、ガラス枠が設けられ、このガラス枠は、遊技盤が装着される内枠体に対して、それぞれ個別に開閉可能にされている。よって、不正行為者が遊技盤面や主制御装置に対して不正行為を行う場合には、内枠またはガラス枠を開放しなければならないが、内枠またはガラス枠が開放された場合には、その開放がセンサによって検出され、遊技場を管理するホールコンピュータへ報されるので、どのパチンコ機に対して不正行為がなされたかは容易に把握することができる（例えば、特許文献１：特開２００１−１９８３３２号公報）。
しかしながら、遊技場の閉店後の例えば深夜に、不正行為者が侵入し、その侵入者が内枠またはガラス枠を開放して不正行為を行った場合、そのときにはパチンコ機の電源は断されており、パチンコ機は停止しているので、内枠またはガラス枠の開放を検知することができず、その開放をホールコンピュータに報せることができないという問題点があった。
本技術的思想は、上記例示した問題点等を解決するためになされたものであり、遊技機の電源がオフされている場合にも扉体の開放を特定装置へ報せることができる遊技機を提供することを目的としている。
＜手段＞
この目的を達成するために技術的思想１の遊技機は、本体と、その本体の前面を開閉する扉体と、その扉体と前記本体とにより形成される空間内に設けられ遊技の制御を行う制御手段とを備えたものであり、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める出力期間制限手段と、その出力期間制限手段と前記出力手段とを前記遊技機の電源オフ中に動作させるオフ中動作手段とを備え、前記出力手段は、前記出力期間制限手段からの出力に基づいて前記特定装置へ検出結果を出力し、前記出力期間制限手段は、前記扉開放検出手段により前記扉体の開放が検出された場合に、前記所定期間中に前記出力手段への出力を行うものである。なお、扉体と本体とにより形成される空間内とは、扉体の閉鎖時に手を触れることができない扉体の背面または背面側を示している。
技術的思想２の遊技機は、本体と、その本体の前面を開閉する扉体と、その扉体と前記本体とにより形成される空間内に設けられ遊技の制御を行う制御手段とを備えたものであり、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める出力期間制限手段と、その出力期間制限手段と前記出力手段とを前記遊技機の電源オフ中に動作させるオフ中動作手段とを備え、前記出力手段は、前記出力期間制限手段からの出力に基づいて前記特定装置へ検出結果を出力し、前記出力期間制限手段は、前記扉開放検出手段により前記扉体の開放が検出されない場合には、前記出力手段への出力を停止するものである。
技術的思３の遊技機は、本体と、その本体の前面を開閉する扉体と、その扉体と前記本体とにより形成される空間内に設けられ遊技の制御を行う制御手段とを備えたものであり、前記本体に対する前記扉体の開放を検出する扉開放検出手段と、その扉開放検出手段により前記扉体の開放が検出された場合に、その検出結果を特定装置へ出力する出力手段と、その出力手段による１回の出力期間を所定期間以内に留める単安定マルチバイブレータを用いた出力期間制限手段と、その出力期間制限手段に接続され、前記扉開放検出手段により前記扉体の開放が検出された場合に、前記出力期間制限手段へ入力される信号を前記扉体の開放期間に拘らず前記所定期間よりも短い期間に調整する入力期間調整手段と、前記出力期間制限手段と出力手段とを前記遊技機の電源オフ中に動作させるオフ中動作手段とを備えている。
技術的思想４の遊技機は、技術的思想３記載の遊技機において、前記入力期間調整手段は、積分回路を用いて構成されている。
技術的思想５の遊技機は、技術的思想３又は４に記載の遊技機において、前記入力期間調整手段は、前記出力期間制限手段へ入力される信号の最大電圧を一定化する定電圧手段を備えている。
技術的思想６の遊技機は、技術的思想５記載の遊技機において、前記定電圧手段は、ツェナーダイオードで構成されている。
＜効果＞
技術的思想１記載の遊技機によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できるという効果がある。
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできるという効果がある。
更に、出力期間制限手段からの出力に基づいて特定装置へ検出結果を出力する出力手段へは、扉開放検出手段により扉体の開放が検出された場合の所定期間中に、出力期間制限手段によって出力が行われる。よって、出力期間制限手段による出力手段への出力動作を、扉体の１回の開放につき、所定期間以内に留めることができる。従って、遊技機の電源オフ中におけるオフ中動作手段の消耗を抑制できると共に、出力手段の動作可能回数を多くして、扉体の開放の検出可能回数を多くできるという効果がある。
技術的思想２記載の遊技機によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できるという効果がある。
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできるという効果がある。
更に、特定装置へ検出結果を出力する出力手段への出力期間制限手段の出力は、扉開放検出手段により扉体の開放が検出されない場合には、停止される。よって、扉開放検出手段により扉体の開放が検出されない場合には、出力期間制限手段の出力動作に伴って消費される電力を抑制することができる。従って、遊技機の電源オフ中におけるオフ中動作手段の消耗を抑制できると共に、出力手段の動作可能回数を多くして、扉体の開放の検出可能回数を多くできるという効果がある。
技術的思想３記載の遊技機によれば、扉開放検出手段によって扉体の開放が検出されると、その検出結果は出力手段によって特定装置へ出力される。出力手段は、遊技機の電源オフ中にオフ中動作手段から電力供給を受けて動作するので、遊技機の電源オフ中であっても、扉開放検出手段によって扉体の開放が検出されると、その検出結果を特定装置へ出力することができる。よって、例えば、すべての遊技機の電源がオフされている閉店後に、何者かによる不正行為によって扉体が開放されても、その扉体の開放された遊技機を特定装置によって判別できるという効果がある。
しかも、出力手段による１回の出力期間は、出力期間制限手段によって所定期間以内に留められる。出力期間制限手段もまた出力手段と同様に、遊技機の電源オフ中にオフ中動作手段から電力供給を受けて動作するので、扉体の１回の開放による出力手段の動作期間を所定期間以内に留めて、遊技機の電源オフ中におけるオフ中動作手段の消耗を抑制できる。よって、出力手段の動作可能回数を多くして、扉体の開放の検出可能回数を多くできるという効果がある。
更に、単安定マルチバイブレータを用いた出力期間制限手段に入力される信号は、入力期間調整手段により、扉体の開放期間に拘らず、出力手段による１回の出力期間である所定期間よりも短く調整される。ここで、単安定マルチバイブレータは、出力される信号の出力期間よりも、入力される信号の入力期間が短くなければ、信号を出力し続ける。このため、単安定マルチバイブレータを出力期間制限手段に用いた場合には、出力される信号の出力期間よりも、即ち、出力期間制限手段が制限する所定期間よりも、出力期間制限手段に入力される信号の入力期間が、即ち、扉体の開放期間が短くなければならない。しかし、扉体の開放期間はどの程度になるか全く予測不能であるので、出力期間制限手段が制限する所定期間よりも、扉体の開放期間が常に短くなるようにするには、所定期間の設定を十分に余裕を持った期間にする必要がある。例えば、扉体の開放期間が、数十秒単位から数分単位と予測すれば、出力期間制限手段が制限する所定期間は、十分に余裕を持って、数分単位から数十分単位に設定しなければならない。すると、この所定期間中、出力期間制限手段および出力手段にオフ中動作手段から電力供給が行われ続けるので、オフ中動作手段の消耗が著しくなってしまう。よって、出力期間制限手段に単安定マルチバイブレータを使用した上でオフ中動作手段の消耗を抑制するためには、特殊な回路構成が必要であった。しかし、技術的思想３記載の遊技機によれば、入力期間調整手段により、扉体の開放期間に拘らず、出力期間制限手段に入力される信号を所定期間よりも短く調整することができる。よって、扉体の開放期間に拘らず、出力期間制限手段を正常に動作させることができるので、出力手段による１回の出力期間を出力期間制限手段により所定期間内に留めることができる。このように、技術的思想３記載の遊技機によれば、入力期間調整手段を設けることで、オフ中動作手段の消耗を抑制した上で、特殊な回路構成を採用することなく、単安定マルチバイブレータを用いて出力期間制限手段を実現することができるという効果がある。
技術的思想４記載の遊技機によれば、技術的思想３記載の遊技機の奏する効果に加え、積分回路を用いて入力期間調整手段を構成しているので、複雑な回路や信号処理を用いることなく、出力期間制限手段に入力される信号を所定期間よりも短く調整することができるという効果がある。また、積分回路に用いられる抵抗の抵抗値とコンデンサの容量値とを調整することで、出力期間制限手段に入力される信号の入力期間を所定期間内で自由に調整することができるという効果がある。
技術的思想５記載の遊技機によれば、技術的思想３又は４に記載の遊技機の奏する効果に加え、定電圧手段を設けているので、出力期間制限手段へ入力される信号の最大電圧を一定にして、出力期間制限手段へ入力される信号を安定化させ、出力手段による１回の出力期間を所定期間内に安定して留めることができるという効果がある。
また、積分回路を用いて入力期間調整手段を構成している場合には、積分回路に用いるコンデンサに電荷が蓄えられ、この電荷による電圧が、出力期間制限手段へ入力される信号と重畳されて、出力期間制限手段を破壊し得る過電圧が出力期間制限手段に印加される虞がある。しかし、技術的思想５記載の遊技機によれば、定電圧手段により、出力期間制限手段へ入力される信号の最大電圧を一定にしているので、出力期間制限手段を破壊し得る過電圧は出力期間制限手段に印加されない。よって、出力期間制限手段の破壊を防止することができるという効果がある。
技術的思想６記載の遊技機によれば、技術的思想５記載の遊技機の奏する効果に加え、ツェナーダイオードにより定電圧手段を構成しているので、複雑な回路により構成される定電圧回路等と比較して、簡単な構成且つ安価に、出力期間制限手段へ入力される信号の最大電圧を一定にすることができる。よって、簡単な構成且つ安価なツェナーダイオードを用いて、出力期間制限手段へ入力される信号を安定化させ、出力手段による１回の出力期間を所定期間内に安定して留めつつ、出力期間制限手段を破壊し得る過電圧が出力期間制限手段に印加されることを防止することができるという効果がある。
【符号の説明】
【０３５１】
１０                        パチンコ機（遊技機）
１１                        外枠（本体）
１２                        内枠（扉体の一部）
１４                        前面枠（透明板支持扉，扉体の一部）
１１０                      主制御装置（制御手段の一部，主制御手段）
２６０，２７０，２８０      枠開放検出回路（出力手段の一部）
２６１                      外部出力端子板（出力手段の一部）
２８１                      積分回路（入力期間調整手段）
ＣＤ１，ＣＤ６              コンデンサ（オフ中動作手段）
Ｄ３                        ツェナーダイオード（定電圧手段）
ＩＣ１                      タイマ（出力期間制限手段）
ＰＲ１                      フォトカプラ（出力手段の一部）
ＳＷ１，ＳＷ２              スイッチ（扉開放検出手段）